(57)【要約】本発明は、ヒトの酵素(ENZM)群および、ENZMを同定し、コードするポリヌクレオチド群を提供する。本発明はまた、発現ベクター、宿主細胞、抗体、アゴニストおよびアンタゴニストをも提供する。本発明はまた、ENZMの異常発現に関連する疾患を診断、治療または予防する方法をも提供する。【特許請求の範囲】
【請求項１】
以下の（ａ）乃至（ｄ）からなる群から選択した単離されたポリペプチド。
（ａ）  SEQ ID NO:1-12（配列番号１乃至12）からなる群から選択したアミノ酸配列を含むポリペプチド
（ｂ）  SEQ ID NO：1-7およびSEQ ID NO:9-12からなる群から選択した或るアミノ酸配列と少なくとも90％が同一であるような天然アミノ酸配列を含むポリペプチド
（ｃ）  SEQ ID NO：1-12からなる群から選択したアミノ酸配列を有するポリペプチドの生物学的活性断片
（ｄ）  SEQ ID NO:1-12からなる群から選択したアミノ酸配列を有するポリペプチドの免疫原性断片
【請求項２】
SEQ ID NO:1-12からなる群から選択したアミノ酸配列を含む、請求項１に記載の単離されたポリペプチド。
【請求項３】
請求項1のポリペプチドをコードする単離されたポリヌクレオチド。
【請求項４】
請求項２のポリペプチドをコードする単離されたポリヌクレオチド。
【請求項５】
SEQ ID NO:13-24からなる群から選択したポリヌクレオチド配列を含む、請求項４に記載の単離されたポリヌクレオチド。
【請求項６】
請求項３に記載のポリヌクレオチドに機能的に連結したプロモーター配列を含む組換えポリヌクレオチド。
【請求項７】
請求項６に記載の組換えポリヌクレオチドを用いて形質転換した細胞。
【請求項８】
請求項６に記載の組換えポリヌクレオチドを含む遺伝形質転換体。
9.
【請求項９】
請求項１のポリペプチドを生産する方法であって、
（ａ）  前記ポリペプチドの発現に好適な条件下で、請求項１のポリペプチドをコードするポリヌクレオチドに機能的に連結したプロモーター配列を含む組換えポリヌクレオチドで形質転換される細胞を培養する過程と、
（ｂ）  そのように発現した前記ポリペプチドを回収する過程とからなり、前記組換えポリヌクレオチドが、請求項１に記載の前記ポリペプチドをコードするポリヌクレオチドに機能的に連結したプロモーター配列を含むことを特徴とする方法。
【請求項１０】
前記ポリペプチドが、SEQ ID NO:1-12からなる群から選択した或るアミノ酸配列を含むことを特徴とする、請求項９に記載の方法。
【請求項１１】
請求項１に記載のポリペプチドと特異結合するような単離された抗体。
【請求項１２】
以下の（ａ）乃至（e）からなる群から選択した単離されたポリヌクレオチド。
（ａ）  SEQ ID NO：13-24からなる群から選択したポリヌクレオチド配列を含むポリヌクレオチド
（ｂ）  SEQ ID NO:13-24からなる群から選択したポリヌクレオチド配列と少なくとも９０％が同一であるような天然のポリヌクレオチド配列を含むポリヌクレオチド
（ｃ）  (a)のポリヌクレオチドに相補的なポリヌクレオチド
（ｄ）  （ｂ）のポリヌクレオチドに相補的なポリヌクレオチド
（ｅ）  （ａ）〜（ｄ）のRNA等価物
【請求項１３】
請求項12に記載のポリヌクレオチドの少なくとも６０の連続したヌクレオチドを含む単離されたポリヌクレオチド。
【請求項１４】
請求項12に記載のポリヌクレオチドの配列を有する標的ポリヌクレオチドをサンプル中から検出する方法であって、
（ａ）  前記サンプル中の前記標的ポリヌクレオチドに相補的な配列を持つ少なくとも２０の連続したヌクレオチドを持つプローブを用いて前記サンプルをハイブリダイズする過程と、
（ｂ）  前記ハイブリダイゼーション複合体の存在・不存在を検出し、該複合体が存在する場合にはオプションでその量を検出する過程、とを含み、前記プローブと前記標的ポリヌクレオチドあるいはその断片との間でハイブリダイゼーション複合体が形成される条件下で、プローブが前記標的ポリヌクレオチドに特異的にハイブリダイズすることを特徴とする方法。
【請求項１５】
前記プローブが少なくとも６０の連続したヌクレオチドを含むことを特徴とする請求項14に記載の方法。
【請求項１６】
請求項12に記載のポリヌクレオチドの配列を有する標的ポリヌクレオチドをサンプル中から検出する方法であって、
（ａ）  ポリメラーゼ連鎖反応増幅を用いて前記標的ポリヌクレオチドまたはその断片を増幅する過程と、
（ｂ）  前記の増幅した標的ポリヌクレオチドまたはその断片の有無を検出し、該標的ポリヌクレオチドまたはその断片が存在する場合にはオプションでその量を検出する過程を含むことを特徴とする方法。
【請求項１７】
請求項１のポリペプチドと、薬剤として許容できる賦形剤とを含むことを特徴とする組成物。
【請求項１８】
前記ポリペプチドが、SEQ ID NO:1-12からなる群から選択したアミノ酸配列を含むことを特徴とする請求項17の組成物。
【請求項１９】
機能的ENZMの発現低下に関連する疾患又は病状を治療する方法であって、そのような治療を必要とする患者に対して請求項17に記載の組成物を投与する過程を含むことを特徴とする方法。
【請求項２０】
請求項１に記載のポリペプチドのアゴニストとして有効性を確認するために化合物をスクリーニングする方法であって、
（ａ）  請求項１のポリペプチドを含むサンプルを化合物に曝すステップと、
（ｂ）  前記サンプルにおいてアゴニスト活性を検出するステップとを含むことを特徴とするスクリーニング方法。
【請求項２１】
請求項20に記載の方法によって同定したアゴニスト化合物と、薬剤として許容できる賦形剤とを含むことを特徴とする組成物。
【請求項２２】
機能性ENZMの発現低下に関連する疾患又は病状を治療する方法であって、そのような治療を必要とする患者に対して請求項21に記載の成分を投与する過程を含むことを特徴とする方法。
【請求項２３】
請求項１に記載のポリペプチドのアンタゴニストとして有効性を確認するために化合物をスクリーニングする方法であって、
（ａ）  請求項１のポリペプチドを含むサンプルを化合物に曝すステップと、
（ｂ）  前記サンプルにおいてアンタゴニスト活性を検出するステップとを含むことを特徴とするスクリーニング方法。
【請求項２４】
請求項２３に記載の方法によって同定したアンタゴニスト化合物と、薬剤として許容できる賦形剤とを含むことを特徴とする組成物。
【請求項２５】
機能的ENZMの過剰発現に関連する疾患や病態の治療方法であって、そのような治療が必要な患者に請求項24の組成物を投与する過程を含むことを特徴とする治療方法。
【請求項２６】
請求項１に記載のポリペプチドに特異結合する化合物をスクリーニングする方法であって、
（ａ）  請求項１のポリペプチドを適切な条件下で少なくとも１つの試験化合物と混合する過程と、
（ｂ）  請求項１のポリペプチドの試験化合物との結合を検出し、それによって請求項１のポリペプチドに特異結合する化合物を同定する過程を含む方法。
【請求項２７】
請求項１に記載のポリペプチドの活性を調節する化合物をスクリーニングする方法であって、
（ａ）  請求項１のポリペプチドの活性が許容される条件下で、請求項１のポリペプチドを少なくとも１つの試験化合物と混合する過程と、
（ｂ）  請求項１に記載のポリペプチドの活性を試験化合物の存在下で算定する過程と、
（ｃ）  試験化合物の存在下での請求項１のポリペプチドの活性を、試験化合物の不存在下での請求項１のポリペプチドの活性と比較する過程を含み、試験化合物の存在下での請求項１のポリペプチドの活性の変化が、請求項１のポリペプチドの活性を調節する化合物を標示するような方法。
【請求項２８】
請求項５の配列を含む標的ポリヌクレオチドの発現を変容させるのに効果的な化合物をスクリーニングする方法であって、
（ａ）  前記標的ポリヌクレオチドの発現に好適な条件下で、該標的ポリヌクレオチドを含むサンプルを化合物に曝露する過程と、
（ｂ）  前記標的ポリヌクレオチドの発現改変を検出する過程と、
（ｃ）  可変量の前記化合物の存在下と前記化合物の不存在下で、前記標的ポリヌクレオチドの発現を比較する過程とを含むことを特徴とする方法。
【請求項２９】
試験化合物の毒性を算定する方法であって、
（ａ）  核酸を含む生物学的サンプルを前記試験化合物で処理する過程と、
（ｂ）  処理した前記生物学的サンプルの核酸と、請求項12のポリヌクレオチドの少なくとも２０の連続するヌクレオチドを持つプローブをハイブリダイズさせる過程であって、このハイブリダイゼーションゼーションが、前記プローブと前記生物学的サンプル中の標的ポリヌクレオチドとの間で特異的なハイブリダイゼーション複合体が形成される条件下で行われ、前記標的ポリヌクレオチドが、請求項12のポリヌクレオチドまたはその断片のポリヌクレオチド配列を含むポリヌクレオチドである、前記過程と、
（ｃ）  ハイブリダイゼーション複合体の収量を定量する過程と、
（ｄ）  前記処理された生物学的サンプル中のハイブリタイゼーション複合体の量を、処理されていない生物学的サンプル中のハイブリタイゼーション複合体の量と比較する過程とを含み、前記処理された生物学的サンプル中のハイブリタイゼーション複合体の量の差が、前記試験化合物の毒性を標示するような方法。
【請求項３０】
生体サンプル中のENZMの発現に関連する症状または疾患に対する診断試験法であって、
（ａ）          前記生物学的サンプルと請求項11の抗体との混合を、前記抗体が前記ポリペプチドに結合し、抗体とポリペプチドとの複合体を形成するのに適した条件下で行う過程と、
（ｂ）  前記複合体を検出する過程とを含み、前記複合体の存在が、前記生物学的サンプル中の前記ポリペプチドの存在と相関することを特徴とする方法。
【請求項３１】
請求項11の抗体であって、
（ａ）  キメラ抗体
（ｂ）  単鎖抗体
（ｃ）  Fab断片
（ｄ）  F（ab'）2 断片
（ｅ）  またはヒト化抗体である抗体。
【請求項３２】
請求項１１に記載の抗体と、許容できる賦形剤とを含む組成物。
【請求項３３】
被検者のENZMの発現に関連する病状又は疾患の診断方法であって、請求項３２に記載の組成物の有効量を前記被検者に投与する過程を含むことを特徴とする方法。
【請求項３４】
前記抗体が標識されることを特徴とする請求項３２に記載の組成物。
【請求項３５】
被検者のENZMの発現に関連する病状又は疾患の診断方法であって、請求項34に記載の組成物の有効量を前記被検者に投与する過程を含むことを特徴とする方法。
【請求項３６】
請求項11に記載の抗体の特異性を有するポリクローナル抗体を調製する方法であって、
（ａ）  抗体反応を誘発する条件下で、SEQ ID NO:1-12からなる群から選択したアミノ酸配列またはその免疫原性断片を含むポリペプチドを用いて動物を免疫化する過程と、
（ｂ）  前記動物から抗体を単離する過程と、
（ｃ）  前記単離された抗体を前記ポリペプチドでスクリーニングし、それによって、SEQ ID NO：1-12からなる群から選択したアミノ酸配列を含むポリペプチドに特異結合するポリクローナル抗体を同定する過程とを含むような方法。
【請求項３７】
請求項36に記載の方法で産出したポリクローナル抗体。
【請求項３８】
請求項37に記載のポリクローナル抗体及び適切なキャリアーを含む組成物。
【請求項３９】
請求項１１に記載の抗体の特異性を有するモノクローナル抗体を作製する方法であって、
（ａ）  抗体反応を誘発する条件下で、SEQ ID NO:1-12からなる群から選択したアミノ酸配列またはその免疫原性断片を含むポリペプチドを用いて動物を免疫化する過程と、
（ｂ）  前記動物から抗体産出細胞を単離する過程と、
（ｃ）  前記抗体産出細胞と不死化した細胞とを融合して、モノクローナル抗体を産出するハイブリドーマ細胞を形成する過程と、
（ｄ）  前記ハイブリドーマ細胞を培養する過程と、
（ｅ）  SEQ ID NO：1-12からなる群から選択したアミノ酸配列を含むポリペプチドに特異結合するようなモノクローナル抗体を前記培養物から単離する過程とを含むことを特徴とする方法。
【請求項４０】
請求項39に記載の方法で産出したモノクローナル抗体。
【請求項４１】
請求項40に記載のモノクローナル抗体及び適切なキャリアーを含む組成物。
【請求項４２】
Fab発現ライブラリをスクリーニングすることにより産出されることを特徴とする請求項１１に記載の抗体。
【請求項４３】
組換え免疫グロブリンライブラリのスクリーニングにより前記抗体を産出することを特徴とする請求項１１に記載の抗体。
【請求項４４】
SEQ ID NO:1-12を有する群から選択したアミノ酸配列を有するポリペプチドをサンプル中で検出する方法であって、
（ａ）  請求項１１に記載の抗体と前記ポリペプチドとの特異結合を許容する条件下で、前記抗体と１サンプルとをインキュベートする過程と、
（ｂ）  特異結合を検出する過程とを含み、該特異結合が、SEQ ID NO：1-１２からなる群から選択したアミノ酸配列を有するポリペプチドがサンプル中に存在することを標示することを特徴とする方法。
【請求項４５】
SEQ ID NO:1-12 からなる群から選択したアミノ酸配列を有するポリペプチドを精製する方法であって、
（ａ）  請求項１１に記載の抗体と前記ポリペプチドとの特異結合を許容する条件下で、前記抗体と１サンプルとをインキュベートする過程と、
（ｂ）  前記サンプルから前記抗体を分離し、SEQ ID NO:1-12からなる群から選択したアミノ酸配列を含む精製ポリペプチドを得る過程とを含むことを特徴とする方法。
【請求項４６】
マイクロアレイの少なくとも１つが請求項１３に記載のポリヌクレオチドであることを特徴とするマクロアレイ。
【請求項４７】
ポリヌクレオチドを含むサンプルの発現プロファイルを作製する方法であって、
（ａ）  サンプル中のポリヌクレオチドを標識化する過程
（ｂ）  ハイブリダイゼーション複合体が形成されるのに適した条件下で請求項46のマイクロアレイのエレメントとサンプル中の標識化ポリヌクレオチドとを接触させる過程と、
（ｃ）  サンプル中のポリヌクレオチドの発現を定量する過程を含む方法
【請求項４８】
或る固体基板上の固有の物理的位置に付着された種々のヌクレオチド分子を有するアレイであって、少なくとも１つの前記ヌクレオチド分子が、或る標的ポリヌクレオチドの少なくとも30の連続したヌクレオチド群と特異的にハイブリダイズ可能な最初のオリゴヌクレオチドまたはポリヌクレオチド配列を含み、前記の標的ポリヌクレオチドが請求項１２に記載のポリヌクレオチドであることを特徴とするアレイ。
【請求項４９】
請求項４８に記載のアレイで、前記の最初のオリゴヌクレオチドまたはポリヌクレオチドの配列が前記の標的ポリヌクレオチドの少なくとも30の連続したヌクレオチドに完全に相補的であることを特徴とするアレイ。
【請求項５０】
請求項４８に記載のアレイで、前記の最初のオリゴヌクレオチドまたはポリヌクレオチドの配列が前記の標的ポリヌクレオチドの少なくとも60の連続したヌクレオチドに完全に相補的であることを特徴とするアレイ。
【請求項５１】
請求項48に記載のアレイで、前記の最初のオリゴヌクレオチドまたはポリヌクレオチドの配列が前記の標的ポリヌクレオチドに完全に相補的であることを特徴とするアレイ。
【請求項５２】
請求項48に記載のアレイで、マイクロアレイであることを特徴とするアレイ。
【請求項５３】
請求項48に記載のアレイで、前記のオリゴヌクレオチドまたはポリヌクレオチドの最初の配列を含むヌクレオチド分子にハイブリダイズした前記の標的ポリヌクレオチドを有することを特徴とするアレイ。
【請求項５４】
請求項48に記載のアレイで、リンカーが少なくとも１つの前記のヌクレオチド分子と前記の固体基板を連結していることを特徴とするアレイ。
【請求項５５】
請求項48に記載のアレイで、基板上の固有の物理的位置の各々が複数のヌクレオチド分子を含み、任意の単一の固有の物理的位置でのその複数のヌクレオチド分子は同一の配列を有し、基板上の固有の物理的位置の各々は、基板上の別の固有の物理的位置でのヌクレオチド分子の配列とは異なる配列を有するヌクレオチド分子を含むことを特徴とするアレイ。
【請求項５６】
SEQ ID NO:1のアミノ酸配列を含む請求項１に記載のポリペプチド。
【請求項５７】
SEQ ID NO:2のアミノ酸配列を含む請求項1に記載のポリペプチド。
【請求項５８】
SEQ ID NO:3のアミノ酸配列を含む請求項1に記載のポリペプチド。
【請求項５９】
SEQ ID NO:4のアミノ酸配列を含む請求項1に記載のポリペプチド。
【請求項６０】
SEQ ID NO:5のアミノ酸配列を含む請求項1に記載のポリペプチド。
【請求項６１】
SEQ ID NO:6のアミノ酸配列を含む請求項1に記載のポリペプチド。
【請求項６２】
SEQ ID NO:7のアミノ酸配列を含む請求項1に記載のポリペプチド。
【請求項６３】
SEQ ID NO:8のアミノ酸配列を含む請求項1に記載のポリペプチド。
【請求項６４】
SEQ ID NO:9のアミノ酸配列を含む請求項1に記載のポリペプチド。
【請求項６５】
SEQ ID NO:10のアミノ酸配列を含む請求項1に記載のポリペプチド。
【請求項６６】
SEQ ID NO:11のアミノ酸配列を含む請求項1に記載のポリペプチド。
【請求項６７】
SEQ ID NO:12のアミノ酸配列を含む請求項1に記載のポリペプチド。
【請求項６８】
SEQ ID NO:13のポリヌクレオチド配列を含む請求項12に記載のポリヌクレオチド。
【請求項６９】
SEQ ID NO:14のポリヌクレオチド配列を含む請求項12に記載のポリヌクレオチド。
【請求項７０】
SEQ ID NO:15のポリヌクレオチド配列を含む請求項12に記載のポリヌクレオチド。
【請求項７１】
SEQ ID NO:16のポリヌクレオチド配列を含む請求項12に記載のポリヌクレオチド。
【請求項７２】
SEQ ID NO:17のポリヌクレオチド配列を含む請求項12に記載のポリヌクレオチド。
【請求項７３】
SEQ ID NO:18のポリヌクレオチド配列を含む請求項12に記載のポリヌクレオチド。
【請求項７４】
SEQ ID NO:19のポリヌクレオチド配列を含む請求項12に記載のポリヌクレオチド。
【請求項７５】
SEQ ID NO:20のポリヌクレオチド配列を含む請求項12に記載のポリヌクレオチド。
【請求項７６】
SEQ ID NO:21のポリヌクレオチド配列を含む請求項12に記載のポリヌクレオチド。
【請求項７７】
SEQ ID NO:22のポリヌクレオチド配列を含む請求項12に記載のポリヌクレオチド。
【請求項７８】
SEQ ID NO:23のポリヌクレオチド配列を含む請求項12に記載のポリヌクレオチド。
【請求項７９】
SEQ ID NO:24のポリヌクレオチド配列を含む請求項12に記載のポリヌクレオチド。
【発明の詳細な説明】
【技術分野】
【０００１】
本発明は、酵素の核酸配列及びアミノ酸配列に関する。本発明はまた、これらの配列を利用した、自己免疫／炎症疾患、免疫不全、代謝異常、生殖系疾患、神経疾患、心血管疾患、および眼疾患、癌を含む細胞増殖異常の診断・治療・予防に関する。本発明はさらに、酵素の核酸配列及びアミノ酸配列の発現における外因性化合物の影響についての評価に関する。
【背景技術】
【０００２】
生物発生と生分解の細胞過程には、酸化還元酵素、トランスフェラーゼ、ヒドロラーゼ、リアーゼ、イソメラーゼ、リガーゼその他多数の重要な酵素クラスが関与している。各酵素クラスは正確で高度に調節された機能を持つ多くの基質特異的酵素を含んでいる。酵素は、解糖、トリカルボン酸回路、および脂肪酸代謝； アミノ酸、ステロイド、リン脂質、およびアルコールの合成または分解； 細胞シグナル伝達、増殖、炎症およびアポトーシス； ＤＮＡ複製、修復および翻訳過程の重要な段階を触媒する。
【０００３】
酸化還元酵素
生物発生と生分解の多くの経路は、補助因子の還元または酸化とカップリングされた酸化還元酵素（デヒドロゲナーゼまたはレダクターゼ）を必要とする。補助因子として可能性があるのは、チトクローム、酸素、ジスルフィド、鉄硫黄タンパク質、フラビンアデニンジヌクレオチド（ＦＡＤ）およびニコチンアミドアデニンジヌクレオチドＮＡＤおよびＮＡＤＰ等である(Newsholme, E.A. および Leech, A.R. (1983) Biochemistry for the Medical Sciences, John Wiley and Sons, Chichester, U. K. 779-793ページ)。レダクターゼ活性は基質と補助因子の間の電子の伝達（およびそれと同時に起こる補助因子の酸化）を触媒する。リバースデヒドロゲナーゼの活性は補助因子の還元とそれに伴う基質の酸化を触媒する。酸化還元酵素は生物体の全ての細胞内の反応を触媒する広範囲のスーパーファミリである。そうした反応としては糖の代謝、ある種の解毒反応、そして脂肪酸、アミノ酸、グリココルチコイド、エストロゲン、アンドロゲンおよびプロスタグランジンの合成または分解が含まれる。ファミリメンバーの中には酸化還元酵素、オキシダーゼ、レダクターゼ、またはデヒドロゲナーゼとして言及されるものがあり、サイトゾル、原形質膜、ミトコンドリアの内膜または外膜、ペルオキシソーム等の細胞内の特定の場所に存在する。
【０００４】
短鎖アルコールデヒドロゲナーゼ（ＳＣＡＤ）はわずか15％から30％の配列同一性しか共有していないデヒドロゲナーゼの或るファミリである。類似しているのは主に補酵素結合ドメインと基質結合ドメインである。ＳＣＡＤはエタノールの解毒に役割を果たすほか、脂肪酸、ステロイドおよび一部のプロスタグランジンの合成と分解に関与しているため、脂質貯蔵病、ミオパシー、ＳＣＡＤ欠乏症、ある種の遺伝的疾患を含むさまざまな疾患に関連していると考えられている。たとえば、レチノールをレチノイン酸の前駆体であるレチナールに変換するレチノールデヒドロゲナーゼはＳＣＡＤファミリのメンバーである(Simon, A. 他 (1995) J. Biol. Chem. 270:1107-1112) 。分化とアポトーシスの調節因子であるレチノイン酸は細胞増殖と炎症に関与する遺伝子を下方調節することが明らかにされている(Chai, X. 他 (1995) J. Biol. Chem. 270:3900-3904)。さらに、レチノールデヒドロゲナーゼは常染色体劣性小児期発症レチナールジストロフィなどの遺伝性の眼病に関連付けられている(Simon, A. 他 (1996) Genomics 36:424-430)。
【０００５】
膜結合コハク酸デヒドロゲナーゼ(コハク酸：キノンレダクターゼ、ＳＱＲ)およびフマル酸レダクターゼ（キノール：フマル酸レダクターゼ、ＱＦＲ）はコハク酸のフマル酸への酸化をキノンのキノールへの還元にカップリングさせ、その逆反応も触媒する。ＱＦＲとＳＱＲ複合体はコハク酸：キノン酸化還元酵素(EC 1.3.5.1)として総称され、類似した組成を持っている。これらの複合体は2つの親水性サブユニットおよび１つまたは２つの疎水性膜内在サブユニットからなっている。大きな親水性サブユニットＡは共有結合したフラビンアデニンジヌクレオチドを持ち、サブユニットＢは３つの鉄硫黄中心を持っている(Lancaster, C.R. および Kroger, A. (2000) Biochim. Biophys. Acta 1459:422431)。ヒトの心臓のコハク酸デヒドロゲナーゼ(コハク酸：（アクセプター）酸化還元酵素；EC 1.3.99.1) のフラビンタンパク質サブユニットの完全長ｃＤＮＡ配列は、システイントリプレットを含む点と活性部位が酵母や原核生物のＳＱＲに存在しない余分のシステインを含んでいる点でウシのコハク酸デヒドロゲナーゼに類似している(Morris, A. A. 他 (1994) Biochim. Biophys. Acta 29:125-128)。
【０００６】
神経インパルスの伝播、細胞増殖および分化の変調、免疫応答の誘発および組織恒常性には神経伝達物質の代謝が関与している  (Weiss, B. (1991) Neurotoxicology 12:379-386; Collins, S.M. 他(1992) Ann. N.Y. Acad. Sci. 664:415-424; およびBrown, J.K. および Imam, H. (1991) J. Inherit. Metab. Dis. 14:436-458)。神経伝達物質代謝の多くの経路はNAD+/NADH などの補助因子の還元または酸化とカップリングされた酸化還元酵素活性を必要とする(Newsholme, E.A. および Leech, A.R. (1983) Biochemistry for the Medical Sciences, John Wiley and Sons, Chichester, U.K. 779-793ページ)。カテコールアミン（エピネフリンまたはノルエピネフリン）の分解にはアルコールデヒドロゲナーゼ(脳内)またはアルデヒドデヒドロゲナーゼ（末梢組織）が必要である。NAD+ 依存性アルデヒドデヒドロゲナーゼは脳、血小板、肝臓および肺内皮の５ヒドロキシインドール‐３‐酢酸（５ヒドロキシトリプタミン（セロトニン）代謝の産物）を酸化する(Newsholme, E.A. および Leech, A.R. 前出 786ページ)。NAD+/NADH依存酸化還元酵素活性を利用したその他の神経伝達物質分解経路としてはＬ-ＤＯＰＡ（ドーパミンの前駆体、神経興奮化合物）、グリシン（脳および脊髄の抑制性神経伝達物質）、ヒスタミン（炎症反応時にマスト細胞から遊離）、およびタウリン（脳幹、脊髄および網膜の抑制性神経伝達物質）などがある (Newsholme, E.A. および Leech, A.R. 前出 790, 792ページ)。神経伝達物質代謝経路の後生的または遺伝的欠陥はパーキンソン病および遺伝性筋間代などの病気の原因となりうる(McCance, K.L. 及びHuether, S.E. (1994) Pathophysiology, Mosby-Year Book, Inc., St. Louis, MO 402-404ページ、及び Gundlach, A.L. (1990) FASEB J. 4:2761-2766)。
【０００７】
テトラヒドロ葉酸はグルタミン酸分子の誘導体であり、キャリアとして作用し、プリン、プリミジン、アミノ酸のメチオニンの合成など、広範囲の生合成反応に活性化された１炭素ユニットを提供する。テトラヒドロ葉酸はテトラヒドロ葉酸シンターゼと呼ばれるホロ酵素複合体の活性によって生成されるが、これにはテトラヒドロ葉酸デヒドロゲナーゼ、テトラヒドロ葉酸シクロヒドラーゼおよびテトラヒドロ葉酸シンターゼの3つの酵素活性が含まれる。このようにして、テトラヒドロ葉酸デヒドロゲナーゼは細胞増殖に必須な核酸およびアミノ酸の構築要素を生成するのに重要な役目を果たす。
【０００８】
３ヒドロキシアシルＣｏＡデヒドロゲナーゼ（３ＨＡＣＤ）は脂肪酸の代謝に関与している。この酵素は真核細胞のミトコンドリアおよびペルオキシソームにおいて３ヒドロキシアシルＣｏＡを３オキソアシルＣｏＡに還元し、同時にＮＡＤをＮＡＤＨに酸化する反応を触媒する。ペルオキシソームにおいては３ＨＡＣＤとエノイルＣｏＡヒドラターゼが二機能酵素と呼ばれる酵素複合体を形成するが、この酵素の欠陥はペルオキシソームの二機能酵素欠乏症に関連付けられている。この脂肪酸代謝障害により、超長鎖脂肪酸が蓄積し、脳、骨および副腎の発達を妨害する。この欠乏症を持って生まれた幼児は６ヶ月以内に死ぬのが普通である(Watkins, P. 他 (1989) J. Clin. Invest. 83:771-1277; Online Mendelian Inheritance in Man (OMIM), #261515)。アルツハイマー病の神経変性の特徴として、脳のある領域で細胞外のプラークが生じてくる。これらのプラークの主要なタンパク質成分はペプチドアミロイドβ (Aβ)であり、これはアミロイド前駆体タンパク質（ＡＰＰ）のいくつかの切断産物のうちの一つである。3HACDはAβペプチドに結合することが示されており、アルツハイマー病に影響を受けているニューロンで過剰発現している。さらに、３HACDに対する或る抗体はアルツハイマー病の細胞培養モデルにおいてAβの毒性を阻止することができる(Yan, S. 他 (1997) Nature 389:689-695; OMIM, #602057)。
【０００９】
エストロゲン、テストステロンおよびコルチコステロンなどのステロイドは共通の前駆体であるコレステロールから生成され、互いに変換される。コレステロールに作用する酵素としてはデヒドロゲナーゼが含まれる。ヒドロキシステロイドデヒドロゲナーゼのようなステロイドデヒドロゲナーゼは高血圧、受胎能力および癌に関与している(Duax, W.L. および Ghosh, D. (1997) Steroids 62:95-100)。このようなデヒドロゲナーゼの一例は２オキソ５-α-ステロイドデヒドロゲナーゼ（ＯＡＳＤ）であるが、これは前立腺およびその他のアンドロゲン応答性組織で高度に発現しているミクロソーム膜タンパク質である。ＯＡＳＤはテストステロンのジヒドロテストステロンへの変換を触媒するが、後者は最も強力なアンドロゲンである。ジヒドロテストステロンは胚形成中の男性表現型の形成に必須であるとともに、前立腺および男性性器のような組織が組織がアンドロゲンを仲介として適正に成長するためにも必須である。ＯＡＳＤに欠陥があると、外部性器の形成に欠陥を生じる(Andersson, S. 他 (1991) Nature 354:159-161; Labrie, F. 他  (1992) Endocrinology 131:1571-1573; OMIM #264600)。
【００１０】
17βヒドロキシステロイドデヒドロゲナーゼ (17βHSD6) は雄の生殖ホルモンであるジヒドロテストステロン(DHTT)の調節に重要な役割を果たす。17βHSD6 はＤＨＴＴの前駆体である3αジオールを酸化してアンドロステロンにすることによってＤＨＴＴレベルを下げる。アンドロステロンは容易にグルクロン酸抱合されて除去される。17βHSD6 は胚の腎臓293細胞においてアンドロゲンとエストロゲン基質の両方に活性がある。17βHSD のアイソザイムはさまざまな組織内の酸化および/または還元反応を触媒し、それぞれ異なるステロイド基質を好む(Biswas, M.G. および Russell, D.W. (1997) J. Biol. Chem. 272:15959-15966)。たとえば17βHSD1はエストラジオールを好んで還元し、卵巣と胎盤に豊富に存在する。17βHSD2はアンドロゲンの酸化を触媒し、子宮内膜と胎盤に存在する。17βHSD3は睾丸だけに存在する還元酵素である(Geissler, W.M. 他 (1994) Nature Genet. 7:34-39)。ＤＨＴＴなどのアンドロゲンが過剰にあると、良性前立腺過形成および前立腺癌などの病気に寄与することがある。
【００１１】
酸化還元酵素のイソクエン酸デヒドロゲナーゼはイソクエン酸のαケトグルタル酸（クエン酸回路の一基質）への変換を触媒する。イソクエン酸デヒドロゲナーゼはＮＡＤまたはＮＡＤＰ依存性で、サイトゾル、ミトコンドリアおよびペルオキシソームに見られる。イソクエン酸デヒドロゲナーゼの活性はホルモン、神経伝達物質および成長因子によって発生的に調節される。
【００１２】
ヒドロキシピルビン酸レダクターゼ（HPR）はペルオキシソームのグリコール酸経路の２ヒドロキシ酸デヒドロゲナーゼの一種であり、ヒドロキシピルビン酸のグリセリン酸への変換を触媒し、その際NADHとNADPHの両方を酸化する。逆のデヒドロゲナーゼ反応はNAD+ と NADP+を還元する。HPRはヌクレオチドと塩基を、ATPとGTPの合成につながる経路にリサイクルし、このATPとGTPがDNAとRNAの生成に使用され、また信号伝達とエネルギー代謝のさまざまな側面の制御に使用される。プリンヌクレオチド生合成インヒビターは癌およびウィルス疾患治療用の抗増殖剤として使用される。HPRはまた、セリンの生化学的合成とタンパク質合成に使用できる細胞セリンレベルを調節する。
【００１３】
ミトコンドリア電子伝達系（すなわち呼吸鎖）は、一連の酸化還元酵素タイプの酵素複合体であってミトコンドリア膜内にあり、NADHから酸素への電子伝達と、この酸化作用をATPの合成に共役させる過程（酸化的リン酸化）とに関わる。ATPはエネルギーを要する反応を駆動するためのエネルギーを提供する。主要な呼吸鎖複合体はNADH：ユービキノン酸化還元酵素(複合体I)、コハク酸：ユービキノン酸化還元酵素(複合体II)、チトクロームc1b 酸化還元酵素(複合体III)、チトクロームｃオキシダーゼ(複合体IV)およびATPシンターゼ(複合体V)である(Alberts, B. 他  (1994) Molecular Biology of the Cell, Garland Publishing, Inc., New York, NY, 677-678ページ)。これらの複合体は、複合体IIを除いて全てミトコンドリア膜の内側マトリクス側に位置している。複合体IIはサイトゾル側にあってクエン酸回路で生成される電子を呼吸鎖まで輸送する。クエン酸回路でコハク酸をフマル酸に酸化するときに放出される電子は複合体IIの電子キャリアを通じて膜結合ユービキノン(Ｑ)に移送される。これらの核でコードされる遺伝子の転写調節により、呼吸酵素の生物発生が制御される。呼吸鎖内の酵素の発現が変容されたり欠陥があったりすると、さまざまな疾患状態に結びつくと考えられている。
【００１４】
NADを補助因子として使ったその他のデヒドロゲナーゼ活性としては、たとえば３ヒドロキシイソブチル酸デヒドロゲナーゼ(3HBD)があるが、これはミトコンドリアにおいて３ヒドロキシイソブチル酸のメチルマロン酸セミアルデヒドへのNADに依存した酸化を触媒する。３ヒドロキシイソブチル酸レベルはケトアシドーシス、メチルマロン酸血症、およびその他の疾患において上昇している(Rougraff, P.M. 他 (1989) J. Biol. Chem. 264:5899-5903)。アミノ酸代謝で重要なミトコンドリアのデヒドロゲナーゼとしてもう一つ重要なのはイソバレリルCoAデヒドロゲナーゼ(IVD)である。ＩＶＤはロイシン代謝に関与していて、イソバレリルCoAのメチルクロトニルCoAへの酸化を触媒する。ヒトのIVDはサイトゾルで合成される四量体のフラビンタンパク質であり、ミトコンドリアのインポートシグナル配列を持っている。IVDをコードしている遺伝子に突然変異があると、イソ吉草酸血症になる(Vockley, J. 他 (1992) J. Biol. Chem. 267:2494-2501)。
【００１５】
グルタチオン・ペルオキシダーゼのファミリーは、四量体グルタチオン・ペルオキシダーゼ(GPx1-3)と単量体リン脂質ヒドロペルオキシド・グルタチオン・ペルオキシダーゼ(PHGPx/GPx4)を含む。四量体酵素とGPx4の間の全体的な相同性は30％未満であるが、活性部位に関連する著しい類似性がクラスタで検出された。また共通の触媒トライアッドが、構造的及び運動データにより定義された(Epp, O. 他 (1983) Eur. J. Biochem. 133:51-69)。GPx1は細胞内に普遍的に発現するが、GPx2は肝臓と結腸に存在し、またGPx3は原形質に存在する。GPx4は全ての組織に低レベルで見つかるが、睾丸では高レベルで発現されている(Ursini, F. 他 (1995) Meth. Enzymol. 252:38-53)。GPx4は哺乳動物で見つかる唯一の単量体のグルタチオンペルオキシダーゼであり、リン脂質ヒドロペルオキシドに対する親和性と反応性が高くて膜に結合している唯一の哺乳動物グルタチオンペルオキシダーゼである。GPx4とビタミンEの抗酸化活性についてはタンデム機構が示唆されている。GPx4は代替的な転写および翻訳開始部位を持っていて、それによって細胞内の局在性が決まる(Esworthy, R.S. 他 (1994) Gene 144:317-318; および Maiorino, M. 他 (1990) Meth. Enzymol. 186:448-450)。
【００１６】
グルタチオンSトランスフェラーゼ（GST）は、生体異物の生体内変化と解毒、薬物代謝、および、過酸化損傷に対する組織保護における、重要な生化学的機能を実施する、二重基質特異性を有する酵素の普遍的なファミリーである。これらの酵素は還元型グルタチオン(GSH)による求電子物質の抱合を触媒し、その結果として活性化または不活性化/解毒が起こる。還元型のGSHがさまざまな化学物質に結合する絶対的な必要性があるため、さまざまな生物と細胞の種類でGST構造の多様性を必要とする。GSTはホモ二量体またはヘテロ二量体タンパク質であって、サイトゾルに局在する。主なイソ酵素は、共通の構造および触媒特性を共有し、α、μ、π、およびθの４つの主要クラスを含む。それぞれのGSTは、GSHに対する共通の結合部位および特定の求電子基質に特異的な可変性疎水性結合部位を有する。GST内の特定のアミノ酸残基が、これらの結合部位および触媒活性に重要であるとして同定されている。残基Q67、T68、D101、E104、およびR131は、GSHの結合に重要である（Lee, H-C他 (1995) J. Biol. Chem. 270:99-109）。残基R13、R20、およびR69はGSTの触媒活性に重要である（Stenberg G他(1991) Biochem. J. 274:549-555）。
【００１７】
通常、GSTは突然変異誘発および発癌の可能性をもつ化学物質を不活性化し、解毒する。ラットとヒトのGSTの内には、信頼できる発癌の新生物発生前マーカーもある。マウスにおいて肝腫瘍を引き起こすジハロメタン（dihalomethanes）は、GSTによって活性化されると考えられている(Thier, R. 他 (1993) Proc. Natl. Acad. Sci. USA 90:85678580)。二臭化エチレンおよび二塩化エチレンの変異誘発性はヒトαGSTであるA1−1を発現する細菌細胞において上昇し、アフラトキシンB1の変異誘発はGSTの発現が増強されることで実質的に減少する（Simula, T. P.他(1993) Carcinogenesis 14:1371-1376）。従って、GST活性の制御が、変異誘発および発癌の制御において有用であろう。
【００１８】
GSTは、多剤耐性（MDR）として知られている現象である、多くの癌の、薬物治療に対する獲得耐性に関係すると思われる。MDRは、シクロホスファミドなどの細胞毒で治療を受けた癌患者に起こり、その薬物に対する耐性を有するようになった後、更にその他の様々な細胞毒に対しても耐性を有するようになる。GSTレベルの上昇は、薬物耐性癌の幾つかに関係する。また、薬剤に応答してGSTレベルが上昇した後、GSTによって触媒されたGSH抱合反応によりその薬剤が不活化されると考えられる。次に、上昇したGSTレベルにより癌細胞がGSTが親和性を有する他の細胞毒から保護される。腫瘍におけるA1−1のレベルの上昇は、シクロホスファミド治療によって生じた薬剤耐性に関係付けられてきた（Dirven H. A.他 (1994) Cancer Res. 54:6215-6220）。従って、癌組織におけるGST活性の調節は、癌患者のMDR治療に有用であろう。
【００１９】
細胞増殖中のDNA合成に必要な対応するデオキシリボヌクレオチドへのリボヌクレオチドの還元は、リボヌクレオチドニリン酸還元酵素によって触媒される。グルタレドキシンは、リボヌクレオチドニリン酸還元酵素のためのグルタチオン(GSH)依存水素供与体であり、活性部位コンセンサス配列-C-P-Y-C-を含む。この配列は、大腸菌、ワクシニアウイルス、酵母菌、植物、哺乳動物細胞等の異なる生物からのグルタレドキシンで保存されている。グルタレドキシンは、GSH、NADPH、GSH-レダクターゼとの共役系(coupled system)で固有のGSH-ジスルフィド・オキシドレダクターゼ（チオールトランスフェラーゼ）活性を有し、タンパク質の他に低分子量ジスルフィドの還元を触媒する。グルタレドキシンは、チオレドキシンに類似の効果的なタンパク質ジスルフィドレダクターゼそして特異なGSH-混合ジスルフィドレダクターゼの両者として作用することにより、一般的なタンパク質活性のチオールレドックス調節に働くと提案されてきた(Padilla, C.A. 他 (1996) FEBS Lett. 378:69-73)。
【００２０】
DNA合成と細胞分裂における重要な役割に加えて、グルタレドキシンと他のチオプロテインは酸素ラジカルと過酸化水素に対する有効な抗酸化防御を提供する(Schallreuter, K.U.及びJ.M. Wood (1991) Melanoma Res. 1:159-167)。グルタレドキシンは、in vivoでタンパク質の脱チオール化（dethiolation）に関与する主な薬剤であり、正常なヒト好中球内でデヒドロアスコルビン酸を還元する(Jung, C.H及びJ.A. Thomas (1996) Arch. Biochem. Biophys. 335:61-122、Park, J.B及びM. Levine (1996) Biochem. J. 315:931-938)。
【００２１】
チオレドキシン系はリボヌクレオチド還元酵素のための水素供与体としてまた酸化還元制御による酵素の調節因子として役割を果たす。チオレドキシン系はまた、NF-κB、AP-1、ステロイド受容体等の転写因子の活性を調節する。成人Ｔ細胞白血病由来因子、3B6-インターロイキン-1、T-ハイブリドーマ由来(MP-6) B細胞刺激因子、および早期妊娠因子など、複数のサイトカインまたは分泌されるサイトカイン様因子がチオレドキシンと同一であると報告されてきた(Holmgren, A. (1985) Annu. Rev. Biochem. 54:237-271、Abate, C他.(1990) Science 249:1157-1161、Tagaya, Y.他(1989) EMBO J. 8:757-764、Wakasugi, H. (1987) Proc. Natl. Acad. Sci. USA 84:804-808、Rosen, A.他 (1995) Int. Immunol. 7:625-633)。従って、刺激したリンパ球により分泌したチオレドキシン(Yodoi, J.及びT. Tursz (1991) Adv.Cancer Res. 57:381-411、Tagaya, N. 他(1990) Proc. Natl. Acad. Sci. USA 87:8282-8286)は、細胞成長の調節因子と免疫系のメディエーターとしての役割を含む細胞外活性を有する(Miranda-Vizuete, A. 他 (1996) J. Biol. Chem. 271:19099-19103、Yamauchi, A. 他 (1992) Mol. Immunol. 29:263-270)。チオレドキシンおよびチオレドキシンレダクターゼは、アルツハイマー病などの疾患で反応性酸素種によって仲介される細胞毒に対する保護を提供する(Lovell, M.A. (2000) Free Radic. Biol. Med. 28:418-427)。
【００２２】
セレン含有タンパク質チオレドキシンレダクターゼは、正常また新生物性細胞の両者により分泌される。また成長因子としてそしてアポトーシスに関係するポリペプチドとして関与するとされる(Soderberg, A. 他 (2000) Cancer Res. 60:2281-2289)。ハムスター卵巣細胞(HT-1080)により分泌される細胞外プラスミンレダクターゼが、プラスミンからのアンギオスタチン（angiostatin）の生成に関与することが示されている。この場合、プラスミンジスルフィド結合の還元は、血管形成阻害薬、アンギオスタチンを産生するプラスミンのタンパク質分解切断を誘発する(Stathakis, P. 他 (1997) J. Biol. Chem. 272:20641-20645)。原形質における低レベルの還元したスルフヒドリル基は、リウマチ様関節炎に関連付けられてきた。スルフヒドリル基が活性酸素種類（例えば活性化好中球により産生する過酸化水素）を除去しないと、周囲の組織に酸化的な傷害と結果として炎症を引き起こす(Hall, N.D. 他 (1994) Rheumatol. Int. 4:35-38)。
【００２３】
細胞代謝における酸化還元反応の重要性の別の例は、補酵素A（ＣｏＡ）活性化脂肪酸から2個の炭素のユニットを次々に除くミトコンドリアとペルオキシソームのベータ酸化酵素による飽和及び不飽和脂肪酸の分解である。主要なベータ酸化経路は飽和脂肪酸と不飽和脂肪酸の両方を分解するが、補助経路は不飽和脂肪酸の分解に必要な付加的ステップを行う。
【００２４】
ミトコンドリアとペルオキシソームのベータ酸化経路は同様の酵素を使用するが、異なる基質特異性と機能をもつ。ミトコンドリアは短鎖、中鎖、長鎖の脂肪酸を酸化して、細胞のためのエネルギーを産生する。ミトコンドリアのベータ酸化は心筋と骨格筋の主要なエネルギー源となっている。飢餓、持久運動、及び糖尿病の場合のようにグルコースレベルが低くなった時は、肝臓でのベータ酸化がケトン体を末梢の循環へ提供する（Eaton, S. 他(1996) Biochem. J. 320:345-357）。ペルオキシソームは中鎖、長鎖、超長鎖の脂肪酸、ジカルボン脂肪酸、分岐脂肪酸、プロスタグランジン、生体異物、胆汁酸中間物を酸化する。ペルオキシソームのベータ酸化の主な役割は、毒性の脂肪親和性カルボン酸を短くしてそれらの分泌を促進させ、ミトコンドリアのベータ酸化の前に超長鎖脂肪酸を短くすることにある（Mannaerts, G.P.及びP.P. Van Veldhoven (1993) Biochimie 75:147-158）。
【００２５】
補助ベータ酸化酵素である2,4-ジエノイルＣｏＡ還元酵素は、次の反応：トランス-2, シス/トランス-4--ジエノイル-ＣｏＡ+NADPH + H+ ---＞トランス-3--エノイル-ＣｏＡ+ NADP+、を触媒する。
【００２６】
この反応は、主要なベータ酸化経路に入る前に不飽和脂肪酸から偶数の二重結合を取り除く(Koivuranta, K.T. 他(1994) Biochem. J. 304:787-792)。この酵素は不飽和脂肪酸から奇数の二重結合をも取り除くことができる(Smeland, T.E. 他 (1992) Proc. Natl. Acad. Sci. USA 89:6673-6677)。
【００２７】
ラット2,4-ジエノイル-ＣｏＡ還元酵素は、ミトコンドリアとペルオキシソームの両者に存在する(Dommes, V. 他. (1981) J. Biol. Chem. 256:8259-8262)。ラットのミトコンドリア酵素の免疫学的に異なる２つの型は、その分子量が60 kDaと120 kDaである(Hakkola, E.H.及びJ.K. Hiltunen (1993) Eur. J. Biochem. 215:199-204)。120 kDaのラットのミトコンドリア酵素は、成熟酵素を形成するために切断される、29アミノ酸N-末端リーダーペプチドを持つ335アミノ酸前駆体として合成される(Hirose, A.他 (1990) Biochim. Biophys. Acta 1049:346-349)。ラットの酵素に83％類似であるヒトのミトコンドリア酵素は、19アミノ酸N-末端リーダーペプチドの付いた335アミノ酸残基前駆体として合成される(前出のKoivuranta)。これらのクローニングされたヒトとラットのミトコンドリア酵素はホモ四量体として機能する(前出のKoivuranta)。出芽酵母菌ペルオキシソーム2,4-ジエノイル-ＣｏＡ還元酵素は長さが295アミノ酸であり、C-末端ペルオキシソーム標的シグナルを含む。またホモ二量体として機能する(Coe, J.G.S.他 (1994) Mol. Gen. Genet. 244:661-672、Gurvitz, A. 他 (1997) J. Biol. Chem. 272:22140-22147)。すべての2,4-ジエノイル-ＣｏＡ還元酵素は、かなりよく保存されたNADPH結合部位モチーフを有する(前出のKoivuranta)。
【００２８】
主要経路ベータ酸化酵素であるエノイルＣｏＡヒドラターゼは、下記の反応を触媒する：
2-トランス-エノイル-CoA + H2O <---> 3-ヒドロキシアシル-CoA
【００２９】
この反応は、2-トランス-エノイル-CoAのC-2とC-3間の二重結合を水酸化するが、それは飽和脂肪酸と不飽和脂肪酸から生成する(Engel, C.K.他 (1996) EMBO J. 15:5135-5145)。このステップは、２，４-ジエノイル還元酵素によって触媒されるステップから下流にある。異なるエノイル-ＣｏＡヒドラターゼ群が、短鎖、中鎖、および長鎖の脂肪酸に作用する(前出のEaton)。ミトコンドリアとペルオキシソームとのエノイル-ＣｏＡヒドラターゼは、単一機能酵素及び多機能酵素複合体の一部の両方として存在する。ヒトの肝臓ミトコンドリア短鎖エノイル-ＣｏＡヒドラターゼは、29アミノ酸N-末端リーダーペプチドを持つ290アミノ酸前駆体として合成される(Kanazawa, M 他 (1993) Enzyme Protein 47:9-13、Janssen, U. 他 (1997) Genomics 40:470-475)。ラットの短鎖エノイル-ＣｏＡヒドラターゼは、このタンパク質の成熟領域においてヒトの配列と87％同一であり、ホモ六量体として機能する(前出のKanazawa、前出のEngel)。ミトコンドリアの或る三機能タンパク質は、長鎖エノイル-ＣｏＡヒドラターゼ、３ヒドロキシアシルＣｏＡ脱水素酵素、および長鎖3-オキソチオラーゼ活性を有する(前出のEaton)。ヒトのペルオキシソームでは、エノイル-ＣｏＡヒドラターゼ活性が、327アミノ酸残基単機能酵素及び、二機能酵素としても知られる多機能酵素の一部の両者に見出される。それはエノイル-ＣｏＡヒドラターゼ、エノイル-ＣｏＡイソメラーゼ、および3-ヒドロキシアシル-CoAヒドロゲナーゼ活性を有する(FitzPatrick, D.R.他 (1995) Genomics 27:457-466、Hoefler, G他 (1994) Genomics 19:60-67)。短鎖エノイル-ＣｏＡヒドラターゼ活性を伴う、或る339アミノ酸残基ヒトタンパク質もAU-特異的RNA結合タンパク質として作用する(Nakagawa, J.他 (1995) Proc. Natl. Acad. Sci. USA 92:2051-2055)。全てのエノイル-ＣｏＡヒドラターゼは、高度に保存された17アミノ酸残基を持ち、2つの活性部位グルタミン酸残基付近の相同性を共有する(Wu, W.-J. 他 (1997) Biochemistry 36:2211-2220)。
【００３０】
ミトコンドリアとペルオキシソームのベータ酸化酵素における先天的欠陥は、生後まもなく発現して数年以内に死亡につながることもある重度の疾患と関連する。ミトコンドリアのベータ酸化酵素が関連する不全症としては例えば、カルニチンパルミトイルトランスフェラーゼおよびカルニチン欠損症、超長鎖アシルCoAデヒドロゲナーゼ欠損症、中鎖アシルCoAデヒドロゲナーゼ欠損症、短鎖アシルCoAデヒドロゲナーゼ欠損症、電子伝達フラビンタンパク質および電子伝達フラビンタンパク質：ユビキノンオキシドレダクターゼ欠損症、三機能タンパク質欠乏症、および短鎖３ヒドロキシアシルCoAデヒドロゲナーゼ欠損症が含まれる(前出のEaton)。ミトコンドリア三機能タンパク質（エノイル-ＣｏＡヒドラターゼを含む）欠損患者は、長鎖エノイル-ＣｏＡヒドラターゼ活性が下がっている。そして非ケトン性低血糖症、乳幼児突然死症候群、心筋症、肝機能障害、筋衰弱を患い、若死にする可能性もある(前出のEaton)。
【００３１】
ミトコンドリアのベータ酸化の欠陥は、ライ症候群（肝機能障害、および子供の場合ウイルス感染の後に時折おこる脳障害により特徴付けられる疾患）と関連する。ライ症候群患者は、遊離脂肪酸の血清濃度が上昇し得る(Cotran, R.S. 他 (1994) Robbins Pathologic Basis of Disease、W.B. Saunders Co., Philadelphia PA, 866ページ)。ミトコンドリア短鎖３ヒドロキシアシルCoAデヒドロゲナーゼ欠損症と中鎖３ヒドロキシアシルCoAデヒドロゲナーゼ欠損症を患う患者も、ライ症候群のような病気を示した(前出のEaton及びEgidio, R.J..他 (1989) Am. Fam. Physician 39:221-226)。
【００３２】
ペルオキシソームのベータ酸化と関連する遺伝性病態には、ツェルヴェーガー症候群、新生児副腎脳白質ジストロフィー、小児レフサム症候群、アシルCoAオキシダーゼ欠損症、ペルオキシソームチオラーゼ欠損症、二機能タンパク質欠損症(bifunctional protein deficiency)がある(Suzuki, Y. 他(1994) Am. J. Hum. Genet. 54:36-43、前出のHoefler)。エノイルＣｏＡヒドラターゼを含むペルオキシソーム二頭酵素欠損症を患う患者は、低張(hypotonia)、発作、精神運動不全、欠陥性神経細胞移動(defective neuronal migration)を患い、超長鎖脂肪酸を蓄積し、通常は生後数年で死亡する(Watkins, P.A. 他 (1989) J. Clin. Invest. 83:771-1277)。
【００３３】
ペルオキシソームのベータ酸化は、癌性組織で十分に機能しなくなる。新生物ヒト乳房上皮細胞は正常な細胞と同数のペルオキシソームを有するが、脂肪アシルCoAオキシダーゼ活性は対照組織より低い(el Bouhtoury, F. 他 (1992) J. Pathol. 166:27-35)。ヒト結腸癌は正常な結腸組織よりも少ないペルオキシソームを有し、正常な組織よりも脂肪アシルCoAオキシダーゼと二機能（二頭）酵素（エノイルＣｏＡヒドラターゼを含む）活性が低い(Cable, S. 他 (1992) Virchows Arch. B Cell Pathol. Incl. Mol. Pathol. 62:221-226)。
【００３４】
6-ホスホグルコン酸デヒドロゲナーゼ(6-PGDH)は、NADPHの産生を伴うリブロース5-リン酸への6-ホスホグルコン酸のNADP+依存性酸化脱炭酸反応を触媒する。6-PGDHが存在しなかったり、阻害があると、真核細胞で6-ホスホグルコン酸が有毒レベルまで蓄積する。6-PGDHは、ペントースリン酸経路(PPP)の３番目の酵素であり、遍在性である。あるヘテロ型発酵種では、NAD+は補助因子として使用され、続いてNADHの生成が起こる。
【００３５】
反応は、3-ケト中間物質を介して進み、これが脱カルボキシル化されてリブロース5-リン酸のエノールを与える。次いでエノールの互変異性化後にケト生成物に変換する(Berdis A.J.及びP.F. Cook (1993) Biochemistry 32:2041-2046)。6-PGDH活性は、NADPHの阻害作用そして6-ホスホグルコン酸の活性化作用により調節される(Rippa, M.他 (1998) Biochim. Biophys. Acta 1429:83-92)。6-PGDH活性の欠乏は、慢性溶血性貧血に関連すると考えられている。
【００３６】
6-PGDHの特異的な型（例えばトリパノソーマに見出される酵素）の標的化は、寄生虫感染を制御するための手段として示唆されている(Tetaud, E. 他 (1999) Biochem. J. 338:5560)。例えばＴ・ブルセイ酵素は、哺乳動物酵素に比べて、基質類似体6-ホスホ-2-デオキシグルコン酸と補酵素類似体アデノシン2',5'-２リン酸による阻害に対して際立って感受性が高い(Hanau, S. 他 (1996) Eur. J. Biochem. 240:592-599)。
【００３７】
リボヌクレオチドニリン酸還元酵素は、リボヌクレオチド二リン酸(即ち、ADP、GDP、CDP、UDP)の、DNAの合成に使用される対応するデオキシリボヌクレオチド二リン酸(即ちdADP、dGDP、dCDP、dUDP)への還元を触媒する。それによってリボヌクレオチドニリン酸還元酵素は、デオキシヌクレオチド前駆体の新規合成において重要な役割を果たす。デオキシヌクレオチドはまた、回収経路経由でヌクレオシドキナーゼによりデオキシヌクレオシドから生成される。
【００３８】
哺乳動物リボヌクレオチドニリン酸還元酵素は、エフェクター結合成分(E)と非ヘム鉄成分（Ｆ）の2つの成分から成る。成分Ｆは触媒に必要な鉄ラジカルを含み、成分Ｅはヌクレオシド三リン酸エフェクターと結合する。ホロ酵素と同じく、ＥとＦ成分の分子量の決定値は、タンパク質の精製で用いられる方法と研究室によって異なる。成分Ｅは約90〜100 kDaであり、成分Ｆは約100〜120 kDa、ホロ酵素は200〜250 kDaである。
【００３９】
リボヌクレオチド二リン酸還元酵素活性は、ＥＤＴＡと同様、チオセミカルバゾン等の鉄キレート剤により悪影響を受ける。デオキシリボヌクレオチド二リン酸も、リボヌクレオチド二リン酸還元酵素の負のアロステリック・エフェクターのようである。ヌクレオチド三リン酸（リボ-とデオキシリボ-の両者）はこの酵素の活性を刺激するようである。広く使用される有機リン農薬の代謝産物である3-メチル-4-ニトロフェノールは、哺乳動物細胞のリボヌクレオチド二リン酸還元酵素の強力なインヒビターである。DNAウイルス（例えばヘルペスウイルス）で感染した細胞と癌細胞のリボヌクレオチド二リン酸還元酵素活性は、アロステリック制御因子による調節に対して感受性が低く、高レベルのリボヌクレオチド二リン酸還元酵素活性と高速度の細胞増殖（例えば肝癌）との間には相関が存在することを示す証拠がある。この観察によると、ウイルスがコードしたリボヌクレオチド二リン酸還元酵素と癌細胞に存在するリボヌクレオチド二リン酸還元酵素は、ウイルスのゲノムの生成用または癌細胞を特徴付ける増加したＤＮＡ合成用のために増加した供給デオキシリボヌクレオチドのプールを維持することが可能であることを示す。したがって、リボヌクレオチド二リン酸還元酵素は、治療処置の標的である(Nutter, L.M.及びY.-C. Cheng (1984) Pharmac. Ther. 26:191-207、Wright, J.A. (1983) Pharmac. Ther. 22:81-102)。
【００４０】
ジヒドロジオールデヒドロゲナーゼ(DD)は、NAD(P)+-依存性で、単量体形の34〜37 kDaの酵素であり、ベンゾ[α]イレン、ベンゾ[α]アントラセン、７−メチル-ベンゾ[α]アントラセン、7,12-ジメチル-ベンゾ[α]アントラセン、クリセン、５−メチルークリセン等の多環式芳香族炭化水素(PAH)のトランス-ジヒドロジオール代謝物とアンチジオールエポキシド代謝産物の解毒に関与する。哺乳動物細胞では、ベンゾ[α]イレン等の環境的PAH毒素はミクロソームチトクロームP450によりまずエポキシ化されて7R,8R-アレーン-オキシドを産生し、続いて(-)-7R,8R-ジヒドロジオール((-)-トランス-7,8-ジヒドロキシ-7,8-ジヒドロベンゾ[α]ピレンまたは(-)-トランス-B[α]P-ジオール)を産生する。後者の化合物は更に種によって異なる酵素または同じ酵素によりベンゾ[α]ピレンの抗ジオールエポキシド（即ち(±)アンチ-7β,8α-ジヒドロキシ-9α,10α-エポキシ-7,8,9,10-テトラヒドロベンゾ[α]ピレン）に転換する。この結果として生じるベンゾ[α]イレンのアンチ-ジオールエポキシドまたは別のPAH化合物からの対応する誘導体は、突然変異誘発性が高い。
【００４１】
ＤＤは、効果的にアンチ-ジオールエポキシドの前駆体（即ちトランス-ジヒドロジオール）を一過性カテコールに酸化し、一過性カテコールはキノンに自己酸化し、過酸化水素とセミキノンラジカルをも生成する。この反応は発癌性の高いアンチ-ジオールの形成を妨げる。アンチ-ジオールはそれ自体はＤＤの基質ではないが、アンチ-ジオール化合物を含むサンプルへのＤＤの添加はエイムス試験で観察される誘導された突然変異誘発率の有意な減少へとつながる。この場合、ＤＤは抗ジオールが酸化されなくても、抗ジオールに結合し隔離することができる。酸化または隔離のいずれによるにせよ、ＤＤは生体異物多環化合物の代謝産物の解毒において重要な役割を果たす(Penning, T.M. (1993) Chemico-Biological Interactions 89:1-34)。
【００４２】
15-オキソプロスタグランジン 13-還元酵素(PGR)と15-ヒドロキシプロスタグランジン・デヒドロゲナーゼ(15-PGDH)は、循環するプロスタグランジンの分解に関与する肺に存在する酵素である。肺系の通過による酸化異化は、循環するプロスタグランジンの濃度を減少する一般的な手段である。15-PGDHは、対応する15-オキソ化合物を生成するために多様なプロスタグランジンの１５―ヒドロキシ基を酸化する。１５―オキソ誘導体は通常、15-ヒドロキシル分子に比べて減少した生物学的活性を有する。PGRは更に、15-オキソ化合物の13，14二重結合を還元し、これは通常、その生物学的活性を更に減らす。PGRは約36 kDaの分子量を有する単量体である。この酵素には、補助因子としてNADHかNADPHが必要であるが、ＮＡＤＨの方がより好まれる。プロスタグランジンPGE1、PGE2、PGE2αの15-オキソ誘導体はすべてPGRの基質である。しかし、非誘導体化プロスタグランジン（即ちPGE1、PGE2、PGE2α）は基質ではない(Ensor, C.M. 他 (1998) Biochem. J. 330:103-108)。
【００４３】
15-PGDHとPGRはまた、リポキシンA4(LXA4)の代謝を触媒する。リポキシン(LX)は、オータコイド（限局性の炎症の部位で生成される脂質）であり、多形核白血球(PMN)機能を下方調節して、限局性外傷の回復を促進する。リポキシン生成は、既にアスピリンによりアセチル化されたシクロオキシゲナーゼII (COX II)を現す細胞、また、5-リポキシゲナーゼ(5-LO)を有し相互作用してリポキシンを生成する細胞では、アスピリンの投与により刺激される。15-PGDHは15-オキソ-LXA4を産出し、PGRは、この15-オキソ化合物を更に13,14-ジヒドロ-15-オキソ-LXA4に転換する、(Clish, C.B. 他 (2000) J. Biol. Chem. 275:25372-25380)。この発見は、プロスタグランジン・デヒドロゲナーゼの幅広い基質特異性を示す。また薬物代謝におけるこれらの酵素の関連を暗示する。そして炎症を調節するための治療のための標的としての関連を暗示する。
【００４４】
酵素のGMC(グルコースメタノールコリン)オキシドレダクターゼファミリーは、ショウジョウバエのグルコースデヒドロゲナーゼ、大腸菌のコリンデヒドロゲナーゼ、黒色麹菌（Ａｓｐｅｒｇｉｌｌｕｓ ｎｉｇｅｒ）のグルコースオキシダーゼ、Hansenula polymorpha のメタノールオキシダーゼの配列アラインメントに基づいて定義される。異なる源泉と異なる基質特異性にもかかわらず、これらの４つのフラビンタンパク質は相同であり、幾つかの独特の配列と構造的特徴の存在により特徴付けられる。各分子は、アミノ末端に近い正準なADP結合、β-α-βモノヌクレオチド結合モチーフを含む。この折り畳みは、3ストランド逆並行ベータシートとアルファヘリックスに挟まれた４ストランド並列ベータシートから成る。ヌクレオチド群は、この鎖折り畳みに関連して類似の位置で結合する(Cavener, D.R. (1992) J. Mol. Biol. 223:811-814、Wierenga, R.K. 他 (1986) J. Mol. Biol. 187:101-107)。GMCオキシドレダクターゼファミリーのメンバーも、ポリペプチドの中心領域近くのコンセンサス配列を共有する。GMCオキシドレダクターゼファミリーの他のメンバーには、Brevibacterium sterolicumとストレプトマイセスのコレステロール・オキシダーゼ、Pseudomonas oleovoransのアルコールデヒドロゲナーゼが含まれる(前出のCavener, D.R.、Henikoff, S.及びJ.G. Henikoff (1994) Genomics 19:97-107、van Beilen, J.B. 他. (1992) Mol. Microbiol. 6:3121-3136)。
【００４５】
ＩＭＰデヒドロゲナーゼとＧＭＰレダクターゼは、配列類似性を持つ多くの領域を共有する2つの酸化還元酵素である。ＩＭＰデヒドロゲナーゼ(EC 1.1.1.205)は、新規なGTP生合成の一部としてIMP(イノシン1リン酸)からXMP(キサンチン１リン酸)へのNAD依存性の還元を触媒する(Collart, F.R.及びE. Huberman (1988) J. Biol. Chem. 263:15769-15772)。ＧＭＰレダクターゼは、GMPからIMPへのNADPH依存性還元的脱アミノ反応を触媒し、アデニンとグアニンのヌクレオチドの細胞内バランスの維持を助ける(Andrews, S.C.及びJ.R. Guest (1988) Biochem. J. 255:35-43)。
【００４６】
ピリジンヌクレオチドジスルフィド酸化還元酵素は、ＦＡＤから基質への還元当量の転移に関与するＦＡＤフラビン蛋白質である。これらのフラビン蛋白質は、このタンパク質ファミリーの特長であるコンセンサス配列内に含まれる対のレドックス活性システインを含む(Kurlyan, J.他(1991) Nature 352:172-174)。酸化還元酵素のこのファミリーのメンバーには、グルタチオンレダクターゼ(EC 1.6.4.2)、高等な真核生物のチオレドキシンレダクターゼ(EC 1.6.4.5)、trypanothione レダクターゼ(EC 1.6.4.8)、リポアミド・デヒドロゲナーゼ(EC 1.8.1.4)、αケト酸デヒドロゲナーゼ化合物のＥ３成分、水銀還元酵素(EC 1.16.1.1)が含まれる。
【００４７】
トランスフェラーゼ
トランスフェラーゼは分子グループの転移を触媒する酵素である。この反応は酸化、還元または共有結合の切断に関与する場合があり、基質またはある種の基質の特定部位にしばしば特異的である。トランスフェラーゼは、細胞構成成分の合成や分解、細胞のシグナル伝達などの細胞機能の調節、細胞増殖、炎症、アポトーシス、分泌および排泄のような機能にとって必須の反応に関与する。トランスフェラーゼはこれらに関連する疾患の過程における重要な段階に関与している。トランスフェラーゼは転移される基のタイプにしたがってしばしば分類される。例えば、メチルトランスフェラーゼは一つの炭素メチル基を転移し、アミノトランスフェラーゼは窒素を含むアミノ基を転移し、また同様に名付けられた酵素はアルデヒド基またはケトン基、アシル基、グリコシル基、アルキル基あるいはアリール基、イソプレニル基、糖（saccharyl）基、リン含有（phosphorous-containing）基、硫黄含有基、またはセレニウム含有基、および補酵素Aのような小さい酵素基を転移する。
【００４８】
アシルトランスフェラーゼには脂肪酸β酸化経路に関与するペルオキシソームのカルニチンオクタノイルトランスフェラーゼ、および脂肪酸代謝および輸送に関与するミトコンドリアのカルニチンパルミトイルトランスフェラーゼがある。コリンO-アセチルトランスフェラーゼは神経伝達物質アセチルコリンの生合成を触媒する。  N−アシルトランスフェラーゼ酵素は、アミノ酸抱合体の、活性化したカルボキシル基への転移を触媒する。内因性化合物および生体異物は、サイトゾル、ミクロソームおよびミトコンドリアにおいて、アシル−CoAシンセターゼによって活性化される。次に、アシル−CoA中間体は、サイトゾルまたはミトコンドリアにおけるN−アシルトランスフェラーゼによってアミノ酸（通常はグリシン、グルタミン、またはタウリンであるが、オルニチン、アルギニン、ヒスチジン、セリン、アスパラギン酸、およびいくつかのジペプチドを含む）と抱合し、アミド結合を有する代謝産物を形成する。胆汁酸−CoA：アミノ酸N−アシルトランスフェラーゼ（BAT）は、このクラスの良く特徴づけられた酵素の１つである。BATは、胃腸管において界面活性剤として作用する、胆汁酸抱合体の生成を担う(Falany, C. N.他 (1994) J. Biol. Chem. 269:19375-19379; Johnson, M. R.他 (1991) J. Biol. Chem. 266:10227-10233)。BATはまた、部分肝切除の後の肝臓癌患者の予後の予測インジケータとして有用である(Furutani, M.他(1996) Hepatology 24:1441-5)。
【００４９】
アセチルトランスフェラーゼ
アセチルトランスフェラーゼは、ヒストンのアセチル化における役割について広く研究されている。ヒストンのアセチル化により、真核細胞のクロマチン構造が弛緩し、それによって転写因子が、ゲノムの、影響を受けた領域（またはゲノム全体）におけるDNAの鋳型のプロモータエレメントに到達できるようになる。これとは対照的に、ヒストンの脱アセチル化により、クロマチン構造が閉じ転写因子の到達が制限されて転写が減少する。この最後に、ヒストンの脱アセチル化を阻害する化学薬品（例えば、酪酸ナトリウム）を細胞転写の刺激の一般的な手段として用いると、人為的結果であるが遺伝子発現が全体的に上昇する。アセチル化による遺伝子発現の調節（modulation）はまた、限定するものではないが、p53、GATA−1、MyoD、ACTR、TFIIE、TFIIF、および高移動度群タンパク質（HMG）など、他のタンパク質のアセチル化によっても生じ得る。p53の場合、アセチル化によりDNAへの結合が増大し、p53によって調節される遺伝子の転写が刺激される。プロトタイプのヒストンアセチラーゼ（HAT）は、出芽酵母（Saccharomyces cerevisiae）に由来するGcn5である。Gcn5は、テトラヒメナp55、ヒトGcn5、およびヒトp300/CBPを含む、アセチラーゼの１ファミリーのメンバーである。ヒストンのアセチル化についてはCheung, W. L.他 (2000) Curr. Opin. Cell Biol. 12:326-333およびBerger, S. L (1999) Curr. Opin. Cell Biol. 11:336-341に概説されている。数種のアセチルトランスフェラーゼ酵素は、限定するものではないがアセチルコリンエステラーゼおよびカルボキシルエステラーゼなど幾つかの他の酵素の主なクラスに一般的である、α／βヒドロラーゼフォールド（alpha/beta hydrolase fold）（Center of Applied Molecular Engineering Inst. of Chemistry and Biochemistry - University of Salzburg, http://predict.sanger.ac.uk/irbm-course97/Docs/ms/）を有する(Structural Classification of Proteins, http://scop.mrc-lmb.cam.ac.uk/scop/index.html)。
【００５０】
N−アセチルトランスフェラーゼは、補助因子アセチル−補酵素A（アセチル−CoA）を用いてアセチル基を芳香族アミンおよびヒドラジン含有化合物に転移するサイトゾル酵素である。ヒトの場合、２つの高度に類似したN-アセチルトランスフェラーゼ酵素であるNAT1およびNAT2が存在し、マウスには第３型酵素であるNAT3が存在する。N−アセチルトランスフェラーゼのヒト型は、独立した調節（NAT1は広範に発現されるが、NAT2は肝臓および腸のみに発現される）および、重複した基質選択性を有する。両方の酵素はある程度まで多くの基質を受容するようであるが、NAT1は数種の基質（パラアミノ安息香酸、パラアミノサリチル酸、スルファメトキサゾール、およびスルファニルアミド）を好み、一方NAT2は他の基質（イソニアジド、ヒドララジン、プロカインアミド、ダプソン、アミノグルテチミド、およびスルファメタジン）を好む。最近単離されたヒト遺伝子、tubedown-1は酵母NAT-1 N-アセチルトランスフェラーゼに相同であり、アセチルトランスフェラーゼ活性に関連するタンパク質をコードする。tubedown-1 の発現パターンは、これが血管および造血系の発達の調節に関与することを示唆する(Gendron, R.L. 他 (2000) Dev. Dyn. 218:300-315)。
【００５１】
アミノトランスフェラーゼ類は、ピリドキサール5'−リン酸（PLP）依存性酵素の１ファミリーを構成する。これらのPLP依存性酵素は、アミノ酸の成分置換を触媒する。アミノトランスフェラーゼはタンパク質の合成や分解において重要な役割を果たし、他の過程にも寄与する。例えば、GABA アミノトランスフェラーゼ(GABA-T)は主要な阻害性アミノ酸神経伝達物質であるGABAの分解を触媒する。GABA-T の活性化はアルコール中毒症、癲癇およびアルツハイマー疾患のような神経精神疾患に関連する(Sherif, F.M.およびAhmed, S.S. (1995) Clin. Biochem. 28:145-154)。このファミリーの他のメンバーには、ピルビン酸アミノトランスフェラーゼ、分枝鎖アミノ酸アミノトランスフェラーゼ、チロシンアミノトランスフェラーゼ、芳香族アミノトランスフェラーゼ、アラニン：グリオキシル酸アミノトランスフェラーゼ（AGT）およびキヌレニンアミノトランスフェラーゼが含まれる(Vacca, R. A.他(1997) J. Biol. Chem. 272:21932-21937)。  キヌレニンアミノトランスフェラーゼは、L−トリプトファン代謝産物L−キヌレニンの不可逆的なアミノ転移を触媒してキヌレン酸を形成する。この酵素はまた、L−2−アミノアジピン酸から2−オキソグルタル酸およびその逆への可逆的なアミノ基転移反応を触媒して2−オキソアジピン酸およびL−グルタミン酸を生成し得る。キヌレン酸は、グルタミン酸作動性神経伝達の推定上のモジュレーターであるため、キヌレニンアミノトランスフェラーゼの欠損が多面発現性効果に関係すると思われる(Buchli, R.他 (1995) J. Biol. Chem. 270:29330-29335)。
【００５２】
グリコシルトランスフェラーゼには哺乳類UDP-グルクロノシルトランスフェラーゼがあり、これは、薬物、発癌物質および他の外来性物質の解毒および排泄において重要な役割を果たす反応においてグルクロン酸の親油性基質への転移を触媒する膜結合性ミクロソーム酵素のファミリーである。他の哺乳類グリコシルトランスフェラーゼである、哺乳類UDP-ガラクトース-セラミド-ガラクトシルトランスフェラーゼは神経系のミエリン膜におけるガラクトセレブロシドの合成においてガラクトースのセラミドへの転移を触媒する。UDPグリコシルトランスフェラーゼは約50アミノ酸残基の保存されたシグネチャドメインを
共有している(PROSITE: PDOC00359, http://expasy.hcuge.ch/sprot/prosite.html)。
【００５３】
メチルトランスフェラーゼは薬理学的に重要な多様な過程に関与している。ニコチンアミドN-メチルトランスフェラーゼはニコチンアミドおよび他のピリジンのN−メチル化を触媒するが、これは薬物や他の外来化合物の細胞内処理における重要な段階である。フェニルエタノールアミンN-メチルトランスフェラーゼはノルアドレナリンからアドレナリンへの変換を触媒する。6-O-メチルグアニン-DNA メチルトランスフェラーゼは発癌の重要な段階であるDNA メチル化を逆転する。二つのメチル基の転移を触媒してS-アデノシル-L-メチオニンからウロポルフィリノーゲン IIIにするウロポルフィリン-IIIC-メチルトランスフェラーゼはコバラミンの生合成における最初の特異的酵素である。コバラミンは悪性貧血においてその取り込みが欠乏する食餌性酵素である。タンパク質-アルギニンメチルトランスフェラーゼはタンパク質におけるアルギニン残基の翻訳後メチル化を触媒し、グアニジノ基におけるアルギニンのモノメチル化やジメチル化を生じる。基質にはヒストン、ミエリン塩基タンパク質およびmRNA プロセッシング、スプライシングおよび輸送に関与する不均一核内リボ蛋白質（heterogeneous nuclear ribonucleoproteins)がある。タンパク質-アルギニンメチルトランスフェラーゼは、分裂促進因子によって上方制御されるタンパク質、慢性リンパ性白血病に関与するタンパク質およびインターフェロンと相互作用するが、これはサイトカイン受容体シグナル伝達におけるメチル化の重要な役割を示唆している (Lin, W.-J. 他 (1996) J. Biol. Chem. 271:15034-15044、Abramovich, C. 他(1997) EMBO J. 16:260-266、及び Scott, H.S. 他 (1998) Genomics 48:330-340)。
【００５４】
ホスホトランスフェラーゼは高エネルギーリン酸基の転移を触媒し、エネルギー要求反応および放出性反応において重要である。代謝酵素のクレアチンキナーゼはクレアチン/クレアチンリン酸とATP/ADPとの間の可逆的リン酸転移を触媒する。グリコシアミンキナーゼはATP からグアニド酢酸へのリン酸の転移を触媒し、アルギニンキナーゼはATPからアルギニンへのリン酸転移を触媒する。システイン含有活性部位はこのファミリ (PROSITE: PDOC00103)で保存されている。
【００５５】
プレニルトランスフェラーゼは、イソプレニル基の転移を触媒する、αおよびβサブユニットからなるヘテロ二量体である。Ras ファルネシルトランスフェラーゼ(FTase) はサイトゾルのファルネシルピロリン酸からRas発癌遺伝子タンパク質のカルボキシル末端のシステイン残基にファルネシル部分を転移する。この修飾はRasがシグナル伝達における役割を果たすことができるようにRas を細胞膜に固着するために必要である。FTase インヒビターはRas機能を遮断し、抗腫瘍活性を示す（Buolamwini, J.K. (1999) Curr. Opin. Chem. Biol. 3:500-509）。FTase はゲラニルゲラニルトランスフェラーゼ即ちRab GG トランスフェラーゼと構造的類似性を共有しているおり、Rabタンパク質をプレニル化し、それらが小胞輸送の調節に関与できるようにする(Seabra, M.C. (1996) J. Biol. Chem. 271:143913-24404)。
【００５６】
糖転移酵素(saccharyl transferases)は多様な代謝過程に関与する糖化酵素である。たとえばオリゴ糖トランスフェラーゼ４８は後期糖化生成物であり、その蓄積は糖尿病の血管性合併症、大血管の疾患、腎不全およびアルツハイマー病において見られる (Thornalley, P.J. (1998) Cell Mol. Biol. (Noisy-Le-Grand) 44:1013-1023)。
【００５７】
補酵素A (CoA) トランスフェラーゼは2つのカルボン酸間の CoA の転移を触媒する。例えば、スクシニルCoA:3オキソ酸CoA トランスフェラーゼはスクシニル-CoA からアセト酢酸のような受容体に CoA を転移する。アセト酢酸はケトン体の代謝に必須である。ケトン体は糖尿病のような代謝性疾患によって影響される組織に蓄積する(PROSITE: PDOC00980)。
【００５８】
トランスグルタミナーゼトランスフェラーゼ(Tgアーゼ)は、タンパク質結合グルタミンからタンパク質結合リジン残基または他の一級アミンのε-アミノ基へのγ-カルボキシ基の転移を触媒することによってイソペプチド結合を形成できるCa2+ 依存性酵素である。Tgアーゼは角化膜(CE)の架橋を担う酵素であり、CEは角質細胞の表面にある可溶性の高いタンパク質構造であるが、架橋により、化学的かつ機械的に耐性のあるタンパク質高分子になる。７種の既知のヒトTgアーゼが同定されている。個々のトランスグルタミナーゼ遺伝子生成物は第XIIIa因子のような特定のタンパク質または組織構造の架橋をするように特殊化されている。例えば第XIIIa因子は止血におけるフィブリン凝固を安定化し、前立腺トランスグルタミナーゼは精液凝固において作用し、組織トランスグルタミナーゼは受容体シグナル伝達においてGTP-結合に関与する。Tgアーゼ 1、2、3およびXの四つのTgアーゼ は表皮のような最終的に分化している上皮において発現される。Tgアーゼは、先天性魚鱗癬と呼ばれるある種の皮膚疾患を患う患者の病理に見られるように、角化膜の適切な架橋のために重要である。先天性魚鱗癬はケラチン生成細胞トランスグルタミナーゼ (TGK)遺伝子の突然変異に関連する(Nemes, Z. 他 (1999) Proc. Natl. Acad. Sci. U.S.A. 96:8402-8407、Aeschlimann, D. 他 (1998) J. Biol. Chem. 273:3452-3460)。
【００５９】
ヒドロラーゼ
ヒドロラーゼは水分子の導入によって基質内のさまざまな共有結合の切断を触媒する酵素クラスである。この反応においては、水分子の酸素原子が基質内の標的結合に求核攻撃を加える。水分子が標的結合のところで分かれて結合を破り、二つの分子が生成される。ヒドロラーゼは細胞成分の合成と分解などの機能および、細胞シグナル伝達、細胞増殖、炎症、アポトーシス、分泌および排泄を含む細胞機能の調節に必須な反応にかかわっている。ヒドロラーゼはこれらの機能にかかわる病気プロセスの重要な過程に関連している。加水分解酵素、すなわちヒドロラーゼは基質特異性によってホスファターゼ、ペプチダーゼ、リゾホスホリパーゼ、ホスホジエステラーゼ、グリコシダーゼ、グリオキサラーゼ、アミノヒドロラーゼ、カルボキシエステラーゼ、スルファターゼ、ホスホヒドロラーゼ、ヌクレオチダーゼ、リゾチームなど多くのクラスに分類される。
【００６０】
ホスファターゼは加水分解によりタンパク質からリン酸基を除去する。これは、多くの細胞内シグナル伝達経路を調節し、ひいては細胞成長と分化、細胞間接触、細胞周期および発癌を制御するエネルギー供給過程である。
【００６１】
ペプチダーゼはプロテアーゼとも呼ばれ、ペプチドやタンパク質の鎖のバックボーンを形成するペプチド結合を切断する。タンパク分解は細胞増殖、分化、再構築や恒常性ならびに炎症および免疫反応において重要である。典型的なタンパク質の半減期は数時間から数日の範囲であるため、ペプチダーゼはつねにタンパク質前駆体を切断して活性型に変え、標的タンパク質からシグナル配列を除去し、古いタンパク質や欠陥のあるタンパク質を分解している。ペプチダーゼはバクテリア、寄生生物およびウィルスの侵入と宿主内での複製の際に機能する。ペプチダーゼの例としてはトリプシンおよびキモトリプシン（補体カスケードと血液凝固カスケードの成分）リソソームのカテプシン、カルパイン、ペプシン、レニンおよびキモシンなどが挙げられる(Beynon, R.J. および J.S. Bond (1994) Proteolytic Enzymes: A Practical Approach, Oxford University Press, New York, NY, 1-5ページ)。
【００６２】
リゾホスホリパーゼ（LPL）はエステル結合の加水分解でアシル基を除去するという、脂質分解の重要な過程を触媒することによって細胞内脂質を調節する。約１５〜３０ｋＤの小さいLPLアイソフォームはヒドロラーゼとして機能し、大きなアイソフォームはヒドロラーゼとアシル基転移酵素の両方の機能をする。LPLの特定の基質であるリソホスファチジルコリンは細胞膜の溶解を起こす。LPLの活性は、炎症反応を含む数多くの経路で重要なシグナル伝達分子によって調節される。
【００６３】
ホスホジエステラーゼはホスホジエステル化合物内の２つのエステル結合のうちの１つの加水分解を触媒する。従って、ホスホジエステラーゼは様々な細胞プロセスにとって重要である。ホスホジエステラーゼにはDNAおよびRNAのエンドヌクレアーゼおよびエキソヌクレアーゼが含まれるが、これらは細胞の成長と複製およびタンパク質合成に必須である。エンドヌクレアーゼV（デオキシイノシン３’エンドヌクレアーゼ）はタイプIIの部位特異性デオキシリボヌクレアーゼの一例であり、これは、ヒポキサンチン、ウラシルまたはミスマッチ塩基を含むDNAを切断する推定DNA修復酵素である。大腸菌エンドヌクレアーゼVは、デオキシキサンチンへの第２のホスホジエステル結合３'においてデオキシキサンチンを含むDNAを切断し、切断部位で３’ヒドロキシル基および５’ホスホリル基を生成することが示されている(He, B.他. (2000) Mutat. Res. 459:109-114)。大腸菌エンドヌクレアーゼVは脱アミノ化されたグアニンすなわちキサンチンをDNAから除去する際に役割を果たし、ひいてはニトロソ基の脱アミノ化による突然変異誘発効果から細胞を保護すると示唆されている(Schouten KA および Weiss B (1999) Mutat. Res. 435:245-254)。真核生物においては、tRNAスプライシング過程において、アンチコドンへのアンチコドンループ１塩基３’に割り込む小さなtRNAイントロンを除去する必要がある。この過程にはエンドヌクレアーゼ、リガーゼおよびホスホトランスフェラーゼの段階的な作用が必要とされる(Hong, L. 他 (1998) Science 280:279-284)。リボヌクレアーゼP（Rnase P）は、tRNAスプライシング過程中に成熟したtRNA ５’末端を生成するために必要な遍在性のRNA処理エンドヌクレアーゼである。これはtRNA前駆体上の特異的な部位でP-3’O 結合の切断を触媒することによって５’リン酸および３’ヒドロキシル末端基を生成することで達成される。RNase Pによる触媒反応はMg2+ または Mn2+などの2価のカチオンに絶対的に依存している(Kurz, J.C. 他 (2000) Curr. Opin. Chem. Biol. 4:553-558)。RNase Pの基質認識機構は真核生物および細菌の間でよく保存されている(FENZMi, S. 他 (1998) Science 280:284-286)。出芽酵母（S. cerevisiae）においてPOP1（Processing Of Precursor RNAsの略）と名づけられている遺伝子が、RNase PおよびRNase MRP（もう一つのRNA処理タンパク質）の両方のタンパク質成分をコードしている。酵母菌POP1における突然変異は致死的である(Lygerou, Z. 他. (1994) Genes Dev. 8:1423-1433)。もう１つのホスホジエステラーゼである酸性スフィンゴミエリナーゼは、膜リン脂質スフィンゴミエリンを加水分解してセラミドおよびホスホリルコリンを生成する。ホスホリルコリンはホスファチジルコリンの合成に機能を持っている。ホスファチジルコリンは細胞内シグナル伝達経路に関与している。セラミドは、神経組織に高濃度に存在する膜脂質であるガングリオシドの生成に必須な前駆体である。酸性スフィンゴミエリナーゼホスホジエステラーゼに欠陥があると、ニーマン・ピック病になる。
【００６４】
グリコシダーゼはグリコシドのヘミアセチル結合を切断する。グリコシドは１つ以上の糖を含む化合物である。たとえば、哺乳動物のラクターゼ・フロリジンヒドロラーゼは乳糖を分割する腸酵素である。哺乳動物のベータガラクトシダーゼはガングリオシド、糖タンパク質およびグリコサミノグリカンから末端ガラクトースを除去し、この酵素の欠損はモルキオ病タイプBとして知られるガングリオシド蓄積症と関連している(PROSITE PCDOC00910)。脊椎動物のリソソームのアルファグルコシダーゼ（グリコーゲン、マルトースおよびイソマルトースを加水分解）および脊椎動物の腸スクラーゼ・イソマルターゼ（スクロース、マルトースおよびイソマルトースを加水分解）はこのファミリの広範囲に分布するメンバーであり、活性部位に高度に保存された配列を持っている。
【００６５】
グリオキシラーゼ系は糖新生、すなわち体内に保存された化合物からグルコースを産生することに関与している。この系はグリオキシラーゼI（トリオースリン酸エネルギー代謝の副産物であるメチルグリオキサルからS-Dラクトイルグルタチオンを形成する反応を触媒）およびグリオキシラーゼII（S-DラクトイルグルタチオンをD乳酸と還元グルタチオンに加水分解）からなっている。グリオキシラーゼは高血糖症、非インシュリン依存糖尿病、バクテリア毒素の解毒、および細胞増殖と微小管アセンブリの制御に関与している。
【００６６】
NG, NG-ジメチルアルギニンジメチルアミノヒドロラーゼ(DDAH)は、内因性一酸化窒素シンターゼ(NOS)インヒビターである、NG-モノメチル-アルギニンおよび NG, NG-ジメチル-L-アルギニンを加水分解してL-シトルリンにする酵素である。DDAHが阻害されると、NOSが阻害されるのに充分な濃度にまでNOSインヒビターの細胞内濃度が増加する。したがって、DDAH阻害によってNOS阻害の方法が提供され、DDAH活性の変化が一酸化窒素生成における病態生理学的な変化に関与しているであろう(MacAllister, R.J., 他 (1996) Br. J. Pharmacol. 119: 1533-1540)。DDAHは細胞骨格異常を示す神経細胞およびアルツハイマー病における酸化的ストレスに発見されている。同年齢の対照例の神経細胞には、DDAHは発見されていない。これは酸化的ストレスや一酸化窒素に媒介される現象がアルツハイマー病の病因に関与していることを示唆する(Smith, M.A.他 (1998) Free Rad. Biol. Med. 25: 898-902)。
【００６７】
アシルCoAチオエステラーゼはカルボキシルエステラーゼファミリのもう一つのメンバーである(Alexson, S.E. 他 (1993) Eur. J. Biochem. 214:719-727)。アシルCoAチオエステラーゼはステロイド産生組織において調節的役割を持っていることを示唆する証拠がある(Finkielstein, C. 他 (1998) Eur. J. Biochem. 256:60-66)。
【００６８】
アルファ/ベータヒドロラーゼタンパク質フォールドは多様な系統発生上の起源および多様な触媒機能を持ついくつかのヒドロラーゼに共通である。アルファ/ベータヒドロラーゼフォールドを持つ酵素は8枚のベータシートがアルファヘリックスでつなげられた共通のコア構造をもっている。このフォールドの最もよく保存された構造的な特徴は求核−ヒスチジン−酸の触媒トライアッドである。この触媒トライアッドの中のヒスチジンは完全に保存されているのに対して、求核ループおよび酸ループは2つ以上のタイプのアミノ酸を受け入れる(Ollis, D.L. 他 (1992) Protein Eng. 5:197-211)。
【００６９】
スルファターゼは、配列相同性が高く、構造もよく類似した、高度に保存された遺伝子ファミリのメンバーである。スルファターゼは硫酸エステルの切断を触媒する。この機能を果たすために、スルファターゼは小胞体でユニークな翻訳後修飾を受ける。これには保存されたシステイン残基の酸化が関与している。多発性スルファターゼ欠損症と呼ばれるヒトの病気はこの翻訳後修飾ステップの欠陥によって不活性なスルファターゼができることに起因する(Recksiek, M. 他 (1998) J. Biol. Chem. 273:6096-6103)。
【００７０】
ホスホヒドロラーゼはリン酸エステルを加水分解する酵素である。一部のホスホヒドロラーゼはmutTドメインシグネチャ配列を含んでいる。mutTは酸化で損傷したグアニンをDNAから除去するGO系に関与するタンパク質である。mutTのN末端にある約40アミノ酸残基の領域は一部のホスホヒドロラーゼを含む他のタンパク質にも見られる(PROSITE PDOC00695)。
【００７１】
セリンヒドロラーゼは活性部位にセリン残基を含む加水分解酵素の大きな機能クラスである。このクラスの酵素としては、さまざまな基質を加水分解するプロテイナーゼ、エステラーゼおよびリパーゼが含まれ、生物学的な役割もさまざまである。。このスーパーファミリのタンパク質は基質特異性またはアミノ酸類似性によってさらにサブファミリ-に分けることができる(Puente, X.S.およびLopez-Otin, C. (1995) J. Biol. Chem. 270(21): 12926-12932)。
【００７２】
神経障害標的エステラーゼ（NTE）は脊椎動物の一部の非神経細胞タイプおよび全てのニューロンに存在する膜内在性タンパク質である。NTEは発生中の神経系においてニューロンとアクセサリグリア細胞の間の相互作用を制御する細胞シグナル伝達経路に関与している。NTEはセリンエステラーゼ活性を持ち、フェニルバレレート酸（phenyl valerate、PV）の加水分解をin vitroで効率よく触媒するが、生理学的な基質は未知である。NTEはアセチルコリンエステラーゼを含む主要なセリンエステラーゼファミリにもその他の既知のセリンヒドロラーゼにも関係していない。NTEは少なくとも２つの機能ドメインを持っている。１つはN末端の推定上の調節ドメインで、もう１つはC末端のエフェクタードメインであり、後者はエステラーゼ活性を含み、部分的には細菌、酵母、線虫および昆虫のタンパク質で保存されている。NTEのエフェクタードメインは３つの推定膜貫通セグメントを含み、活性部位のセリン残基はこれらのセグメントのうちの1つの中心に位置している。分離された組換えドメインは、リン脂質リポソームに導入されたときにのみPVヒドロラーゼ活性を示す。NTEのエステラーゼ活性はおおむね成体の脊椎動物においては冗長であるが、in vivo でNTEと反応する有機リン酸は未知のイベントを経て、長い軸索の変性を伴う神経障害につがなる。これらの神経障害性有機リン酸は活性部位のセリン残基に共有結合した負に帯電した基を残し、これがNTEの毒性獲得の原因になる (Glynn, P. (1999) Biochem. J. 344:625-631)。さらにショウジョウバエの神経変性遺伝子スイスチーズは、グリア-ニューロン相互作用に関与して上記のヒトのNTEと相同な神経タンパク質をコードする (Moser, M. 他 (2000) Mech. Dev. 90:279282)。
【００７３】
キチナーゼはさまざまな生物体に存在するキチン分解酵素であり、細胞壁の再構築、防衛および異化作用などのプロセスに関わっている。キチナーゼ活性はヒトの血清、白血球、顆粒球に、そして哺乳動物の受精した卵母細胞に関連して見出されている(Escott, G.M. (1995) Infect. Immunol. 63:4770-4773; DeSouza, M.M. (1995) Endrocrinology 136:2485-2496)。ヒトの解糖およびタンパク質分解分子は肺の疾患による組織損傷および癌の腫瘍原性と転移潜在性に関係している(Mulligan, M.S. (1993) Proc. Natl. Acad. Sci. 90:11523-11527; Matrisian, L.M. (1991) Am. J. Med. Sci. 302:157-162; Witty, J.P. (1994) Cancer Res. 54:4805-4812)。キチン分解活性を持つヒトの酵素が発見されたということは注目に値する。なぜならヒトの体内には内因性のキチンはないからである(Raghavan, N. (1994) Infect. Immun. 62:1901-1908)。しかし、細菌、カビ、植物および昆虫などのさまざまな非哺乳動物体のキチナーゼと相同性を持った哺乳動物タンパク質のグループが存在する。このファミリのメンバーはキチンまたはキチン様基質を加水分解する能力が異なっている。このファミリの哺乳動物メンバーの一部（特異的なキチン分解活性を示さないヒトの軟骨タンパク質およびウシの乳清キトトリオシダーゼ（chitotriosidase））は組織リモデリングイベントに関連して発現してる(Rejman, J.J. (1988) Biochem. Biophys. Res. Commun. 150:329-334, Nyirkos, P. (1990) Biochem. J. 268:265-268)。ヒトの軟骨タンパク質のレベルの上昇がリューマチ性関節炎の患者の滑液および軟骨内で報告されている。この病気は罹患した関節に軟骨の重度の変性と滑膜の増殖をもたらす(Hakala, B.E. (1993) J. Biol. Chem. 268:25803-25810)。
【００７４】
エーテル結合に作用するヒドロラーゼの小さなサブクラスとして、チオエーテルヒドロラーゼなどが挙げられる。SアデノシルLホモシステインヒドロラーゼはAdoHcyaseまたは SAHH (PROSITE PDOC00603; EC 3.3.1.1)としても知られているが、S-アデノシル-L-ホモシステイン(AdoHcy)からアデノシンとホモシステインへの可逆的な加水分解に関与する活性として初めにラットの肝臓抽出物中で記述されたチオエーテルヒドロラーゼである(Sganga, M.W. 他 (1992) PNAS 89:6328-6332)。SAHHはサイトゾル酵素であって、大腸菌およびある種の近縁バクテリアを除いて、試験されたすべての細胞で見つかっている(Walker, R.D. 他(1975) Can. J. Biochem. 53:312-319、Shimizu, S. 他 (1988) FEMS Microbiol. Lett. 51:177-180、Shimizu, S. 他 (1984) Eur. J. Biochem. 141:385-392)。SAHH活性は補助因子としてNAD+ に依存している。SAHHの欠損は高メチオニン血症(Online Mendelian Inheritance in Man (OMIM) #180960 Hypermethioninemia)に関連しているが、これは新生児胆汁鬱滞、成長障害、知的および運動能力の遅滞、異常な毛髪および歯を含む顔面異形症、および心筋症によって特徴付けられる病理学的状態である(Labrune, P. 他 (1990) J. Pediat. 117:220-226)。
【００７５】
ヒドロラーゼのもう１つのサブクラスにはペプチド結合以外の炭素窒素（C-N）結合に作用する酵素が含まれる。このサブクラスにはアミド、アミジンおよびその他のC-N結合を加水分解する酵素が属している。このサブクラスはさらにリニアアミド、サイクリックアミド、リニアアミジン、サイクリックアミジン、ニトリルおよびその他の化合物を含む基質特異性によって分けられている。この酵素サブクラスに属するヒドロラーゼでサイクリックアミジンに作用するのがアデノシンデアミナーゼ（ADA）である。ADAはアデノシンをイノシンに分解する反応を触媒する。ADAは胎盤、筋肉、肺、胃、消化性憩室、脾臓、赤血球、胸腺、精漿、甲状腺、T細胞、骨髄幹細胞および肝臓を含む多くの哺乳動物組織に存在する。ADAのサブクラスであるADARはRNAに作用し、RNAエディターゼ（editase）として分類されている。ショウジョウバエからのADARであるdADARは発生中の神経系で発現し、中枢神経系のパラ電位依存性（para voltage-gated）Na+チャネル転写物に作用する可能性がある(Palladino, M.J. 他 (2000) RNA 6:1004-1018)。ADAの欠損は重症複合型免疫不全（SCID）を伴う重大なリンパ球減少症を引き起こす。ADA欠損を示す患者の細胞はADA触媒活性およびADAタンパク質の量が少ないか、ときには検出不能な場合もある。ADA欠損はADA遺伝子の遺伝的な突然変異に起因する(Hershfield, M.S. (1998) Semin. Hematol. 4:291-298)。ADA欠損の代謝への影響は肺胞形成（alveogenesis）の欠陥、肺の炎症および気道閉塞と関連していることが示されている(Blackburn, M.R. 他 (2000) J. Exp. Med. 192:159-170)。
【００７６】
膵臓リボヌクレアーゼ(RNase) は、ある種の哺乳動物分類群および一部の爬虫類の膵臓に大量に見られるピリミジン特異的なエンドヌクレアーゼである(Beintema, J.J. 他 (1988) Prog. Biophys. Mol. Biol. 51:165-192)。哺乳動物の膵臓Rnaseスーパーファミリーのタンパク質は、２段階リン酸転移加水分解反応を通じてRNAを分解する非サイトゾルのエンドヌクレアーゼである(Beintema, J.J. 他 (1986) Mol. Biol. Evol. 3:262-275)。特に、これらの酵素は３'ホスホモノヌクレオチドと３’ホスホオリゴヌクレオチドの内ヌクレオチド結合を切断してC-PまたはU-Pと２’，３’サイクリックリン酸中間体にする過程に関与している。リボヌクレアーゼは一本鎖のDNAと複合体を作ってDNAヘリックスを巻き戻すことができる。この複合体は酵素のリジンおよびアルギニン残基とヌクレオチドのリン酸基の間の拡張多部位カチオン・アニオン相互作用によって生じる。このファミリに属する酵素の一部は純粋な消化機能を演じているようであるが、その他のものは強力で異例な生物学的活性を示す(D'Alessio, G. (1993) Trends Cell Biol. 3:106-109)。膵臓ＲＮａｓｅファミリに属するタンパク質としては、ウシの精嚢および脳リボヌクレアーゼ、腎臓非分泌型リボヌクレアーゼ(Beintema, J.J. 他 (1986) FEBS Lett. 194:338-343)、肝臓タイプリボヌクレアーゼ(Rosenberg, H.F. 他(1989) PNAS U.S.A. 86:4460-4464)、正常および悪性組織の血管新生を誘発するアンギオジェニン、リボヌクレアーゼ活性を持つ細胞毒素および寄生虫毒素である好酸球カチオン性タンパク質(Hofsteenge, J. 他. (1989) Biochemistry 28:9806-9813)、およびカエル肝臓リボヌクレアーゼとカエルのシアル酸結合レクチンが含まれる。膵臓ＲＮａｓｅの配列には４つの保存されたジスルフィド結合と触媒活性に関与する３つのアミノ酸残基が含まれている。
【００７７】
ADPリボシル化は、ADPリボース部分がβ-NADからアルギニンまたはシステインなどの標的アミノ酸に移される可逆的な翻訳後タンパク質修飾である。ADPリボシルアルギニンヒドラーゼはタンパク質からADPリボースを除去してアルギニンを再生することによりADPリボシル化サイクルを完了する(Moss, J. 他 (1997) Adv. Exp. Med. Biol. 419:25-33)。ADPリボシル化はバクテリア毒素でよく知られた反応である。たとえば、コレラ毒素は刺激性Gタンパク質のαサブユニットをADPリボシル化することによりアデニリルシクラーゼ系を乱して細胞内cAMPの増加を引き起こす(Moss, J.およびVaughan, M. (Eds) (1990) ADP-ribosylating Toxins and G-Proteins: Insights into Signal Transduction, American Society for Microbiology, Washington, D.C.)。また、ADPリボシル化は、真核生物において調節機能を持ち、細胞毒性T細胞の細胞増殖(Wang, J. 他 (1996) J. Immunol. 156:2819-2827)および細胞骨格アセンブリ(Zhou, H. 他 (1996) Arch. Biochem. Biophys. 334:214-222)に影響している可能性がある。
【００７８】
ヌクレオチダーゼはヌクレオチドから遊離ヌクレオシドを生成する反応を触媒する。ハトの心臓からクローン化されたサイトゾルヌクレオチダーゼcN-I（５‘ヌクレオチダーゼI）はATPの加水分解中に生成されるAMPからアデノシンを生成する反応を触媒する(Sala-Newby, G.B. 他 (1999) J. Biol. Chem. 274:17789-17793)。アデノシン濃度の増加は代謝ストレスのシグナルであると考えられており、アデノシン受容体は血管拡張、刺激性ニューロン発火の減少および心臓内の虚血性プレコンディショニングを含む効果を仲介する(Schrader, J. (1990) Circulation 81:389-391; Rubino, A. 他 (1992) Eur. J. Pharmacol. 220:9598; de Jong, J.W. 他 (2000) Pharmacol. Ther. 87:141149)。ピリミジン５‘ヌクレオチダーゼの欠損は遺伝的な溶血性貧血(OMIM Entry 266120)を引き起こすことがある。
【００７９】
リゾチームcスーパーファミリは従来型のリゾチームｃ、カルシウム結合リゾチームcおよびαラクトアルブミンからなる(Prager, E.M. および P. Jolles (1996) EXS 75:9-31)。このスーパーファミリの中のタンパク質は35-40％の配列相同性を持ち、共通した三次元フォールドを共有しているが、機能は異なりうる。リゾチームｃはさまざまな組織および分泌物に遍在し、ある種の細菌の細胞壁を溶解させることができる(McKenzie, H.A. (1996) EXS 75:365-409)。アルファラクトアルブミンはカルシウムを結合する金属タンパク質であり、乳糖の合成に参与している(Iyer, L.K. および P.K. Qasba (1999) Protein Eng. 12:129-139)。アルファラクトアルブミンは哺乳動物の乳汁および初乳に存在している（前出のMcKenzie）。
【００８０】
リゾチームは細菌の細胞壁のある種のムコ多糖の加水分解を触媒する。具体的にはNアセチルムラミン酸とNアセチルグルコサミンの間のベータ（1-4）グリコシド結合の加水分解を触媒して細菌溶解を引き起こす。リゾチームはウィルス、鳥および哺乳動物を含む多様な生物体に存在する。ヒトにおいては、リゾチームは脾臓、肺、腎臓、白血球、血漿、唾液、乳汁、涙および軟骨にみられる(Online Mendelian Inheritance in Man (OMIM) #153450 Lysozyme; Weaver, L.H. 他 (1985) J. Mol. Biol. 184:739-741)。リゾチームｃは反芻動物において消化酵素として機能し、摂取された細胞壁からタンパク質を放出するが、ヒトの新生児においても同じ機能を果たしている可能性がある(Braun, O.H. 他 (1995) Klin. Pediatr. 207:4-7)。
【００８１】
２つの既知のリゾチームの型であるニワトリ型とグース型ははじめそれぞれニワトリとカモの卵白から単離された。ニワトリ型とグース型は三次元構造が類似しているが、アミノ酸配列は異なっている(Nakano, T. および T. Graf (1991) Biochim. Biophys. Acta 1090:273-276)。ニワトリにおいては、両方の型のリゾチームが好中性顆粒球（異染性）で見られるが、卵白にはニワトリ型リゾチームだけが見られる。一般に、ニワトリ型リゾチームのｍRNAは接着性単球とマクロファージおよび非接着性前骨髄球と顆粒球の両方、さらには骨髄、脾臓、嚢、および卵管の細胞にも見られる。グース型リゾチームのｍRNAは骨髄と肺の非接着性細胞に見られる。ウサギにおいていくつかのアイソザイムが見つかっており、その中には白血球、胃腸、およびおそらくリンパ上皮の型などがある(前出のOMIM #153450; 前出のNakano and Graf; および GenBank GI 1310929)。ニワトリ型リゾチームに類似したタンパク質をコードするヒトのリゾチーム遺伝子がクローン化されている(Yoshimura, K. 他 (1988) Biochem. Biophys. Res. Commun. 150:794-801)。定間隔のシステイン残基を持つコンセンサスモチーフがさまざまな種のリゾチームCから得られている(PROSITE PS00128)。リゾチームCはαラクトアルブミンと約40％の配列同一性を持っている。
【００８２】
リゾチームはいくつかの病気と関連をもっている。リゾチーム尿症は糖尿病性腎症(Shima, M. 他(1986) Clin. Chem. 32:1818-1822)、地方性腎症(Bruckner, I. 他 (1978) Med. Interne. 16:117-125)、尿道感染症(Heidegger, H. (1990) Minerva Ginecol. 42:243-250)、および急性単球白血病(Shaw, M.T. (1978) Am. J. Hematol. 4:97-103)において観察されている。Nakano(前出)はリゾチームが宿主防衛システムにおいて役割を果たしているのではないかと示唆している。遺伝性のリゾチーム欠損症を持つ年齢の高いウサギは皮下膿瘍などの感染を受けやすくなることが示された(前出のOMIM #153450)。ヒトのリゾチーム遺伝子の突然変異は遺伝性の全身アミロイド沈着症（腎臓、副腎、脾臓および肝臓などの内臓にアミロイドが沈着する稀な常染色体優性疾患）を引き起こす。この病気は通常50歳までに致死的となる。これらのアミロイド沈着はリゾチームの変異体を含んでいる。腎臓アミロイド沈着症は内臓に起こるものとしてはもっとも普通だがもっとも重篤である可能性をもっている(Pepys, M.B. 他 (1993) Nature 362:553-557; OMIM #105200 Familial Visceral Amyloidosis; Cotran, R.S. 他 (1994) Robbins Pathologic Basis of Disease, W.B. Saunders Company, Philadelphia PA, 231-238ページ)。細菌性髄膜炎の患者の脳脊髄液ではリゾチームと乳酸のレベルが増えていた(Ponka, A. 他 (1983) Infection 11:129-131)。急性単球白血病は特徴的に大規模なリゾチーム尿症を伴う(Den Tandt, W.R. (1988) Int. J. Biochem. 20:713-719)。
【００８３】
リアーゼ
リアーゼは、２分子を形成するために、加水分解や酸化せずにC-C、C-O、C-N、C-S、C-(ハロゲン化合物)、P-Oあるいは他の結合の切断を触媒する酵素のクラスであり、その２分子の少なくとも1つは二重結合を含んでいる(Stryer, L. (1995) Biochemistry, W.H. Freeman and Co., New York NY, 620ページ)。酵素の国際的な分類(Webb, E.C. (1992) Enzyme Nomenclature 1992: Recommendations of the Nomenclature Committee of the International Union of Biochemistry and Molecular Biology on the Nomenclature and Classification of Enzymes, Academic Press, San Diego CA)の下で、リアーゼは酵素番号の最初の桁が数字４で名付けられる（即ちEC 4.x.x.x）固有のクラスを形成する。
【００８４】
リアーゼのさらに細かい分類は、切断した分子基の性質だけでなく切断した結合のタイプを反映している。C-Cリアーゼのグループには、カルボキシル・リアーゼ（デカルボキシラーゼ）、アルデヒド・リアーゼ（アルドラーゼ）、オキソ酸リアーゼとその他のリアーゼが含まれる。C-Oリアーゼのグループには、多糖に作用するリアーゼであるヒドロリアーゼや他のリアーゼが含まれる。C-Nリアーゼのグループには、アンモニアリアーゼ、アミジンリアーゼ、アミンリアーゼ（デアミナーゼ）その他のリアーゼが含まれる。リアーゼは細胞生化学の重要な成分であり、脂肪酸代謝、トリカルボン酸回路や他の多様な酵素プロセス等の代謝エネルギー生産において役割を果たしている。
【００８５】
1つの重要なリアーゼのファミリーは、炭酸デヒドラターゼとも呼ばれる炭酸脱水酵素(CA)であり、H2O + CO2  → HCO3 -  + H+反応における二酸化炭素の水和を触媒する。このタンパク質の表面下約15Åの深い裂け目に位置し、3つのHis残基のイミダゾール基に配位される亜鉛イオンにより、ＣＡはこの反応を106を超える割合で加速する。亜鉛イオンに結合する水は、急速にHCO3-に変換される。
【００８６】
炭酸脱水酵素の8つの、酵素的そして進化的に関連する型が、現在ヒトに存在することが知られている：3つのサイトゾルイソ酵素(CAI、CAII、CAIII)、2つの膜結合型(CAIV、CAVII)、ミトコンドリア型(CAV)、分泌唾液型(CAVI)、まだ特徴付けられていないイソ酵素である(PROSITE PDOC00146Eukaryotic-type carbonic anhydrases signature)。イソ酵素CAI、CAIIとウシCAIIIは類似の二次構造とポリペプチド鎖折り畳みを有するが、CAIは6-トリプトファン、CAIIは7-トリプトファン、CAIIIは8-トリプトファンを有する(Boren, K. 他. (1996) Protein Sci. 5:2479-2484)。CAIIは哺乳動物の脳の主要なCAイソ酵素である。
【００８７】
CAは、pH調節、CO2及びHCO3輸送、イオン輸送、水分と電解質バランスを含む多様な生理的プロセスに関与する。例えばCAIIは、骨を再吸収する区画を酸性化するH+を分泌する破骨細胞に、また、胃壁細胞や尿細管細胞によるH+ 分泌に寄与する。更にCAIIは膵管細胞、毛様体上皮組織、脈絡叢、唾液腺腺房細胞、遠位結腸上皮組織によるHCO3分泌を促進する。それにより膵液、房水、脳脊髄液、唾液の生成に関与すると共に、電解質と水分のバランスに寄与する。CAIIは腎臓の近位尿細管、赤血球、肺におけるCO2交換をも促進する。CAIVは幾つかの組織において役割を果たす。：腎臓においてHCO3の再吸収を促進する；脳、骨格筋、心筋等の組織におけるCO2流動を促進する；血液中から肺の肺胞へのCO2交換を促進する。CAVIはCAIIと共に唾液のpH調節におそらく関与する。また食道と胃での保護効果を有し得るミトコンドリアのCAVは、糖新生と尿生成の経路へのCAのインヒビター効果に基づいてこれらにおいて重要な役割を果たすように思われる(Sly, W.S及び Hu, P.Y. (1995) Ann. Rev. Biochem. 64:375-401)。
【００８８】
多数の疾患状態が、CA活性の変化によって特徴付けられる。CAIIの欠損を引き起こすCAIIにおける突然変異は、尿細管性アシドーシスを伴う骨石化症の原因である(Online Medelian Inheritance in Man 259730 Osteopetrosis with Renal Tubular Acidosis)。脳脊髄液(CSF)におけるCAIIの濃度は、脳損傷の患者の疾患作用を特徴付けるように思われる。高いCA濃度が脳梗塞を患う患者で観察された。一過性脳虚血発作、多発性硬化症あるいは癲癇を患う患者のCAIIの濃度は、通常正常な範囲であるが、中枢神経系感染、痴呆あるいは三叉神経痛の患者にはCSFにおいて高いレベルのCAIIが観察されてきた(Parkkila, A.K. 他 (1997) Eur. J. Clin. Invest. 27:392-397)。非腫瘍性対照は、大腸陰窩の上半分に並んだ円柱細胞の細胞質にCAIとCAIIを示すが、大腸腺腫と腺癌はＣＡに対して染色しないことが観察されてきた。腫瘍は、正常な陰窩の基底に並ぶ、それほど成熟していない細胞に類似の染色パターンを示す(Gramlich T.L.他 (1990) Arch. Pathol. Lab. Med. 114:415-419)。
【００８９】
多数の疾患における治療は、CA活性を変更することを伴う。アセタゾールアミド等のＣＡインヒビターが、緑内障(Stewart, W.C. (1999) Curr. Opin. Opthamol. 10:99-108)、本態性振戦とパーキンソン病(Uitti, R.J. (1998) Geriatrics 53:46-48, 53-57)、間欠性運動失調(Singhvi, J.P. 他. (2000) Neurology India 48:78-80)、高度と関連する疾患(Klocke, D.L. 他 (1998) Mayo Clin. Proc. 73:988-992) の治療において使用される。
【００９０】
CA活性は、酵素が生理学的変化に対して比較的ゆっくり反応するので、長期の疾患状態の指標として特に有用である。甲状腺亢進症のグレーブス病ではCAI濃度と亜鉛濃度の下降(Yoshida, K. (1996) Tohoku J. Exp. Med. 178:345-356)、糖尿病ではグリコシル化CAI(Kondo, T. 他 (1987) Clin. Chim. Acta 166:227-236)が観察される。正の相関性がCAI、CAII反応性と子宮内膜症の間で観察される(Brinton, D.A他 (1996) Ann. Clin. Lab. Sci. 26:409-420、D'Cruz , O.J. 他 (1996) Fertil. Steril. 66:547-556)。
【００９１】
リアーゼのファミリーの別の重要なメンバーは、ポリアミン生合成における初期律速酵素であるオルニチンデカルボキシラーゼ(ODC)である。ODCは、L-オルニチン→ プトレッシン+CO2反応におけるオルニチンからプトレッシンへの転換を触媒する。ポリアミンは、プトレッシン、および続く代謝経路の生成物であるスペルミジンとスペルミンを含み、ＤＮＡ合成、細胞分化、増殖に不可決な遍在性細胞構成成分である。したがってポリアミンは腫瘍増殖において重要な役割を果たす(Medina, M.A. 他 (1999) Biochem. Pharmacol. 57:1341-1344)。
【００９２】
ODCは、ホモ二量体として活性であるピリドキサル-5−リン酸(PLP)依存性酵素である。保存した残基には、PLP結合部位での残基と基質結合領域の一部と思われるグリシン残基の区間が含まれる(PROSITE PDOC00685 Orn/DAP/Arg decarboxylase family 2 signatures)。哺乳動物のODCは、PEST領域（細胞内分解のためのシグナルとして作用するプロリン、グルタミン酸、セリン、トレオニン残基がリッチな配列断片）をも含む(前出のMedina)。
【００９３】
多くの化学発癌物質と腫瘍プロモータがODCレベルと活性を上昇させる。複数の既知の発癌遺伝子が、ODC遺伝子の転写を促進することによりＯＤＣレベルを上昇させる。また超高レベルで発現する時、ＯＤＣ自体が発癌遺伝子として作用する可能性がある。高レベルのＯＤＣが多数の前癌症状で見出される。またＯＤＣレベルの上昇が腫瘍促進化合物のためのスクリーニングの一部として使用される(Pegg, A.E. 他 (1995) J. Cell. Biochem. Suppl. 22:132-138)。
【００９４】
動物モデルとヒトの臨床試験において腫瘍を治療するためにODCのインヒビターが使用されている。膀胱、脳、食道、胃腸管、肺、口腔、乳腺、胃、皮膚、気管の腫瘍の発達を抑制することを示してきた(前出Pegg、McCann, P.P及びPegg, A.E. (1992) Pharmac. Ther. 54:195-215)。ODCは化学防御のための標的としても有望である(前出Pegg)。ODCインヒビターは、アフリカトリパノゾーマ、マラリア、ニューモシスティスカリニ属による感染を治療するためにも使用されている。また狼瘡とリウマチ様関節炎等の自己免疫性疾患の治療のために潜在的に有用である(前出McCann)。
【００９５】
ピリドキサル依存性デカルボキシラーゼの別のファミリーは、グループIIデカルボキシラーゼである。このファミリーには、グルタミン酸から神経伝達物質GABAへの脱炭酸反応を触媒するグルタミン酸デカルボキシラーゼ(GAD)、ヒスチジンからヒスタミンへの脱炭酸反応を触媒するヒスチジンデカルボキシラーゼ(HDC)、トリプトファンからトリプタミンへの脱炭酸反応を触媒し、また5-ヒドロキシ-トリプトファンとジヒドロキシフェニルアラニン(L-dopa)にも作用する芳香族L-アミノ酸脱炭酸酵素(DDC)（L-ドーパ脱炭酸酵素またはトリプトファン・デカルボキシラーゼとしても知られる）、システインからのタウリンの合成における律速酵素であるシステインスルフィン酸脱炭酸酵素(CSD)が含まれる(PROSITE PDOC00329 DDC/GAD/HDC/TyrDC pyridoxal-phosphate attachment site)。タウリンは脳内の豊富なスルホン基アミノ酸（sulfonic amino acid）であり、脳細胞内で浸透圧調節器として作用すると思われる(Bitoun, M.及びTappaz, M. (2000) J. Neurochem. 75:919-924)。
【００９６】
イソメラーゼ
イソメラーゼは１つの分子の中の幾何学的または構造的変化を触媒し、単一の生成物をもたらす酵素のクラスである。このクラスにはラセマーゼとエピメラーゼ、シス-トランス・イソメラーゼ、分子内酸化還元酵素、分子内トランスフェラーゼ（ムターゼ）および分子内リアーゼが含まれる。イソメラーゼは細胞の生化学に必須な成分であり、解糖を含む代謝エネルギー生成およびその他の多様な酵素プロセスにおいて役割をもっている(Stryer, L. (1995) Biochemistry W.H. Freeman and Co. New York, NY 483-507ページ)。
【００９７】
ラセマーゼはイソメラーゼの１つのサブセットであり、単一の非対称中心を持った基質の中の非対称炭素原子の回りで分子配置を反転することで２つのラセミ体の相互変換を行う。エピメラーゼはイソメラーゼのもう１つのサブセットであり、2つ以上の非対称中心を持った基質の中の非対称炭素原子の回りで分子配置を反転することで２つのエピマーの相互変換を行う。ラセマーゼとエピメラーゼはアミノ酸とその誘導体、ヒドロキシ酸およびその誘導体、糖質およびその誘導体に作用することができる。UDPガラクトースとUDPグルコースの相互変換はUDPガラクトース４‘エピメラーゼによって触媒される。このエピメラーゼの機能の適正な調節は、糖タンパク質と糖脂質の合成に必須である。幼児のスクリーニングプログラムにおいて、血液ガラクトースレベルの上昇がUDPガラクトース４‘エピメラーゼ欠損と相関付けられている(Gitzelmann, R. (1972) Helv. Paediat. Acta 27:125-130)。
【００９８】
新しく合成されたタンパク質の正しい折りたたみは分子シャペロンおよび折りたたみ触媒という２つの無関係なヘルパー分子グループによって補助される。シャペロンは折りたたみ中間体に化学量論的に結合することによって非生産的な副反応を抑圧し、折りたたみ酵素はタンパク質が最終的な機能的配置を達成するための複数の折りたたみステップのうちのいくつかを触媒する(Kern, G. 他 (1994) FEBS Lett. 348: 145148)。折りたたみ酵素の1つのクラスであるペプチジルプロリルシス-トランスイソメラーゼ（PPIアーゼ）はタンパク質の熟成と移出の律速過程と考えられている過程においてある種のプロリンイミド結合を異性化する。PPIアーゼ類は、タンパク質内の特定のプロリンイミド結合の、シスからトランスへの異性化を触媒する。進化的に無関係なPPIアーゼのファミリが３つある、すなわちサイクロフィリン、FK506結合タンパク質および新しく特徴付けられたparvulin ファミリである(Rahfeld, J.U. 他 (1994) FEBS Lett. 352: 180-184)。
【００９９】
サイクロフィリン（CyP）ははじめは免疫抑制剤シクロスポリンA（CsA）（T細胞活性化のインヒビター）の主要な受容体として識別された(Handschumacher, R.E. 他 (1984) Science 226: 544-547; Harding, M.W. 他 (1986) J. Biol. Chem. 261: 8547-8555)。したがって、CyPのペプチジルプロリルイソメラーゼ活性は、Ｔ細胞活性化につながるシグナル伝達経路の一部である可能性がある。引き続いた研究により、CyPのイソメラーゼ活性は適切なタンパク質折りたたみおよびタンパク質輸送に必須であることが実証されており、またタンパク質複合体の集合（アセンブリ）または分解、およびタンパク質活性の調節にも関与している可能性がある。例えば、ショウジョウバエにおいてCyP NinaA はロドプシンの正確な局在化に必要であるが、哺乳類のCyP（Cyp40）はステロイド受容体に結合するHsp90/Hsｐ70 複合体の一部である。哺乳類CyP (CypA) はヒト免疫不全ウイルス１（HIV-1）からのgagタンパク質と結合することが示されているが、この相互作用はシクロスポリンによって抑制し得る。シクロスポリンは強力な抗HIV-1活性を有するので、CypAはHIV-1の複製において重要な機能を果たし得る。最後に、Cyp40は転写因子c-Mybに結合し、これを不活化することが示されているが、この作用はシクロスポリンによって逆転される。この作用は、転写、形質転換および分化の調節でのCyp類の関与を意味する（Bergsma, D.J. 他（1991）J. Biol. Chem. 266:23204 -23214; Hunter, T.（1998）Cell 92: 141-143;  Leverson, J.D. および Ness, S.A.（1998）Mol. Cell. 1:203-211）。
【０１００】
タンパク質の折りたたみの主要な律速過程の1つはタンパク質を正しくアセンブリするのに必要なチオール：ジスルフィド交換である。還元されて折り畳まれていないタンパク質が、酸化されたチオールと還元されたチオールを所定の比で含むバッファー中でインキュベートされると生来のコンフォーメーションを引き起こすが、折り畳みの速度は遅く、生来のコンフォーメーションの達成度はタンパク質中のシステインの数とサイズに比例して減少する。真核生物の小胞体や原核生物のペリプラズム間隙などの特定の細胞区画は、周囲のサイトゾルよりも更に酸化した状態を維持する。正しいジスルフィド形成がこれらの区画で発生し得るが、正常な細胞プロセスには不十分な速度であり、分泌タンパク質を合成するのに適切ではない。タンパク質ジスルフィドイソメラーゼ、チオレドキシン、およびグルタレドキシンは、ジスルフィド結合の形成を触媒することが可能であり、必要なチオール：ジスルフィド交換を可能とするために細胞の酸化還元環境を調節する(Loferer, H. (1995) J. Biol. Chem. 270:26178-26183)。
【０１０１】
これらの各タンパク質は多少異なる機能を有するが、すべてが保存した活性部位配列を含むジスルフィド含有レドックス・タンパク質の群に属し、真核生物や原核生物に広範囲に分布する。タンパク質ジスルフィドイソメラーゼは真核生物の小胞体や原核生物のペリプラズム間隙に見出される。これらは、折り畳みペプチド鎖中のチオールを自らのジスルフィドと交換することにより機能する。対照的に、還元したチオレドキシンとグルタレドキシンは通常は細胞質に見出され、基質タンパク質中で直接ジスルフィドを還元することにより機能する。
【０１０２】
酸化還元酵素もイソメラーゼでありえる。酸化還元酵素は酸化される基質から還元される基質への電子の可逆的な転移を触媒する。このクラスの酵素としては、デヒドロゲナーゼ、ヒドロキシラーゼ、オキシダーゼ、オキシゲナーゼ、ペルオキシダーゼおよびレダクターゼが含まれる。酸化還元酵素レベルの適正な維持は生理学的に重要である。たとえば、リポアミドデヒドロゲナーゼの遺伝的に連関した欠損は乳酸アシドーシスを引き起こすことがある(Robinson, B. H. 他 (1977) Pediat. Res. 11:1198-1202)。
【０１０３】
イソメラーゼのもう1つのサブグループはトランスフェラーゼ(またはムターゼ)である。トランスフェラーゼは１つの化合物（ドナー）からもう１つの化合物（アクセプター）に化学基を転移する。これらの酵素によって転移される基としては、アシル基、アミノ基、リン酸基（ホスホトランスフェラーゼまたはホスホムターゼ）その他がある。トランスフェラーゼであるカルニチンパルミトイルトランスフェラーゼは脂肪酸代謝の重要な成分である。このトランスフェラーゼ内での遺伝的に連関した欠損群はミオパシーを引き起こすことがある(Scriver C. . 他 (1995) The Metabolic and Molecular Basis of Inherited Disease, McGraw-Hill New York NY 1501-1533ページ)。
【０１０４】
イソメラーゼのさらにもう1つのサブグループはトポイソメラーゼである。トポイソメラーゼはＤＮＡのトポロジー的な状態に影響する酵素である。たとえば、トポイソメラーゼあるいはその調節の欠損は正常な生理機能に影響しうる。トポイソメラーゼＩＩのレベルの低下は、血管拡張性失調症と関連付けられているＤＮＡプロセシング欠損の一部と相関付けられている(Singh, S.P. 他 (1988) Nucleic Acids Res. 16:3919-3929)。
【０１０５】
リガーゼ
リガーゼは２つの基質分子の間の結合の形成を触媒する。このプロセスはATPまたは類似したエネルギードナーのピロリン酸結合の加水分解を伴う。リガーゼは形成する結合のタイプの性質に基づいて分類されるが、その中には炭素-酸素、炭素-硫黄、炭素-窒素、炭素-炭素およびリン酸エステル結合が含まれる。
【０１０６】
炭素-酸素結合を形成するリガーゼとしては、翻訳において役割を持っている重要なRNA会合酵素であるアミノアシル転移RNA(ｔRNA)合成酵素が含まれる。  蛋白質生合成は、各アミノ酸が適切なtRNAとの連結を形成することに依存している。アミノアシル-tRNA合成酵素は、アミノ酸の活性化と、その同族tRNAとの正しい付着とを担う。20種のアミノアシル-tRNA合成酵素は２つの構造クラスに分けることができ、各クラスは触媒ドメインに明瞭なトポロジー的特徴をもっている。クラスI 酵素には、ヌクレオチド結合した「ロスマンフォールド（Rossman fold）」に基づく触媒的ドメインがある。クラスII 酵素は中央触媒ドメイン（７本鎖の逆平行β-シートモチーフからなる）と、N末端およびC末端調節ドメインを持つ。クラスII 酵素は酵素のヘテロ二量体構造あるいはホモ二量体構造に基づく２つのグループに分けられ、後者はさらにN末端およびC末端調節ドメインの構造によって分けられる(Hartlein, M. および Cusack, S. (1995) J. Mol. Evol. 40:519-530)。アミノアシル-tRNAに対する自己抗体は、皮膚筋炎及び多発性筋炎の患者によって産生される。また、複雑な間質性肺疾患（ILD）と強度に相関する。これらの自己抗体はウイルス感染に応じて産生されるとみられ、コクサッキー ウイルスは動物に実験的ウイルス性筋炎を誘発するために用いられている。
【０１０７】
炭素-硫黄結合を形成するリガーゼ（酸チオールリガーゼ）は炭素原子を含む基質（炭素基質）の分子間転移を伴う多数の細胞生合成中間代謝プロセスを仲介する。  こうした反応の例としては、トリカルボン酸回路、脂肪酸と長鎖リン脂質の合成、アルコールとアルデヒドの合成、中間代謝産物の合成、およびアミノ酸分解経路に関与する反応などが挙げられる。これらの反応の一部はエネルギーの入力を必要とするが、通常それはATPをADPまたはAMPとピロリン酸に変換する形を取る。
【０１０８】
多くの場合、炭素基質は少なくとも２つの炭素原子を含む小さな分子に由来する。炭素基質はしばしばより大きな分子に共有結合していて、この大きな分子が細胞内で炭素基質のキャリアとしてふるまう。上記の生合成機構において、キャリア分子は補酵素Aである。補酵素A(CoA)は構造的にはヌクレオチドADPの誘導体に関係していて、アデノシン3'、5'-２リン酸のαリン酸基にホスホジエステル結合を通じて連結した４‘ホスホパンテテインからなっている。4'ホスホパンテテインの末端チオール基は炭素基質結合の形成部位となる。細胞内の生合成および中間代謝においてCoAをキャリア分子として利用する主要な炭素基質は、アセチル、サクシニル、およびプロピオニル部分であり、これらはアシル基と総称される。その他の炭素基質としては、エノイル脂質（脂肪酸酸化の中間体）およびカルニチン（アセチルCoAフラックス調節因子/ミトコンドリアアシル基転移タンパク質）などが挙げられる。アシルCoAおよびアセチルCoAは細胞内でそれぞれアシルCoA合成酵素およびアセチルCoA合成酵素によって合成される。
【０１０９】
脂肪酸の活性化は少なくとも３つの型のアシルCoA合成酵素活性によって仲介される。すなわち、i) アセチルCoA合成酵素（酢酸およびいくつかの他の低分子量カルボン酸を活性化し、筋肉のミトコンドリアおよびその他の組織のサイトゾルに見られる）； ii) 中鎖アシルCoA合成酵素（4〜11個の炭素原子を含む脂肪酸（主に食餌由来）を活性化し、肝臓のミトコンドリアのみに存在する）；  およびiii） アシルCoA合成酵素（6〜20個の炭素原子をもつ長鎖脂肪酸に特異的で、ミクロソームおよびミトコンドリアに見られる）。アシルCoA合成酵素活性に関連するタンパク質は細菌、酵母、植物、マウスおよびヒトを含む多くの供給源から特定されている。アシルCoA合成酵素の活性は、この酵素をｃAMP依存性のタンパク質キナーゼでリン酸化することによって調節できる。
【０１１０】
炭素-窒素結合を形成するリガーゼとしては、ATP加水分解のエネルギーを使ってアンモニアでグルタミン酸をアミノ化してグルタミンにする反応を触媒するグルタミン合成酵素（グルタミン・アンモニアリガーゼ）などのアミド合成酵素などが挙げられる。グルタミンはde novo ピリミジンヌクレオチド合成およびプリンとピリミジンリボヌクレオチドの相互変換に関与するさまざまなアミド転移反応におけるアミノ基の主要な供給源である。グルタミン合成酵素の過剰発現は主に肝臓癌において観察されている(Christa, L. 他 (1994) Gastroent. 106:1312-1320)。
【０１１１】
酸-アミノ-酸リガーゼ（ペプチドシンターゼ）は真核細胞および一部の細菌の細胞タンパク質の主要な分解経路であるユービキチン抱合系（UCS）に関連するユービキチン抱合酵素によって代表される。UCSは異常なタンパク質の除去を仲介する。また遺伝子の転写と細胞周期の進行等の細胞過程を制御する重要な調節タンパク質の半減期を調節する。UCS経路においては、分解を目的とするタンパク質は、小さな熱安定性のタンパク質であるユビキチン(Ub)に抱合される。Ｕｂは最初ユービキチン活性化酵素（Ｅ１）によって活性化され、いくつかのＵｂ抱合酵素（Ｅ２）のうちの１つに転移される。Ｅ2は次にＣ末端のグリシンを通じてUb分子を標的タンパク質の内部リジン（アクセプターリジン）に連結する。次にユビキチンが結合したタンパク質が、大きな多サブユニットタンパク質分解性酵素複合体であるプロテアソームによって認識され分解される。そしてユービキチンはユービキチンプロテアーゼにより放出されて再利用される。UCSは、有糸分裂サイクリックキナーゼ、腫瘍性タンパク質、癌抑制遺伝子（p53等）、ウイルスタンパク質、シグナル伝達に関連する細胞表面受容体、転写調節因子、および変異タンパク質または損傷タンパク質の分解に関与する（Ciechanover, A. (1994) Cell 79:1321）。
【０１１２】
シクロリガーゼおよびその他の炭素-窒素リガーゼは、プリンおよびピリミジン生合成のde novo 経路に関与するさまざまな酵素および酵素複合体を含んでいる。これらの経路はRNAおよびDNAの両方の複製のためのヌクレオチド合成に必須であるため、これらの酵素の多くは感染病および癌などの増殖異常の治療用の臨床薬の標的とされてきた。
【０１１３】
プリンの生合成はアミノ酸のグリシンとグルタミンおよびその他の小分子からde novo で生じる。このプロセスの重要な反応のうちの3つは、グリシンアミドリボヌクレオチド合成酵素（GARS）、アミノイミダゾールリボヌクレオチド合成酵素(AIRS)、およびグリシンアミドリボヌクレオチドトランスホルミラーゼ（GART）からなる3機能酵素によって触媒される。これら3つの酵素が合わさってリン酸リボシルアミンとグリシンを結合してホスホリボシルアミノイミダゾール（アデニル酸およびグアニル酸ヌクレオチドの前駆体）を生成する。この3機能タンパク質はダウン症候群の病理に関与していると考えられてきた(Aimi, J. 他 (1990) Nucleic Acid Res. 18:66656672)。アデニロコハク酸合成酵素はプリン生合成での後期のステップ、即ちイノシン酸をアデニロコハク酸に変換するステップ（ATP合成経路に重要）を触媒する。この酵素はもう１つの炭素-窒素リガーゼであるアルギニノコハク酸合成酵素（尿素回路で類似の反応を触媒）とも類似している(Powell, S.M. 他 (1992) FEBS Lett. 303:410)。
【０１１４】
アデニロコハク酸合成酵素、アデニロコハク酸リガーゼおよびAMPデアミナーゼはプリンヌクレオチド回路と呼ばれる1つの機能ユニットであると考えられて得る。この回路はAMPをイノシンモノリン酸（IMP）に変換し、アデニルコハク酸を通じてIMPをAMPに再変換してそれによってNH3を生成し、アスパラギン酸からフマル酸を形成する。筋肉においては、プリンヌクレオチド回路は、激しい運動中に、アデニル酸キナーゼ反応をATP形成の方向に向かわせることにより、またクレブス回路中間体を提供することによってATPの再生に寄与する。腎臓においては、プリンヌクレオチド回路は通常の酸塩基条件においてNH3放出の役割を果たす。脳においては、プリンヌクレオチド回路はATP回収に寄与している可能性がある。アデニロコハク酸リアーゼ欠損症はしばしば自閉的特徴を帯びた精神運動遅滞を誘発する(Van den Berghe, G. 他 (1992) Prog Neurobiol.: 39:547561)。プリン代謝の酵素パターンの顕著な不平衡は癌細胞の転換および/または進行に結び付けられている。ラットの肝臓癌においては、タンパク同化酵素、IMPデヒドロゲナーゼ、GMP合成酵素、アデニロコハク酸合成酵素、アデニロサクシナーゼ、AMPデアミナーゼおよびアミドホスホリボシルトランスフェラーゼの特異的活性が正常な肝臓に比べてそれぞれ１３.5、3.7、3.1,1.8,5.5および2.8倍に増加した(Weber, G. (1983) Clin Biochem 1983 Feb;16(1):5763)。
【０１１５】
プリンのde novo 生合成の場合と同様に、ピリミジンヌクレオチドのウリジル酸およびシチジル酸のde novo 生合成は共通の前駆体から生じる。この場合の前駆体はオロチン酸およびホスホリルリボシルピロリン酸（PPRP）から誘導されたヌクレオチドのオロチン酸である。このプロセスでも、３つの炭素-窒素リガーゼを含む3機能酵素が重要な役割を果たす。この場合の酵素であるアスパラギン酸トランスカルバミラーゼ（ATCアーゼ）、カルバミルリン酸合成酵素II、およびジヒドロオロターゼ（DHOアーゼ）はCADと呼ばれる単一の遺伝子でコードされる。これら3つの酵素が協同して、ピリミジン生合成の最初の反応物であるグルタミン、CO2およびATPを化合させてジヒドロオロチン酸を形成する。ジヒドロオロチン酸はオロチン酸とオロチジル酸の前駆体である(Iwahana, H. 他 (1996) Biochem. Biophys. Res. Commun. 219:249255)。その先のステップにより、オロチジル酸からウリジンヌクレオチドを合成するに至る。シチジンヌクレオチドはウリジン5' 3リン酸（UTP）に由来するが、グルタミンをアミノ供与体として、酵素としてCTP合成酵素を使ったUTPのアミド化によって得られる。ヒトのCTP合成酵素の調節突然変異は癌治療に広く使用されている薬剤への多剤耐性を与えると考えられている(Yamauchi, M. 他 (1990) EMBO J. 9:20952099)。
【０１１６】
炭素-炭素結合を形成するリガーゼの例としてはカルボキシラーゼのアセチルCoAカルボキシラーゼおよびピルビン酸カルボキシラーゼなどがある。アセチルCoAカルボキシラーゼは、ATPの加水分解のエネルギーを使ってCO2とH2OからアセチルCoAをカルボキシル化する反応を触媒する。アセチルCoAカルボキシラーゼは長鎖脂肪酸の生合成における律速酵素である。アセチルCoAカルボキシラーゼの２つのアイソフォームであるタイプIとタイプIIはヒトにおいて組織特異的に発現されている(Ha, J. 他 (1994) Eur. J. Biochem. 219:297-306)。ピルビン酸カルボキシラーゼは、クエン酸回路の重要な中間体であるオキサロ酢酸へのピルビン酸からの変換を触媒するミトコンドリア酵素であり、核によってコードされる。
【０１１７】
リン酸エステルを形成するリガーゼとしてはDNAの複製と修復の両方に関与するDNAリガーゼが含まれる。DNAリガーゼはDNAの中の２つの隣り合うヌクレオチドの間のホスホジエステル結合をシールする。この反応では、まずATP加水分解のエネルギーを使って１つのヌクレオチドの自由な5'リン酸を活性化し、次にそれを隣のヌクレオチドの3'-OH基と反応させる。この再シール反応はDNA複製において新しいDNAを複製する過程で一時的に形成される岡崎フラグメントと呼ばれる小さなDNA断片をつなぐために使用され、またDNA修復においても使用される。  DNA修復のプロセスによって、偶発的な塩基変化（原因は例えば酸化損傷、加水分解的攻撃、DNAの無秩序なメチル化など）が、DNAの複製または転写が起きる前に修正される。ブルーム症候群は遺伝性のヒト疾患であるが、この患者はこのDNAライゲーションが部分的に欠損しているため、癌の発症の増加を示す(Alberts, B. 他 (1994) The Molecular Biology of the Cell, Garland Publishing Inc., New York, NY, 247ページ)。
【０１１８】
パントテン酸合成酵素（Dパントイン酸； ベータアラニンリガーゼ（AMP形成）； EC 6.3.2.1）はパントテン酸（ビタミンB(5)）合成経路の最後の酵素である。この酵素はATP依存反応においてパントイン酸とベータアラニンの縮合を触媒する。この酵素は二量体であり、プロトマーごとに２つの明確に定義されたドメインがある。このうちN末端ドメイン（ロスマンフォールド）は活性部位空洞を含み、C末端ドメインは蝶番付の蓋のような構造を形成している。N末端ドメインは構造的にクラスIアミノアシルｔRNA合成酵素と非常に良く似ていて、そのためにシチジリルトランスフェラーゼスーパーファミリのメンバーとなっている(von Delft, F. 他 (2000) Structure (Camb) 9:439450)。
【０１１９】
ファルネシル2リン酸シンターゼ（FPPS）はコレステロールの合成とタンパク質のプレニル化の両方に必要な重要な酵素である。この酵素はジメチルアリル2リン酸とイソペンチル2リン酸からファルネシル2リン酸を形成する反応を触媒する。FPPSは窒素含有２ホスホン酸によって阻害され、これによってタンパク質のプレニル化が防がれるため、破骨細胞仲介性の骨の再吸収が阻止されることがある(Dunford, J.E. 他 (2001) J. Pharmacol. Exp. Ther. 296:235-242)。
【０１２０】
５アミノレブリン酸シンターゼ（ALAS； デルタアミノレブリン酸シンターゼ； EC 2.3.1.37）は赤血球および非赤血球細胞の両方におけるヘムの生合成の律速過程を触媒する。この酵素はヘム生合成経路において２つの遺伝子でコードされているというユニークな特徴を持っているが、その第一はALAS1（遍在的に発現している、赤血球に特異的でない酵素）で第二はALAS2(赤血球細胞のみで発現)である。ALAS1とALAS2の遺伝子はそれぞれ３番染色体およびX染色体上に配置されている。ALAS２をコードしている遺伝子の欠陥はX染色体連関の鉄芽球性貧血をもたらす。ALASのレベルの上昇は急性の肝性ポルフィリン症において見られ、亜鉛メソポルフィリンによって下げることができる。
【０１２１】
薬物代謝酵素（DME）
薬物の代謝および薬物の体内での移動（薬物動態学）は、その効果、毒性、および他の薬物との相互作用を判定する上で重要である。薬物の吸収、様々な組織への薬物の分布、および薬物代謝産物の排除の、３つのプロセスが薬物動態を支配している。様々な代謝修飾が、溶解性、受容体との結合性、および排泄速度を含む、薬物の物理化学的特性および薬理学的特性の大部分を変容させるため、これらのプロセスは薬物代謝に密接に関係する。薬物を修飾する代謝経路はまた、ステロイド、脂肪酸、プロスタグランジン、ロイコトリエン、およびビタミン等の、様々な天然基質を受容する。従って、これらの経路における酵素は、天然化合物、薬物、発癌物質、変異誘発物質、および生体異物の間の生化学的および薬理学的相互作用の重要な部位となる。  薬物代謝における遺伝的な差異が、個体間において薬物効果および毒性のレベルの著しい違いを引き起こすことが以前から認識されている。DMEが重要な部分を占める薬理ゲノミックス研究が進歩すれば、薬物の効果および毒性の疑問に耐え得るツールが発展し、そのような情報が拡大されるであろう（Evans, W. E.およびR. V. Relling (1999) Science 286:487-491を参照）。DMEは、たとえば、多様で高い特異性を持っている抗体とは異なって、基質特異性が広くなっている。DMEは広くさまざまな分子を代謝するため、薬物相互作用が代謝のレベルで起こり、そのためたとえば１つの化合物がDMEを誘起し、そのDMEがもう１つの化合物の代謝に影響したりする。
【０１２２】
薬物代謝反応は、薬物分子を機能化および更なる代謝のために準備するフェーズI、およびそれに引き続くフェーズIIに分類される。一般に、フェーズIの反応生成物は部分的或いは完全に不活性であり、フェーズIIの反応生成物は主要な排泄種である。しかしながら、フェーズI反応生成物は、投与された元の薬物よりも活性が高い場合があり、この代謝活性化原理がプロドラッグとして利用される（例えば、L-ドパ）。加えて、数種の非毒性化合物（例えば、アフラトキシン、ベンゾ-α-ピレン）は、これらの経路を経て毒性中間体へ代謝される。フェーズI反応は通常、薬物代謝における律速段階である。しかし、その化合物または他の化合物類への事前曝露によって、フェーズI酵素群の発現を誘発させることができ、それによって、代謝経路を経る基質フラックスを増し得る（Klaassen, C. D., 他 (1996) Casarett and Doull's Toxicology: The Basic Science of Poisons, McGraw-Hill, New York, NY, 113-186 ページ; Katzung, B.G. (1995) Basic and Clinical Pharmacology, Appleton および Lange, Norwalk, CT, 48-59 ページ; Gibson, G.G. および P. Skett (1994) Introduction to Drug Metabolism, Blackie Academic and Professional, Londonを参照）。
【０１２３】
フェーズI酵素の主なクラスには、限定するものではないがチトクロームP450およびフラビン含有モノオキシゲナーゼが含まれる。フェーズI型触媒サイクルおよび反応に関与するその他の酵素クラスには、限定するものではないが、NADPHチトクロームP450還元酵素（CPR）、ミクロソームチトクロームb5/NADHチトクロームb5レダクターゼ系、フェレドキシン／フェレドキシンレダクターゼレドックス対、アルド／ケト還元酵素、およびアルコールデヒドロゲナーゼが含まれる。フェーズII酵素の主なクラスには、限定するものではないが、UDPグルクロニルトランスフェラーゼ、スルホトランスフェラーゼ、グルタチオンSトランスフェラーゼ、Nアシルトランスフェラーゼ、およびNアセチルトランスフェラーゼが含まれる。
【０１２４】
チトクロームP450およびP450触媒サイクル関連酵素
チトクロームP450スーパーファミリー酵素のメンバーは、様々な基質の酸化的代謝を触媒する。そのような基質としては、ステロイド、脂肪酸、プロスタグランジン、ロイコトリエン、およびビタミン等の天然化合物や、薬物、発癌物質、変異誘発物質、および生体異物が含まれる。P450ヘム−チオレートタンパク質としても知られるチトクロームP450は通常、P450含有モノオキシゲナーゼ系と呼ばれる多成分電子伝達鎖における末端酸化酵素として作用する。触媒される特異的反応には、ヒドロキシル化、エポキシ化、N-酸化、スルホキシド化、N-脱アルキル、S−脱アルキル、およびO−脱アルキル、脱硫酸化、脱アミノ化、並びにアゾ、ニトロ、およびN−オキシド基の還元が含まれる。これらの反応は、動物における糖質コルチコイド、コルチゾール、エストロゲン、およびアンドロゲンのステロイド産生や、昆虫における殺虫剤耐性や、植物における除草剤耐性および花の発色や、微生物による環境浄化バイオレメディエーションに関係する。薬物、発癌物質、変異誘発物質、および生体異物にチトクロームP450が作用して、解毒あるいは、その物質の、より毒性の強い生成物への変換を引き起こし得る。チトクロームP450は肝臓に豊富に存在するが、その他の組織にも存在し、その酵素はミクロソームに存在する（ExPASY ENZYME EC 1. 14. 14. 1 ; Prosite PDOC00081 Cytochrome P450 cysteine heme-iron ligand signature ; PRINTS EP450I E-Class P450 Group I signature ; Graham-Lorence, S.およびPeterson, J. A. (1996) FASEB J. 10 : 206-214.を参照）。
【０１２５】
４００種類のチトクロームP450が、細菌、真菌、植物、および動物を含む様々な生物において同定されている（Graham-Lorence、前出）。Bクラスは原核生物および真菌に見られ、Eクラスは細菌、植物、昆虫、脊椎動物、および哺乳動物に見られる。５つのサブクラス即ちグループが、EクラスチトクロームP450の大きなファミリーの中に含まれる（PRINTS EP450I E-Class P450 グループ I シグネチャ）。
【０１２６】
全てのチトクロームP450はヘム補助因子を用いており、構造的特性を共有する。ほとんどのチトクロームP450は、４００〜５３０アミノ酸の長さである。この酵素の二次構造は、約７０％のαヘリックスと約２２％のβシートである。このタンパク質のC末端部におけるヘム結合部位の周りの領域は、全てのチトクロームP450で保存されている。このヘム−鉄結合領域におけるアミノ酸１０個のシグネチャ配列が同定され、この配列には、第５の配位部位にある、ヘム鉄の結合に関与する保存されたシステインが含まれる。真核生物チトクロームP450では、通常は膜貫通領域がこのタンパク質の初めの１５〜２０のアミノ酸において見られ、一般に、約１５の疎水性残基およびそれに続く正に帯電した残基からなる（Prosite PDOC00081前出; Graham-Lorence前出を参照）。
【０１２７】
チトクロームP450酵素は、細胞増殖および発達に関係する。この酵素は、化学物質を代謝して、DNAとの付加体を形成する反応性中間体にすることで起こる化学的な変異誘発および発癌において役割を持つ（Nebert, D. W.およびGonzalez, F. J. (1987) Ann. Rev. Biochem. 56:945-993）。これらの付加体は、発癌に導く、ヌクレオチド変化およびDNA再編成を引き起こし得る。肝臓およびその他の組織におけるチトクロームP450の発現は、多環式芳香族炭化水素、ペルオキシソーム増殖因子、フェノバルビタール、および糖質コルチコイドデキサメタゾン等、生体異物によって誘発される（Dogra, S. C.他 (1998) Clin. Exp. Pharmacol. Physiol. 25:1-9）。或るチトクロームP450タンパク質は、P450遺伝子CYP1B1における突然変異が原発性先天性緑内障を引き起こすように、眼の発達に関与する可能性がある（Online Mendelian Inheritance in Man (OMIM) *601771 Cytochrome P450, subfamily I (dioxin-inducible), polypeptide 1; CYP1B1）。
【０１２８】
チトクロームP450は炎症および感染に関係する。肝チトクロームP450活性は、様々な感染および炎症性の刺激によって大いに影響され、抑制される活性と誘発される活性がある（Morgan, E. T. (1997) Drug Metab. Rev. 29:1129-1188）。in vivoで観察される効果は、炎症誘発性のサイトカインおよびインターフェロンによって模倣され得る。２つのチトクロームP450タンパク質に対する自己抗体は、自己免疫性多腺性内分泌不全症I型（APECED、１種の多腺性自己免疫症候群)の患者に見られた（OMIM *240300 Autoimmune polyenodocrinopathy-candidiasis-ectodermal dystrophy）。
【０１２９】
チトクロームP450類における突然変異は、乳幼児期の副腎障害で最も多い先天性副腎過形成や、偽ビタミンD欠乏くる病、脳腱黄色腫症（進行性神経機能障害、早発性アテローム性動脈硬化症、および白内障によって特徴付けられる、１種の脂質貯蔵病)、抗凝血薬であるクマリンおよびワルファリンに対する遺伝性の耐性を含む、種々の代謝障害に結び付けられる（Isselbacher, K.J.他 (1994) Harrison's Principles of Internal Medicine, McGraw-Hill, Inc. New York, NY, 1968-1970ページ; Takeyama, K.他 (1997) Science 277:1827-1830; Kitanaka, S.他 (1998) N. Engl. J. Med. 338:653-661; OMIM *213700 Cerebrotendinous xanthomatosis; および OMIM #122700 Coumarin resistance）。チトクロームP450タンパク質アロマターゼの、極度に高レベルの発現が、重度の女性化乳房（gynecomastia, feminization）を有する１少年の層状線維化肝細胞癌（fibrolamellar hepatocellular carcinoma）に見られた（Agarwal, V.R. (1998) J. Clin. Endocrinol. Metab. 83:1797-1800）。
【０１３０】
チトクロームP450触媒サイクルは、NADPHチトクロームP450レダクターゼ（CPR）によるチトクロームP450の還元によって完了する。チトクロームb5とNADPHチトクロームb5レダクターゼとからなる別のミクロソーム電子伝達系は、チトクロームP450触媒サイクルへの電子の主要な供与体ではないと一般に思われている。しかしながら、Lamb, D.C.他（1999; FEBS Lett. 462:283-288）による近年の研究報告は、ミクロソームチトクロームb5/NADPHチトクロームb5レダクターゼ系によって効果的に還元およびサポートされ得る或る鵞口瘡カンジダ（Candida albicans）チトクロームP450（CYP51）を同定した。従って、この代替電子供与系によってサポートされる多くのチトクロームP450が存在すると思われる。
【０１３１】
チトクロームb5レダクターゼはまた、赤血球細胞において、酸化されたヘモグロビン（酸素を輸送できない、メトヘモグロビンすなわちferrihemoglobin）を、活性型ヘモグロビン（ferrohemoglobin）へ還元する。酸化剤または、充分に還元されていない異常ヘモグロビン（ヘモグロビンM）が高いレベルで存在すると、メトヘモグロビン血症が引き起こされる。メトヘモグロビン血症はまた、赤血球チトクロームb5レダクターゼの遺伝的な欠損症からも起こり得る（概説はMansour, A.およびLurie, A.A. (1993) Am. J. Hematol. 42:7-12を参照）。
【０１３２】
チトクロームP450ファミリーのメンバーはまた、ビタミンDの合成および異化に密接に関係している。ビタミンDは、植物組織で生成されるエルゴカルシフェロール（ビタミンD2）および動物組織で生成されるコレカルシフェロール（ビタミンD3）の、２種の生物学的に等価なプロホルモンとして存在する。後者のコレカルシフェロールは、７−デヒドロコレステロールが近紫外線（すなわち290〜310 nm）に曝露されると形成される。通常は、皮膚が短時間日光に曝されれば生成される（概説はMiller, W.L.およびPortale, A.A. (2000) Trends Endocrinol. Metab. 11:315-319を参照）。
【０１３３】
両方のプロホルモン型は、肝臓において酵素25−ヒドロキシラーゼによって25−ヒドロキシビタミンD（25(OH)D）へ更に代謝される。25 (OH) DはビタミンDの最も豊富に存在する前駆体であって、腎臓において酵素25−ヒドロキシビタミンD 1α−ヒドロキシラーゼ（1α−ヒドロキシラーゼ）によって、更に代謝されて活性型の1α,25−ジヒドロキシビタミンD（1α,25(OH)2D）になる。1α,25(OH)2D生成の調節は主に、合成経路の、この最終ステップで行われる。1α−ヒドロキシラーゼ活性は、酵素産物（1α,25(OH)2D）の循環レベル、並びに副甲状腺ホルモン（PTH）、カルシトニン、インスリン、カルシウム、リン、成長因子、およびプロラクチンのレベルを含む、幾つかの生理学的因子に左右される。更に、腎臓外の1α−ヒドロキシラーゼ活性が報告され、組織特異的かつ局所的なlα, 25 (OH) 2D生成の調節が生物学的に重要であると考えられる。1α,25(OH)2Dの24，25−ジヒドロキシビタミンD（24,25(OH)2D）への触媒作用は、酵素25−ヒドロキシビタミンD 24−ヒドロキシラーゼ（24−ヒドロキシラーゼ）を伴い、腎臓でも起こる。24−ヒドロキシラーゼはまた、基質として25(OH)Dを利用できる（Shinki, T.他 (1997) Proc. Natl. Acad. Sci. U.S.A. 94:12920-12925; Miller, W.L.およびPortale, A.A.前出、並びにその参照文献）。
【０１３４】
ビタミンD25−ヒドロキシラーゼ、lα−ヒドロキシラーゼ、および24−ヒドロキシラーゼは全て、NADPH依存性I型（ミトコンドリア）チトクロームP450酵素であって、そのファミリーの他のメンバーとの高い相同性を示す。ビタミンD25−ヒドロキシラーゼはまた、幅広い基質特異性を示し、胆汁酸中間体の26−ヒドロキシル化および、コレステロールの25−ヒドロキシル化、26−ヒドロキシル化、および27−ヒドロキシル化をも行う可能性がある（Dilworth, F.J.他 (1995) J. Biol. Chem. 270:16766-16774; Miller, W.L.およびPortale, A.A. 前出、並びにその参照文献）。
【０１３５】
ビタミンDの活性型（１α,25(OH)2D）は、カルシウムおよびリン酸の恒常性に関与し、骨髄性細胞および皮膚細胞の分化を促進する。ビタミンDの代謝に関与する酵素（例えば、1α−ヒドロキシラーゼ）の欠損によって生じるビタミンDの欠乏は、低カルシウム血症、低リン酸血症、ビタミンD依存性 (感受性) くる病（骨密度の低下並びに、動揺性歩行を伴う内反膝すなわちＯ脚という特有の症状を示す疾患）を引き起こす。ビタミンD25−ヒドロキシラーゼの欠損は、脳腱黄色腫症（アキレス腱、脳、肺、およびその他の多くの組織におけるコレステロールおよびコレスタノールの沈着という特徴をもつ脂質貯蔵病)を引き起こす。この疾患は、進行性神経機能障害（思春期後の小脳性運動失調症を含む)、アテローム性動脈硬化症、および白内障を示す。ビタミンD25−ヒドロキシラーゼの欠損によってくる病が起きないことから、25(OH)D合成の別の経路が存在することが推定される（Griffin, J. E.およびZerwekh, J. E. (1983) J. Clin. Invest. 72: 1190-1199; Gamblin, G. T.他 (1985) J. Clin. Invest. 75 : 954-960 ; およびMiller, W. L.およびPortale, A. A. 前出）。
【０１３６】
フェレドキシンおよびフェレドキシンレダクターゼは電子伝達アクセサリータンパク質であって、少なくとも１つのヒトチトクロームP450種（CYP27遺伝子によってコードされるチトクロームP450c27)をサポートする（Dilworth, F. J.他 (1996) Biochem. J. 320:267-71）。ストレプトマイセス‐グリセウスチトクロームP450であるCYP104D1は、大腸菌において非相同的に発現され、内因性フェレドキシンおよびフェレドキシンレダクターゼ酵素によって還元される（Taylor, M.他 (1999) Biochem. Biophys. Res. Commun. 263:838-42）。このことから、多くのチトクロームP450種が、フェレドキシン／フェレドキシンレダクターゼ対によってサポートされることが示唆される。フェレドキシンレダクターゼはまた、或るモデル薬物代謝系に見られ、抗腫瘍性抗生物質であるアクチノマイシンDを反応性フリーラジカル種に還元することが知られている（Flitter, W.D.およびMason, R.P. (1988) Arch. Biochem. Biophys. 267:632-639）。
【０１３７】
フラビン含有モノオキシゲナーゼ（ＦＭＯ）
フラビン含有モノオキシゲナーゼは、異例な範囲の基質群の、求核性の窒素、硫黄、およびリンのヘテロ原子を酸化する。チトクロームP450と同様に、FMOはミクロソーム酵素であり、NADPHおよびO２を用い、基質に関してチトクロームP450と広範なオーバーラップがある。FMOは、肝臓、腎臓、および肺などの組織に分布している。
【０１３８】
哺乳動物におけるFMOアイソフォームとしてはFMO1、FMO2、FMO3、FM04、およびFMO5などがあり、これらは組織特異的に発現される。これらのアイソフォームは基質特異性が異なり、更に様々な化合物による阻害および、反応の立体特異性等の特性も異なる。FMOは、アミノ酸１３個のシグネチャ配列を有し、その成分はN末端の３分の２の配列にまたがる。それら成分には、また、多くのNヒドロキシル化酵素に見られるFATGYモチーフ、およびFAD結合領域を含む（Stehr, M.他 (1998) Trends Biochem. Sci. 23:56-57; PRINTS FMOXYGENASE Flavin-containing monooxygenase signature）。  特異的な反応には、求核性三級アミンのNオキシドへの酸化、二級アミンのヒドロキシルアミンおよびニトロンへの酸化、一級アミンのヒドロキシルアミンおよびオキシムへの酸化、および硫黄含有化合物およびホスフィンのS−オキシドおよびP−オキシドへの酸化が含まれる。ヒドラジン、ヨウ化物、セレン化物、および硼素含有化合物も基質である。FMOのアイソフォームの熱安定性と界面活性剤への感受性はさまざまであるが、FMOはin vitroで チトクロームP450に比べてより易熱性があり、界面活性剤への感受性が低い。
【０１３９】
FMOは、幾つかの薬物および生体異物の代謝において重要な役割を果たす。FMO（肝臓FMO3）は、（S）ニコチンの（S）ニコチンN−1’−オキシド（尿中に排泄）への代謝を主に担う。FMOはまた、胃潰瘍の治療に広く用いられているH2−アンタゴニストであるシメチジンのS−酸素化に関与する。FMOの肝臓発現型は、チトクロームP450と同じ調節制御下にない。例えば、ラットにおいて、フェノバルビタール処理によりチトクロームP450が誘導されるが、FMO1は抑制される。
【０１４０】
リジルオキシダーゼ
リジルオキシダーゼ（リジン６−オキシダーゼ、LO）は、コラーゲンとエラスチンとの架橋結合による結合組織マトリクスの形成に関与する銅依存性アミンオキシダーゼである。LOは、約50 kDaのNグリコシル化された前駆体タンパク質として分泌され、或るメタロプロテアーゼによって切断され成熟型の酵素と成るが、この前駆体も活性である。LO内の銅原子は、酸素へ、また酸素からの電子の伝達に関与し、これらの細胞外マトリクスタンパク質においてリジン残基の酸化的脱アミノ反応を促進する。銅の配位がLO活性に必須であるが、食事による銅の摂取が不充分でも、このアポ酵素の発現はその影響を受けない。しかし、機能的LOの欠乏は、食餌性銅欠乏に伴う、骨格組織および血管組織の障害に結び付けられる。LOはまた、様々なセミカルバジド、ヒドラジン、およびアミノ亜硝酸（amino nitrites）、並びにヘパリンによって阻害される。β−アミノプロピオニトリルは、一般に用いられるインヒビターの１つである。LOの活性は、オゾンやカドミウムに応答して増大し、また、局所組織外傷に応答して放出されるホルモンのレベルの上昇に応答して増大する。このようなホルモンの例には、トランスフォーミング成長因子−β、血小板由来成長因子、アンギオテンシンII、および線維芽成長因子等が含まれる。LO活性における異常は、メンケス症候群および後角症候群（occipital horn syndrome）に結び付けられる。サイトゾル型のLO酵素は、異常な細胞増殖に関係すると思われている（概説はRucker, R. B.他. (1998) Am. J. Clin. Nutr. 67:996S-1002SおよびSmith-Mungo, L. I.およびKagan, H. M. (1998) Matrix Biol. 16:387-398を参照）。
【０１４１】
ジヒドロ葉酸レダクターゼ
ジヒドロ葉酸レダクターゼ（DHFR）は遍在性の酵素であって、ジヒドロ葉酸の、テトラヒドロ葉酸へのNADPH依存性の還元を触媒するが、この反応はグリシンとプリン類とのde novo合成、並びにデオキシウリジン一リン酸(dUMP)のデオキシチミジン一リン酸(dTMP)への変換における、必須過程である。この基本的な反応は、
7,8−ジヒドロ葉酸＋NADPH→5,6,7,8−テトラヒドロ葉酸＋NADP＋である。
【０１４２】
DHFR酵素は、トリメトプリム（trimethroprim）およびメトトレキセートなど、様々なジヒドロ葉酸類似体によって阻害され得る。豊富なdTMPがDNA合成に必要であるため、迅速な細胞分裂にはDHFR活性が必要である。DNAウイルス（例えば、ヘルペスウイルス）の複製にも、高いレベルのDHFR活性を必要とする。この結果、DHFRを標的とする薬物が癌の化学療法に使われてきたし、またDNAウィルスの複製を阻害するためにも使われてきた。（同様の理由で、チミジル酸合成酵素も標的酵素である。）DHFRを抑制する薬物は、急激に分裂する細胞（すなわちDNAウイルス感染細胞）に対して優先的な細胞毒性を持つが、特異性を持たず、分裂する細胞を無差別に破壊する。更に、癌細胞は、獲得性の輸送欠陥、または１つ以上のDHFR遺伝子の複製の結果として、メトトレキセート等の薬物に対して耐性を有するようになり得る（Stryer, L. (1988) Biochemistry. W.H Freeman and Co., Inc. New York. 511-5619ページ）。
【０１４３】
アルド／ケト還元酵素
アルド／ケト還元酵素類は、単量体NADPH依存性オキシドレダクターゼであって幅広い基質特異性を有する（Bohren, K. M.他 (1989) J. Biol. Chem. 264:9547-9551）。これらの酵素は、カルボニル含有糖および芳香族化合物など、カルボニル含有化合物の、対応するアルコールへの還元を触媒する。従って、様々なカルボニル含有薬物および生体異物はこのクラスの酵素によって代謝されると思われる。
【０１４４】
ファミリーメンバーであるアルドースレダクターゼによって触媒される既知の或る反応は、グルコースがソルビトールへ還元され、更にソルビトールデヒドロゲナーゼによってフルクトースに代謝される。通常の条件下で、グルコースのソルビトールへの還元は主な経路ではない。しかしながら、高血糖状態では、ソルビトールの蓄積は糖尿病合併症の発症に関係すると思われる（OMIM *103880 Aldo-keto reductase family 1, member B1）。この酵素ファミリーのメンバーらはまた、数種の肝癌で高度に発現される（Cao, D.他 (1998) J. Biol. Chem. 273:11429-11435）。
【０１４５】
アルコールデヒドロゲナーゼ
アルコールデヒドロゲナーゼ（ADH）は、単純アルコールを酸化して対応するアルデヒドにする。ADHはサイトゾル酵素であって、補助因子NAD+を好み、また亜鉛イオンに結合する。ADHのレベルは肝臓において最も高く、腎臓、肺、および胃粘膜においては低い。
【０１４６】
既知のADHアイソフォームは、40 kDaのサブユニットからなる二量体タンパク質である。これらのサブユニットをコードする５つの既知の遺伝子座（a、b、g、p、c）が存在し、その内の幾つかは特徴的な対立遺伝子変異体（b1、b2、b3、g1、g2）を有する。サブユニットはホモ二量体およびヘテロ二量体を形成することができ、サブユニットの構成によって活性な酵素の特異的特性が決定される。従って、ホロ酵素がクラスI（サブユニット構成、aa、ab、ag、bg、gg）、クラスII（pp）、およびクラスIII（cc）として分類されている。クラスIのADHイソ酵素はエタノールその他の小さい脂肪族アルコールを酸化し、ピラゾールによって阻害される。クラスIIイソ酵素は長鎖の脂肪族アルコールおよび芳香族アルコールを好み、メタノールを酸化できない。また、ピラゾールによって阻害されない。クラスIIIイソ酵素は、更に長い長鎖脂肪族アルコール（５炭素以上）および芳香族アルコールを好み、ピラゾールによって阻害されない。
【０１４７】
短鎖アルコールデヒドロゲナーゼには、様々な基質特異性を有する多数の近縁酵素が含まれる。このグループに含まれるものは哺乳動物酵素であるD−β−ヒドロキシ酪酸デヒドロゲナーゼ、(R)−3−ヒドロキシ酪酸デヒドロゲナーゼ、15−ヒドロキシプロスタグランジンデヒドロゲナーゼ、NADPH−依存性カルボニルレダクターゼ、コルチコステロイド11−β−デヒドロゲナーゼ、エストラジオール−17−β−デヒドロゲナーゼ、細菌酵素であるアセトアセチル−CoAレダクターゼ、グルコース１−デヒドロゲナーゼ、3−β−ヒドロキシステロイドデヒドロゲナーゼ、20−β−ヒドロキシステロイドデヒドロゲナーゼ、リビトールデヒドロゲナーゼ、3−オキソアシルレダクターゼ、2，3-ジヒドロ-2,3-ジヒドロキシ安息香酸デヒドロゲナーゼ、ソルビトール−6−リン酸2−デヒドロゲナーゼ、7−α−ヒドロキシステロイドデヒドロゲナーゼ、cis-1,2-ジヒロドキシ-3,4-シクロヘキサジエン-1-カルボン酸デヒドロゲナーゼ、シス−トルエンジヒドロジオールデヒドロゲナーゼ、シス−ベンゼングリコールデヒドロゲナーゼ、ビフェニル−2,3−ジヒドロ−2,3−ジオールデヒドロゲナーゼ、N-アシルマンノサミン1-デヒドロゲナーゼ（N-acylmannosamine 1-dehydrogenase）、および2−デオキシ−D−グルコン酸3−デヒドロゲナーゼがある（Krozowski, Z. (1994) J. Steroid Biochem. Mol. Biol. 51:125-130; Krozowski, Z. (1992) Mol. Cell Endocrinol. 84:C25-31; およびMarks, A.R.他 (1992) J. Biol. Chem. 267:15459-15463）。
【０１４８】
スルホトランスフェラーゼ
硫酸抱合はO−グルクロン酸抱合を受ける基質と同じ基質の多くに生じ、高水溶性の硫酸エステルが生成される。スルホトランスフェラーゼ（ST）は、補助因子3'‐ホスホアデノシン−5’‐ホスホ硫酸(PAPS)から基質へSO 3-を転移することにより、この反応を触媒する。STの基質は主にフェノールおよび脂肪族アルコールであるが、抱合して対応するスルファミン酸を生成する芳香族アミンおよび脂肪族アミンも含まれる。これらの反応による生成物は主に尿中に排泄される。
【０１４９】
STは、肝臓、腎臓、腸管、肺、血小板、および脳を含む様々な組織に見られる。ST酵素は、一般にサイトゾル酵素であって、多数の型が同時に発現される場合が多い。例えば、１２種類を越えるSTの型がラットの肝サイトゾルに存在する。これらの生化学的に特徴付けられたSTは、それらの基質選択性に基づいて、アリルスルホトランスフェラーゼ、アルコールスルホトランスフェラーゼ、エストロゲンスルホトランスフェラーゼ、チロシンエステルスルホトランスフェラーゼ、および胆汁酸塩スルホトランスフェラーゼの５つのクラスに分類される。
【０１５０】
ST酵素活性は、ラットでは性別および年齢によって著しく異なる。発生の合図（developmental cues）と性関連ホルモン類との効果があいまって、ST発現プロファイルにおけるこれらの差異並びに、チトクロームP450等の他のDMEのプロファイルにおけるこれらの差異を生じさせると考えられている。注目すべきは、ネコにおけるSTの高発現が、UDPグルクロニルトランスフェラーゼ活性のレベルの低下を部分的に補償する。
【０１５１】
STの幾つかの型は、ヒト肝サイトゾルから精製されクローニングされている。熱安定性および基質選択性が異なった２つのフェノールスルホトランスフェラーゼが存在する。熱安定酵素は、パラニトロフェノール、ミノキシジル、およびアセトアミノフェン等のフェノールの硫酸化を触媒し、熱不安定酵素は、ドーパミン、エピネフリンおよびlevadopa等、モノアミン基質を好む。その他のクローニングされたSTには、エストロゲンスルホトランスフェラーゼおよびN−アセチルグルコサミン−6−O−スルホトランスフェラーゼが含まれる。この最後の酵素は、細胞生化学におけるSTの別の主要な役割を例示する。即ち、細胞分化およびプロテオグリカンの成熟に重要となり得る、糖構造の修飾である。実際、或るスルホトランスフェラーゼの遺伝性欠損は、成熟したケラタン硫酸プロテオグリカンの合成不良という特徴をもつ障害である、斑状角膜変性症に関係すると思われる（Nakazawa, K.他 (1984) J. Biol. Chem. 259:13751-13757; OMIM *217800 Macular dystrophy, corneal）。
【０１５２】
ガラクトシルトランスフェラーゼ
ガラクトシルトランスフェラーゼ類は、グリコシルトランスフェラーゼ（糖転移酵素）のサブセットであり、溶液に遊離している糖脂質または糖タンパク質の一部であるN末端アセチルグルコサミン（GlcNAc）オリゴ糖鎖にガラクトース（Gal）を転移する（Kolbinger, F.他 (1998) J. Biol. Chem. 273:433-440; Amado, M.他 (1999) Biochim. Biophys. Acta 1473:35-53）。ガラクトシルトランスフェラーゼは細胞表面で検出される可溶性細胞外タンパク質であり、ゴルジ体にも存在する。β1,3−ガラクトシルトランスフェラーゼは、Gal(β1-3)GlcNAc結合を有するI型糖鎖を形成する。既知のヒトおよびマウスβ1,3−ガラクトシルトランスフェラーゼは、短いサイトゾルドメイン、１つの膜貫通ドメイン、および８つの保存された領域を持つ１つの触媒ドメインを有すると考えられる（Kolbinger, F. 前出および Hennet, T.他 (1998) J. Biol. Chem. 273:58-65）。マウスUDP−ガラクトース：β−N−アセチルグルコサミンβ1,3−ガラクトシルトランスフェラーゼ−Iでは、領域１がアミノ酸残基の７８−８３、領域２がアミノ酸残基の９３−１０２、領域３がアミノ酸残基１１６−１１９、領域４がアミノ酸残基１４７−１５８、領域５がアミノ酸残基の１７２−１８３、領域６がアミノ酸残基の２０３−２０６、領域７がアミノ酸残基の２３６−２４６、領域８がアミノ酸残基の２６４−２７５に位置する。マウスUDP−ガラクトース：β−N−アセチルグルコサミンβ1,3−ガラクトシルトランスフェラーゼ−Iの領域８内に存在する１配列の１変異体が、細菌ガラクトシルトランスフェラーゼ類にも存在することから、この配列が、或るガラクトシルトランスフェラーゼ配列モチーフを規定することを示唆する（Hennet, T. 前出）。近年の研究は、brainiacタンパク質はβ1,3−ガラクトシルトランスフェラーゼであることを示唆している（Yuan, Y.他(1997) Cell 88:9-11; およびHennet, T. 前出）。
【０１５３】
UDP−GalであるGlcNAc−1,4−ガラクトシルトランスフェラーゼ（−1,4−GalT）（Sato, T.他 (1997) EMBO J. 16: 1850-1857）が、Gal(βl−4)GlcNAc結合を有するII型炭化水素鎖の形成を触媒する。βl,3−ガラクトシルトランスフェラーゼの場合と同様に、酵素の可溶型が、膜結合型の切断によって形成される。β1,4−ガラクトシルトランスフェラーゼ類に保存されているアミノ酸としては、ジスルフィド結合で連結された２つのシステインと、触媒ドメインにおける推定上のUDP−ガラクトース結合部位とを含む（Yadav, S.及びBrew, K. (1990) J. Biol. Chem. 265:14163-14169; Yadav, S. P.及びBrew, K. (1991) J. Biol. Chem. 266:698-703、及びShaper, N. L.他(1997) J. Biol. Chem. 272:31389-31399）。βl,4−ガラクトシルトランスフェラーゼは、糖タンパク質または糖脂質上に炭化水素鎖を合成するのに加えて、いくつかの特定の役割を有する。哺乳動物において、α−ラクトアルブミンを有するヘテロ二量体の一部としてβl,4−ガラクトシルトランスフェラーゼが、乳汁分泌哺乳動物の乳汁の生成に作用する。精子の表面上のβl,4−ガラクトシルトランスフェラーゼは、卵を特異的に認識する受容体として働く。細胞表面β1,4−ガラクトシルトランスフェラーゼ類はまた、細胞接着、細胞／基底膜相互作用、正常な細胞遊走、および転移性細胞遊走において作用する（Shur, B. (1993) Curr. Opin. Cell Biol. 5:854-863; およびShaper, J. (1995) Adv. Exp. Med. Biol. 376:95-104）。
【０１５４】
γ−グルタミルトランスペプチダーゼ
γ−グルタミルトランスペプチダーゼは広範に発現する酵素であって、γ−グルタミルアミド結合を切断して細胞外のグルタチオン（GSH）の分解を開始させる。GSHの分解は、生合成経路のためにシステインが集まった領域を細胞に提供する。γ−グルタミルトランスペプチダーゼはまた、細胞の酸化防止に寄与し、その発現は酸化ストレスによって引き起こされる。この細胞表面局在糖タンパク質は、癌細胞において高いレベルで発現される。幾つかの研究の示唆するところでは、癌細胞表面でのγ−グルタミルトランスペプチダーゼの高度な活性レベルを利用して、前駆薬を活性化し、その結果、抗癌治療薬を局所的に高い濃度にできる（Hanigan, M. H. (1998) Chem. Biol. Interact. 111-112:333-42; Taniguchi, N.およびIkeda, Y. (1998) Adv. Enzymol. Relat. Areas Mol. Biol. 72:239-78; Chikhi, N.他 (1999) Comp. Biochem. Physiol. B. Biochem. Mol. Biol. 122:367-380）。
【０１５５】
アミノトランスフェラーゼ
アミノトランスフェラーゼ類は、ピリドキサール5'−リン酸（PLP）依存性酵素の１ファミリーを構成する。PLP依存性酵素は、アミノ酸の成分置換を触媒する。アスパラギン酸アミノトランスフェラーゼ (AspAT) は、最も広く研究された PLP-含有酵素である。AspATは、ジカルボキシルL−アミノ酸（アスパラギン酸およびグルタミン酸）、および対応する2−オキソ酸（オキサロ酢酸、および2−オキソグルタル酸）の、可逆的なアミノ基転移反応を触媒する。このファミリーの他のメンバーには、ピルビン酸アミノトランスフェラーゼ、分枝鎖アミノ酸アミノトランスフェラーゼ、チロシンアミノトランスフェラーゼ、芳香族アミノトランスフェラーゼ、アラニン：グリオキシル酸アミノトランスフェラーゼ（AGT）およびキヌレニンアミノトランスフェラーゼが含まれる(Vacca, R. A.他(1997) J. Biol. Chem. 272:21932-21937)。
【０１５６】
原発性高シュウ酸尿症I型は、常染色体性劣性疾患であって、肝特異的ペルオキシソーム酵素であるアラニン：グリオキシル酸アミノトランスフェラーゼ−1の欠損が起こる。この疾患の表現型は、グリオキシル酸代謝の欠損である。AGTが存在しない場合、グリオキシル酸はグリシンへアミノ基転移されず、シュウ酸へ酸化される。その結果、腎臓および尿管に不溶性シュウ酸カルシウムが沈着し、最終的に腎不全が起こる(Lumb, M. J. 他 (1999) J. Biol. Chem. 274: 20587-20596)。
【０１５７】
キヌレニンアミノトランスフェラーゼは、L−トリプトファン代謝産物L−キヌレニンの不可逆的なアミノ転移を触媒してキヌレン酸を形成する。この酵素はまた、L−2−アミノアジピン酸から2−オキソグルタル酸およびその逆への可逆的なアミノ基転移反応を触媒して2−オキソアジピン酸（oxoadipate）およびL−グルタミン酸を生成し得る。キヌレン酸はグルタミン酸作動性神経伝達の推定上のモジュレーターであるため、キヌレニンアミノトランスフェラーゼの欠損は多面発現的（pleotrophic）効果に関係すると思われる(Buchli, R.他 (1995) J. Biol. Chem. 270:29330-29335)。
【０１５８】
カテコール−Ｏ−メチルトランスフェラーゼ
カテコール−O−メチルトランスフェラーゼ（COMT）は、カテコール基質（例えば、レボドパ、ドーパミン、またはDBA）の１つのヒドロキシル基への、S−アデノシル−L−メチオニン（AdoMet; SAM）供与体のメチル基の転移を触媒する。3'−ヒドキシル基のメチル化は4'−ヒドキシル基のメチル化より優先され、COMTの膜結合アイソフォームは可溶型よりも位置特異的である。この酵素の可溶型の翻訳は、完全長mRNA（1.5kb）の内部開始コドンの利用によるか、或いは内部プロモータから転写された短いmRNA（1.3kb）の翻訳による。提案されたSN2様メチル化反応には、Mg2+が必要であり、Ca2+によって抑制される。供与体および基質の、COMTへの結合は逐次的に起こる。まず、AdoMetがMg2+非依存的にCOMTに結合し、Mg2+の結合およびカテコール基質の結合がそれに続く。
【０１５９】
組織におけるCOMTの量は活性のために通常必要とされる量より多く存在するため、阻害が困難である。しかしながら、インヒビター群は、in vitroでの使用（例えば、没食子酸、トロポロン、U-0521、および3', 4'-ジヒドロキシ-2-メチル-プロピオフェトロポロン：propiophetropolone）および臨床での使用（例えば、ニトロカテコール系化合物およびトルカポン（tolcapone））のために開発されている。これらのインヒビターを投与すると、レボドパの半減期が長くなり、続いてドーパミンの生成が起こる。また、COMTの阻害により、限定するものではないがエピネフリン／ノルエピネフリン、イソプレナリン、リミテロール、ドブタミン、フェノルドパム（fenoldopam）、アポモルフィン、およびα−メチルドパなど、他の様々なカテコール構造化合物の半減期が長くなると思われる。ノルエピネフリンの欠損は臨床的抑鬱症に繋がるため、COMTインヒビターの使用は抑鬱症の治療に有用であると思われる。COMTインヒビターは通常、耐容性が良く副作用が最小限であり、最終的に肝臓で代謝され、体内にはわずかな代謝物が残るのみである(Mannisto, P.T.およびKaakkola, S. (1999) Pharmacological Reviews 51:593-628)。
【０１６０】
銅−亜鉛スーパーオキシドジスムターゼ
銅−亜鉛スーパーオキシドジスムターゼはコンパクトなホモ二量体金属酵素であって、酸化的な損傷に対する細胞防御に関係する。この酵素は１つの亜鉛原子および１つの銅原子を各サブユニットに有し、スーパーオキシドアニオンの、O2およびH2O2への不均化反応を触媒する。この不均化反応の速度は、拡散律速されるので、基質と酵素活性部位との間の好ましい静電的相互作用の存在によって増大する。このクラスの酵素の数例が、全て真核細胞の細胞質において同定され、幾つかの細菌種のペリプラズムでも同定された。銅−亜鉛スーパーオキシドジスムターゼ類は強健な酵素であって、蛋白分解的消化や、尿素およびSDSによる変性に対し、高い耐性を持つ。これらの酵素のコンパクトな構造に加えて、金属イオンおよびサブユニット内ジスルフィド結合が酵素の安定性に寄与していると考えられている。これらの酵素は７０℃もの高温でも可逆的に変性する（Battistoni, A.他(1998) J. Biol. Chem. 273:5655-5661）。
【０１６１】
スーパーオキシドジスムターゼの過剰発現は、遺伝子組み換えアルファルファの耐凍性を高めるのに関与し、ジフェニルエーテル除草剤であるアシフルオルフェン（acifluorfen)などの環境毒素に対する耐性をも与えると思われる（McKersie, B. D.他(1993) Plant Physiol. 103:1155-1163）。加えて、酵母細胞は、過酸化水素への曝露の後に凍結融解損傷に対する耐性が高まる。これは、曝露によるスーパーオキシドジスムターゼの発現のアップレギュレートにより、酵母細胞が更なる過酸化ストレスに適応するようになるためである。この研究では、酵母スーパーオキシドジスムターゼ遺伝子群の突然変異は、冷凍保存過程を経て生物が生存するか否かを決定するのに重要であると長い間考えられていたグルタチオン代謝の調節に影響を及ぼす突然変異よりも、凍結融解抵抗性に悪影響を与えた（Jong-In Park, J.-I.他(1998) J. Biol. Chem. 273:22921-22928）。
【０１６２】
スーパーオキシドジスムターゼの発現はまた、結核を引き起こす生物である結核菌に関連する。スーパーオキシドジスムターゼは、結核菌によって分泌される１０種の主なタンパク質の内の１つであり、その発現は酸化ストレスに応じて約５倍アップレギュレートされる。結核菌は、非病原性ミコバクテリアの恥垢菌（M. smegmatis）よりスーパーオキシドジスムターゼをほぼ２桁多く発現し、極めてより高い比率で、発現された酵素を分泌する。この結果、結核菌は恥垢菌よりも最大３５０倍多い酵素を分泌し、酸化ストレスに対する実質的な耐性を与える（Harth, G.およびHorwitz, M. A. (1999) J. Biol. Chem. 274:4281-4292）。
【０１６３】
銅−亜鉛スーパーオキシドジスムターゼの発現の低下、並びに抗酸化能力を有するその他の酵素の発現の低下は初期の癌に関係すると思われる。銅−亜鉛スーパーオキシドジスムターゼの発現は前立腺上皮内新生物および前立腺癌において低下している(Bostwick, D.G. (2000) Cancer 89:123134)。
【０１６４】
ホスホエステラーゼ
ホスホトリエステラーゼ（PTE、パラオキソナーゼ（paraoxonase））類の酵素は有毒の有機リン化合物を加水分解し、PTEは種々の組織から単離されている。ホスホトリエステラーゼは、哺乳動物による殺虫剤の解毒において中心的な役割を果たす。鳥と昆虫はPTEを欠いているために、有機リン化合物に対する耐性が低い(Vilanova, E. および Sogorb, M.A. (1999) Crit. Rev. Toxicol. 29:2157)。ホスホトリエステラーゼ活性は個人によって差があり、大人より幼児の方が低い。PTEノックアウトマウスは、有機リン系の毒素であるdiazoxonおよびchlorpyrifos oxonに対して顕著な感受性を有する（Furlong, C.E.,他(2000) Neurotoxicology 21:91-100）。ホスホトリエステラーゼはまた、アテローム硬化型冠動脈疾患およびリポタンパク質代謝に関与する病気に関与していると考えられている。
【０１６５】
グリセロホスホリルジエステルホスホジエステラーゼ（glycerophosphoryl diester phosphodiesterase）（グリセロホスホジエステルホスホジエステラーゼとも呼ばれる）は、脱アセチル化リン脂質グリセロホスホジエステル（deacetylated phospholipid glycerophosphodiesters）を加水分解してsn−グリセロール−3−リン酸およびアルコールを生成するホスホジエステラーゼである。グリセロホスホコリン、グリセルホスホエタノールアミン（glycerophosphoethanolamine）、グリセロホスホグリセロール（glycerophosphoglycerol）、およびグリセロホスホイノシトール（glycerophosphoinositol）は、グリセロホスホリルジエステルホスホジエステラーゼのための基質の例である。大腸菌由来の或るグリセロホスホリルジエステルホスホジエステラーゼは、グリセロホスホジエステル（glycerophosphodiester）基質に対して広範な特異性を有する（Larson, T. J.他(1983) J. Biol. Chem. 248:5428-5432）。
【０１６６】
サイクリックヌクレオチドホスホジエステラーゼ（PDE）は、サイクリックヌクレオチドであるcAMPおよびcGMPの調節に極めて重要な酵素である。cAMPおよびcGMPは、ホルモン、光および神経伝達物質など、様々な細胞外シグナルを伝達する細胞内セカンドメッセンジャーとして機能する。PDEはサイクリックヌクレオチドをそれらの対応する一リン酸に分解し、それによってサイクリックヌクレオチドの細胞内濃度およびシグナル伝達におけるそれらの効果を調節する。それらの役割がシグナル伝達の制御因子であることから、PDEは化学療法の標的として大規模に研究された（Perry, M. J.およびG. A. Higgs (1998) Curr. Opin. Chem. Biol. 2:472-481 ; Torphy, J. T. (1998) Am. J. Resp. Crit. Care Med. 157:351-370）。
【０１６７】
哺乳動物PDEのファミリーは、基質特異性および親和性、補助因子に対する感受性、および抑制剤に対する感受性に基づいて分類される（Beavo, J. A. (1995) Physiol. Rev. 75:725-748; Conti, M.他(1995) Endocrine Rev. 16:370-389）。これらのファミリーのいくつかは、固有の遺伝子群を持ち、その多くは様々な組織でスプライス変異体として発現される。PDEファミリーの中には、多数のイソ酵素およびこれらのイソ酵素の多数のスプライス変異体が存在する（Conti, M.およびS.-L. C. Jin (1999) Prog. Nucleic Acid Res. Mol. Biol. 63:1-38）。多数のPDEファミリー、イソ酵素、およびスプライス変異体の存在は、サイクリックヌクレオチドが関わる調節経路の多様性および複雑性を示すものである（Houslay, M. D.およびG. Milligan (1997) Trends Biochem. Sci. 22:217-224）。
【０１６８】
PDE1型（PDE1）はCa2+／カルモジュリン依存性であって、それぞれが少なくとも２つの異なったスプライス変異体を有する少なくとも３つの異なった遺伝子によってコードされると思われる（Kakkar, R. 他. (1999) Cell Mol. Life Sci. 55:1164-1186）。PDE1は、肺、心臓、および脳で見出された。数種のPDE1イソ酵素は、in vitroでリン酸化／脱リン酸化によって調節される。これらのPDE1イソ酵素をリン酸化すると、カルモジュリンに対するこの酵素の親和性が低下し、PDE活性が低下し、cAMPの定常状態レベルが増大する（Kakkar, 前出）。PDE1は、サイクリックヌクレオチドおよびカルシウムのシグナル伝達の両方に関与するので、中枢神経系および心血管、免疫系の障害のための有用な治療標的を提供し得る（Perry, M. J.およびG. A. Higgs (1998) Curr. Opin. Chem. Biol. 2:472-481）。
【０１６９】
PDE2は小脳、新皮質、心臓、腎臓、肺、肺動脈および骨格筋に存在するcGMP-刺激性PDEである(Sadhu, K. 他(1999) J. Histochem. Cytochem. 47:895-906)。PDE2はカテコールアミン分泌でのcAMP の作用を媒介し、アルドステロン(Beavo, 前出), の制御に関与し、嗅覚シグナル伝達において役割を果たしていると考えられている(Juilfs, D.M. 他 (1997) Proc. Natl. Acad. Sci. USA 94:3388-3395)。
【０１７０】
PDE3はcGMPおよびcAMPの両方に対して高い親和性を有するため、これらのサイクリックヌクレオチドは、PDE3の競合的基質として作用する。PDE3は、心筋収縮能の刺激、血小板凝集の抑制、血管および気道の平滑筋の弛緩、Tリンパ球および血管平滑筋培養細胞の増殖抑制、脂肪組織からのカテコールアミン誘導性遊離脂肪酸放出の調節に作用する。ホスホジエステラーゼのPDE3ファミリーは、cilostamide、enoximone、およびlixazinoneなど、特異的インヒビターに対する感受性を有する。PDE3のイソ酵素は、cAMP依存性プロテインキナーゼまたはインスリン依存性キナーゼによって抑制され得る（Degerman, E.他(1997) J. Biol. Chem. 272:6823-6826）。
【０１７１】
PDE4はcAMPに特異的であって、気道平滑筋、血管上皮、および全ての炎症細胞に局在し、cAMP依存性リン酸化によって活性化され得る。cAMPのレベルの上昇によって、炎症細胞の活性化が抑制され気管支平滑筋が弛緩し得るため、PDE4は、喘息治療の発見に重点をおいて新規の抗炎症剤の可能性のある標的として広範に研究された。PDE4インヒビターは、現在、喘息、慢性閉塞性肺疾患、およびアトピー性湿疹の治療薬として臨床試験が行われている。PDE4の既知の４つ全てのイソ酵素は、マウスの行動記憶を向上させることが示された化合物であるインヒビター、ロリプラムに対して感受性を持つ（Barad, M.他(1998) Proc. Natl. Acad. Sci. USA 95:15020-15025）。PDE4インヒビターはまた、急性肺傷害、内毒素血症、リウマチ様関節炎、多発性硬化症、および様々な神経や胃腸の疾患に対する可能性のある治療薬として研究された（Doherty, A. M. (1999) Curr. Opin. Chem. Biol. 3:466-473）。
【０１７２】
PDE5は、基質としてのcGMPに対して高い選択性を有し（Turko, I. V.他(1998) Biochemistry 37:4200-4205）、２つのアロステリックcGMP特異的結合部位を有する（McAllister-Lucas, L. M. 他. (1995) J. Biol. Chem. 270:30671-30679）。cGMPのこれらのアロステリック結合部位への結合は、触媒活性の直接的な調節よりもcGMP依存性プロテインキナーゼによるPDE5のリン酸化にとって重要であると思われる。高いレベルのPDE5は、血管平滑筋、血小板、肺、および腎臓に見られる。インヒビターであるザプリナストはPDE5およびPDE1に対して効果がある。PDE5に対する特異性を得るためにザプリナストを改良してsildenafilが得られたた（VIAGRA; Pfizer, Inc., New York NY）。このsildenafilは男性勃起不全の治療薬である（Terrett, N. 他. (1996) Bioorg. Med. Chem. Lett. 6:1819-1824）。PDE5のインヒビターは、心血管治療薬として現在研究されている（Perry, M. J.およびG. A. Higgs (1998) Curr. Opin. Chem. Biol. 2:472-481）。
【０１７３】
光受容体サイクリックヌクレオチドホスホジエステラーゼであるPDE6類は、光伝達カスケードの重要な要素である。PDE6はGタンパク質トランスデューシンと結合して、cGMPを加水分解して光受容体膜におけるcGMP作動性陽イオンチャネルを調節する。cGMP結合活性部位に加えて、PDE6はまた、PDE6の機能における調節的な役割を果たすと考えられる２つの高親和性cGMP結合部位を有する（Artemyev, N. O.他(1998) Methods 14:93-104）。PDE6の欠損は網膜の疾患に関係する。rdマウスの網膜変性症（Yan, W.他(1998) Invest. Opthalmol. Vis. Sci. 39:2529-2536）、ヒトの常染色体性劣性網膜色素変性症（色素性網膜炎)（Danciger, M.他(1995) Genomics 30:1-12）、およびアイリッシュセッター犬の杆状体/錐状体異形成1型（Suber, M. L.他(1993) Proc. Natl. Acad. Sci. USA 90:3968-3972）は、PDE6B遺伝子における突然変異が原因である。
【０１７４】
PDEのPDE7ファミリーは、複数のスプライス変異体を有する唯１つの既知のメンバーから成る（Bloom, T. J.およびJ. A. Beavo (1996) Proc. Natl. Acad. Sci. USA 93:141813-24192）。PDE7はcAMP特異的であるが、その他の生理的機能については殆ど知られていない。PDE7をコードするmRNAが骨格筋、心臓、脳、肺、腎臓、および膵臓で見られるが、PDE7タンパク質の発現は特定の組織型に限定される（Han, P.他(1997) J. Biol. Chem. 272:16152-16157; Perry, M. J.およびG. A. Higgs (1998) Curr. Opin. Chem. Biol. 2:472-481）。PDE7はPDE4ファミリーに密接に関連するが、PDE4の特異的なインヒビターであるロリプラムによって阻害されない（Beavo, 前出）。
【０１７５】
PDE8類はcAMP特異的であり、PDE4ファミリーに密接に関連する。PDE8は、甲状腺、精巣、眼、肝臓、骨格筋、心臓、腎臓、卵巣、および脳において発現される。PDE8のcAMP加水分解活性は、PDEのインヒビターであるロリプラム、ビンポセチン、ミルリノン、IBMX（3−イソブチル−1−メチルキサンチン）、またはザプリナストによって抑制されないが、PDE8はジピリダモールによって抑制される（Fisher, D. A.他(1998) Biochem. Biophys. Res. Commun. 246:570-577; Hayashi, M.他(1998) Biochem. Biophys. Res. Commun. 250:751-1256; Soderling, S. H.他(1998) Proc. Natl. Acad. Sci. USA 95:8991-8996）。
【０１７６】
PDE9類はcGMP特異的であって、PDEのPDE8ファミリーに最も類似している。PDE9は、腎臓、肝臓、肺、脳、脾臓、および小腸において発現される。PDE9はsildenafil (VIAGRA; Pfizer, Inc., New York NY)、ロリプラム、ビンポセチン、ジピリダモール、またはIBMX（3−イソブチル−1−メチルキサンチン）によって抑制されないが、PDE5インヒビターであるザプリナストに対して感受性を有する（Fisher, D. A.他(1998) J. Biol. Chem. 273:15559-15564; Soderling, S. H.他(1998) J. Biol. Chem. 273:15553-15558）。
【０１７７】
PDE10類は二重基質PDEであって、cAMPおよびcGMPの両方を加水分解する。PDE10は、脳、甲状腺、及び精巣に発現する（Soderling, S.H.他(1999)Proc. Natl. Acad. Sci. USA 96:7071-12076; Fujishige, K.他(1999)J. Biol. Chem. 274:18438-18445; Loughney, K.他(1999)Gene 234:109-117）。
【０１７８】
PDEは、約２７０−３００アミノ酸の触媒ドメイン、および補助因子の結合を担うN末端調節ドメインを含み、場合によっては、機能が未知の親水性C末端ドメインを含む（Conti, M. およびS.-L. C. Jin (1999) Prog. Nucleic Acid Res. Mol. Biol. 63:1-38）。全てのPDEの触媒ドメイン中に保存されているある推定亜鉛結合モチーフが同定された。N末端調節ドメインとしては、PDE2、PDE5、およびPDE6における非触媒cGMP結合ドメイン、PDE1におけるカルモジュリン結合ドメイン、およびPDE3およびPDE4におけるリン酸化部位を持つドメインを含む。PDE5中では、N-末端cGMP-結合ドメインは約380のアミノ酸残基にまたがり、或る保存配列モチーフのタンデムリピートを含んでいる（McAllister-Lucas,L.M.他(1993)J.Biol.Chem. 268:22863-22873）。このNKXnDモチーフは、cGMP結合に重要であることが変異誘発によって示された（Turko, I. V.他(1996) J. Biol. Chem. 271:22240-22244）。PDEファミリーは、触媒ドメイン内において約３０％のアミノ酸同一性を有するが、同じファミリー内のイソ酵素は通常約８５から９５％のこの領域における同一性を示す（例えばPDE4AとPDE4B）。更に、あるファミリー内の触媒ドメイン外の類似性は高いが（６０％を超える）、ファミリー間のこのドメイン外の配列類似性は殆ど存在しない。
【０１７９】
免疫応答および炎症応答を構成する機能の多くは、細胞内のcAMPのレベルを上昇させる薬剤によって阻害される（Verghese, M. W.他(1995) Mol. Pharmacol. 47:1164-1171）。様々な疾患がPDE活性の上昇が原因で起こり、サイクリックヌクレオチドのレベルの低下に関係する。例えば、マウスにおける尿崩症の或る型はPDE4活性の上昇に関係し、低KmcAMP PDE活性の上昇がアトピー患者の白血球に見られ、PDE3が心疾患に関連する。
【０１８０】
PDE類の多くのインヒビターについて臨床試験が行われている（Perry, M. J.およびG. A. Higgs (1998) Curr. Opin. Chem. Biol. 2:472-481; Torphy, T. J. (1998) Am. J. Respir. Crit. Care Med. 157:351-370）。PDE3インヒビター類は、抗血栓剤、血圧降下薬および、鬱血性心不全の治療に有用な強心薬として開発中である。PDE4インヒビターであるロリプラムは、抑鬱症の治療に用いられ、PDE4のその他のインヒビターは抗炎症薬効果がある。従って、ロリプラムはHIV−1の複製を阻害する可能性がある（Angel, J. B.他(1995) AIDS 9:1137-1144）。さらに、ロリプラムはインターフェロンγ、TNF-αおよびβなどのサイトカインの産生を抑制するため、脳脊髄炎に対して効果的である。ロリプラムはまた、遅発性ジスキネジアおよび多発性硬化症に有効である可能性がある（Sommer, N.他(1995) Nat. Med. 1:244-248 ; Sasaki, H.他(1995) Eur. J. Pharmacol. 282:71-76）。  テオフィリンは、気管支喘息その他の呼吸器疾患の治療に用いられる非特異的PDEインヒビターである。テオフィリンは、気道平滑筋の機能に作用し、呼吸器疾患の治療における抗炎症能力または免疫調節能力があると考えられる（Banner, K. H.およびC. P. Page (1995) Eur. Respir. J. 8:996-1000）。ペントキシフィリンは、間欠性跛行および糖尿病性末梢血管疾患の治療に用いられる別の非特異的PDEインヒビターである。ペントキシフィリンはまた、TNF−αの生成を阻止することが知られ、また、HIV−1の複製を阻害し得る（Angel他, 前出）。
【０１８１】
PDE類は、様々な細胞型の細胞増殖に影響を与えると報告があり（Conti他(1995) Endocrine Rev. 16:370-389）、また様々な癌に関係すると思われる。前立腺癌細胞株DU145およびLNCaPの成長は、cAMP誘導体およびPDEインヒビターの送達によって抑制された（Bang, Y. J.他(1994) Proc. Natl. Acad. Sci. USA 91:5330-5334）。これらの細胞はまた、上皮からニューロン形態への、表現型における永久的な変換を示した。また、PDEインヒビターがメサンギウム細胞の増殖（Matousovic, K.他(1995) J. Clin. Invest. 96:401-410）およびリンパ球の増殖（Joulain, C.他(1995) J. Lipid Mediat. Cell Signal. 11:63-79）を調節できることが示唆された。或る癌治療においては、PDEを腫瘍の特定の細胞区画に送達し、細胞死を導いた（Deonarain, M. P.およびA. A. Epenetos (1994) Br. J. Cancer 70:786-794）。
【０１８２】
UDPグルクロニルトランスフェラーゼファミリー（UGT）のメンバーは、補助因子ウリジン二リン酸−グルクロン酸（UDP−グルクロン酸）から基質へのグルクロン酸基の転移を触媒する。この転移は、通常は求核性ヘテロ原子（O、N、またはS）に対して行われる。基質の例には、フェーズI反応によって機能的になった生体異物並びに、ビリルビン、ステロイドホルモン、および甲状腺ホルモン等、内因性化合物が含まれる。グルクロン酸抱合の生成物は、基質の分子量が約250 g/mol未満であれば尿中に排泄されるが、グルクロン酸抱合された基質がそれより大きい場合は胆汁に排泄される。
【０１８３】
UGTは肝臓、腎臓、腸、皮膚、脳、脾臓、および鼻粘膜のミクロソームに存在する。これらの位置でUGTは、チトクロームP450酵素およびフラビン含有モノオキシゲナーゼとは小胞体膜の同じ側にある。UGTは、そのUGTを小胞体膜に固着するC末端膜貫通ドメイン並びに、そのC末端部分における約５０のアミノ酸残基の保存されたシグネチャドメインを有する（PROSITE PDOC00359 UDP-glycosyltransferase signature）。
【０１８４】
薬物代謝に関係するUGTは、UGT1およびUGT2の２つの遺伝子ファミリーによってコードされる。UGT1ファミリーのメンバーは、補助因子結合および膜挿入に関係する定常領域、および可変基質結合ドメインを有する、単一の遺伝子座の選択的スプライシングによって生じる。UGT2ファミリーのメンバーは異なる複数の遺伝子座によってコードされ、UGT2AおよびUGT2Bの２つのファミリーに分類される。2Aサブファミリーは嗅上皮で発現し、2Bサブファミリーは肝臓ミクロソームで発現する。UGT遺伝子における突然変異は、高ビリルビン血症（OMIM＃143500 Hyperbilirubinemia I）、出生時からの著しい高ビリルビン血症によって特徴付けられるクリグラー−ナジャー症候群（OMIM＃218800 Crigler-Najjar syndrome）、ジルベール病と呼ばれる軽度の高ビリルビン血症（OMIM *191740 UGT1）に関係する。
【０１８５】
チオエステラーゼ
脂肪酸生合成に関係する２つの可溶性チオエステラーゼが、哺乳動物組織から単離された。その一方は長鎖脂肪酸アシルチオエステルに対してのみ活性であり、他方は様々な長さの脂肪酸アシル鎖を有するチオエステルに対して活性である。これらのチオエステラーゼは、脂肪酸の新規生合成における脂肪酸鎖の終結段階を触媒する。脂肪酸鎖の終結段階は、脂肪酸シンターゼのアシルキャリアタンパク質（ACP）サブユニットの4'−ホスホパンテテイン補欠分子族（prosthetic group）に脂肪酸アシル鎖を結合しているチオエステル結合の加水分解を伴う（Smith, S. (1981a) Methods Enzymol. 71:181-188; Smith, S. (1981b) Methods Enzymol. 71:188-200）。
【０１８６】
大腸菌は、長鎖アシルチオエステルに対してのみ活性なチオエステラーゼI型および、様々な長さの鎖に対して特異性を有するチオエステラーゼII型（TEII）の、２つの可溶性チオエステラーゼを持つ（Naggert, J.他(1991) J. Biol. Chem. 266:11044-11050）。大腸菌TEIIは、新規の脂肪酸生合成における脂肪酸鎖終結酵素（chain-terminating enzyme）として機能する哺乳動物チオエステラーゼの２つの型のいずれとも配列類似性を有していない。哺乳動物チオエステラーゼとは異なり、大腸菌TEIIは、特徴的なセリン活性部位gly−X−ser−X−gly配列モチーフを欠く上に、セリン変性剤であるジイソプロピルフルオロリン酸によって不活化されない。しかしながら、ヨードアセトアミドおよびジエチルピロカルボネートによるヒスチジン５８の修飾によってTEII活性が失われる。TEIIの過剰発現は大腸菌に含まれる脂肪酸を変化させない。これは、脂肪酸生合成において脂肪酸鎖終結酵素として機能していないことを示すものである（Naggert他, 前出）。このような理由から、Naggert他(前出)の提起では、大腸菌TEIIの生理学的基質はACP−ホスホパンテテイン脂肪酸エステルではなく補酵素A(CoA)脂肪酸エステルである。
【０１８７】
カルボキシルエステラーゼ
哺乳動物カルボキシルエステラーゼ類は、様々な組織および細胞型で発現される多重遺伝子ファミリーを構成する。アセチルコリンエステラーゼ、ブチリルコリンエステラーゼ、およびカルボキシルエステラーゼは、エステラーゼのセリン スーパーファミリー（B-エステラーゼ）にグループ化される。他のカルボキシルエステラーゼとしては、サイログロブリン、トロンビン、第IX因子、グリオタクチン（gliotactin）、およびプラスミノーゲンがある。カルボキシルエステラーゼは、分子のエステル基およびアミド基の加水分解を触媒し、薬物、環境毒、および発癌物質の解毒に関与する。カルボキシルエステラーゼの基質としては、短鎖および長鎖アシルグリセロール、アシルカルニチン、炭酸、塩酸ジピベフリン（dipivefrin hydrochloride）、コカイン、サリチル酸、カプサイシン、パルミトイル−CoA、イミダプリル、ハロペリドール、ピロリジジンアルカロイド、ステロイド、p−ニトロフェニル酢酸、マラチオン、butanilicaine、およびイソカルボキサジドが含まれる。カルボキシルエステラーゼはまた、プロドラッグを遊離酸に変換するために重要である。対応する遊離酸は、例えば血中コレステロールを低下させるために用いられるロバスタチンなど、そのプロドラッグの活性型であり得る（概説はSatoh, T.およびHosokawa, M. (1998) Annu. Rev. Pharmacol. Toxicol. 38:257-288を参照）。  ニューロリギン（neuroligin)類は、(i)N末端シグナル配列を有し、(ii)細胞表面受容体群に類似し、(iii)カルボキシルエステラーゼドメインを持ち、(iv)脳で高度に発現され、(v)カルシウム依存的にニューレキシン類と結合する、分子の１クラスである。カルボキシルエステラーゼ類との相同性を持つものの、ニューロリギン類は活性部位セリン残基を欠き、これらは触媒作用ではなく基質結合において役割を果たすと考えられる（Ichtchenko, K.他(1996) J. Biol. Chem. 271:2676-2682）。
【０１８８】
スクアレンエポキシダーゼ
スクアレンエポキシダーゼ（スクアレンモノオキシゲナーゼ、SE）は、ミクロソーム膜結合FAD依存性オキシドレドクターゼであって、真核細胞のステロール生合成経路における初めの酸素添加ステップを触媒する。コレステロールは、LDL受容体仲介経路、若しくは生合成経路によって獲得される、細胞質膜の必須の構成成分である。SEはスクアレンを2,3(S)−オキシドスクアレンに変換するが、これは次にラノステロールに変換され、更にコレステロールに変換される。
【０１８９】
血清コレステロールのレベルが過度に上昇すると高等生物の動脈ではアテローム斑が形成される。高度に不溶性の脂質が重要な血管の壁に沈着するため、血流が低下して壊死の可能性がでてくる。HMG−CoAレダクターゼは、コレステロール生合成の第１のステップである3−ヒドロキシ−3−メチル−グルタリルCoA（HMG−CoA）のメバロン酸への変換を担う。HMG−CoAは、血漿コレステロールレベルを低下させるようにデザインされた様々な医薬化合物の標的である。しかし、HMG−CoAの阻害はまた、その他の生化学経路に必要な非ステロール中間体の合成をも減少させる。SEは、ステロール合成経路の後期に起こる律速反応を触媒し、コレステロールはこの経路の唯一の最終産物であるため、SEは抗高脂血症薬をデザインするための理想的な標的である（Nakamura, Y.他(1996) 271:8053-8056）。
【０１９０】
エポキシドヒドロラーゼ
エポキシドヒドロラーゼ(加水分解酵素)は、エポキシド含有化合物への水の添加を触媒し、それによってエポキシドがその対応する1,2−ジオールに加水分解される。これらは細菌性ハロアルカンデハロゲナーゼに近縁で、α/β加水分解酵素フォールドファミリーの酵素の他のメンバーに配列類似性を示す。この酵素のファミリーは、導入されると求電子性が高く破壊性になる場合が多い生体異物エポキシド化合物の解毒にとって重要である。エポキシドヒドロラーゼ反応の例には、ロイコトキシンのロイコトキシンジオールへの加水分解、およびイソロイコトキシンのイソロイコトキシンジオールへの加水分解が含まれる。ロイコトキシンは、膜の透過性とイオン輸送を改変し、炎症応答を引き起こす。加えて、エポキシド発癌物質は、薬物および環境毒素の解毒における中間体としてチトクロームP450によって生成される。エポキシドヒドロラーゼは、Asp、AspおよびHisからなる、触媒トライアッドを有する(Arand, M. 他 (1996) J. Biol. Chem. 271:42234229; Rink, R. 他 (1997) J. Biol. Chem. 272:1465014657; Argiriadi, M.A. 他 (2000) J. Biol. Chem. 275:1526515270)。
【０１９１】
チロシン触媒作用に関与する酵素
コハク酸とピルビン酸か或いはフマル酸とアセト酢酸への、アミノ酸であるチロシンの分解には、多数の酵素が必要であり、多数の中間化合物が生成される。加えて、多くの生体異物化合物は、チロシン異化経路の一部である１つ以上の反応が用いられて代謝され得る。  コハク酸とピルビン酸へのチロシンの分解に関係する酵素には（例えばアルスロバクター属：Arthrobacter speciesで）、4−ヒドロキシフェニルピルビン酸オキシダーゼ、4−ヒドロキシフェニル酢酸3−ヒドロキシラーゼ（4-hydroxyphenylacetate 3-hydroxylase）、3,4−ジヒドロキシフェニル酢酸2,3-ジオキシゲナーゼ（3,4-dihydroxyphenylacetate 2,3-dioxygenase）、5−カルボキシメチル−2−ヒドロキシムコン酸セミアルデヒドデヒドロゲナーゼ（5-carboxymethyl-2-hydroxymuconic semialdehyde dehydrogenase）、トランス,シス−5−カルボキシメチル−2−ヒドロキシムコン酸イソメラーゼ（trans,cis-5-carboxymethyl-2-hydroxymuconate isomerase）、ホモプロトカテチュ酸イソメラーゼ／デカルボキシラーゼ（homoprotocatechuate isomerase/decarboxylase）、cis-2-oxohept-3-ene-1,7-dioate hydratase、2,4-dihydroxyhept-trans-2-ene-1,7-dioate aldolase、およびコハク酸セミアルデヒドデヒドロゲナーゼ（succinic semialdehyde dehydrogenase）が含まれる。  チロシンのフマル酸とアセト酢酸への分解（例えばシュードモナス属で）に関係する酵素には、4−ヒドロキシフェニルピルビン酸ジオキシゲナーゼ、ホモゲンチシン酸−1，2−ジオキシゲナーゼ、マレイルアセト酢酸イソメラーゼ、フマリルアセトアセターゼおよび４-ヒドロキシフェニルアセターゼが含まれる。  様々な生物においてチロシン代謝に関係する更なる酵素の例として、4−クロロフェニル酢酸−3,4−ジオキシゲナーゼ（4-chlorophenylacetate-3,4-dioxygenase）、芳香族アミノトランスフェラーゼ、5-oxopent-3-ene-1,2,5-tricarboxylate decarboxylase、2-oxo-hept-3-ene-1,7-dioate hydratase、および5−カルボキシメチル−2−ヒドロキシムコン酸イソメラーゼ（5-carboxymethyl-2-hydroxymuconate isomerase）が挙げられる（Ellis, L. B. M.他(1999) Nucleic Acids Res. 27:373-376; Wackett, L. P. および Ellis, L. B. M. (1996) J. Microbiol. Meth. 25:91-93; および Schmidt, M. (1996) Amer. Soc. Microbiol. News 62:102）。
【０１９２】
ヒトにおいて、チロシン分解経路の酵素における後天性或いは先天性の遺伝的欠陥は、遺伝性チロシン血症を引き起こし得る。この疾患の１つの型である遺伝性チロシン血症I型（HT1）は、チロシンをフマル酸とアセト酢酸に代謝する生物における経路の最終酵素であるフマリルアセト酢酸ヒドロラーゼの欠損によって引き起こされる。HT1は幼児期に始まる進行性の肝傷害を特徴としており、肝癌のリスクが高くなる（Endo, F.他(1997) J. Biol. Chem. 272:24426-24432）。
【０１９３】
発現プロファイリング
アレイ技術は、単一の多型遺伝子の発現や、多数の関連遺伝子または無関係の遺伝子の発現プロファイルを探求する簡単な方法を提供し得る。単一遺伝子の発現を試験するときは、アレイを用いて或る特定遺伝子又はその変異体の発現を検出する。発現プロファイルを調べると、組織特異的であり、毒性試験でテストする物質によって影響され、シグナル伝達カスケードの一部であり、細胞の生存に基本的に必要な機能を実行する、または特定の遺伝的素因、状態、疾患または障害に特に関連する遺伝子を同定するためのプラットホームをアレイは提供する。
【０１９４】
新規の酵素およびそれらをコードするポリヌクレオチドの発見により、新規の組成物を提供することで当分野の要望に応えることができる。 この新規の組成物は、自己免疫/炎症疾患、感染症、免疫不全、代謝の障害、生殖系疾患、神経の疾患、心血管疾患、眼疾患、および癌を含む細胞増殖異常の診断・治療・予防において有用であり、また、酵素の核酸配列及びアミノ酸配列の発現における外来性化合物の影響についての評価にも有用である。
【発明の開示】
【発明の効果】
【０１９５】
本発明は、総称して「ENZM」、個別にはそれぞれ「ENZM-1」、「ENZM-2」、「ENZM-3」、「ENZM-4」、「ENZM-5」、「ENZM-6」、「ENZM-7」、「ENZM-8」、「ENZM-9」、「ENZM-10」、「ENZM-11」及び「ENZM-12」と呼ぶ酵素である精製されたポリペプチドを提供する。或る態様において本発明は、（ａ）SEQ ID NO:1-12からなる群から選択したアミノ酸配列からなるポリペプチド、（ｂ）SEQ ID NO:1-12からなる群から選択したアミノ酸配列と少なくとも90％が同一である天然のアミノ酸配列からなるポリペプチド、（ｃ）SEQ ID NO:1-12からなる群から選択したアミノ酸配列を有するポリペプチドの生物学的活性断片、および（ｄ）SEQ ID NO:1-12からなる群から選択したアミノ酸配列を有するポリペプチドの免疫原性断片からなる群から選択した単離されたポリペプチドを提供する。一態様では、SEQ ID NO:1-12のアミノ酸配列からなる単離されたポリペプチドを提供する。
【０１９６】
また、本発明は（ａ）SEQ ID NO:1-12からなる群から選択した或るアミノ酸配列を持つポリペプチド、（ｂ）SEQ ID NO:1-12からなる群から選択した或るアミノ酸配列との少なくとも９０％の同一性を持つ或る天然アミノ酸配列を有するポリペプチド、（ｃ）SEQ ID NO:1-12からなる群から選択した或るアミノ酸配列を持つポリペプチドの生物学的活性断片、または（ｄ）SEQ ID NO:1-12からなる群から選択した或るアミノ酸配列を持つポリヌクレオチドの免疫原性断片、からなる群から選択した或るポリペプチドをコードする、単離されたポリヌクレオチドを提供する。一実施態様では、該ポリヌクレオチドは、SEQ ID NO:1-12からなる群から選択した或るポリペプチドをコードする。別の実施態様では、ポリヌクレオチドはSEQ ID NO:13-24からなる群から選択される。
【０１９７】
本発明は更に、(a)SEQ ID NO:1-12からなる群から選択したアミノ酸配列を含むポリペプチド、(b)SEQ ID NO:1-12からなる群から選択したアミノ酸配列と少なくとも90％が同一である天然のアミノ酸配列を含むポリペプチド、(c)SEQ ID NO:1-12からなる群から選択したアミノ酸配列を有するポリペプチドの生物学的活性断片、または（ｄ）SEQ ID NO:1-12からなる群から選択したアミノ酸配列を有するポリペプチドの免疫原性断片から構成される群から選択されたポリペプチドをコードするポリヌクレオチドと機能的に連結したプロモーター配列を含む組換えポリヌクレオチドを提供する。一実施態様では、本発明は組換えポリヌクレオチドを用いて形質転換した細胞を提供する。別の実施態様では、本発明は組換えポリヌクレオチドを含む遺伝形質転換体を提供する。
【０１９８】
また、本発明は、（ａ）SEQ ID NO:1-12からなる群から選択したアミノ酸配列を含むポリペプチド、（ｂ）SEQ ID NO:1-12からなる群から選択したアミノ酸配列と少なくとも90%が同一である天然のアミノ酸配列を含むポリペプチド、（ｃ）SEQ ID NO:1-12からなる群から選択したアミノ酸配列を有するポリペプチドの生物学的活性断片、および（ｄ）SEQ ID NO:1-12からなる群から選択したアミノ酸配列を有するポリペプチドの免疫原性断片から構成される群から選択したポリペプチドを製造する方法を提供する。 製造方法は、（ａ）組換えポリヌクレオチドを用いて形質転換した細胞をポリペプチドの発現に適した条件下で培養する過程と、（ｂ）そのように発現したポリペプチドを回収する過程とを有し、組換えポリヌクレオチドはポリペプチドをコードするポリヌクレオチドに機能的に連結したプロモーター配列を有する。
【０１９９】
本発明は更に、（ａ）SEQ ID NO:1-12からなる群から選択したアミノ酸配列を含むポリペプチド、（ｂ）SEQ ID NO:1-12からなる群から選択したアミノ酸配列と少なくとも９０％同一である天然のアミノ酸配列を含むポリペプチド、（ｃ）SEQ ID NO:1-12からなる群から選択したアミノ酸配列を有するポリペプチドの生物学的活性断片、および（ｄ）SEQ ID NO:1-12からなる群から選択したアミノ酸配列を有するポリペプチドの免疫原性断片から構成される群から選択されたポリペプチドに特異結合するような単離された抗体を提供する。
【０２００】
本発明は更に、（ａ）SEQ ID NO:13-24からなる群から選択したポリヌクレオチド配列を有するポリヌクレオチド、（ｂ）SEQ ID NO:13-24からなる群から選択したポリヌクレオチド配列と少なくとも９０％の同一性を有する天然のポリヌクレオチド配列を含むポリヌクレオチド、（ｃ）（ａ）に相補的なポリヌクレオチド配列、（ｄ）（ｂ）に相補的なポリヌクレオチド配列、および（ｅ）（ａ）〜（ｄ）のRNA等価物からなる群から選択された単離されたポリヌクレオチドを提供する。一実施態様では、ポリヌクレオチドは少なくとも６０の連続したヌクレオチドを有する。
【０２０１】
本発明は更に、サンプル中の標的ポリヌクレオチドを検出する方法を提供する。ここで、標的ポリヌクレオチドは（ａ）SEQ ID NO:13-24からなる群から選択したポリヌクレオチド配列を有するポリヌクレオチド、（ｂ）SEQ ID NO:13-24からなる群から選択したポリヌクレオチド配列と少なくとも９０％の同一性を有する天然のポリヌクレオチド配列を含むポリヌクレオチド、（ｃ）（ａ）に相補的なポリヌクレオチド、（ｄ）（ｂ）に相補的なポリヌクレオチド、および（ｅ）（ａ）〜（ｄ）のRNA等価物からなる群から選択されたポリヌクレオチドの配列を有する。検出方法は、（ａ）サンプル中の前記の標的ポリヌクレオチドに相補的な配列を含む、少なくとも２０の連続したヌクレオチドを含むプローブを用いて該サンプルをハイブリダイズする過程と、（ｂ）ハイブリダイゼーション複合体の存在・不存在を検出し、複合体が存在する場合にはオプションでその量を検出する過程からなり、プローブと標的ポリヌクレオチドあるいはその断片の間でハイブリダイゼーション複合体が形成されるような条件下で、プローブは標的ポリヌクレオチドに特異的にハイブリダイズする。一実施態様では、プローブは少なくとも60の連続したヌクレオチドを含む。
【０２０２】
本発明はまた、サンプル中の標的ポリヌクレオチドを検出する方法を提供する。ここで、標的ポリヌクレオチドは、（ａ）SEQ ID NO:13-24からなる群から選択したポリヌクレオチド配列を含むポリヌクレオチド、（ｂ）SEQ ID NO:13-24からなる群から選択したポリヌクレオチド配列と少なくとも９０％の同一性を有する天然のポリヌクレオチド配列を含むポリヌクレオチド、（ｃ）（ａ）のポリヌクレオチドに相補的なポリヌクレオチド、（ｄ）（ｂ）のポリヌクレオチドに相補的なポリヌクレオチド、および（ｅ）（ａ）〜（ｄ）のRNA等価物からなる群から選択された配列のポリヌクレオチドを有する。検出方法は、（ａ）ポリメラーゼ連鎖反応増幅を用いて標的ポリヌクレオチドまたはその断片を増幅する過程と、（ｂ）前記の増幅した標的ポリヌクレオチドまたはその断片の存在・不存在を検出し、該標的ポリヌクレオチドまたはその断片が存在する場合にはオプションでその量を検出する過程を含む。
【０２０３】
本発明は更に、或る有効量のポリペプチドと薬物として許容し得る或る賦形剤とからなる、或る組成物を提供する。有効量のポリペプチドは、（ａ）SEQ ID NO:1-12からなる群から選択した或るアミノ酸配列を持つポリペプチド、（ｂ）SEQ ID NO:1-12からなる群から選択した或るアミノ酸配列との少なくとも９０％の同一性を有する天然のアミノ酸配列を含むポリペプチド、（ｃ）SEQ ID NO:1-12からなる群から選択した或るアミノ酸配列を含むポリペプチドの生物学的活性断片、および（ｄ）SEQ ID NO:1-12からなる群から選択した或るアミノ酸配列を持つポリペプチドの免疫原性断片、からなる群から選択される。一実施態様では、この組成物はSEQ ID NO:1-12からなる一群から選択されたアミノ酸配列を持つ。更に、本発明は、機能的ENZMの発現の低下に関連した疾患や症状の治療を必要とする患者への、この組成物の投与を含む方法を提供する。
【０２０４】
本発明はまた、（ａ）SEQ ID NO:1-12からなる群から選択した或るアミノ酸配列を持つポリペプチド、（ｂ）SEQ ID NO:1-12からなる群から選択した或るアミノ酸配列との少なくとも９０％の同一性を有する天然アミノ酸配列を持つポリペプチド、（ｃ）SEQ ID NO:1-12からなる群から選択したアミノ酸配列を持つポリペプチドの生物学的活性断片、および（ｄ）SEQ ID NO:1-12からなる群から選択した或るアミノ酸配列を持つポリペプチドの免疫原性断片、からなる群から選択したポリペプチドのアゴニストとしての有効性を確認するために、或る化合物をスクリーニングする方法を提供する。スクリーニング方法は、（ａ）該ポリペプチドを有するサンプルを或る化合物に曝す過程と、（ｂ）サンプル中のアゴニスト活性を検出する過程からなる。別法では、本発明は、この方法によって同定されたアゴニスト化合物と好適な医薬用賦形剤とを含む組成物を提供する。一実施態様では、本発明は機能性ENZMの発現低下に関連する疾患又は病状を治療する方法であって、そのような治療を必要とする患者に対して成分を投与する過程を含む方法を提供する。
【０２０５】
本発明は更に、（ａ）SEQ ID NO:1-12からなる群から選択した或るアミノ酸配列を持つポリペプチド、（ｂ）SEQ ID NO:1-12からなる群から選択した或るアミノ酸配列との少なくとも９０％の同一性を有する天然アミノ酸配列を持つポリペプチド、（ｃ）SEQ ID NO:1-12からなる群から選択したアミノ酸配列を持つポリペプチドの生物学的活性断片、および（ｄ）SEQ ID NO:1-12からなる群から選択したアミノ酸配列を持つポリペプチドの免疫原性断片、からなる群から選択したポリペプチドのアンタゴニストとしての有効性につき、或る化合物をスクリーニングする方法を提供する。スクリーニング方法は、（ａ）該ポリペプチドを含むサンプルを或る化合物に曝す過程と、（ｂ）サンプル中のアンタゴニスト活性を検出する過程からなる。或いは本発明は、この方法で同定したアンタゴニスト化合物と薬物として許容し得る賦形剤とを有する組成物を提供する。更なる別法では、本発明は、この組成物を機能的ENZMの過剰発現に関連した疾患や症状の治療を必要とする患者に投与する方法を提供する。
【０２０６】
本発明は更に、（ａ）SEQ ID NO:1-12からなる群から選択したアミノ酸配列を含むポリペプチド、（ｂ）SEQ ID NO:1-12からなる群から選択したアミノ酸配列と少なくとも９０％の同一性を有する天然のアミノ酸配列を含むポリペプチド、（ｃ）SEQ ID NO:1-12からなる群から選択したアミノ酸配列を有するポリペプチドの生物学的活性断片、または（ｄ）SEQ ID NO:1-12からなる群から選択したアミノ酸配列を有するポリペプチドの免疫原性断片を含む群から選択されたポリペプチドに特異結合する化合物をスクリーニングする方法を提供する。スクリーニング方法は、（ａ）ポリペプチドを適切な条件下で少なくとも１つの試験化合物と混合させる過程と、（ｂ）試験化合物とのポリペプチドの結合を検出し、それによってポリペプチドに特異結合する化合物を同定する過程とを含む。
【０２０７】
本発明は更に、（ａ）SEQ ID NO:1-12からなる群から選択した或るアミノ酸配列を持つポリペプチド、（ｂ）SEQ ID NO:1-12からなる群から選択したアミノ酸配列との少なくとも９０％の同一性を有する或る天然アミノ酸配列を含むポリペプチド、（ｃ）SEQ ID NO:1-12からなる群から選択した或るアミノ酸配列を持つポリペプチドの生物学的活性断片、および（ｄ）SEQ ID NO:1-12からなる群から選択した或るアミノ酸配列を持つポリペプチドの免疫原性断片、からなる群から選択した或るポリペプチドの活性を調節する或る化合物をスクリーニングする方法を提供する。スクリーニング方法は、（ａ）該ポリペプチドの活性にとり許容し得る条件下で、該ポリペプチドを少なくとも１つの試験化合物と混合する過程と、（ｂ）該ポリペプチドの活性をこの試験化合物の存在下で算定する過程と、（ｃ）この試験化合物の存在下での該ポリペプチドの活性をこの試験化合物の不存在下での該ポリペプチドの活性と比較する過程からなり、この試験化合物の存在下での該ポリペプチドの活性の変化は、該ポリペプチドの活性を調節する化合物を標示する。
【０２０８】
更に本発明は、SEQ ID NO:13-24からなる群から選択した或るポリヌクレオチド配列を持つ標的ポリヌクレオチドの発現を改変する効果につき、或る化合物をスクリーニングする一方法を提供する。この方法は、（ａ）この標的ポリヌクレオチドを有するサンプルを或る化合物に曝露する過程と、（ｂ）この標的ポリヌクレオチドの発現の改変を検出する過程と、（ｃ）可変量のこの化合物の存在下でのこの標的ポリヌクレオチドの発現と、この化合物の不在下での発現とを比較する過程とからなる。
【０２０９】
本発明は更に、試験化合物の毒性の算定方法を提供する。この方法には、以下の過程がある。（ａ）核酸群を有する生体サンプルを試験化合物で処理する過程。（ｂ）処理済み生体サンプルの核酸群をハイブリダイズする過程。この過程には、次のようなプローブを用いる。（i）SEQ ID NO:13-24からなる群から選択した或るポリヌクレオチド配列を含むポリヌクレオチド、（ii）SEQ ID NO:13-24からなる群から選択した或るポリヌクレオチド配列との少なくとも９０％の同一性を有する天然ポリヌクレオチド配列を含むポリヌクレオチド、（iii）（i）に相補的な配列を持つポリヌクレオチド、（iv）（ii）のポリヌクレオチドに相補的なポリヌクレオチド、（v）（i）〜（iv）のRNA等価物、からなる群から選択した或るポリヌクレオチドの少なくとも２０の連続したヌクレオチドからなるプローブである。ハイブリダイゼーションは、前記プローブと生物学的サンプル中の標的ポリヌクレオチドの間に特定のハイブリダイゼーション複合体が形成されるような条件下で発生し、前記標的ポリヌクレオチドは、（i）SEQ ID NO:13-24からなる群から選択したポリヌクレオチド配列を含むポリヌクレオチド、（ii）SEQ ID NO:13-24からなる群から選択したポリヌクレオチド配列と少なくとも９０％が同一である天然のポリヌクレオチド配列を含むポリヌクレオチド、（iii）（i）のポリヌクレオチドに相補的なポリヌクレオチド、（iv）（ii）のポリヌクレオチドに相補的なポリヌクレオチド、および（v）（I）〜（iv）のRNA等価物からなる群から選択する。或いは、標的ポリヌクレオチドは、上記（i）〜（v）からなる群から選択したポリヌクレオチド配列の断片と、（ｃ）ハイブリダイゼーション複合体の量を定量する過程と、（ｄ）処理した生物学的サンプルのハイブリダイゼーション複合体の量を、非処理の生物学的サンプルのハイブリダイゼーション複合体の量と比較する過程を含み、処理した生物学的サンプルのハイブリダイゼーション複合体の量との差は、試験化合物の毒性を意味する。
【発明を実施するための最良の形態】
【０２１０】
本発明のタンパク質、ヌクレオチド配列及び方法について説明する前に、説明した特定の装置、材料及び方法に本発明が限定されるものではなく、改変し得ることを理解されたい。また、ここで使用する専門用語は特定の実施例を説明する目的で用いたものに過ぎず、特許請求の範囲にのみ限定される本発明の範囲を限定することを意図したものではないことも併せて理解されたい。
【０２１１】
請求の範囲及び明細書中で用いている単数形の「或る」及び「その（この）」の表記は、文脈から明らかにそうでないとされる場合を除いて複数のものを指す場合もあることに注意しなければならない。従って、例えば「或る宿主細胞」と記されている場合にはそのような宿主細胞が複数あることもあり、「或る抗体」と記されている場合には単数または複数の抗体、及び、当業者に公知の抗体の等価物等についても言及しているのである。
【０２１２】
本明細書中で用いる全ての技術用語および科学用語は、特に定義されている場合を除き、当業者に一般に理解されている意味と同じ意味を有する。本明細書で説明するものと類似あるいは同等の任意の装置、材料及び方法を用いて本発明の実施または試験を行うことができるが、ここでは好適な装置、材料、方法について説明する。本発明で言及する全ての刊行物は、刊行物中で報告されていて且つ本発明に関係して用い得る、細胞株、プロトコル、試薬およびベクターについて説明および開示する目的で引用しているものである。本明細書のいかなる開示内容も、本発明が先行技術の効力によってこのような開示に対して先行する権利を与えられていないことを認めるものではない。
【０２１３】
（定義）
用語「ENZM」は、天然、合成、半合成或いは組換え体など全ての種（特にウシ、ヒツジ、ブタ、マウス、ウマ及びヒトを含む哺乳動物）から得られる実質的に精製されたENZMのアミノ酸配列を指す。
【０２１４】
用語「アゴニスト」は、ENZMの生物学的活性を強めたり、模倣する分子を指す。アゴニストの例として、タンパク質、核酸、糖質、小分子その他の任意の化合物や成分を挙げることができるが、これらはENZMと直接相互作用することによって、或いはENZMが関与する生物学的経路の構成エレメントに作用することによって、ENZMの活性を調節する。
【０２１５】
用語「対立遺伝子変異配列」は、ENZMをコードする遺伝子の別の形を指す。対立遺伝子変異体は、核酸配列における少なくとも１つの突然変異から作製し得る。また、変異RNAまたはポリペプチドからも作製し得る。ポリペプチドの構造または機能は、変異することもしないこともある。或る遺伝子は、その天然型の対立遺伝子変異配列を全く持たない場合もあり、１個以上持つこともある。対立遺伝子変異体を生じさせる通常の突然変異性変化は一般に、ヌクレオチドの自然な欠失、付加または置換による。これら各種の変化は、単独であるいは他の変化と共に、或る配列内で１回以上、生じ得る。
【０２１６】
ENZMをコードする「変異」核酸配列は、様々なヌクレオチドの欠失、挿入、或いは置換が起こっても、ENZMと同じポリペプチド或いはENZMの機能特性の少なくとも１つを備えるポリペプチドを指す。この定義には、ENZMをコードするポリヌクレオチド配列にとり正常な染色体の遺伝子座ではない位置での、対立遺伝子変異配列群への不適当あるいは予期しないハイブリダイゼーションを含み、また、ENZMをコードするポリヌクレオチドの特定のオリゴヌクレオチドプローブを用いて容易に検出可能な或いは検出困難な多型性を含む。コードされたタンパク質も変異され得、サイレント変化を生じENZMと機能的に等価となるアミノ酸残基の欠失、挿入、或いは置換を含み得る。意図的なアミノ酸置換は、生物学的或いは免疫学的にENZMの活性が保持される範囲で、残基の、極性、電荷、溶解度、疎水性、親水性、および／または両親媒性についての、類似性に基づいて成され得る。例えば、負に帯電したアミノ酸にはアスパラギン酸及びグルタミン酸があり、正に帯電したアミノ酸にはリジン及びアルギニンがある。親水性値が近似している非荷電極性側鎖を有するアミノ酸には、アスパラギンとグルタミン、セリンとトレオニンがある。親水性値が近似している非荷電側鎖を有するアミノ酸には、ロイシンとイソロイシンとバリン、グリシンとアラニン、フェニルアラニンとチロシンが含まれうる。
【０２１７】
用語「アミノ酸」及び「アミノ酸配列」は、オリゴペプチド、ペプチド、ポリペプチド、タンパク質配列、或いはそれらの任意の断片を指し、天然の分子及び合成分子を含む。「アミノ酸配列」が天然のタンパク質分子の配列を指す場合、「アミノ酸配列」及び類似の用語は、アミノ酸配列を記載したタンパク質分子に関連する完全で元のままのアミノ酸配列に限定するものではない。
【０２１８】
用語「増幅」は、核酸配列の複製物を作製することに関連する。増幅は通常、当業者によく知られたポリメラーゼ連鎖反応（PCR）技術を用いて行う。
【０２１９】
用語「アンタゴニスト」は、ENZMの生物学的活性を阻害或いは減弱する分子である。アンタゴニストは、ENZMに直接相互作用するか、或いはENZMが関与する生物学的経路の成分と作用して、ENZMの活性を調節する抗体、核酸、糖質、小分子、任意の他の化合物や組成物などのタンパク質を含み得る。
【０２２０】
「抗体」の語は、抗原決定基と結合することができる、そのままの免疫グロブリン分子やその断片、例えばFab,、F(ab')2 及びFv断片を指す。ENZMポリペプチドを結合する抗体は、免疫抗原として、そのままのポリペプチド、または関心のある小ペプチドを含む断片を用いて作製可能である。動物（マウス、ラット、ウサギ等）を免疫化するために用いるポリペプチドまたはオリゴペプチドは、ＲＮＡの翻訳、または化学合成によって得られるポリペプチドまたはオリゴペプチドに由来し得るもので、好みに応じてキャリアータンパク質に抱合することも可能である。通常用いられるキャリアーであってペプチドと化学結合するものは、ウシ血清アルブミン、サイログロブリン及びスカシガイのヘモシアニン（KLH）等がある。その結合ペプチドは、動物を免疫化するために用いる。
【０２２１】
用語「抗原決定基」は、特定の抗体と接触する分子の領域（即ちエピトープ）を指す。タンパク質またはタンパク質断片を用いて宿主動物を免疫化する場合、タンパク質の多数の領域が、抗原決定基（タンパク質の特定の領域または３次元構造）に特異結合する抗体の産生を誘導し得る。抗原決定基は、抗体に結合するための無損傷抗原（即ち免疫応答を誘導するために用いられる免疫原）と競合し得る。
【０２２２】
用語「アプタマー（aptamer）」は、核酸またはオリゴヌクレオチド分子であって、特定の分子ターゲットに結合する分子を指す。アプタマーはin vitroでの進化プロセスに由来する（例えば、SELEX（Systematic Evolution of Ligands by EXponential Enrichmentの略、試験管内選択法）、米国特許第5,270,163号に記述）。これは、大規模な組み合わせライブラリ群から標的特異的アプタマー配列を選択するプロセスである。アプタマー組成は、２本鎖または１本鎖であってもよく、デオキシリボヌクレオチド、リボヌクレオチド、ヌクレオチド誘導体、または他のヌクレオチド様分子を含み得る。アプタマーの各ヌクレオチド成分は修飾された糖基を持つことがあり（例えば、リボヌクレオチドの2'-OH基は2'-Fまたは2'-NH2によって置換され得る）、これは、ヌクレアーゼへの抵抗性または血中でのより長い寿命など、所望の特性を向上し得る。循環系からアプタマーが除去される速度を遅くするために、アプタマーを高分子量キャリアー等の分子に抱合させることができる。アプタマーは、たとえば光活性化または架橋剤によって各々のリガンドと特異的に架橋させることができる。（Brody, E.N. および L. Gold (2000) J. Biotechnol. 74:5-13等を参照）。
【０２２３】
「intramer」の用語はin vivoで発現されるアプタマーを意味するたとえば、ワクシニアウイルスに基づく或るＲＮＡ発現系は、白血球の細胞質内で特定のＲＮＡアプタマーが高レベルで発現するために使用されている（Blind, M. 他 (1999) Proc. Natl Acad. Sci. USA 96:3606-3610）。
【０２２４】
「spiegelmer」の語はＬ-ＤＮＡ、Ｌ-ＲＮＡその他の左旋性ヌクレオチド誘導体またはヌクレオチド様分子を含むアプタマーを指す。左旋性ヌクレオチドを含むアプタマーは、右旋性のヌクレオチドを含む基質に通常作用する天然の酵素による分解に耐性がある。
【０２２５】
本明細書において「アンチセンス」は、特定の核酸配列のセンス（コーディング）鎖と塩基対を形成し得る任意の組成物を指す。アンチセンス成分には、DNAや、RNAや、ペプチド核酸（PNA）や、ホスホロチオ酸、メチルホスホン酸またはベンジルホスホン酸等の修飾されたバックボーン結合を有するオリゴヌクレオチドや、2'-メトキシエチル糖または2'-メトキシエトキシ糖等の修飾された糖類を有するオリゴヌクレオチドや、或いは5-メチルシトシン、2-デオキシウラシルまたは7-デアザ-2'-デオキシグアノシン等の修飾された塩基を有するオリゴヌクレオチドがある。アンチセンス分子は、化学合成または転写を含む任意の方法で製造することができる。相補的アンチセンス分子は、ひとたび細胞に導入されたら、細胞が産生した天然核酸配列との塩基対を形成し、転写または翻訳を阻止する二重鎖を形成する。「負」または「マイナス」という表現は、ある参考ＤＮＡ分子のアンチセンス鎖を意味し、「正」または「プラス」という表現はある参考ＤＮＡ分子のセンス鎖を意味する。
【０２２６】
用語「生物学的に活性」は、天然分子の構造的、調節的、或いは生化学的な機能を有するタンパク質を指す。同様に、用語「免疫学的に活性」または「免疫原性」は、天然或いは組換え体のENZM、合成のENZMまたはそれらの任意のオリゴペプチドが、適当な動物或いは細胞の特定の免疫応答を誘発して特定の抗体と結合する能力を指す。
【０２２７】
「相補(的)」または「相補性」の語は、塩基対形成によってアニーリングする2つの一本鎖核酸の間の関係を指す。例えば、「5'-AGT-3'」は、その相補配列「3'-TCA-5'」との対を形成する。
【０２２８】
「所定のポリヌクレオチド配列を含む組成物」または「所定のアミノ酸配列を含む組成物」は広い意味で、所定のポリヌクレオチド配列若しくはアミノ酸配列を含む任意の組成物を指す。この組成物には、乾燥製剤または水溶液が含まれ得る。ENZMをコード、若しくはENZMの断片をコードするポリヌクレオチド配列を持つ組成物は、ハイブリダイゼーションプローブとして使用され得る。このプローブは、凍結乾燥状態で保存可能であり、糖質などの安定化剤と結合させることが可能である。ハイブリダイゼーションにおいては、塩（例えばNaCl）、界面活性剤（例えばドデシル硫酸ナトリウム；SDS）及びその他の構成成分（例えばデンハート液、脱脂粉乳、サケの精子のDNA等）を含む水溶液中にプローブを分散させることができる。
【０２２９】
「コンセンサス配列」は、不要な塩基を分離するためにDNA配列の解析を繰り返し行い、XL-PCRキット（PE Biosystems,Foster City CA）を用いて５'及び／または３'の方向に伸長され、再度シークエンシングされた核酸配列、またはGELVIEW 断片アセンブリシステム（GCG, Madison, WI）またはPhrap (University of Washington, Seattle WA)等の断片アセンブリ用のコンピュータプログラムを用いて１つ或いはそれ以上のオーバーラップするcDNAやEST、またはゲノムDNA断片からアセンブリされた核酸配列を指す。伸長及びアセンブリの両方を行ってコンセンサス配列を作製する配列もある。
【０２３０】
用語「保存的なアミノ酸置換」は、元のタンパク質の特性を殆ど変えない置換を指す。即ち、置換によってそのタンパク質の構造や機能が大きくは変わらず、そのタンパク質の構造、特にその機能が保存される。下表は、タンパク質中で元のアミノ酸と置換できて、保存アミノ酸置換と認められるアミノ酸を示している。
【０２３１】
2004535787.tif 000002
【０２３２】
保存アミノ酸置換では通常、（ａ）置換領域におけるポリペプチドのバックボーン構造、例えばβシートやα螺旋構造、（ｂ）置換部位における分子の電荷または疎水性、及び／または（ｃ）側鎖の大部分を保持する。
【０２３３】
用語「欠失」は、１個以上のアミノ酸残基が欠如するアミノ酸配列の変化、或いは１個以上のヌクレオチドが欠如する核酸配列の変化を指す。
【０２３４】
用語「誘導体」は、化学修飾されたポリヌクレオチドまたはポリペプチドを指す。例えば、アルキル基、アシル基、ヒドロキシル基またはアミノ基による水素の置換は、ポリヌクレオチド配列の化学修飾に含まれ得る。ポリヌクレオチド誘導体は、天然分子の生物学的または免疫学的機能を少なくとも１つは保持しているポリペプチドをコードする。ポリペプチド誘導体は、グリコシル化、ポリエチレングリコール化（pegylation）、或いは任意の同様なプロセスであって、誘導起源のポリペプチドの少なくとも１つの生物学的若しくは免疫学的機能を保持するプロセスによって、修飾されたポリペプチドである。
【０２３５】
「検出可能な標識」は、測定可能な信号を発生し得る、ポリヌクレオチドやポリペプチドに共有結合或いは非共有結合するレポーター分子や酵素を指す。
【０２３６】
「差次的発現」は少なくとも2つの異なったサンプルを比較することによって決められる、増加（上方調節）、あるいは減少（下方調節）、または欠損遺伝子またはタンパク発現の欠損を指す。このような比較は例えば、処理済サンプルと不処理サンプル、または病態のサンプルと正常サンプルの間で行われ得る。
【０２３７】
「エキソンシャフリング」は、異なるコード領域（エキソン）の組換えを意味する。1つのエキソンがコードされたタンパク質の1つの構造的または機能的ドメインを代表し得るため、安定したサブストラクチャーを再分類することによって、新しいタンパク質が組立てられることが可能であり、新しいタンパク質機能の進化を促進できる。
【０２３８】
用語「断片」は、ENZMまたはENZMをコードするポリヌクレオチドの固有の部分であって、その親配列（parent sequence）と同一であるがその配列より長さが短いものを指す。断片は、定義された配列の全長から１ヌクレオチド／アミノ酸残基を差し引いた長さよりも短い長さを有し得る。例えば或る断片は、５〜１０００の連続したヌクレオチドまたはアミノ酸残基を有し得る。プローブ、プライマー、抗原、治療用分子として、或いはその他の目的のために用いられる断片は、少なくとも５、１０、１５、２０、２５、３０、４０、５０、６０、７５、１００、１５０、２５０若しくは５００の連続したヌクレオチド或いはアミノ酸残基長さであり得る。断片は、分子の特定領域から選択的に選択し得る。例えば、ポリペプチド断片は、所定の配列に示すような最初の２５０または５００アミノ酸（またはポリペプチドの最初の２５％または５０％）から選択された或る長さの連続したアミノ酸を有し得る。これらの長さは明らかに例として挙げているものであり、本発明の実施例では、配列表、表及び図面を含む明細書に裏付けされた任意の長さであってよい。
【０２３９】
SEQ ID NO:13-24 の断片は、例えば、この断片を得たゲノム内の他の配列とは異なる、SEQ ID NO:13-24 を明確に同定する固有のポリヌクレオチド配列の領域を含む。SEQ ID NO:13-24のある断片は、例えば、ハイブリダイゼーションや増幅技術、またはSEQ ID NO:13-24を関連ポリヌクレオチド配列から区別する類似の方法に有用である。SEQ ID NO:13-24の断片の正確な長さ及び断片に対応するSEQ ID NO:13-24の領域は、断片に対する意図した目的に基づき当業者が慣例的に決定することが可能である。
【０２４０】
SEQ ID NO:1-12 のある断片は、SEQ ID NO:13-24のある断片によってコードされる。 SEQ ID NO:1-12 のある断片には、SEQ ID NO:1-12を特異的に同定する固有のアミノ酸配列領域が含まれている。 例えば、SEQ ID NO:1-12 のある断片は、SEQ ID NO:1-12を特異認識する抗体を産出するための免疫原性ペプチドとして有用である。 SEQ ID NO:1-12 のある断片の正確な長さ、及びその断片に対応するSEQ ID NO:1-12 の領域は、断片に対する意図した目的に基づき当業者が慣例的に決定することが可能である。
【０２４１】
「完全長」ポリヌクレオチド配列とは、少なくとも１つの翻訳開始コドン（例えばメチオニン）、オープンリーディングフレーム及び翻訳終止コドンを有する配列である。「完全長」ポリヌクレオチド配列は、「完全長」ポリペプチド配列をコードする。
【０２４２】
「相同性」の語は、２つ以上のポリヌクレオチド配列または２つ以上のポリペプチド配列の配列類似性、または配列同一性を意味する。
【０２４３】
ポリヌクレオチド配列についての用語「一致率」または「一致性％」とは、標準化されたアルゴリズムを用いてアラインメントされる、２つ以上のポリヌクレオチド配列間の一致する残基の百分率のことである。このようなアルゴリズムは、２配列間のアラインメントを最適化するために、比較する配列において、標準化された再現性のある方法でギャップを挿入しうるので、２つの配列をより有意に比較できる。
【０２４４】
ポリヌクレオチド配列間の一致率は、MEGALIGN version 3.12e配列アラインメントプログラムに組込まれているようなCLUSTAL Vアルゴリズムのデフォルトのパラメータを用いて決定できる。このプログラムは、LASERGENE ソフトウェアパッケージ(一組の分子生物学的分析プログラム) (DNASTAR, Madison WI)の一部である。このCLUSTAL Vは、Higgins, D.G. 及び P.M. Sharp (1989) CABIOS 5:151-153、Higgins, D.G. 他 (1992) CABIOS 8:189-191に記載されている。ポリヌクレオチド配列を２つ１組でアラインメントする際のデフォルトパラメータは、Ktuple=2、gap penalty=5、window=4、「diagonals saved」=4と設定する。「weighted（重み付けされた）」残基重み付け表が、デフォルトとして選択される。一致率は、アラインメントされたポリヌクレオチド配列間の「percent similarity（類似性パーセント）」としてCLUSTAL Vによって報告される。
【０２４５】
或いは、一般的に用いられ且つ自由に入手できる配列比較アルゴリズム一式が、国立バイオテクノロジー情報センター（NCBI）Basic Local Alignment Search Tool（BLAST）から提供されており（Altschul, S.F. 他 (1990) J. Mol. Biol. 215:403-410）、これはメリーランド州ベセスダにあるNCBI及びインターネット（http://www.ncbi.nlm.nih.gov/BLAST/）を含む幾つかの情報源から入手可能である。このBLASTソフトウェア一式には、既知のポリヌクレオチド配列と様々なデータベースの別のポリヌクレオチド配列とのアラインメントに用いられる「blastn」を含む、様々な配列分析プログラムが含まれる。「BLAST 2 Sequences」と呼ばれるツールが入手可能であり、２つのヌクレオチド配列の直接のペアワイズで比較するために用いられる。「BLAST 2 Sequences」は、http://www.ncbi.nlm.nih.gov/gorf/bl2.htmlにアクセスして、対話形式で利用ができる。「BLAST 2 Sequences」ツールは、blastn および blastp（以下に記載）の両方に用い得る。BLASTプログラムは、一般的には、ギャップ（gap）などのパラメータをデフォルト設定にセットして用いる。例えば、２つのヌクレオチド配列を比較するために、デフォルトパラメータとして設定された「BLAST 2 Sequences」ツールVersion 2.0.12（2000年4月21日）を用いてblastnを実行してもよい。デフォルトパラメータの設定例を以下に示す。
【０２４６】
Matrix:BLOSUM62
Reward for match: 1
Penalty for mismatch: -2
Open Gap:5 及びExtension Gap：2 penalties
Gap x drop-off: 50
Expect: 10
Word Size: 11
Filter:on
【０２４７】
一致率は、ある定義された配列の全長（例えば特定のSEQ IDナンバーで定義された配列）で測定し得る。或いは、より短い長さ、例えば、定義された、より大きな配列から得られた断片（例えば少なくとも２０、３０、４０、５０、７０、１００または２００の連続したヌクレオチドの断片）の長さと比較して一致率を測定してもよい。ここに挙げた長さは単なる例示的なものに過ぎず、表、図及び配列リストを含めた本明細書に記載された配列に裏付けられた任意の配列長さの断片を用いて、一致率を測定し得る長さを説明し得ることを理解されたい。
【０２４８】
高度の相同性を示さない核酸配列が、それにもかかわらず遺伝子コードの縮重が原因で類似のアミノ酸配列をコードする場合がある。この縮重を利用して核酸配列内で変化を生じさせて、全ての核酸配列が実質上同一のタンパク質をコードするような多数の核酸配列を生成し得ることを理解されたい。
【０２４９】
ポリペプチド配列に用いられる用語「一致率」または「一致性％」とは、標準化されたアルゴリズムを用いてアラインメントされる２つ以上のポリペプチド配列間の一致する残基の百分率のことである。ポリペプチド配列アラインメントの方法は公知である。保存的アミノ酸置換を考慮するアラインメント方法もある。既に詳述したこのような保存的置換は通常、置換部位の電荷および疎水性を保存するので、ポリペプチドの構造を（したがって機能も）保存する。
【０２５０】
ポリペプチド配列間の一致率は、MEGALIGN version 3.12e配列アラインメントプログラムに組込まれているようなCLUSTAL Vアルゴリズムのデフォルトのパラメータを用いて決定できる（既に説明したのでそれを参照されたい）。CLUSTAL Vを用いて、ポリぺプチド配列をペアワイズアラインメントする際のデフォルトパラメータは、Ktuple=1、gap penalty=3、window=5、「diagonals saved」=5と設定する。デフォルトの残基重み付け表としてPAM250マトリクスが選択される。ポリヌクレオチドアラインメントと同様に、CLUSTAL Vは、アラインメントされたポリペプチド配列対間の「類似率」として一致率を報告する。
【０２５１】
或いは、NCBI BLASTソフトウェア一式を用いてもよい。例えば、２つのポリペプチド配列をペアワイズで比較する場合、「BLAST 2 Sequences」ツールVersion 2.0.12（2000年4月21日）のblastpをデフォルトパラメータに設定して用い得る。デフォルトパラメータの設定例を以下に示す。
【０２５２】
Matrix:BLOSUM62
Open Gap:11 及びExtension Gap：1 penalties
Gap x drop-off: 50
Expect: 10
Word Size: 3
Filter:on
【０２５３】
一致率は、定義された（例えば特定の配列番号で定義された）ポリペプチド配列全体の長さと比較して測定し得る。或いは、より短い長さ、例えばより大きな定義されたポリペプチド配列から得られた断片（例えば少なくとも１５、２０、３０、４０、５０、７０または１５０の連続した残基の断片）の長さと比較して一致率を測定してもよい。ここに挙げた長さは単なる例示的なものに過ぎず、表、図及び配列リストを含めた本明細書に記載された配列に裏付けられた任意の配列長さの断片を用いて、或る長さであってその長さに対して一致率を測定し得る長さを説明し得ることを理解されたい。
【０２５４】
「ヒト人工染色体（HAC）」は、約６kb 〜１０MbのサイズのDNA配列を含み得る、安定した染色体複製の分離及び維持に必要な全てのエレメントを含む直鎖状の小染色体である。
【０２５５】
用語「ヒト化抗体」は、もとの結合能力を保持しつつよりヒトの抗体に似せるために、非抗原結合領域のアミノ酸配列が変えられた抗体分子を指す。
【０２５６】
「ハイブリダイゼーション」とは、所定のハイブリダイゼーション条件下で、ある一本鎖ポリヌクレオチドがある相補的な一本鎖と塩基対を形成するアニーリングのプロセスである。特異的ハイブリダイゼーションは、２つの核酸配列が高い相補性を共有することを示すものである。特異的ハイブリダイゼーション複合体は許容されるアニーリング条件下で形成され、「洗浄」ステップ後もハイブリダイズされたままである。洗浄ステップは、ハイブリダイゼーションプロセスのストリンジェンシーを決定する際に特に重要であり、更にストリンジェントな条件では、非特異結合（即ち完全には一致しない核酸鎖間の対の結合）が減少する。核酸配列のアニーリングに対する許容条件は、本技術分野における当業者が慣例的に決定する。 許容条件はハイブリダイゼーション実験の間は一定でよいが、洗浄条件は所望のストリンジェンシーを得るように、従ってハイブリダイゼーション特異性も得るように実験中に変更することができる。アニーリングが許容される条件は、例えば、温度が６８℃で、約６×SSC、約１％（w/v）のSDS、並びに約１００μｇ／ｍｌのせん断して変性したサケ精子DNAが含まれる。
【０２５７】
一般に、ハイブリダイゼーションのストリンジェンシーは或る程度、洗浄ステップを実行する温度を基準にして表すことができる。このような洗浄温度は通常、所定のイオン強度及びpHにおける特定の配列の融点（Tm）より約５〜２０℃低くなるように選択する。このTmは、所定のイオン強度及びpHの条件下で、完全に一致するプローブに標的配列の５０％がハイブリダイズする温度である。Tmを計算する式及び核酸のハイブリダイゼーション条件はよく知られており、Sambrook 他 (1989) Molecular Cloning: A Laboratory Manual, 第2版, 1-3巻, Cold Spring Harbor Press, Plainview NYに記載されており、特に2巻の9章を参照されたい。
【０２５８】
本発明のポリヌクレオチド間の高いストリンジェンシーのハイブリダイゼーションでは、約０．２x SSC及び約0.１％のSDSの存在の下、約６８℃で１時間の洗浄過程を含む。別法では、６５℃、６０℃、５５℃、４２℃の温度で行う。SSC濃度は、約０.１％のSDS存在下で、約０.１〜２×SSCの範囲で変化し得る。通常は、ブロッキング剤を用いて非特異ハイブリダイゼーションを阻止する。このようなブロッキング剤には、例えば、約100〜200μg/mlのせん断した変性サケ精子DNAがある。特定条件下で、例えばRNAとDNAのハイブリダイゼーションに有機溶剤、例えば約３５〜５０％v/vの濃度のホルムアミドを用いることもできる。洗浄条件の有用なバリエーションは、当業者には自明であろう。ハイブリダイゼーションは、特に高ストリンジェント条件下では、ヌクレオチド間の進化的な類似性を示唆し得る。このような類似性は、ヌクレオチド群及びヌクレオチドにコードされるポリペプチド群について、類似の役割を強く示唆している。
【０２５９】
用語「ハイブリダイゼーション複合体」は、相補的な塩基間の水素結合によって、形成された２つの核酸配列の複合体を指す。ハイブリダイゼーション複合体は、溶解状態で形成し得る（C0tまたはR0t解析等）。或いは、一方の核酸配列が溶解状態で存在し、もう一方の核酸配列が固体支持体（例えば紙、膜、フィルタ、チップ、ピンまたはガラススライド、或いは他の適切な基板であって細胞若しくはその核酸が固定される基板）に固定されているような２つの核酸配列間に形成され得る。
【０２６０】
用語「挿入」或いは「付加」は、１個以上のアミノ酸残基或いはヌクレオチドがそれぞれ追加されるアミノ酸配列或いは核酸配列の変化を指す。
【０２６１】
「免疫応答」は、炎症、外傷、免疫異常症、伝染性疾患または遺伝性疾患に関連する症状を指し得る。これらの症状は、細胞及び全身の防御系に作用し得る種々の因子、例えばサイトカイン、ケモカイン、その他のシグナル伝達分子の発現によって特徴づけることができる。
【０２６２】
用語「免疫原性断片」は、例えば哺乳動物などの生きている動物に導入すると、免疫反応を引き起こすENZMのポリペプチド断片またはオリゴペプチド断片を指す。用語「免疫原性断片」はまた、本明細書で開示するまたは当分野で周知のあらゆる抗体生産方法に有用なENZMのポリペプチド断片またはオリゴペプチド断片を含む。
【０２６３】
用語「マイクロアレイ」は、基板上の複数のポリヌクレオチド、ポリペプチドまたはその他の化合物の構成を指す。
【０２６４】
用語「エレメント」または「アレイエレメント」は、マイクロアレイ上に固有の指定された位置を有する、ポリヌクレオチド、ポリペプチドまたはその他の化合物を指す。
【０２６５】
用語「調節（modulate）」は、ENZMの活性の変化を指す。例えば、調節によって、ENZMのタンパク質活性、或いは結合特性、またはその他の生物学的特性、機能的特性或いは免疫学的特性の変化が起こる。
【０２６６】
「核酸」及び「核酸配列」の語は、ヌクレオチド、オリゴヌクレオチド、ポリヌクレオチドまたはこれらの断片を指す。「核酸」及び「核酸配列」の語は、ゲノム起源または合成起源のDNAまたはRNAであって一本鎖または二本鎖であるか或いはセンス鎖またはアンチセンス鎖を表し得るようなDNAまたはRNAや、ペプチド核酸（PNA）や、任意のDNA様またはRNA様物質を指すこともある。
【０２６７】
「機能的に連結した」は、第１の核酸配列と第２の核酸配列が機能的な関係にある状態を指す。例えば、プロモーターがコード配列の転写または発現に影響を及ぼす場合には、そのプロモーターはそのコード配列に機能的に連結している。同一のリーディングフレーム内で２つのタンパク質コード領域を接続する必要がある場合、一般に、機能的に連結したDNA配列は非常に近接するか、或いは連続的に隣接し得る。
【０２６８】
「ペプチド核酸（PNA）」は、末端がリシンで終わるアミノ酸残基のペプチドのバックボーンに結合した、少なくとも約５ヌクレオチドの長さのオリゴヌクレオチドを含む、アンチセンス分子または抗遺伝子剤を指す。末端のリジンは、この組成に溶解性を与える。PNAは、相補的一本鎖DNAまたはRNAに優先的に結合して転写の伸長を停止するものであり、ポリエチレングリコール化して細胞におけるPNAの寿命を延長し得る。
【０２６９】
ENZMの「翻訳後修飾」には、脂質化、グリコシル化、リン酸化、アセチル化、ラセミ化、蛋白分解性切断及びその他の当分野で既知の修飾を含まれ得る。これらのプロセスは、合成或いは生化学的に生じ得る。生化学的修飾は、ENZMの酵素環境に依存し、細胞の種類によって異なることとなる。
【０２７０】
「プローブ」とは、核酸配列の内、ENZMやそれらの相補配列、またはそれらの断片をコードし、同一配列や対立遺伝子核酸配列、または関連する核酸配列の検出に用いる配列を指す。プローブは、単離されたオリゴヌクレオチドまたはポリヌクレオチドであって、検出可能な標識またはレポーター分子に結合したものである。典型的な標識には、放射性アイソトープ、リガンド、化学発光試薬及び酵素がある。「プライマー」とは、相補的な塩基対を形成して標的のポリヌクレオチドにアニーリング可能な、通常はDNAオリゴヌクレオチドである短い核酸である。プライマーは次に、DNAポリメラーゼ酵素によって標的DNA鎖に沿って延長し得る。プライマー対は、例えばポリメラーゼ連鎖反応（PCR）による核酸配列の増幅（及び同定）に用い得る。
【０２７１】
本発明に用いるようなプローブ及びプライマーは通常、既知の配列の、少なくとも15の連続したヌクレオチドを含んでいる。特異性を高めるために長めのプローブ及びプライマー、例えば開示した核酸配列の少なくとも２０、２５、３０、４０、５０、６０、７０、８０、９０、１００または１５０の連続したヌクレオチドからなるようなプローブ及びプライマーを用いてもよい。これよりもかなり長いプローブ及びプライマーもある。表、図面及び配列リストを含む本明細書に裏付けされた任意の長さのヌクレオチドを用いることができるものと理解されたい。
【０２７２】
プローブ及びプライマーの調製及び使用方法については、Sambrook, J.他 (1989) Molecular Cloning: A Laboratory Manual, 第2版, 1-3巻、Cold Spring Harbor Press, Plainview NY、Ausubel, F.M.他, (1987) Current Protocols in Molecular Biology, Greene Pubi. Assoc. & Wiley-Intersciences, New York NY、Innis他 (1990) PCR Protocols, A Guide to Methods and Applications Academic Press, San Diego CA等を参照されたい。PCRプライマー対は、その目的のためのコンピュータプログラム、例えばPrimer（Version 0.5, 1991, Whitehead Institute for Biomedical Research, Cambridge MA）を用いるなどして既知の配列から得ることができる。
【０２７３】
プライマーとして用いるオリゴヌクレオチドの選択は、そのような目的のために本技術分野で既知のソフトウェアを用いて行う。例えばOLIGO 4.06ソフトウェアは、各１００ヌクレオチドまでのPCRプライマー対の選択に有用であり、オリゴヌクレオチド及び最大５,０００までの大きめのポリヌクレオチドであって３２キロベースまでのインプットポリヌクレオチド配列から得たものを分析するのにも有用である。類似のプライマー選択プログラムには、拡張能力のための追加機能が組込まれている。例えば、PrimOUプライマー選択プログラム（テキサス州ダラスにあるテキサス大学南西部医療センターのゲノムセンターから一般向けに入手可能）は、メガベース配列から特定のプライマーを選択することが可能であり、従ってゲノム全体の範囲でプライマーを設計するのに有用である。Primer3プライマー選択プログラム（Whitehead Institute/MIT Center for Genome Research（マサチューセッツ州ケンブリッジ）より入手可能）を用いれば、プライマー結合部位として避けたい配列を指定できる「非プライミングライブラリ（mispriming library）」を入力できる。Primer3は特に、マイクロアレイのためのオリゴヌクレオチドの選択に有用である。（後二者のプライマー選択プログラムのソースコードは、それぞれの情報源から得てユーザー固有のニーズを満たすように変更してもよい。）PrimerGenプログラム（英国ケンブリッジ市の英国ヒトゲノムマッピングプロジェクト-リソースセンターから一般向けに入手可能）は、多数の配列アラインメントに基づいてプライマーを設計し、それによって、アラインメントされた核酸配列の最大保存領域または最小保存領域の何れかとハイブリダイズするようなプライマーの選択を可能にする。従って、このプログラムは、固有であって保存されたオリゴヌクレオチド及びポリヌクレオチドの断片の同定に有用である。上記選択方法のいずれかによって同定したオリゴヌクレオチド及びポリヌクレオチドの断片は、ハイブリダイゼーション技術において、例えばPCRまたはシークエンシングプライマーとして、マイクロアレイエレメントとして、或いは核酸のサンプルにおいて完全または部分的相補的ポリヌクレオチドを同定する特異プローブとして有用である。オリゴヌクレオチドの選択方法は、上記の方法に限定されるものではない。
【０２７４】
本明細書における「組換え核酸」は天然の配列ではなく、２つ以上の配列の離れたセグメントを人工的に組み合わせた配列である。この人為的組合せはしばしば化学合成によって達成するが、より一般的には核酸の単離セグメントの人為的操作によって、例えばのSambrookらの文献（前出）に記載されているような遺伝子工学的手法によって達成する。組換え核酸の語は、単に核酸の一部が付加、置換または欠失により改変された核酸も含む。しばしば組換え核酸には、プロモーター配列に機能的に連結した核酸配列が含まれる。このような組換え核酸は、例えばある細胞を形質転換するために使用されるベクターの一部とすることが可能である。
【０２７５】
或いはこのような組換え核酸は、ウイルスベクターの一部であって、例えばワクシニアウイルスに基づくものであり得る。そのようなワクシニアウイルスは哺乳動物に接種され、その組換え核酸が発現されて、その哺乳動物ないで防御免疫応答を誘導するように使用することができる。
【０２７６】
「調節因子」は、通常は遺伝子の非翻訳領域に由来する核酸配列であり、エンハンサー、プロモーター、イントロン及び５'及び３'の非翻訳領域（UTR）を含む。調節エレメントは、転写、翻訳またはRNA安定性を調節する宿主タンパク質またはウイルスタンパク質と相互作用する。
【０２７７】
「レポーター分子」は、核酸、アミノ酸または抗体の標識に用いられる化学的または生化学的な部分である。レポーター分子には、放射性核種、酵素、蛍光剤、化学発光剤、発色剤、基質、補助因子、阻害因子、磁気粒子及びその他の当分野で既知の成分がある。
【０２７８】
DNA配列に対する「RNA等価物」とは、基準となるDNA配列と同じ直鎖の核酸配列から構成されるが、窒素性塩基のチミンがウラシルで置換され、糖鎖のバックボーンがデオキシリボースではなくリボースからなる。
【０２７９】
用語「サンプル」は、その最も広い意味で用いられている。ENZM、ENZMをコードする核酸、またはその断片を含むと推定されるサンプルは、体液と、細胞からの抽出物や細胞から単離された染色体や細胞内小器官、膜と、細胞と、溶液中に存在するまたは基板に固定されたゲノムDNA、RNA、cDNAと、組織と、組織プリント等を含み得る。
【０２８０】
用語「特異的結合」及び「特異的に結合する」は、タンパク質若しくはペプチドと、アゴニスト、抗体、アンタゴニスト、小分子、若しくは任意の天然若しくは合成の結合組成物との間の相互作用を指す。この相互作用は、タンパク質の特定の構造（例えば抗原決定基即ちエピトープ）であって結合分子が認識するものが存在するか否かに依存していることを意味している。例えば、抗体がエピトープ「Ａ」に対して特異的である場合、結合していない標識した「Ａ」及び抗体を含む反応液に、エピトープＡを含むポリペプチド或いは結合していない無標識の「Ａ」が存在すると、抗体と結合する標識Ａの量が減少する。
【０２８１】
用語「実質的に精製された」は、自然の環境から取り除かれてから、単離あるいは分離された核酸配列あるいはアミノ酸配列であって、自然に結合している組成物が少なくとも約６０％除去されたものであり、好ましくは約７５％以上除去、最も好ましくは９０％以上除去されたものを指す。
【０２８２】
「置換」とは、一つ以上のアミノ酸またはヌクレオチドをそれぞれ別のアミノ酸またはヌクレオチドに置き換えることである。
【０２８３】
用語「基板」は、任意の好適な固体或いは半固体の支持物を指し、膜及びフィルター、チップ、スライド、ウエハ、ファイバー、磁気または非磁気ビード、ゲル、チューブ、プレート、ポリマー、微小粒子、毛細管が含まれる。基板は、壁、溝、ピン、チャネル、孔等、様々な表面形態を有することができ、基板表面にはポリヌクレオチドやポリペプチドが結合する。
【０２８４】
「転写イメージ」または「発現プロファイル」は、所定条件下での所定時間における特定の細胞の種類または組織による集合的遺伝子発現のパターンを指す。
【０２８５】
「形質転換(transformation)」とは、外来DNAが受容細胞に導入されるプロセスのことである。形質転換は、本技術分野で知られている種々の方法に従って自然条件または人工条件下で生じ得るものであり、外来性の核酸配列を原核宿主細胞または真核宿主細胞に挿入する任意の既知の方法を基にし得る。形質転換の方法は、形質転換する宿主細胞の種類によって選択する。限定するものではないが形質転換方法には、ウイルス感染、電気穿孔法（エレクトロポレーション）、熱ショック、リポフェクション及び微粒子銃を用いる方法がある。「形質転換された細胞」には、導入されたDNAが自律的に複製するプラスミドとして或いは宿主染色体の一部として複製可能である安定的に形質転換された細胞が含まれる。さらに、限られた時間に一過的に導入DNA若しくは導入RNAを発現する細胞も含まれる。
【０２８６】
ここで用いる「遺伝形質転換体」とは任意の生物体であり、限定するものではないが動植物を含み、生物体の１若しくは数個の細胞が、ヒトの関与によって、例えば本技術分野でよく知られている形質転換技術によって導入された異種核酸を有する。 核酸の細胞への導入は、直接または間接的に、細胞の前駆物質に導入することによって、計画的な遺伝子操作によって、例えば微量注射法によって或いは組換えウイルスの導入によって行う。別の例においては、レンチウイルスなどの組換えウイルスベクターを感染させることによって核酸を導入できる(Lois, C. 他 (2002) Science 295:868-872)。遺伝子操作の語は、古典的な交雑育種或いは試験管内受精を指すものではなく、組換えDNA分子の導入を指すものである。本発明に基づいて予期される遺伝形質転換体には、バクテリア、シアノバクテリア、真菌及び動植物がある。本発明の単離されたDNAは、本技術分野で知られている方法、例えば感染、形質移入、形質転換またはトランス接合（transconjugation）によって宿主に導入することができる。本発明のDNAをこのような生物体に移入する技術はよく知られており、前出のSambrook ら (1989) 等の参考文献に与えられている。
【０２８７】
特定の核酸配列の「変異体」は、核酸配列１本全部の長さに対して特定の核酸配列と少なくとも４０％の相同性を有する核酸配列であると定義する。 その際、デフォルトパラメータに設定した「BLAST 2 Sequences」ツールVersion 2.0.9（1999年5月7日）を用いてblastnを実行する。このような核酸対は、所定の長さに対して、例えば少なくとも５０％、６０％、７０％、８０％、８５％、９０％、９１％、９２％、９３％、９４％、９５％、９６％、９７％、９８％、９９％またはそれ以上の相同性を示し得る。或る変異体は、例えば「対立遺伝子」変異体（前述）、「スプライス」変異体、「種」変異体または「多型性」変異体として説明し得る。スプライス変異体は参照分子とかなりの相同性を有し得るが、mRNAプロセッシング中のエキソンの選択的スプライシングによって通常、より多くまたはより少数のヌクレオチドを有することになる。対応するポリペプチドは、追加機能ドメインを有するか或いは参照分子に存在するドメインが欠落していることがある。種変異体は、種によって異なるポリヌクレオチド配列である。結果的に生じるポリペプチドは通常、相互にかなりのアミノ酸相同性を有する。多型性変異体は、与えられた種の個体間で特定の遺伝子のポリヌクレオチド配列中での変異である。多型変異配列はまた、ポリヌクレオチド配列の１つのヌクレオチドが異なる「１塩基多型性」（SNP）も含み得る。SNPの存在は、例えば特定の個体群、病状または病状性向を示し得る。
【０２８８】
特定のポリペプチド配列の「変異体」は、ポリペプチド配列の１本の長さ全体で特定のポリペプチド配列に対して少なくとも４０％の相同性を有するポリペプチド配列として定義される。定義づけには、デフォルトパラメータに設定した「BLAST 2 Sequences」ツールVersion 2.0.9（1999年5月7日）を用いてblastpを実行する。このようなポリペプチド対は、一方のポリペプチドの或る所定の長さに対して、例えば少なくとも５０％、６０％、７０％、８０％、９０％、９１％、９２％、９３％、９４％、９５％、９６％、９７％、９８％、９９％またはそれ以上の配列同一性を示し得る。
【０２８９】
（発明）
本発明は、新規のヒトの酵素（ENZM）及びENZMをコードするポリヌクレオチドの発見に基づき、これらの組成物を利用した自己免疫/炎症疾患、感染症、免疫不全、代謝の障害、生殖系疾患、神経の疾患、心血管疾患、眼疾患、および癌を含む細胞増殖異常の診断、治療、及び予防に関する。
【０２９０】
表１は、本発明の完全長ポリヌクレオチド配列及びポリペプチド配列の命名の概略である。各ポリヌクレオチド及びその対応するポリペプチドは、１つのIncyteプロジェクト識別番号（IncyteプロジェクトID）と相関する。各ポリペプチド配列は、ポリペプチド配列識別番号（ポリペプチドSEQ ID NO）とIncyteポリペプチド配列番号（IncyteポリペプチドID）によって表示した。各ポリヌクレオチド配列は、ポリヌクレオチド配列識別番号（ポリヌクレオチドSEQ ID NO）とIncyteポリヌクレオチドコンセンサス配列番号（IncyteポリヌクレオチドID）によって表示した。
【０２９１】
表２は、GenBankタンパク質（genpept）データベースに対するBLAST分析によって同定されたような、本発明のポリペプチドとの相同性を有する配列を示している。列１および列２はそれぞれ、本発明の各ポリペプチドに対するポリペプチド配列識別番号（ポリペプチド SEQ ID NO:）とそれに対応するIncyte ポリペプチド配列番号（Incyte ポリペプチド ID）を示す。列３は、最も近いGenBank相同体のGenBank識別番号（GenBank ID NO:）を示す。列４は、各ポリペプチドとその相同体との間の一致について確率スコアを示す。列５は、該当箇所には適当な引用を示すとともにGenBank相同体１つ以上の注釈（annotation）を示し、これらはすべて本明細書では参考文献に含まれる。
【０２９２】
表３は、本発明のポリペプチドの様々な構造的特徴を示す。列１および列２はそれぞれ、本発明の各ポリペプチドのポリペプチド配列識別番号（SEQ ID NO :）およびそれに対応するIncyte ポリペプチド配列番号（Incyte ポリペプチド ID）を示す。列３は、各ポリペプチドのアミノ酸残基数を示す。列４および列５はそれぞれ、GCG配列分析ソフトウェアパッケージのMOTIFSプログラム（Genetics Computer Group, Madison WI）によって決定された、リン酸化およびグリコシル化の可能性のある部位を示す。列６は、シグネチャ配列、ドメイン、およびモチーフを含むアミノ酸残基を示す。列７は、タンパク質の構造／機能の分析のための分析方法を示し、該当箇所にはさらに分析方法に利用した検索可能なデータベースを示す。
【０２９３】
表２及び３は共に、本発明の各々のポリペプチドの特性を要約しており、それら特性が請求の範囲に記載されたポリペプチドが酵素であることを確立している。例えば、SEQ ID NO:1はヒトのサイトゾルエポキシドヒドロラーゼ(GenBank ID g181395)と残基L59から残基I250までで38％の同一性を有することがBasic Local Alignment Search Tool (BLAST)によって示された。（表2参照）。BLAST確率スコアは3.4e-35であり、これは観察されたポリペプチド配列アラインメントが偶然に得られる確率を示している。SEQ ID NO:1はまた、１つのαβヒドロラーゼフォールドドメインを有するが、 これは、隠れマルコフモデル（HMM）を基にした保存されたタンパク質ファミリードメインのPFAMデータベースにおいて、統計的に有意な一致を検索して決定された （表3参照）。BLIMPS解析および付加的BLAST解析からのデータは、SEQ ID NO:1がエポキシドヒドロラーゼであることを更に確証する証拠を提供する。また他の例として、SEQ ID NO:2はマウスのアセチルトランスフェラーゼTubedown-1  (GenBank ID g8497318) と残基E275 から残基I864までで64％の同一性を有することがBasic Local Alignment Search Tool (BLAST)によって示された。（表2参照）。BLAST確率スコアは4.4e-210であり、これは観察されたポリペプチド配列アラインメントが偶然に得られる確率を示している。SEQ ID NO:2はまた、TPRドメインを有するが、これは、隠れマルコフモデル（HMM）を基にした保存されたタンパク質ファミリードメインのPFAMデータベースにおいて、統計的に有意な一致を検索して決定された （表3参照）。PRODOMデータベースに対するさらなるBLAST解析よりのデータは、SEQ ID NO:2がアセチルトランスフェラーゼであることをさらに確証する証拠を提供する。別の例において、SEQ ID NO:3 はヒトのトランス-プレニルトランスフェラーゼ (GenBank ID g4732024)と残基M1からK376にかけて97%の同一性を有することがBasic Local Alignment Search Tool (BLAST)によって決定された（表2参照）。BLAST確率スコアは5.6e-194であり、これは観察されたポリペプチド配列アラインメントが偶然に得られる確率を示している。SEQ ID NO:3はまた、ポリプレニル合成酵素 ドメインを有するが、 これは、隠れマルコフモデル（HMM）を基にした保存されたタンパク質ファミリードメインのPFAMデータベースにおいて、統計的に有意な一致を検索して決定された。 （表3参照）。BLIMPS、MOTIFS、及びPROFILESCAN解析よりのデータは、SEQ ID NO:3がトランスプレニルトランスフェラーゼである、さらに実証的な証拠を提供する。別の例として、SEQ ID NO:6は残基M1から残基K399にかけてラットのアルギニノコハク酸合成酵素(GenBank ID g55767)と75％の同一性を有することがBasic Local Alignment Search Tool (BLAST)によって決定された（表2参照）。BLAST確率スコアは6.3e-158であり、これは観察されたポリペプチド配列アラインメントが偶然に得られる確率を示している。SEQ ID NO:6はまた、アルギノコハク酸合成酵素ドメインを有するが、 これは、隠れマルコフモデル（HMM）を基にした保存されたタンパク質ファミリードメインのPFAMデータベースにおいて、統計的に有意な一致を検索して決定された。 （表3参照）。BLIMPS及びPROFILESCAN解析よりのデータは、SEQ ID NO:6 がアルギニノコハク酸合成酵素である、さらに実証的な証拠を提供する。別の例において、SEQ ID NO:8は残基M1から残基Y583まででヒトのコハク酸デヒドロゲナーゼの フラビンタンパク質サブユニット(GenBank ID g347134) に100%の同一性を有することがBasic Local Alignment Search Tool (BLAST)によって同定された。（表2参照）。BLAST確率スコアは0.0であり、これは観測されたポリペプチド配列アラインメントが偶然に得られる確率を示している。SEQ ID NO:8はまた、FAD結合ドメインおよびフマル酸レダクターゼ/コハク酸デヒドロゲナーゼフラビンタンパク質C末端ドメインを有するが、これは、隠れマルコフモデル（HMM）を基にした保存されたタンパク質ファミリードメインのPFAMデータベースにおいて、統計的に有意な一致を検索して決定された （表3参照）。BLIMPS、MOTIFS、PROFILESCAN、および他のBLAST分析よりのデータは、SEQ ID NO:8がコハク酸デヒドロゲナーゼフラビンタンパク質サブユニットである、さらに実証的な証拠を提供する。別の例として、SEQ ID NO:10は残基V23から残基L380まででラットのアリルアセトアミドデアセチラーゼ(GenBank ID g5923874)と34％の同一性を有することがBasic Local Alignment Search Tool (BLAST)によって決定された（表2参照）。BLAST確率スコアは2.0e-51であり、これは観察されたポリペプチド配列アラインメントが偶然に得られる確率を示している。BLIMPS解析よりのデータは、SEQ ID NO:10がエステラーゼである、さらに実証的な証拠を提供する。また他の例として、SEQ ID NO:12はヒトの神経障害標的エステラーゼ (GenBank ID g2982501) と残基M35 から残基L326までで65％の同一性を有することがBasic Local Alignment Search Tool (BLAST)によって示された。（表2参照）。BLAST確率スコアは2.4e-95であり、これは観察されたポリペプチド配列アラインメントが偶然に得られる確率を示している。SEQ ID NO:12はまた、サイクリックヌクレオチド結合ドメインを有するが、これは、隠れマルコフモデル（HMM）を基にした保存されたタンパク質ファミリードメインのPFAMデータベースにおいて、統計的に有意な一致を検索して決定された （表3参照）。BLAST解析よりのデータは、SEQ ID NO:12が神経障害標的エステラーゼである、さらに実証的な証拠を提供する。SEQ ID NO:4−5、SEQ ID NO:7、SEQ ID NO:9およびSEQ ID NO:11は同様にして解析し、注釈付けをされた。SEQ ID NO:1-12の解析のためのアルゴリズム及びパラメータが表７で記述されている。
【０２９４】
表４に示すように、本発明の完全長ポリヌクレオチド配列は、cDNA配列またはゲノムDNA由来のコード（エキソン）配列を用いて、或いはこれら２種類の配列を任意に組み合わせて構築(アセンブリ)した。列１は本発明の各ポリヌクレオチドに対するポリヌクレオチド配列識別番号（ポリヌクレオチドSEQ ID NO）および対応するIncyteポリヌクレオチドコンセンサス配列番号（Incyte ID）、および塩基対の各ポリヌクレオチド配列の長さを示している。列２は、本発明の全長ポリヌクレオチド配列をアセンブリするために使われたｃDNA配列および／またはゲノム配列のヌクレオチド開始位置（5'）と終了位置（3'）を示し、またSEQ ID NO：13-24を同定するための、またはSEQ ID NO：13-24と関連するポリヌクレオチド配列とを区別するための技術（例えば、ハイブリダイゼーション技術または増幅技術）で有用なポリヌクレオチド配列の断片のヌクレオチド開始位置（5'）と終了位置（3'）を示す。
【０２９５】
表４の列２で記述されたポリヌクレオチド断片は、具体的にはたとえば組織特異的なｃDNAライブラリまたはプールされたcDNAライブラリに由来するIncyte cDNAを指す場合がある。或いは列2の識別番号は、完全長ポリヌクレオチド配列のアセンブリに寄与するGenBank cDNAまたはESTを指す場合もある。さらに、列2のポリヌクレオチド断片は、ENSEMBL（The Sanger Centre、英国ケンブリッジ）データベースから由来した配列（即ち「ENST」命名を含む配列）を同定し得る。或いは、列2で記述されたポリヌクレオチド断片は、NCBI RefSeq Nucleotide Sequence Records データベースから由来する場合もあり（即ち「NM」または「NT」の命名を含む配列）、またNCBI RefSeq Protein Sequence Recordsから由来する場合もある（即ち「NP」の命名を含む配列）。または列で記述されたポリヌクレオチド断片は、「エキソンスティッチング（exon-stitching）」アルゴリズムにより結び合わせたcDNA及びGenscan予想エキソンの両方からなるアセンブリ体群を意味する場合がある。例えば、FL_XXXXXX_N1_N2_YYYYY_N3_N4  として同定されるポリヌクレオチド配列はアルゴリズムが適用される配列のクラスターの識別番号がXXXXXXであり、アルゴリズムにより生成される予測の番号がYYYYY であり、（もし存在すれば）N1,2,3..が解析中に手動で編集された可能性のある特定のエキソンであるような「縫合された」配列である( 実施例５参照 )。または、列2のポリヌクレオチド断片は「エキソンストレッチング（exon-stretching）」アルゴリズムにより結び合わせたエキソンのアセンブリ体を指す場合もある。例えば、FLXXXXXX_gAAAAA_gBBBBB_1_N として同定されるポリヌクレオチド配列は「ストレッチ」配列である。ここでXXXXXXはIncyteプロジェクト識別番号、gAAAAAは「エキソンストレッチング」アルゴリズムを適用したヒトゲノム配列のGenBank識別番号、gBBBBBは一番近いGenBankタンパク質相同体のGenBank識別番号またはNCBI RefSeq 識別番号である。（実施例５を参照。）あるRefSeq配列が「エキソンストレッチング」アルゴリズムのためのタンパク質相同体として使用された場合では、RefSeq識別番号（「NM」、「NP」、または「NT」によって表される）が、GenBank識別（即ち、gBBBBB）の代わりに使用される場合もある。
【０２９６】
或いは、接頭コードは、手動で編集された構成配列、ゲノムDNA配列から予測された構成配列、または組み合わされた配列解析方法から由来する構成配列を同定する。次の表は、構成配列の接頭コードと、接頭コードに対応する配列分析方法の例を列記する(実施例４と５を参照)。
2004535787.tif 000003
【０２９７】
場合によっては、最終コンセンサスポリヌクレオチド配列を確認するために表4に示すような配列の適用範囲と重複するIncyte cDNAの適用範囲が得られたが、それに関連するIncyte cDNA識別番号は示さなかった。
【０２９８】
表５は、Incyte cDNA配列を用いてアセンブリされた完全長ポリヌクレオチド配列のための代表的なcDNAライブラリを示している。代表的なcDNAライブラリは、上記のポリヌクレオチド配列をアセンブリし及び確認するために用いられるIncyte cDNA配列によって最も頻繁に代表されるIncyte cDNAライブラリである。cDNAライブラリを作製するために用いた組織およびベクターを表５に示し、表６で説明している。
【０２９９】
本発明には、ENZMの変異体も含まれる。好適なENZM変異配列は、ENZMの機能的或いは構造的特徴の少なくとも１つを有し、かつENZMアミノ酸配列に対して少なくとも約８０％のアミノ酸配列同一性、或いは少なくとも約９０％のアミノ酸配列同一性、更には少なくとも約９５％のアミノ酸配列同一性を有する配列である。
【０３００】
本発明はまた、ENZMをコードするポリヌクレオチドを含む。特定の実施例において、本発明は、ENZMをコードする、SEQ ID NO:13-24からなる一群から選択された配列を含むポリヌクレオチド配列を提供する。SEQ ID NO:13-24のポリヌクレオチド配列には、配列表に示したように等価RNA配列をも含むが、そこでは窒素塩基チミンの出現はウラシルに置換され、糖のバックボーンはデオキシリボースではなくリボースで構成される。
【０３０１】
本発明はまた、ENZMをコードするポリヌクレオチド配列の変異配列を含む。詳細には、このようなポリヌクレオチド配列の変異配列は、ENZMをコードするポリヌクレオチド配列に対して少なくとも約７０％のポリヌクレオチド配列同一性、或いは少なくとも約８５％のポリヌクレオチド配列同一性、更には少なくとも約９５％ものポリヌクレオチド配列同一性を有する。本発明の特定の実施形態では、SEQ ID NO:13−14からなる一群から選択された１核酸配列との少なくとも約７０％のポリヌクレオチド配列同一性、或いは少なくとも約８５％のポリヌクレオチド配列同一性、更には少なくとも約９５％ものポリヌクレオチド配列同一性を有する、SEQ ID NO:13−14からなる一群から選択された１配列を持つポリヌクレオチド配列の変異配列を提供する。上記したポリヌクレオチド変異配列は何れも、ENZMの機能的或いは構造的特徴の少なくとも１つを有するアミノ酸配列をコードし得る。
【０３０２】
さらに、或いは別法では、本発明のポリヌクレオチド変異体は、ENZMをコードするポリヌクレオチド配列のスプライス変異体である。或るスプライス変異配列はENZMをコードするポリヌクレオチド配列との顕著な配列同一性を持つ部分複数を有し得るが、mRNAプロセッシング中のエキソン群の選択的スプライシングによって生ずる、配列の数ブロックの付加または欠失により、通常、より多数またはより少数のポリヌクレオチドを有することになる。或るスプライス変異配列には、約７０％未満、または約６０％未満、あるいは約５０％未満のポリヌクレオチド配列同一性が、ENZMをコードするポリヌクレオチド配列との間で全長に渡って見られるが、このスプライス変異配列のいくつかの部分には、ENZMをコードするポリヌクレオチド配列の各部との、少なくとも約７０％、あるいは少なくとも約８５％、または少なくとも約９５％、なおまたは１００％の、ポリヌクレオチド配列同一性を有することとなる。上記したスプライス変異配列は何れも、ENZMの機能的或いは構造的特徴の少なくとも１つを有する或るアミノ酸配列をコードし得る。
【０３０３】
遺伝暗号の縮重により作り出され得るENZMをコードする種々のポリヌクレオチド配列には、自然発生する任意の既知の遺伝子のポリヌクレオチド配列と最小の類似性しか有しないものも含まれることを、当業者は理解するであろう。したがって本発明には、可能コドン選択に基づく組合せの選択によって産出し得るあらゆる可能なポリヌクレオチド配列のバリエーションを網羅し得る。これらの組み合わせは、天然ENZMのポリヌクレオチド配列に適用される標準的なトリプレット遺伝暗号を基に作られる。また、このような全ての変異が明確に開示されていると考慮されたい。
【０３０４】
ENZM及びその変異体をコードするヌクレオチド配列は通常、好適に選択されたストリンジェントな条件下で天然のENZMのヌクレオチド配列とハイブリダイズ可能であるが、ENZMまたはその誘導体であって実質上異なるコドンの使用法があるもの、例えば天然に存在しないコドンの封入があるものをコードするヌクレオチド配列を作り出すことは有益であろう。宿主が特定のコドンを利用する頻度に基づいて、特定の真核宿主又は原核宿主に発生するペプチドの発現率を高めるようにコドンを選択することが可能である。コードされるアミノ酸配列を改変せずに、ENZM及びその誘導体をコードするヌクレオチド配列を実質的に改変する別の理由には、天然配列から作られる転写物より例えば長い半減期など好ましい特性を備えるRNA転写物を作ることもある。
【０３０５】
本発明には、ENZM、ENZM誘導体及びこれらの断片をコードするDNA配列又はそれらの断片を完全に合成化学によって作製することも含まれる。作製後にこの合成配列を、当分野で周知の試薬類を用いて、種々の入手可能な発現ベクター及び細胞系の何れの中にも挿入できる。更に、合成化学を用いて、ENZMをコードする配列、またはその任意の断片中に突然変異を導入できる。
【０３０６】
更に本発明には、種々のストリンジェントな条件下で、請求項に記載されたポリヌクレオチド配列、特に、SEQ ID NO:13-24 及びそれらの断片とハイブリダイズ可能なポリヌクレオチド配列が含まれる(例えば、Wahl, G.M.及びS.L. Berger (1987) Methods Enzymol.152:399-407、Kimmel, A.R. (1987) Methods Enzymol. 152:507-511等を参照)。アニーリング及び洗浄条件を含むハイブリダイゼーションの条件は、「定義」に記載されている。
【０３０７】
DNAシークエンシングの方法は当分野では公知であり、本発明のいずれの実施例もDNAシークエンシング方法を用いて実施可能である。DNAシークエンシング方法には酵素を用いることができ、例えばDNAポリメラーゼIのクレノウ断片、SEQUENASE（US Biochemical, Cleveland OH）、Taqポリメラーゼ（Applied Biosystems）、熱安定性T7ポリメラーゼ（Amersham, Pharmacia Biotech, Piscataway NJ）を用いることができる。或いは、例えばELONGASE増幅システム（Life Technologies, Gaithersburg MD）において見られるように、ポリメラーゼと校正エキソヌクレアーゼを併用することができる。好適には、MICROLAB2200液体転移システム（Hamilton, Reno, NV）、PTC200サーマルサイクラー（MJ Research, Watertown MA）及びABI CATALYST 800サーマルサイクラー（Applied Biosystems）等の装置を用いて配列の準備を自動化する。次に、ABI 373 或いは 377 DNAシークエンシングシステム（Applied Biosystems）、MEGABACE 1000 DNAシークエンシングシステム（Molecular Dynamics, Sunnyvale CA）または当分野でよく知られている他の方法を用いてシークエンシングを行う。結果として得られた配列を当分野でよく知られている種々のアルゴリズムを用いて分析する（例えば、Ausubel, F.M. (1997) Short Protocols in Molecular Biology, John Wiley & Sons, New York NY, 7.7ユニット、Meyers, R.A. (1995) Molecular Biology and Biotechnology, Wiley VCH, New York NY, 856-853ページを参照）。
【０３０８】
当分野で周知のPCR法をベースにした種々の方法で、部分的なヌクレオチド配列を利用して、ENZMをコードする核酸配列を伸長し、プロモーターや調節エレメントなどの上流にある配列を検出する。例えば、使用し得る方法の１つである制限部位PCR法は、ユニバーサルプライマーおよびネステッドプライマーを用いてクローニングベクター内のゲノムDNAからの未知の配列を増幅する方法である(例えば、Sarkar, G. (1993) PCR Methods Applic. 2:318-322を参照)。別の方法に逆PCR法があり、これは広範な方向に伸長させたプライマーを用いて環状化した鋳型から未知の配列を増幅する方法である。鋳型は、或る既知のゲノム遺伝子座およびその周辺の配列群からなる制限酵素断片群から得る(例えば、Triglia, T. 他 (1988) Nucleic Acids Res. 16:8186を参照)。第３の方法としてキャプチャPCR法があり、これはヒト及び酵母菌人工染色体DNAの既知の配列に隣接するDNA断片をPCR増幅する方法に関与している。（Lagerstrom, M.他(1991) PCR Methods Applic 1:111-119等を参照）。この方法では、PCRを行う前に複数の制限酵素の消化及びライゲーション反応を用いて未知の配列領域内に組換え二本鎖配列を挿入することが可能である。また、未知の配列を検索するために用い得る別の方法については当分野で知られている（Parker, J.D.他 (1991) Nucleic Acids Res. 19:3055-3060等を参照）。更に、PCR、ネステッドプライマー及びPromoterFinder（商標）ライブラリ（Clontech, Palo Alto CA）を用いてゲノムDNAをウォーキングすることができる。この手順は、ライブラリ類をスクリーニングする必要がなく、イントロン／エキソン接合部の発見に有用である。全てのPCRベースの方法に対して、市販されているソフトウェア、例えばOLIGO 4.06プライマー分析ソフトウェア（National Biosciences, Plymouth MN）或いは別の好適なプログラムを用いて、長さが約２２〜３０ヌクレオチド、GC含有率が約５０％以上、温度約６８℃〜７２℃で鋳型に対してアニーリングするようにプライマーを設計し得る。
【０３０９】
完全長cDNAをスクリーニングする際は、より大きなcDNAを含むようにサイズ選択されたライブラリを用いるのが好ましい。更に、ランダムプライマーのライブラリは、しばしば遺伝子の５'領域を有する配列を含み、オリゴd(T)ライブラリが完全長cDNAを作製できない状況に対して好適である。ゲノムライブラリ群は、５'非転写調節領域への、配列の伸長に有用であろう。
【０３１０】
市販のキャピラリー電気泳動システムを用いて、シークエンシングまたはPCR産物のサイズを分析し、またはそのヌクレオチド配列を確認することができる。具体的には、キャピラリーシークエンシングは、電気泳動による分離のための流動性ポリマーと、４つの異なるヌクレオチドに特異的であるような、レーザで活性化されるフルオロフォアと、発光された波長の検出に利用するCCDカメラとを有し得る。出力／光の強度は、適切なソフトウェア（Applied Biosystems社のGENOTYPER、SEQUENCE NAVIGATOR等）を用いて電気信号に変換し得る。サンプルのロードからコンピュータ分析及び電子データ表示までの全プロセスがコンピュータ制御可能である。キャピラリー電気泳動法は、特定のサンプルに少量しか存在しないようなDNA小断片のシークエンシングに特に適している。
【０３１１】
本発明の別の実施態様では、適切な宿主細胞内で、ENZM、その断片または機能的等価物を発現させる組換えDNA分子群内で、ENZMをコードするポリヌクレオチド配列群またはその断片群をクローニングし得る。遺伝暗号固有の宿重に起因して、実質的同一或いは機能的等価のアミノ酸配列をコードするような別のDNA配列を作製してENZMの発現に利用し得る。
【０３１２】
種々の目的でENZMをコードする配列を変えるために、当分野で一般的に知られている方法を用いて、本発明のヌクレオチド配列を組換えることができる。この目的には、遺伝子産物のクローン化、プロセッシング及び／または発現の調節が含まれるが、これらに限定されるものではない。遺伝子断片及び合成オリゴヌクレオチドのランダムなフラグメンテーション及びＰＣＲ再アセンブリによるＤＮＡシャッフリングを用い、ヌクレオチド配列を組み換えることが可能である。例えば、オリゴヌクレオチドを介した部位特異的変異誘導を利用して、新規な制限部位の作製、グリコシル化パターンの変更、コドン優先の変更、スプライス変異体の生成等を起こす突然変異を導入し得る。
【０３１３】
本発明のヌクレオチドを、MOLECULARBREEDING (Maxygen Inc., Santa Clara CA; 米国特許第5,837,458号; Chang, C.-C. 他 (1999) Nat. Biotechnol. 17:793-797; Christians, F.C. 他 (1999) Nat. Biotechnol. 17:259-264; Crameri, A. 他 (1996) Nat. Biotechnol. 14:315-319)などのDNAシャッフリングシャッフリング技術を用いてシャッフリングして、ENZMの生物学的または酵素的な活性、或いは他の分子や化合物と結合する能力などのENZMの生物学的特性を変更或いは改良することができる。DNAシャッフリングは、遺伝子断片のPCRを介する組換えを用いて遺伝子変異体のライブラリを作製するプロセスである。ライブラリはその後、所望の特性を持つ遺伝子変異体群を同定する、選択またはスクリーニングの手順を経る。続いて、これら好適な変異体をプールし、更に反復してDNAシャッフリングおよび選択／スクリーニングを行い得る。従って、人工的な育種及び急速な分子の進化によって多様な遺伝子が作られる。例えば、ランダムポイント突然変異を持つ単一の遺伝子の断片を組み換えて、スクリーニングし、その後所望の特性が最適化されるまでシャッフリングし得る。或いは、所定の遺伝子を同種または異種のいずれかから得た同一遺伝子ファミリーの相同遺伝子と組み換え、それによって天然に存在する複数の遺伝子の遺伝多様性を、指図された制御可能な方法で最大化させることができる。
【０３１４】
別の実施例によれば、当分野でよく知られている化学的方法を用いて、ENZMをコードする配列の全部或いは一部を合成し得る（Caruthers. M.H.ら (1980) Nucleic. Acids Symp. Ser 7:215-223、Horn, T.ら (1980) Nucleic. Acids Symp. Ser. 7:225-232等を参照）。或いは、化学的方法を用いてENZMそれ自体またはその断片を合成し得る。例えば、種々の液相または固相技術を用いてペプチド合成を行い得る(たとえば、 Creighton, T. (1984) Proteins, Structures and Molecular Properties, WH Freeman, New York NY, 55-60ページ; Roberge, J.Y. 他 (1995) Science 269:202204を参照）。自動合成はABI 431Aペプチドシンセサイザ（Applied Biosystems）を用いて達成し得る。更に、ENZMのアミノ酸配列または任意のその一部を、直接合成の際に改変することにより、及び／または他のタンパク質からの配列群または任意のその一部と組み合わせることにより、或る天然ポリペプチドの配列を有するポリペプチドまたは変異体ポリペプチドが作製され得る。
【０３１５】
このペプチドは、分離用高速液体クロマトグラフィーを用いて実質的に精製し得る（Chiez, R.M.およびF.Z. Regnier (1990) Methods Enzymol. 182:392-421などを参照）。この合成ペプチドの組成は、アミノ酸分析またはシークエンシングによって確認できる。（前出のCreighton, 28-53ページ等を参照）。
【０３１６】
生物学的に活性なENZMを発現させるために、ENZMまたはその誘導体をコードするヌクレオチド配列を好適な発現ベクターに挿入することができる。 好適な発現ベクターとは即ち好適な宿主内で挿入されたコーディング配列の転写及び翻訳の調節に必要な要素を含むベクターである。これらの要素には、ベクター及びENZMをコードするポリヌクレオチド配列におけるエンハンサー、構成型及び発現誘導型のプロモーター、５'及び３'の非翻訳領域などの調節配列が含まれる。必要なエレメント群は、強度および特異性が様々である。固有開始シグナルを用いて、ENZMをコードする配列をより効果的に翻訳することも可能である。開始シグナルの例には、ATG開始コドンと、コザック配列など近傍の配列とが含まれる。ENZMをコードする配列群、その開始コドン、および上流の調節配列群が、好適な発現ベクターに挿入された場合は、更なる転写制御シグナルや翻訳制御シグナルは必要ないこともある。しかしながら、コード配列あるいはその断片のみが挿入された場合は、インフレームATG開始コドンなど外因性の翻訳制御シグナルが発現ベクターに含まれるようにすべきである。外因性の翻訳エレメント群および開始コドン群は、様々な天然物および合成物を起源とし得る。用いられる特定の宿主細胞系に好適なエンハンサーを含めることで発現の効率を高めることが可能である。（Scharf, D. 他 (1994) Results Probl. Cell Differ. 20:125-162.等を参照）。
【０３１７】
当業者に周知の方法を用いて、ENZMをコードする配列、好適な転写及び翻訳調節エレメントを含む発現ベクターを作製することが可能である。これらの方法には、in vitro組換えDNA技術、合成技術、及びin vivo遺伝子組換え技術が含まれる(例えば、 Sambrook, J. 他. (1989) Molecular Cloning. A Laboratory Manual, Cold Spring Harbor Press, Plainview NY, 4章及び8章, および１6-17章; およびAusubel, F.M. 他. (1995) Current Protocols in Molecular Biology, John Wiley & Sons, New York NY, ch. 9章、13章および16章を参照)。
【０３１８】
種々の発現ベクター／宿主系を利用して、ENZMをコードする配列を保持および発現し得る。限定するものではないがこのような発現ベクター／宿主系には、組換えバクテリオファージ、プラスミドまたはコスミドDNA発現ベクターで形質転換させた細菌や、酵母菌発現ベクターで形質転換させた酵母菌などの微生物や、ウイルス発現ベクター（例えばバキュロウイルス）に感染した昆虫細胞系や、ウイルス発現ベクター（例えばカリフラワーモザイクウイルス：CaMVまたはタバコモザイクウイルス：TMV）または細菌発現ベクター（例えばTiまたはpBR322プラスミド）で形質転換させた植物細胞系、動物細胞系等がある。（前出のSambrook、前出のAusubel、Van Heeke, G. and S.M. Schuster (1989) J. Biol. Chem. 264:5503-5509、; Engelhard、E.K. ら (1994) Proc. Natl. Acad. Sci. USA 91:3224-3227、Sandig, V. ら (1996) Hum. Gene Ther. 7:1937-1945、Takamatsu, N. (1987) EMBOJ. 6:307-311、;『マグローヒル科学技術年鑑』(The McGraw Hill Yearbook of Science and Technology) (1992) McGraw Hill New York NY, 191-196ページ、Logan, J. and T. Shenk (1984) Proc. Natl. Acad. Sci. USA 81:3655-3659、Harrington, J.J. ら (1997) Nat. Genet. 15:345-355等を参照）。レトロウイルス、アデノウイルス、ヘルペスウイルスまたはワクシニアウイルス由来の発現ベクター、または種々の細菌性プラスミド由来の発現ベクターを用いて、ヌクレオチド配列を標的器官、組織または細胞集団へ輸送することができる（Di Nicola, M. 他 (1998) Cancer Gen. Ther. 5(6):350-356、Yu, M. 他 (1993) Proc. Natl. Acad. Sci. USA 90(13):6340-6344、Buller, R.M. 他 (1985) Nature 317(6040):813-815; McGregor, D.P. 他 (1994) Mol. Immunol. 31(3):219-226、Verma, I.M. 及び N. Somia (1997) Nature 389:239-242等を参照）。本発明は使用される宿主細胞によって限定されるものではない。
【０３１９】
細菌系では、ENZMをコードするポリヌクレオチド配列の使用目的に応じて多数のクローニングベクターおよび発現ベクターを選択し得る。例えば、ENZMをコードするポリヌクレオチド配列の日常的なクローニング、サブクローニング、増殖は、PBLUESCRIPT(Stratagene, La Jolla CA)またはPSPORT１プラスミド(Life Technologies)などの多機能の大腸菌ベクターを用いて達成することができる。ベクターのマルチクローニング部位にENZMをコードする配列を連結反応するとlacＺ遺伝子が破壊され、組換え分子を含む形質転換された細菌の同定のための比色スクリーニング法が可能となる。更にこれらのベクターは、クローニングされた配列におけるin vitro転写、ジデオキシのシークエンシング、ヘルパーファージによる一本鎖のレスキュー、入れ子状態の欠失の生成にも有用であろう(例えば、Van Heeke, G. および S.M. Schuster (1989) J. Biol. Chem. 264:5503-5509を参照)。例えば、抗体の産生のためなどに多量のENZMが必要な場合は、ENZMの発現をハイレベルで誘導するベクターが使用できる。例えば、強力な誘導SP６バクテリオファージプロモーターまたは誘導T7バクテリオファージプロモーターを含むベクターが使用できる。
【０３２０】
酵母の発現系を使用してENZMを産出し得る。α因子、アルコールオキシダーゼ、PGHプロモーター等の構成型或いは誘導型のプロモーターを含む多数のベクターが、出芽酵母菌（Saccharomyces cerevisiae） またはピキア酵母（Pichia pastoris）に使用可能である。更に、このようなベクターは、発現したタンパク質の、分泌か細胞内での保持かのどちらかを指示するものであり、安定した増殖のために宿主ゲノムの中に外来配列群を組み込むことを可能にする(例えば、Ausubel, 1995,前出、Bitter, G.A. 他 (1987) Methods Enzymol.153:516-544、及びScorer. C. A. 他 (1994) Bio/Technology 121：181-184.を参照)。
【０３２１】
植物系を使用してENZMを発現することも可能である。ENZMをコードする配列の転写は、ウイルスプロモーター、例えば単独或いはTMV（Takamatsu, N. (1987) EMBO J 6:307-311）由来のオメガリーダー配列と組み合わせて用いられるようなCaMV由来の35S及び19Sプロモーターによって促進される。あるいは、RuBisCOの小サブユニットなどの植物プロモーター、または熱ショックプロモーターを用い得る（例えば、Coruzzi, G. 他 (1984) EMBO J. 3 : 1671-1680 ; Broglie, R. 他 (1984) Science 224 : 838-843 ; および Winter, J. 他 (1991) Results Probl. Cell Differ. 17 : 85-105を参照）これらの構成物は、直接DNA形質転換または病原体を媒介とする形質移入によって、植物細胞内に導入可能である。（『マグローヒル科学技術年鑑』(The McGraw Hill Yearbook of Science and Technology) (1992) McGraw Hill New York NY, 191-196ページ等を参照。
【０３２２】
哺乳類細胞においては、多数のウイルスベースの発現系を利用し得る。アデノウイルスを発現ベクターとして用いる場合、後期プロモーターと３連リーダー配列とを持つアデノウイルス転写／翻訳複合体に、LIPAMをコードする配列を結合し得る。アデノウイルスゲノムの非必須E1またはE3領域へ挿入することにより、宿主細胞内でENZMを発現する感染ウイルスを得ることができる(例えば、Logan, J. および T. Shenk (1984) Proc. Natl. Acad. Sci. USA 81:36553659を参照)。更に、ラウス肉腫ウイルス（RSV）エンハンサー等の転写エンハンサーを用いて、哺乳動物宿主細胞における発現を増大させ得る。SV40またはEBVをベースにしたベクターを用いてタンパク質を高レベルで発現させることもできる。
【０３２３】
ヒト人工染色体（HAC）を用いて、プラスミドに含まれ得る断片やプラスミドから発現し得る断片より大きなDNAの断片群を送達することもできる。治療のために約６kb〜１０MbのHACsを作製し、従来の輸送方法（リポソーム、ポリカチオンアミノポリマー、またはベシクル）で供給する。(例えば、Harrington. J.J. 他 (1997) Nat. Genet.15:345-355.を参照)。
【０３２４】
哺乳動物系の組換えタンパク質の長期にわたる産生のためには、株化細胞におけるENZMの安定した発現が望ましい。例えば、ENZMをコードする配列を細胞株に形質転換するために、発現ベクター類と、同じベクター上の或いは別のベクター上の選択可能マーカー遺伝子とを用い得る。用いる発現ベクターは、ウイルス起源の複製要素、および／または内因性の発現要素を持ち得る。ベクターの導入後、選択培地に移す前に強化培地で約1〜2日間、細胞を増殖させ得る。選択可能マーカーの目的は選択剤への抵抗性を与えることであり、選択可能マーカーの存在により、導入した配列をうまく発現するような細胞の成長および回収が可能となる。安定的に形質転換された細胞の耐性クローンは、その細胞型に適した組織培養技術を用いて増殖可能である。
【０３２５】
任意の数の選択系を用いて、形質転換細胞株を回収できる。限定するものではないがこのような選択系には、tk−単純細胞のために用いられるヘルペスウイルスチミジンキナーゼ遺伝子と、apr−細胞のために用いられるアデニンホスホリボシルトランスフェラーゼ遺伝子がある(例えば、Wigler, M. 他 (1977) Cell 11:223-232; 及びLowy, I. 他(1980) Cell 22:817-823を参照)。また、選択の基礎として代謝拮抗物質、抗生物質あるいは除草剤への耐性を用いることができる。例えばdhfrはメトトレキセートに対する耐性を与え、neoはアミノグリコシッドネオマイシンおよびG-418に対する耐性を与え、alsはクロルスルフロンに対する耐性を、patはホスフィノトリシンアセチルトランスフェラーゼに対する耐性を各々与える( Wigler, M. 他 (1980) Proc. Natl. Acad. Sci. USA 77:35673570; ColbereGarapin, F. 他 (1981) J. Mol. Biol. 150:114 等を参照。)この他の選択可能な遺伝子、例えば、代謝のための細胞の必要条件を変えるtrpB及びhisDは、文献に記載されている(Hartman, S.C. および R.C. Mulligan (1988) Proc. Natl. Acad. Sci. USA 85:80478051を参照）。可視マーカー、例えばアントシアニン、緑色蛍光タンパク質（GFP；Clontech）、βグルクロニダーゼ及びその基質βグルクロニド、またはルシフェラーゼ及びその基質ルシフェリン等を用いてもよい。これらのマーカーを用いて、トランスフォーマントを同定するだけでなく、特定のベクター系に起因する一過性あるいは安定したタンパク質発現を定量し得る(Rhodes, C.A. (1995) Methods Mol. Biol. 55:121131等を参照)。
【０３２６】
マーカー遺伝子発現の有無によって目的の遺伝子の存在が示唆されても、その遺伝子の存在および発現の確認が必要な場合もある。例えば、ENZMをコードする配列がマーカー遺伝子配列の中に挿入された場合、ENZMをコードする配列を含む形質転換された細胞は、マーカー遺伝子機能の欠落により同定可能である。または、１つのプロモーターの制御下でマーカー遺伝子がENZMをコードする配列とタンデムに配置することも可能である。誘導または選択に応答したマーカー遺伝子の発現は通常、タンデム遺伝子の発現も示す。
【０３２７】
一般に、ENZMをコードする核酸配列を持ち、ENZMを発現する宿主細胞は、当業者に周知の種々の方法を用いて特定できる。 これらの方法には、DNA−DNA或いはDNA−RNAハイブリダイゼーションや、PCR法、核酸或いはタンパク質の検出及び／または数量化のための膜系、溶液ベース、或いはチップベースの技術を含むタンパク質生物学的試験法または免疫学的アッセイが含まれるが、これらに限定されるものではない。
【０３２８】
特異的ポリクローナル抗体または特異的モノクローナル抗体を用いてENZMの発現の検出及び計測を行うための免疫学的方法は、当分野で公知である。 このような技術の例としては、酵素に結合したイムノソルベントアッセイ（ELISA）、ラジオイムノアッセイ（RIA）、蛍光活性化細胞選別（FACS）などが挙げられる。ENZM上の２つの非干渉エピトープに反応するモノクローナル抗体群を用いた、２部位のモノクローナルベースイムノアッセイ（two-site, monoclonal-based immunoassay）が好ましいが、競合結合試験も用い得る。これらのアッセイ及びこれ以外のアッセイは、当分野で公知である（Hampton. R. 他 (1990) Serological Methods, a Laboratory Manual. APS Press. St Paul. MN, Sect. IV、Coligan, J. E. 他 (1997) Current Protocols in Immunology, Greene Pub. Associates and Wiley-Interscience, New York NY、Pound, J.D. (1998) Immunochemical Protocols, Humans Press, Totowa NJ等を参照）。
【０３２９】
多岐にわたる標識方法及び抱合方法が、当業者に知られており、様々な核酸アッセイおよびアミノ酸アッセイにこれらの方法を用い得る。ENZMをコードするポリヌクレオチドに関連する配列を検出するための、標識されたハイブリダイゼーションプローブ或いはPCRプローブを生成する方法には、オリゴ標識化、ニックトランスレーション、エンドラベリング（末端標識化）、または、標識したヌクレオチドを用いるPCR増幅が含まれる。或いは、ENZMをコードする配列またはその任意の断片を、mRNAプローブを産出するためのベクターにクローニングすることも可能である。このようなベクターは、当分野において知られており、市販もされており、T7、T3またはSP6などの好適なRNAポリメラーゼおよび標識されたヌクレオチドを加えて、in vitroでRNAプローブの合成に用いることができる。このような方法は、例えばAmersham Pharmacia Biotech、Promega（Madison WI）、U.S. Biochemicalなどから市販されている種々のキットを用いて実行することができる。検出を容易にするために用い得る好適なレポーター分子あるいは標識には、基質、補助因子、インヒビター、磁気粒子のほか、放射性核種、酵素、蛍光剤、化学発光剤、発色剤などがある。
【０３３０】
ENZMをコードするヌクレオチド配列で形質転換された宿主細胞は、細胞培地でのこのタンパク質の発現及び回収に好適な条件下で培養され得る。形質転換細胞から製造されたタンパク質が分泌されるか細胞内に留まるかは、使用される配列、ベクター、あるいはその両者に依存する。ENZMをコードするポリヌクレオチドを含む発現ベクターは、原核細胞膜及び真核細胞膜を透過してのENZMの分泌を誘導するシグナル配列を含むように設計できることは、当業者には理解されよう。
【０３３１】
更に、宿主細胞株の選択は、挿入した配列の発現をモジュレートする能力、または発現したタンパク質を所望の形に処理する能力によって行い得る。限定するものではないがこのようなポリペプチドの修飾には、アセチル化、カルボキシル化、グリコシル化、リン酸化、脂質化およびアシル化がある。タンパク質の「プレプロ」または「プロ」形を切断する翻訳後のプロセシングを利用して、タンパク質の標的への誘導、折りたたみ及び／または活性を特定することが可能である。翻訳後の活性のための固有の細胞装置及び特徴のある機構を有する種々の宿主細胞（例えばCHO、HeLa、MDCK、MEK293、WI38等）は、American Type Culture Collection（ATCC, Manassas, VA）から入手可能であり、外来タンパク質の正しい修飾及び処理を確実にするように選択し得る。
【０３３２】
本発明の別の実施例では、ENZMをコードする天然の核酸配列、変更された核酸配列、または組換えの核酸配列を上記した任意の宿主系の融合タンパク質の翻訳となる異種配列に連結させ得る。例えば、市販されている抗体を用いて認識可能な異種部分を含むキメラENZMタンパク質は、ENZM活性阻害剤に対するペプチドライブラリのスクリーニングを促進し得る。また、異種タンパク質部分および異種ペプチド部分も、市販されている親和性マトリックスを用いて融合タンパク質の精製を促進し得る。限定されるものではないがこのような部分には、グルタチオンＳトランスフェラーゼ（GST）、マルトース結合タンパク質（MBP）、チオレドキシン（Trx）、カルモジュリン結合ペプチド（CBP）、6-His、FLAG、c-myc、赤血球凝集素（HA）がある。GSTは固定化グルタチオン上で、MBPはマルトース上で、Trxはフェニルアルシンオキシド上で、CBPはカルモジュリン上で、そして6-Hisは金属キレート樹脂上で、同族の融合タンパク質の精製を可能にする。FLAG、c-mycおよび赤血球凝集素（HA）は、これらのエピトープ標識を特異的に認識する市販のモノクローナル抗体およびポリクローナル抗体を用いた、融合タンパク質の免疫親和性精製を可能にする。また、ENZMをコードする配列と異種タンパク質配列との間に、タンパク質分解切断部位を融合タンパク質が持つように遺伝子操作すると、ENZMが精製の後に異種部分から切断され得る。融合タンパク質の発現および精製方法は、前出のAusubel（1995）10章に記載されている。市販されている種々のキットを用いて融合タンパク質の発現および精製を促進することもできる。
【０３３３】
本発明の更に別の実施例では、TNTウサギ網状赤血球可溶化液またはコムギ胚芽抽出系（Promega）を用いて、放射能標識したENZMの合成がin vitroで可能である。これらの系は、T7、T3またはSP6プロモーターと機能的に連結したタンパク質コード配列の転写及び翻訳をカップルさせる。翻訳は、例えば35Sメチオニンのような放射能標識したアミノ酸前駆体の存在下で起こる。
【０３３４】
本発明のENZMまたはその断片を用いて、ENZMに特異結合する化合物をスクリーニングすることができる。少なくとも1つ以上の試験化合物を用いて、ENZMへの特異的な結合をスクリーニングすることが可能である。試験化合物としては、抗体、オリゴヌクレオチド、タンパク質（例えば受容体）または小分子が挙げられる。
【０３３５】
或る実施態様では、このように同定された化合物は、ENZMの天然リガンドに密接に関連し、例えばリガンドやその断片であり、または天然基質や、構造的または機能的な擬態物質（mimetic）、あるいは自然結合パートナーである（Coligan, J.E. 他 (1991) Current Protocols in Immunology 1(2)の5章等を参照）。同様に、化合物は、ENZMが結合する天然受容体、あるいは例えばリガンド結合部位などの少なくとも受容体のある断片に密接に関連する場合がある。何れの場合も、既知の技術を用いてこの化合物を合理的に設計することができる。一実施例では、これらの化合物に対するスクリーニングには、分泌タンパク質或いは細胞膜上のタンパク質の何れか一方としてENZMを発現する好適な細胞の作製が含まれる。好適な細胞には、哺乳動物、酵母、ショウジョウバエ、または大腸菌からの細胞が含まれる。次に、ENZMを発現する細胞、またはENZMを含む細胞膜分画を試験化合物と接触させて、ENZMまたは試験化合物の何れかの、結合または活性の刺激あるいは阻害を分析する。
【０３３６】
或るアッセイは、単に試験化合物をポリペプチドに実験的に結合させ、フルオロフォア(蛍光標識試薬)、放射性同位体、酵素抱合体、または他の検出可能な標識により、その結合を検出できる。例えば、このアッセイは、少なくとも１つの試験化合物を、溶液中の或いは固体支持物に固定されたENZMと混合するステップと、ENZMとこの化合物との結合を検出するステップを含み得る。別法では、標識された競合物の存在下での試験化合物の結合の検出及び測定を行うことができる。更にこのアッセイでは、無細胞再構成標本、化学ライブラリまたは天然の生成混合物を用いて実施することができ、試験化合物は、溶液中で遊離させるか固体支持体に固定させる。
【０３３７】
本発明のENZMまたはその断片を用いて、ENZMの活性を調整する化合物をスクリーニングすることが可能である。このような化合物には、アゴニスト、アンタゴニスト、部分的アゴニスト、または逆アゴニスト等が含まれる。ある実施態様では、ENZMの活性が許容される条件下でアッセイを実施し、そのアッセイでは少なくとも1つの試験化合物をENZMと混合し、試験化合物の存在下でENZMの活性を試験化合物不在下でのENZMの活性と比較する。試験化合物の存在下でのENZMの活性の変化は、ENZMの活性を調節する化合物の存在を示唆する。別の実施態様において、試験化合物をENZMの活性に適した条件下でENZMを含むin vitroまたは無細胞再構成系と結合させてアッセイを実施する。これらアッセイの何れにおいても、ENZMの活性をモジュレートする試験化合物は間接的にモジュレートする場合があり、その際は試験化合物と直接接触する必要がない。少なくとも１つから複数の試験化合物をスクリーニングすることができる。
【０３３８】
別の実施例では、胚性幹細胞（ES細胞）における相同組換えを用いて動物モデル系内で、ENZMまたはその哺乳動物相同体をコードするポリヌクレオチドを「ノックアウト」する。このような技術は当技術分野において周知であり、ヒト疾患動物モデルの作製に有用である（米国特許第5,175,383号及び第5,767,337号等を参照）。例えば129/SvJ細胞株等のマウスES細胞は初期のマウス胚に由来し、培地で増殖させることができる。このES細胞は、ネオマイシンホスホトランスフェラーゼ遺伝子（neo: Capecchi, M.R.（1989）Science 244:1288-1292）などのマーカー遺伝子で破壊した、目的の遺伝子を持つベクターで形質転換する。このベクターは、相同組換えにより宿主ゲノムの対応する領域に組み込まれる。別法では、Cre-loxP系を用いて相同組換えを行い、組織特異的または発生段階特異的に目的遺伝子をノックアウトする（Marth, J.D. (1996) Clin. Invest. 97:1999-2002; Wagner, K.U. 他 (1997) Nucleic Acids Res. 25:4323-43 30）。形質転換したES細胞を同定し、例えばC57BL/6マウス系等から採取したマウス細胞胚盤胞に微量注入する。胚盤胞を偽妊娠メスに外科的に導入し、得られるキメラ子孫の遺伝形質を決め、これを交配させてヘテロ接合性系またはホモ接合性系を作製する。このようにして作製した遺伝子組換え動物は、潜在的な治療薬や毒性薬物で検査されうる。
【０３３９】
ENZMをコードするポリヌクレオチドをin vitroでヒト胚盤胞由来のES細胞において操作することが可能である。ヒトES細胞は、内胚葉、中胚葉及び外胚葉の細胞の種類を含む少なくとも８つの別々の細胞系統に分化する可能性を有する。これらの細胞系統は、例えば神経細胞、造血系統及び心筋細胞に分化する（Thomson, J.A. 他 (1998) Science 282:1145-1 147）。
【０３４０】
ENZMをコードするポリヌクレオチドを用いて、ヒト疾患をモデルとした「ノックイン」ヒト化動物（ブタ）または遺伝子組換え動物（マウスまたはラット）を作製することが可能である。ノックイン技術を用いて、ENZMをコードするポリヌクレオチドの或る領域を動物ES細胞に注入し、注入した配列を動物細胞ゲノムに組み込ませる。形質転換細胞を胞胚に注入し、胞胚を上記のように移植する。遺伝子組換え子孫または近交系について研究し、可能性のある医薬品を用いて処理し、ヒトの疾患の治療に関する情報を得る。別法では、例えばENZMを乳汁内に分泌するなどENZMを過剰に発現する哺乳動物近交系は、便利なタンパク質源となり得る（Janne, J. 他 (1998) Biotechnol. Annu. Rev. 4:55-74）。
【０３４１】
（治療）
ENZMのある領域と酵素の領域との間に、例えば配列およびモチーフの文脈における化学的および構造的類似性が存在する。また、ENZM を発現する組織の数例は、表６を見られたい。このように、ENZM は、自己免疫/炎症疾患、感染症、免疫不全、代謝の障害、生殖系疾患、神経の疾患、心血管疾患、眼疾患、および癌を含む細胞増殖異常において或る役割を果たすと考えられる。ENZMの発現若しくは活性の増大に関連する疾患の治療においては、ENZMの発現または活性を低下させることが望ましい。また、ENZMの発現または活性の低下に関連する疾患の治療においては、ENZMの発現または活性を増大させることが望ましい。
【０３４２】
従って、一実施態様では、ENZMの発現または活性の低下に関連した疾患の治療または予防のために、被験者にENZMまたはその断片や誘導体が投与され得る。
【０３４３】
そのような疾患の例には、限定するものではないが、自己免疫／炎症性の疾患では、後天性免疫不全症候群（AIDS）及びアジソン病、成人呼吸窮迫症候群、アレルギー、強直性脊椎炎、アミロイド症、貧血、喘息、アテローム性動脈硬化症、自己免疫性溶血性貧血、自己免疫性甲状腺炎、自己免疫性多腺性内分泌カンジダ症外胚葉ジストロフィー（APECED）、気管支炎、胆嚢炎、接触皮膚炎、クローン病、アトピー性皮膚炎、皮膚筋炎、糖尿病、肺気腫、リンパ球傷害因子性偶発性リンパ球減少症、新生児溶血性疾患（胎児赤芽球症）、結節性紅斑、萎縮性胃炎、糸球体腎炎、グッドパスチャー症候群、痛風、グレーブス病、橋本甲状腺炎、過好酸球増加症、過敏性腸症候群、多発性硬化症、重症筋無力症、心筋または心膜炎症、骨関節炎、骨粗しょう症、膵炎、多発性筋炎、乾癬、ライター症候群、リウマチ様関節炎、強皮症、シェ−グレン症候群、全身性アナフィラキシー、全身性エリテマトーデス、全身性硬化症、血小板減少性紫斑病、潰瘍性大腸炎、ブドウ膜炎、ウェルナー症候群、癌合併症、血液透析、体外循環、外傷が含まれ；  感染症としては、たとえばアデノウィルス（急性呼吸器疾患、肺炎）、アレナウィルス（リンパ球性脈絡髄膜炎）、ブンヤウィルス（ハンタウィルス）、コロナウィルス（肺炎、慢性気管支炎）、ヘパドナウィルス（肝炎）、ヘルペスウィルス（ヘルペスシンプレックスウィルス、帯状ヘルペスウィルス、エプスタイン-バーウィルス、サイトメガロウィルス）、フラビウィルス（黄熱病）、オルトミクソウィルス(インフルエンザ)、パピローマウィルス(癌)、パラミクソウィルス（はしか、おたふく風邪）、ピコルナウィルス（リノウィルス、ポリオウィルス、コクサキーウィルス）、ポリオーマウィルス（BKウィルス、JCウィルス）、ポックスウィルス（天然痘）、レオウィルス（コロラドダニ熱）、レトロウィルス（ヒト免疫不全ウィルス、ヒトTリンパ球向性ウイルス）、ラブドウィルス（狂犬病）、ロタウィルス（胃腸炎）、トガウィルス（脳炎、風疹）などに起因するウィルス感染症および細菌感染症、真菌感染症、寄生虫感染症、原虫感染症、および蠕虫感染症が含まれ；  免疫不全としては、後天性免疫不全症候群(AIDS)、X連関ブルトン型伴性無ガンマロブリン血症、分類不能型免疫不全症(CVI)、ディジョージ症候群(胸腺形成不全症)、胸腺異形成、IgA単独欠損症、重症複合型免疫不全(SCID)、血小板減少および湿疹を伴う免疫不全症(ウィスコット‐アルドリッチ症候群)、チェディアック‐東症候群、慢性肉芽腫症、遺伝性血管神経性浮腫、クッシング病に関連した免疫不全疾患が含まれ；  代謝異常としては、アジソン病（副腎機能不全）、脳腱黄色腫症、副腎皮質過形成、クマリン耐性、嚢胞性線維症、糖尿病、脂肪性肝硬変、果糖-1，6-ジホスファターゼ欠損症、ガラクトース血症、甲状腺腫、グルカゴノーマ、糖原病、遺伝性果糖不耐症、副腎髄質機能亢進症、低アドレナリン症、上皮小体亢進症、副甲状腺低下症、高コレステロール血症、甲状腺亢進症、低血糖症、甲状腺低下症、高脂血症、脂質ミオパシー（lipid myopathies）、脂肪異栄養症、リソソーム蓄積症、マンノシドーシス、ノイラミニダーゼ欠損症、肥満症、ペントース−フェニルケトン尿症、プソイドビタミンD欠損症が含まれ；  生殖系疾患としては、プロラクチン産生障害、不妊症（卵管疾患、排卵欠損症、子宮内膜症）、性周期障害、月経周期障害、多嚢胞性卵巣症候群、卵巣過刺激症候群、子宮内膜癌、卵巣癌、子宮筋腫、自己免疫疾患、子宮外妊娠、催奇形、乳がん、繊維嚢胞性乳房疾患、乳漏症、精子形成破壊、精子異常生理、精巣癌、前立腺癌、良性前立腺肥大、前立腺炎、パイロニー病、性交不能、男性乳癌、女性化乳房が含まれ；  神経の疾患のとしては、癲癇、虚血性脳血管障害、脳卒中、大脳新生物、アルツハイマー病、ピック病、ハンチントン病、痴呆、パーキソン病及びその他の錐体外路障害、筋萎縮性側策硬化及びその他の運動ニューロン障害、進行性神経性筋萎縮症、色素性網膜炎、遺伝性運動失調、多発性硬化症及び他の脱髄疾患、細菌性及びウイルス性髄膜炎、脳膿瘍、硬膜下蓄膿症、硬膜外膿瘍、化膿性頭蓋内血栓性静脈炎、脊髄炎及び神経根炎、ウイルス性中枢神経系疾患、プリオン病（クールー、クロイツフェルト‐ヤコブ病、ゲルストマン症候群、及びGerstmann-Straussler-Scheinker症候群を含む）、致死性家族性不眠症、神経系性栄養病及び代謝病、神経線維腫症、結節硬化症、小脳網膜血管芽腫（cerebelloretinal hemangioblastomatosis）、脳３叉神経血管症候群、中枢神経系性の精神薄弱及び他の発生障害、脳性麻痺、神経骨格異常症、自律神経系障害、脳神経障害、脊髄障害、筋ジストロフィー及びその他の神経筋障害、末梢神経疾患、皮膚筋炎及び多発性筋炎、遺伝性、代謝性、内分泌性、及び中毒性の筋疾患、重症筋無力症、周期性四肢麻痺、精神病（気分性、不安性の障害、分裂病性疾患）、季節性障害（SAD）、静座不能、健忘症、緊張病、糖尿病性ニューロパシー、錐体外路性終末欠陥症候群、ジストニー、分裂病性精神障害、帯状疱疹後神経痛、及びトゥーレット病が含まれ；  心血管疾患の中には、動静脈瘻、アテローム硬化、高血圧、脈管炎、レイノー病、静脈奇形、動脈解離、静脈瘤、血栓静脈炎及び静脈血栓、血管の腫瘍、血栓崩壊の合併症、バルーン血管形成術、血管置換術、バイパス手術、うっ血性心不全、虚血性心疾患、狭心症、心筋梗塞、高血圧性心疾患、変性弁膜性心疾患、石灰化大動脈弁狭窄症、先天性２尖大動脈弁、僧帽弁輪状石灰化、僧帽弁逸脱、リウマチ熱、リウマチ性心疾患、感染性心内膜炎、非細菌性血栓性心内膜炎、全身性エリテマトーデスの心内膜炎、カルチノイド心疾患、心筋症、心筋炎、心膜炎、腫瘍性心疾患、先天性心臓疾患、及び心臓移植の合併症、先天性肺異常、肺拡張不全、肺うっ血及び肺水腫、肺動脈塞栓症、肺出血、肺梗塞、肺高血圧症、血管硬化症、閉塞性肺疾患、拘束型肺疾患、慢性閉塞性肺疾患、肺気腫、慢性気管支炎、気管支喘息、細気管支拡張症、細菌性肺炎、ウイルス性肺炎及びマイコプラズマ肺炎、肺膿瘍、肺結核、びまん性間質性疾患、塵肺症、サルコイド症、特発性肺線維症、剥離性間質性肺炎、過敏症肺炎、肺好酸球増加閉塞性細気管支炎―器質性肺炎（pulmonary eosinophilia bronchiolitis obliterans-organizing pneumonia）、びまん性肺出血症候群、グッドパスチャー症候群、特発性肺血鉄症、肺併発膠原血管病併発性肺疾患、肺胞たんぱく症、肺腫瘍、炎症性及び非炎症性胸水、気胸症、胸膜腫瘍、薬物性肺疾患、放射線による肺疾患、及び肺移��の合併症などが含まれ；  眼疾患としては、高眼圧症および緑内障が含まれ；  また、細胞増殖異常では日光性角化症及びアテローム性動脈硬化、滑液包炎、硬変、肝炎、混合性結合組織病（MCTD）、骨髄線維症、発作性夜間ヘモグロビン尿症、真性多血症、乾癬、原発性血小板血症、並びに腺癌及び白血病、リンパ腫、黒色腫、骨髄腫、肉腫、及び奇形癌など癌、具体的には、副腎、膀胱、骨、骨髄、脳、乳房、頚部、胆嚢、神経節、消化管、心臓、腎臓、肝臓、肺、筋肉、卵巣、膵臓、副甲状腺、陰茎、前立腺、唾液腺、皮膚、脾臓、精巣、胸腺、甲状腺、子宮の癌が含まれる。
【０３４４】
別の実施態様では、ENZMまたはその断片や誘導体を発現し得るベクターを患者に投与して、上記しだけに限られるものではないが疾患を含むENZMの発現または活性の低下に関連した疾患を治療または予防することも可能である。
【０３４５】
更に別の実施態様では、限定するものではないが上に列記した疾患を含む、ENZMの発現または活性の低下に関連した疾患の治療または予防のために、実質的に精製されたENZMを有する組成物を、好適な医薬用キャリアと共に被験者に投与し得る。
【０３４６】
更に別の実施態様では、限定するものではないが上に列記した疾患を含む、ENZMの発現または活性の低下に関連した疾患の治療または予防のために、ENZMの活性を調節するアゴニストを被験者に投与し得る。
【０３４７】
更なる実施態様では、ENZMの発現または活性の増大に関連した疾患の治療または予防のために、被験者にENZMのアンタゴニストを投与し得る。限定するものではないが、そのような疾患としては上記の自己免疫/炎症疾患、感染症、免疫不全、代謝の障害、生殖系疾患、神経の疾患、心血管疾患、眼疾患、および癌を含む細胞増殖異常が含まれる。一実施態様においては、アンタゴニストとして直接的に、或いはENZMを発現する細胞または組織に薬剤を輸送するターゲティングまたは輸送機構として間接的にENZMと特異結合する抗体を用いることができる。
【０３４８】
別の実施例では、限定するものではないが上に列記した疾患を含むENZMの発現または活性の増大に関連した疾患の治療または予防のために、ENZMをコードするポリヌクレオチドの相補配列を発現するベクターを患者に投与することも可能である。
【０３４９】
別の実施態様では、本発明の任意のタンパク質、アンタゴニスト、抗体、アゴニスト、相補配列、またはベクターを、別の好適な治療薬と組み合わせて投与することもできる。併用療法で用いる好適な治療薬は、当業者が従来の医薬原理に従って選択し得る。治療薬と組合せることにより、上記した種々の疾患の治療または予防に相乗効果をもたらし得る。この方法を用いることにより少量の各薬剤で医薬効果をあげることが可能となり、それによって副作用の可能性を低減し得る。
【０３５０】
ENZMのアンタゴニストは、当分野で一般的な方法を用いて製造できる。詳しくは、精製されたENZMを用いて抗体を作ったり、治療薬のライブラリ群をスクリーニングしてDMEと特異結合する薬物を同定できる。ENZMに対する抗体も、当分野で一般的な方法を用いて製造することが可能である。このような抗体には、ポリクローナル抗体、モノクローナル抗体、キメラ抗体、一本鎖、Fab断片、及びFab発現ライブラリによって作られた断片が含まれる。但し、これらに限定されるものではない。中和抗体（即ち二量体の形成を阻害する抗体）は通常、治療用に好適である。（ラクダやラマの）一本鎖抗体は強力な酵素阻害剤である可能性があり、ペプチド擬態の設計および免疫吸着剤およびバイオセンサの開発に有用である可能性がある(Muyldermans, S. (2001) J. Biotechnol. 74:277-302)。
【０３５１】
抗体の産生のためには、ヤギ、ウサギ、ラット、マウス、ラクダ、ヒトコブラクダ、ラマ、ヒト及びその他のものを含む種々の宿主が、ENZM または任意の断片、または免疫原性の特性を備えるそのオリゴペプチドの注入によって免疫化され得る。宿主の種に応じて、種々のアジュバントを用いて免疫応答を高めることもできる。限定するものではないがこのようなアジュバントには、フロイントアジュバントと、水酸化アルミニウム等のミネラルゲルアジュバントと、リゾレシチン、プルロニックポリオル、ポリアニオン、ペプチド、油性乳剤、スカシガイのヘモシニアン、ジニトロフェノール等の界面活性剤とがある。ヒトに用いられるアジュバントの中では、BCG（カルメット‐ゲラン杆菌）及びコリネバクテリウム‐パルバム（Corynebacterium parvum）が特に好ましい。
【０３５２】
ENZMに対する抗体を誘導するために用いるオリゴペプチド、ペプチドまたは断片は、少なくとも約５個のアミノ酸からなるアミノ酸配列を持つものが好ましく、一般的には約１０個以上のアミノ酸からなるものとなる。これらのオリゴペプチド、ペプチドまたは断片は、天然のタンパク質のアミノ酸配列の一部と同一であることが望ましい。ENZMアミノ酸の短い伸長部は、別のタンパク質、例えばスカシガイのヘモシニアンの配列と融合し、キメラ分子に対する抗体が産生され得る。
【０３５３】
ENZMに対するモノクローナル抗体は、培地内の連続した細胞株によって抗体分子群を産生する、任意の技術を用いて作製できる。限定するものではないがこのような技術には、ハイブリドーマ技術、ヒトＢ細胞ハイブリドーマ技術、およびEBV-ハイブリドーマ技術がある（Kohler, G. 他 (1975) Nature 256:495-497、Kozbor, D. 他 (1985) .J. Immunol. Methods 81:31-42、Cote, R.J. 他 (1983) Proc. Natl. Acad. Sci. USA 80:2026-2030、Cole, S.P. 他 (1984) Mol. Cell Biol. 62:109-120等を参照）。
【０３５４】
更に、「キメラ抗体」作製のために発達したヒト抗体遺伝子にマウス抗体遺伝子をスプライシングするなどの技術が、好適な抗原特異性及び生物学的活性を備える分子を得るために用いられる（例えば、Morrison, S.L.他. (1984) Proc. Natl. Acad. Sci. 81:6851-6855; Neuberger, M.S.他. (1984) Nature 312:604-608; Takeda, S.他 (1985) Nature 314:452,454を参照。）別法では、当分野で周知の方法を用いて、一本鎖抗体の産生のための記載された技術を適用して、ENZM特異的一本鎖抗体を生成する。関連特異性を有するがイディオタイプ組成が異なるような抗体を、ランダムな組合せの免疫グロブリンライブラリからチェーンシャッフリングによって産生することもできる（Burton D.R. (1991) Proc. Natl. Acad. Sci. USA 88:10134-10137等を参照）。
【０３５５】
抗体の産生は、リンパ球集団におけるin vivo産生の誘導によって、或いは文献に開示されているように非常に特異的な結合試薬の免疫グロブリンのライブラリまたはパネルのスクリーニングによっても行い得る（Orlandi, R. 他 (1989) Proc. Natl. Acad. Sci. USA 86: 3833-3837、Winter, G. 他 (1991) Nature 349:293-299等を参照）。
【０３５６】
ENZMに対する特異的な結合部位を含む抗体も得ることができる。例えば、限定するものではないが、このような断片には、抗体分子のペプシン消化によって作製されるF(ab')2 断片と、F(ab')2 断片のジスルフィド架橋を還元することによって作製されるFab断片とがある。或いは、Fab発現ライブラリを作製することによって、モノクローナルFab断片を所望の特異性と迅速且つ容易に同定することが可能となる（Huse, W.D. 他 (1989) Science 246:1275-1281等を参照）。
【０３５７】
種々の免疫学的検定（イムノアッセイ）を用いてスクリーニングすることにより、所望の特異性を有する抗体を同定し得る。確立された特異性を有するポリクローナル抗体またはモノクローナル抗体の何れかを用いる競合的結合アッセイ、または免疫放射定量測定法のための数々のプロトコルが、当分野では周知である。通常このような免疫測定法には、ENZMとその特異性抗体との間の複合体の計測が含まれる。２つの非干渉性ENZMエピトープに反応するモノクローナル抗体を用いるような、２部位モノクローナルベースのイムノアッセイが一般に利用されるが、競合結合アッセイを利用してもよい（前出のPoundの文献）。
【０３５８】
ラジオイムノアッセイ技術と共に様々な方法、例えばスキャッチャード分析を用いて、ENZMに対する抗体の親和性を評価する。親和性は結合定数Kaで表す。 Kaは、平衡状態においてENZM抗体複合体のモル濃度を遊離抗体と遊離抗原のモル濃度で除した値であると定義する。ポリクローナル抗体類は多数のENZMエピトープに対して親和性が不均一であり、或るポリクローナル抗体製剤に関して判定したKaは、ENZMに対する抗体群の平均の親和性または結合活性を表す。特定のENZMエピトープに単一特異的なモノクローナル抗体の製剤のＫａは、親和性の真の測定値を表す。Ka値が約１０9〜１０12 L/molの範囲にあるような高親和性抗体試薬は、ENZM抗体複合体が激しい操作に耐えなければならないイムノアッセイに用いるのが好ましい。Ka値が約１０6〜１０7 L/molの範囲にあるような低親和性抗体試薬は、ENZMが抗体から最終的に活性化状態で解離する必要がある免疫精製及び類似の処理に用いるのが好ましい（Catty, D. (1988) Antibodies, Volume I: A Practical Approach, IRL Press, Washington, DC、Liddell, J. E.and Cryer, A. (1991) A Practical Guide to Monoclonal Antibodies, John Wiley & Sons, New York NY）。
【０３５９】
ポリクローナル抗体製剤の抗体価および結合活性を更に評価して、後に使う或る適用例に対するこのような試薬の品質および適性を決定することができる。例えば、少なくとも１〜２ｍｇ／ｍｌの特異的な抗体、好ましくは５〜１０ｍｇ／ｍｌの特異的な抗体を含むポリクローナル抗体製剤は一般に、ENZM抗体複合体を沈殿させなければならない処理に用いられる。抗体の特異性、抗体価、結合活性、様々な適用例における抗体の品質や使用に対する指針については、一般に入手可能である。（前出のCattyの文献、同Coligan 他の文献等を参照）。
【０３６０】
本発明の別の実施例では、ENZMをコードするポリヌクレオチド、ENZMの任意の断片または相補配列を治療目的で使用することができる。ある実施態様では、ENZMをコードする遺伝子のコーディング領域や調節領域に相補的な配列やアンチセンス分子（DNA、RNA、PNA、または修飾したオリゴヌクレオチド）を設計して遺伝子発現を変更することができる。このような技術は当分野では周知であり、センスまたはアンチセンスオリゴヌクレオチドまたは大きな断片が、ENZMをコードする配列の制御領域から、またはコード領域に沿ったさまざまな位置から設計可能である。(Agrawal, S., ed. (1996) Antisense Therapeutics, Humana Press Inc., Totawa NJを参照。)
治療に用いる場合、アンチセンス配列を適切な標的細胞に導入するのに好適な、任意の遺伝子送達系を用いることができる。アンチセンス配列は、転写時に標的タンパク質をコードする細胞配列の少なくとも一部に相補的な配列を作製する発現プラスミドの形で細胞内に輸送することが可能である(Slater, J.E. 他 (1998) J. Allergy Clin. Immunol. 102(3):469-475; およびScanlon, K.J. 他 (1995) 9(13):1288-1296を参照)。アンチセンス配列はまた、例えばレトロウイルスやアデノ随伴ウイルスベクターなどのウイルスベクターを用いて細胞内に導入することもできる（Miller, A.D. (1990) Blood 76:271、前出のAusubel、Uckert, W. and W. Walther (1994) Pharmacol. Ther. 63(3):323-347等を参照）。その他の遺伝子送達機構には、リポソーム系、人工的なウイルスエンベロープ及び当分野で公知のその他のシステムが含まれる（Rossi, J.J. (1995) Br. Med. Bull. 51(1):217-225; Boado、R.J.他 (1998) J. Pharm. Sci. 87(11):1308-1315、Morris, M.C. 他 (1997) Nucleic Acids Res. 25(14):2730-2736. 等を参照）。
【０３６１】
本発明の別の実施例では、ENZMをコードするポリヌクレオチドを、体細胞若しくは生殖細胞遺伝子治療に用いることが可能である。遺伝子治療を行うことにより、（i）遺伝子欠損症（例えばＸ染色体鎖遺伝（Cavazzana-Calvo, M. 他 (2000) Science 288:669-672）により特徴付けられる重度の複合型免疫欠損(SCID)-X1の場合）、先天性アデノシンデアミナーゼ（ADA）欠損症に関連する重度の複合型免疫欠損（Blaese, R.M. 他 (1995) Science 270:475-480、Bordignon, C. 他 (1995) Science 270:470-475）、嚢胞性繊維症（Zabner, J. 他 (1993) Cell 75:207-216: Crystal、R.G. 他 (1995) Hum. Gene  Therapy 6:643-666、Crystal, R.G. 他 (1995) Hum. Gene Therapy 6:667-703）、サラセミア（thalassamia）、家族性高コレステロール血症、第VIII因子若しくは第IX因子欠損に起因する血友病（Crystal, 35  R.G. (1995) Science 270:404-410、Verma, I.M. および N. Somia (1997) Nature 389:239-242）を治療し、（ii）条件的致死性遺伝子産物を発現させ（例えば制御不能な細胞増殖に起因する癌の場合）、（iii）細胞内の寄生虫（例えばヒト免疫不全ウイルス(HIV)（Baltimore, D. (1988) Nature 335:395-396、Poescbla, E. 他 (1996) Proc. Natl. Acad. Sci. USA. 93:11395-11399）、B型若しくはC型肝炎ウイルス（HBV、HCV）、Candida albicans及びParacoccidioides brasiliensis等の真菌寄生虫、並びにPlasmodium falciparum及びTrypanosoma cruzi等の原虫寄生体に対する防御機能を有するタンパク質を発現させることができる。ENZMの発現若しくは調節に必要な遺伝子の欠損が疾患を引き起こす場合、導入した細胞の好適な集団からENZMを発現させて、遺伝子欠損によって起こる症状の発現を緩和することが可能である。
【０３６２】
本発明の更なる実施例では、ENZMをコードする哺乳動物発現ベクターを作製し、これらのベクターを機械的手段によってENZM欠損細胞に導入することによって、ENZMの欠損による疾患や異常症を治療する。in vivoあるいはex vitroの細胞に用いる機械的導入技術には、（i）個々の細胞内への直接的なDNA微量注射法、（ii）遺伝子銃、（iii）リポソームを介した形質移入、（iv）受容体を介した遺伝子導入、および（v）DNAトランスポゾンの使用がある（Morgan, R.A. および W.F. Anderson（1993）Annu. Rev. Biochem. 62:191-217、Ivics, Z.（1997）Cell 91:501-510; Boulay, J-L. およびH. Recipon（1998）Curr. Opin. Biotechnol. 9:445-450）。
【０３６３】
ENZM の発現に効果的である発現ベクターには、限定するものではないが、PCDNA 3.1、EPITAG、 PRCCMV2、PREP、 PVAX, PCR2-TOPOTA ベクター (Invitrogen, Carlsbad CA)、 PCMVSCRIPT、 PCMV-TAG、PEGSH/PERV (Stratagene, La Jolla CA)およびPTETOFF、PTETON、 PTRE2、 PTRE2LUC、 PTKHYG (Clontech, Palo Alto CA)が含まれる。ENZMを発現させるために、（i）恒常的に活性なプロモーター（例えば、サイトメガロウイルス（CMV）、ラウス肉腫ウイルス（RSV）、SV40ウイルス、チミジンキナーゼ（TK）、若しくはβ−アクチン遺伝子等）、(ii)誘導性プロモーター（例えば、市販されているT-REXプラスミド（Invitrogen）に含まれている、テトラサイクリン調節性プロモーター（Gossen, M. 及び H. Bujard (1992) Proc. Natl. Acad. Sci. U.S.A. 89:5547-5551; Gossen, M. 他 (1995) Science 268:1766-1769; Rossi, F.M.V. 及び H.M. Blau (1998) Curr. Opin. Biotechnol. 9:451-456））、エクジソン誘導性プロモーター（市販されているプラスミドPVGRXR及びPINDに含まれている：Invitrogen）、FK506／ラパマイシン誘導性プロモーター、またはRU486／ミフェプリストーン誘導性プロモーター（Rossi, F.M.V. 及び H.M. Blau, 前出）、または（iii）正常な個体に由来するENZMをコードする内在性遺伝子の天然のプロモーター若しくは組織特異的プロモーターを用いることが可能である。
【０３６４】
市販のリポソーム形質転換キット（例えばInvitrogen社のPERFECT LIPID TRANSFECTION KIT）を用いれば、当業者は経験にそれほど頼らないでもポリヌクレオチドを培養中の標的細胞に導入することが可能になる。別法では、リン酸カルシウム法（Graham. F.L. 及び A.J. Eb (1973) Virology 52:456-467）若しくは電気穿孔法（Neumann, B. 他 (1982) EMBO J. 1:841-845）を用いて形質転換を行う。初代培養細胞にDNAを導入するためには、標準化された哺乳動物の形質移入プロトコルの修飾が必要である。
【０３６５】
本発明の別の実施例では、ENZMの発現に関連する遺伝子欠損によって起こる疾患や障害を、（i）レトロウイルス長末端反復配列（LTR）プロモーター若しくは或る独立プロモーターのコントロール下でENZMをコードするポリヌクレオチドと、（ii）好適なRNAパッケージングシグナル群と、（iii）追加のレトロウイルス・シス作用性RNA配列と、効率的なベクター増殖に必要なコーディング配列とを伴うRev応答性エレメント（RRE）と、からなるレトロウイルスベクターを作製して治療することができる。レトロウイルスベクター（例えばPFB及びPFBNEO）はStratagene社から市販されており、刊行データ（Riviere, I. 他 (1995) Proc. Natl. Acad. Sci. U.S.A. 92:6733-6737）に基づいている。上記データを引用することをもって本明細書の一部とする。ベクターは、好適なベクター産生細胞株（VPCL）において増殖され、VPCLは、標的細胞上の受容体に対する親和性を有するエンベロープ遺伝子またはVSVg等の汎親和性エンベロープタンパク質を発現する（Armentano, D. 他 (1987) J. Virol. 61:1647-1650、Bender, M.A. 他 (1987) J. Virol. 61:1639-1646、Adam, M.A. および A.D. Miller (1988) J. Virol. 62:3802-3806、Dull, T. 他 (1998) J. Virol. 72:8463-8471、Zufferey, R. 他 (1998) J. Virol. 72:9873-9880）。Riggに付与された米国特許第5,910,434号（「Method for obtaining retrovirus packaging cell lines producing high transducing efficiency retroviral supernatant」）において、レトロウイルスパッケージング細胞株を得るための方法が開示されており、引用することをもって本明細書の一部とする。レトロウイルスベクターの増殖、細胞集団（例えばCD4+ Ｔ細胞）の形質導入、及び形質導入した細胞の患者への戻しは、遺伝子治療の分野では当業者に公知の方法であり、多数の文献に記載されている（Ranga, U. 他 (1997) J. Virol. 71:7020-7029、Bauer, G. 他 (1997) Blood 89:2259-2267、Bonyhadi, M.L. (1997) J. Virol. 71:4707-4716、Ranga, U. 他 (1998) Proc. Natl. Acad. Sci. U.S.A. 95:1201-1206、Su, L. (1997) Blood 89:2283-2290）。
【０３６６】
別法では、アデノウイルス系遺伝子治療の或る送達系を用いて、ENZMの発現に関連する１つ以上の遺伝子異常を有する細胞群に、ENZMをコードするポリヌクレオチド群を送達する。アデノウイルス系ベクターの作製及びパッケージングについては、当業者に公知である。複製欠損型アデノウイルスベクターは、免疫調節タンパク質をコードする遺伝子を膵臓の無損傷の膵島内に導入するために融通のきくことが証明された（Csete, M.E. 他 (1995) Transplantation 27:263-268）。使用できる可能性のあるアデノウイルスベクターは、Armentanoに付与された米国特許第5,707,618号（「Adenovirus vectors for gene therapy」）に記載されており、引用することをもって本明細書の一部とする。アデノウイルスベクターについては、Antinozzi, P.A. 他 (1999) Annu. Rev. Nutr. 19:511-544 及び Verma, I.M. 及び N. Somia (1997) Nature 18:389:239-242も参照されたい。両文献は、引用することをもって本明細書の一部とする。
【０３６７】
別法では、ヘルペス系遺伝子治療の送達系を用いて、ENZMの発現に関連する１つ或いは複数の遺伝子異常を有する標的細胞にENZMをコードするポリヌクレオチドを送達する。単純ヘルペスウイルス（ＨＳＶ）系のベクターは、ＨＳＶ親和性の中枢神経細胞にENZMを導入する際に特に有用であり得る。ヘルペス系ベクターの作製及びパッケージングは、当業者に公知である。複製適格性単純ヘルペスウイルス（HSV）I型系のベクターは、レポーター遺伝子を霊長類の眼に送達するために用いられてきた（Liu, X. 他 (1999) Exp. Eye Res.169:385-395）。HSV-1ウイルスベクターの作製についても、DeLucaに付与された米国特許第5,804,413号（「Herpes simplex virus swains for gene transfer」）に開示されており、該特許の引用をもって本明細書の一部とする。 米国特許第5,804,413号には、ヒト遺伝子治療を含む目的のために好適なプロモーターの制御下において細胞に導入される少なくとも１つの外在性遺伝子を有するゲノムを含む組換えHSV d92についての記載がある。上記特許はまた、ICP4、ICP27及びICP22のために除去される組換えHSV系統の作製及び使用について開示している。HSVベクターについては、Goins, W.F. 他 (1999) J. Virol. 73:519-532 及び Xu, H. ら (1994) Dev. Biol. 163:152-161も参照されたい。両文献は、引用をもって本明細書の一部とする。クローン化ヘルペスウイルス配列の操作、巨大ヘルペスウイルスのゲノムの異なった部分を含む多数のプラスミドを形質移入した後の組換えウイルスの産生、ヘルペスウイルスの成長及び増殖、並びにヘルペスウイルスの細胞への感染は、当業者に公知の技術である。
【０３６８】
別法では、αウイルス（正の一本鎖RNAウイルス）ベクターを用いてENZMをコードするポリヌクレオチドを標的細胞に送達する。プロトタイプのαウイルスであるセムリキ森林熱ウイルス（Semliki Forest Virus, SFV）の生物学的研究が広範に行われており、遺伝子導入ベクターがSFVゲノムに基づいていることが分かった（Garoff, H. 及び K.-J. Li (1998) Cun. Opin. Biotech. 9:464-469）。αウイルスRNAの複製中に、通常はウイルスのキャプシッドタンパク質をコードするサブゲノムRNAが作り出される。このサブゲノムRNAは、完全長のゲノムRNAより高いレベルに複製されるため、酵素活性（例えばプロテアーゼ及びポリメラーゼ）を有するウイルスタンパク質に比べてキャプシッドタンパク質が過剰産生される。同様に、ENZMに対するコード配列をカプシドコード領域のαウイルスゲノムに導入することにより、ベクター導入細胞において多数のENZMコードRNAが産生され、高レベルのENZMが合成される。通常はαウイルスの感染が数日以内での細胞溶解に関係する一方で、シンドビスウイルス（SIN）の変異体を有するハムスター正常腎臓細胞（BHK-21）の持続的な感染を確立する能力は、αウイルスの溶解複製を遺伝子治療に適用できるように好適に変更可能であることを示唆している（Dryga, S.A. 他 (1997) Virology 228 :74-83）。広範な宿主にαウイルスを使用できるので、様々なタイプの細胞にENZMを導入できる。或る集団におけるサブセットの細胞の特定形質導入は、形質導入前に細胞の選別を必要とし得る。αウイルスの感染性cDNAクローンの処置方法、αウイルスのcDNA及びRNAの形質移入方法及びαウイルスの感染方法は、当業者に公知である。
【０３６９】
転写開始部位由来のオリゴヌクレオチドを用いて遺伝子発現を阻害することも可能である。転写開始部位(transcription initiation site)とは例えばスタート部位(start site)から数えて約−10と約＋10の間である。同様に、三重らせん塩基対の形成方法を用いて阻害が可能となる。三重らせん塩基対形成は、ポリメラーゼ、転写因子または調節分子の結合のために充分に開く、二重らせんの能力を阻害するので有用である。三重らせんDNAを用いる最近の治療の進歩については文献に記載がある（Gee, J.E. 他 (1994) in: Huber, B.E.and B.I. Carr, Molecular and Immunologic Approaches, Futura Publishing Co., Mt. Kisco, NY, 163-177ページ等を参照。）相補配列またはアンチセンス分子もまた、転写物がリボソームに結合するのを阻止することによってmRNAの翻訳を阻止するべく設計することができる。
【０３７０】
リボザイムは酵素的RNA分子であり、RNAの特異的切断を触媒するためにリボザイムを用いることもできる。リボザイム作用のメカニズムは、相補的標的RNAへのリボザイム分子の配列特異性ハイブリダイゼーションとその後に起こる内ヌクレオチド鎖切断に関与している。例えば、遺伝子操作で作られたハンマーヘッド型リボザイム分子は、ENZMをコードする配列の内ヌクレオチド鎖分解性の切断を特異的且つ効果的に触媒する可能性がある。
【０３７１】
任意のRNA標的内の特異的リボザイム切断部位は、GUA、GUU、GUC配列を含めたリボザイム切断部位に対して標的分子をスキャンすることによって先ず同定される。一度同定されると、切断部位を含む標的遺伝子の領域に対応する１５〜２０リボヌクレオチドの短いＲＮＡ配列が、そのオリゴヌクレオチドを機能不全にするような２次構造の特徴をもっていないかを評価することが可能になる。候補標的の適合性の評価も、リボヌクレアーゼ保護アッセイを用いて相補的オリゴヌクレオチドとのハイブリダイゼーションのアクセス可能性をテストすることによって行うことができる。
【０３７２】
本発明の相補リボ核酸分子およびリボザイムは、核酸分子合成のために当分野でよく知られている任意の方法を用いて作製し得る。任意の方法には、固相フォスフォアミダイト化学合成等のオリゴヌクレオチドを化学的に合成する方法がある。或いは、ENZMをコードするDNA配列のin vitro及びin vivo転写によってRNA分子を産出し得る。このようなDNA配列は、T7やSP6等の好適なRNAポリメラーゼプロモーターを用いて多様なベクター内に取り込むことが可能である。或いは、相補的RNAを構成的或いは誘導的に合成するようなこれらcDNA産物を、細胞系、細胞または組織内に導入することができる。
【０３７３】
細胞内の安定性を高め、半減期を長くするためにRNA分子を修飾することができる。限定するものではないが可能な修飾としては、分子の5'末端、3'末端、あるいはその両方において隣接配列群を追加することや、分子の主鎖内においてホスホジエステラーゼ結合ではなくホスホロチオエートまたは2'O-メチルを使用することが含まれる。この概念は、PNAの産出に固有のものであり、これら全ての分子に拡大することができる。それには、内因性エンドヌクレアーゼによって容易には認識されないアデニン、シチジン、グアニン、チミン、及びウリジンにアセチル−、メチル−、チオ−及び同様の修飾をしたものの他、非従来型塩基、例えばイノシン、クエオシン（queosine）、ワイブトシン（wybutosine）等を加えることでできる。
【０３７４】
本発明の更なる実施例は、ENZMをコードするポリヌクレオチドの発現の変化に有効な化合物をスクリーニングする方法を含む。限定するものではないが特異ポリヌクレオチドの発現変化を起こすのに有効な化合物には、オリゴヌクレオチド、アンチセンスオリゴヌクレオチド、三重らせん形成オリゴヌクレオチド、転写因子その他のポリペプチド転写制御因子、及び特異ポリヌクレオチド配列と相互作用し得る非高分子化学的実体がある。有効な化合物は、ポリヌクレオチド発現のインヒビターまたはエンハンサーのいずれかとして作用することによりポリヌクレオチド発現を変異し得る。従って、ENZM の発現または活性の増加に関連する疾患の治療においては、ENZM をコードするポリヌクレオチドの発現を特異的に阻害する化合物が治療上有用であり、ENZM の発現または活性の低下に関連する疾患の治療においては、ENZM  をコードするポリヌクレオチドの発現を特異的に促進する化合物が治療上有用であり得る。
【０３７５】
或る特定ポリヌクレオチドの発現を改変する際の有効性について、少なくとも１個、または複数個の試験化合物をスクリーニングし得る。試験化合物は、当分野で通常知られている任意の方法により得られる。このような方法には、ポリヌクレオチドの発現を変異させる場合と、既に市販のまたは私的な、天然または非天然の化合物ライブラリから選択する場合と、標的ポリヌクレオチドの化学的及び／または構造的特性に基づく化合物を合理的にデザインする場合と、組合せ的にまたは無作為に生成した化合物のライブラリから選択する場合に有効であることが知られているような化合物の化学修飾がある。ENZMをコードするポリヌクレオチドを含むサンプルを、このようにして得た試験化合物の少なくとも１つに曝露する。サンプルには例えば、無傷細胞、透過化処理した細胞、無細胞再構成系または再構成生化学系があり得る。ENZMをコードするポリヌクレオチドの発現における変化は、当分野で通常知られている任意の方法でアッセイする。 通常、ENZMをコードするポリヌクレオチドの配列に相補的なヌクレオチド配列を有するプローブを用いたハイブリダイゼーションにより、特異ヌクレオチドの発現を検出する。ハイブリダイゼーション量を定量し、それによって１つ以上の試験化合物に曝露される及び曝露されないポリヌクレオチドの発現の比較に対する基礎を形成し得る。試験化合物に曝露されるポリヌクレオチドの発現における変化の検出は、ポリヌクレオチドの発現を変異する際に試験化合物が有効であることを示している。特異ポリヌクレオチドの発現改変に有効な化合物に対して、例えば分裂酵母（Schizosaccharomyces pombe）遺伝子発現系（Atkins, D. 他 (1999) 米国特許第5,932,435号、Arndt, G.M. 他 (2000) Nucleic Acids Res. 28:E15）またはHeLa細胞等のヒト細胞株（Clarke, M.L. 他 (2000) Biochem. Biophys. Res. Commun. 268:8-13）を用いてスクリーニングを実行する。本発明の或る特定の実施態様は、或る特定ポリヌクレオチド配列に対するアンチセンス活性について、オリゴヌクレオチド（デオキシリボヌクレオチド、リボヌクレオチド、ペプチド核酸、修飾したオリゴヌクレオチド）の組み合わせライブラリをスクリーニングする過程に関する（Bruice, T.W. 他 (1997) U.S. Patent No. 5,686,242、Bruice, T.W. 他. (2000) U.S. Patent No. 6,022,691)。
【０３７６】
ベクターを細胞または組織に導入する多数の方法が利用可能であり、in vivo、in vitro及びex vivoの使用に対して同程度に適している。ex vivo治療の場合、ベクターを患者から採取した幹細胞内に導入し、クローニング増殖して同一患者に自家移植で戻すことができる。トランスフェクション、リボソーム注入またはポリカチオンアミノポリマーによる送達は、当分野でよく知られている方法を用いて実行することができる（Goldman, C.K. 他 (1997) Nat. Biotechnol. 15:462-466.等を参照）。
【０３７７】
上記の治療方法はいずれも、例えば、ヒト、イヌ、ネコ、ウシ、ウマ、ウサギ、サルなどの哺乳類を含めて治療が必要な全ての被験体に適用できる。
【０３７８】
本発明の追加実施例は、通常薬剤として許容できる賦形剤で処方される活性成分を有する組成物の投与に関連する。賦形剤には例えば、糖、でんぷん、セルロース、ゴム及びタンパク質がある。様々な処方が通常知られており、詳細はRemington's Pharmaceutical Sciences（Maack Publishing, Easton PA）の最新版に記載されている。このような組成物は、ENZM、ENZMの抗体、擬態、アゴニスト、アンタゴニスト、またはENZMのインヒビターなどからなる。
【０３７９】
本発明に用いられる組成物は、任意の数の経路によって投与することができ、限定するものではないが経路には、経口、静脈内、筋肉内、動脈内、骨髄内、クモ膜下腔内、心室内、肺、経皮、皮下、腹腔内、鼻腔内、腸内、局所、舌下または直腸がある。
【０３８０】
肺から投与する組成物は、液状または乾燥粉末状で調製し得る。このような組成物は通常、患者が吸入する直前にエアロゾル化する。小分子（例えば従来の低分子量有機薬）の場合には、速効製剤のエアロゾル送達は当分野で公知である。高分子（例えばより大きなペプチド及びタンパク質）の場合には、当該分野において肺の肺胞領域を介しての肺送達が最近向上したことにより、インスリン等の薬剤を実質的に血液循環へ輸送することを可能にした（Patton, J.S. 他, 米国特許第5,997,848号等を参照）。肺送達は、針注射なしに投与する点で優れており、有毒な可能性のある浸透エンハンサーの必要性をなくす。
【０３８１】
本発明での使用に適した組成物には、所定の目的を達成するために必要なだけの量の活性成分を含有する成分が含まれる。有効投与量の決定は、当業者の能力の範囲内で行う。特殊形状の成分は、ENZMまたはその断片を含む高分子を直接細胞内輸送するために調製される。例えば、細胞不透過性高分子を含むリポソーム製剤は、細胞融合及び高分子の細胞内送達を促進し得る。別法では、ENZMまたはその断片を、HIV Tat-1タンパク質の陽イオンN末端部に結合することもできる。このようにして生成された融合タンパク質は、マウスモデル系の脳を含む全ての組織の細胞に形質導入することがわかっている（Schwarze, S.R. 他 (1999) Science 285:1569-1572）。
【０３８２】
任意の化合物に対して、先ず細胞培養アッセイ、例えば新生物性細胞の細胞培養アッセイにおいて、あるいは、動物モデル、例えばマウス、ラット、ウサギ、イヌ、サルまたはブタなどにおいて、治療有効量を推定することができる。動物モデルはまた、好適な濃度範囲及び投与経路を決定するためにも用い得る。このような情報を用いて、次にヒトに対する有益な投与量及び投与経路を決定することができる。
【０３８３】
治療上の有効投与量は、症状や容態を回復させるような活性成分量を参考にする。 そのような活性成分の例としては、ENZMまたはその断片、ENZMの抗体、ENZMのアゴニスト、アンタゴニストまたはインヒビターがある。治療有効性および毒性は、細胞培養または動物実験における標準的な薬学手法によって、例えばED50（集団の５０％の治療有効量）またはLD50（集団の５０％の致死量）統計を計算するなどして判定できる。毒性効果の治療効果に対する投与量の比は、治療指数であり、LD50/ED50比として表すことができる。高い治療指数を示すような組成物が望ましい。細胞培養アッセイと動物実験とから得られたデータは、ヒトに用いる投与量の範囲の策定に用いられる。このような組成物が含まれる投与量は、毒性を殆ど或いは全く含まず、ED50を含むような血中濃度の範囲にあることが好ましい。用いられる投与形態、患者の感受性及び投与の経路によって、投与量はこの範囲内で様々に変わる。
【０３８４】
正確な投与量は、治療が必要な被験者に関する要素を考慮して、現場の医者が決定することになる。効果的なレベルの活性成分を与え、或いは所望の効果を維持するべく、投与量及び投与を調節する。被験者に関する要素としては、疾患の重症度、患者の通常の健康状態、患者の年齢、体重及び性別、投与の時間及び頻度、薬剤の配合、反応感受性及び治療に対する応答等を考慮する。作用期間が長い組成物は、特定の製剤の半減期及びクリアランス率によって３〜４日毎に１度、１週間に１度、或いは２週間に１度の間隔で投与し得る。
【０３８５】
通常の投与量は、投与の経路にもよるが約０.１〜１００,０００μgであり、合計で約１gまでとする。特定の投与量及び送達方法に関するガイダンスは文献に記載されており、現場の医者は通常それを利用することができる。当業者は、タンパク質またはインヒビターに対する処方とは異なる、ヌクレオチドに対する処方を利用することになる。同様に、ポリヌクレオチドまたはポリペプチドの送達は、特定の細胞、状態、位置等に特異的なものとなる。
【０３８６】
（診断）
別の実施例では、ENZMに特異的に結合する抗体を、ENZMの発現によって特徴付けられる障害の診断に、または、ENZMやENZMのアゴニストまたはアンタゴニスト、インヒビターで治療を受けている患者をモニターするためのアッセイに用い得る。診断目的に有用な抗体は、上記の治療の箇所で記載した方法と同じ方法で調合される。ENZMの診断アッセイには、抗体及び標識を利用してヒトの体液において或いは細胞や組織のエキスにおいてENZMを検出する方法が含まれる。この抗体は修飾されたものもされていないものも可能であり、レポーター分子との共有結合または非共有結合で標識化できる。レポーター分子としては広くさまざまな種類が本分野で知られており、また使用可能であるが、そのうちのいくつかは上記で説明されている。
【０３８７】
ENZMを測定するための様々なプロトコル、例えばELISA、RIA、FACS等が本技術分野において知られており、ENZM発現の修正レベル或いは異常レベルを診断する基準を提供する。複合体の形成に適した条件下でヒト対象等の正常な哺乳動物対象から採取した体液または細胞とENZMに対する抗体とを結合させることにより、ENZM発現の正常値または標準値が決定される。標準複合体形成量は、種々の方法、例えば測光法で定量できる。被験者、対照および生検組織からの疾患サンプルで発現するENZMの量を標準値と比較する。標準値と被験者との偏差が疾患を診断するパラメータとなる。
【０３８８】
本発明の別の実施態様では、ENZMをコードするポリヌクレオチド群を診断目的に用い得る。用いられることができるポリヌクレオチドには、オリゴヌクレオチド配列、相補的RNA及びDNA分子、そしてPNAが含まれる。ポリヌクレオチドは、検体におけるENZMの発現が疾患と相関し得るような該検体における遺伝子発現の検出及び定量に用いることができる。この診断アッセイを用いて、ENZMの存在の有無、更に過剰な発現を調べ、治療中のENZM値の調節を監視する。
【０３８９】
一実施形態では、ENZMまたは近縁の分子をコードする遺伝子配列を含むポリヌクレオチド配列を検出可能なPCRプローブを用いたハイブリダイゼーションによって、ENZMをコードする核酸配列を同定することが可能である。プローブが高度に特異的な領域（例えば５'調節領域）から作られている、或いはやや特異性の低い領域（例えば保存されたモチーフ）から作られているかにかかわらず、そのプローブの特異性と、ハイブリダイゼーション或いは増幅のストリンジェントによって、そのプローブがENZMをコードする自然界の配列のみを同定するかどうか、或いは対立遺伝子や関連配列コードする自然界の配列のみを同定するかどうかが決まるであろう。
【０３９０】
プローブはまた、関連する配列の検出に利用され、ENZMをコードする任意の配列と少なくとも５０％の配列同一性を有し得る。本発明のハイブリダイゼーションプローブには、DNAあるいはRNAが可能であり、SEQ ID NO:13-24の配列、或いはENZM遺伝子のプロモーター、エンハンサー、イントロンを含むゲノム配列に由来し得る。
【０３９１】
ENZMをコードするDNAに対する特異的ハイブリダイゼーションプローブを作製する方法には、ENZMまたはENZM誘導体をコードするポリヌクレオチド配列を、mRNAプローブを作製するためのベクターにクローニングする方法が含まれる。ｍＲＮＡプローブ作製のためのベクターは、当業者に知られており、市販されており、好適なＲＮＡポリメラーゼ及び好適な標識されたヌクレオチドを加えることによって、in vitroでＲＮＡプローブを合成するために用いられ得る。ハイブリダイゼーションプローブは、種々のレポーターの集団によって標識され得る。レポーター集団の例としては、32Pまたは35S等の放射性核種、或いはアビジン／ビオチン結合系を介してプローブに結合されたアルカリホスファターゼ等の酵素標識などが挙げられる。
【０３９２】
ENZMをコードするポリヌクレオチド配列は、ENZMの発現に関係する疾患の診断の為に用い得る。
【０３９３】
そのような疾患の例には、限定するものではないが、自己免疫／炎症性の疾患では、後天性免疫不全症候群（AIDS）及びアジソン病、成人呼吸窮迫症候群、アレルギー、強直性脊椎炎、アミロイド症、貧血、喘息、アテローム性動脈硬化症、自己免疫性溶血性貧血、自己免疫性甲状腺炎、自己免疫性多腺性内分泌カンジダ症外胚葉ジストロフィー（APECED）、気管支炎、胆嚢炎、接触皮膚炎、クローン病、アトピー性皮膚炎、皮膚筋炎、糖尿病、肺気腫、リンパ球傷害因子性偶発性リンパ球減少症、新生児溶血性疾患（胎児赤芽球症）、結節性紅斑、萎縮性胃炎、糸球体腎炎、グッドパスチャー症候群、痛風、グレーブス病、橋本甲状腺炎、過好酸球増加症、過敏性腸症候群、多発性硬化症、重症筋無力症、心筋または心膜炎症、骨関節炎、骨粗しょう症、膵炎、多発性筋炎、乾癬、ライター症候群、リウマチ様関節炎、強皮症、シェ−グレン症候群、全身性アナフィラキシー、全身性エリテマトーデス、全身性硬化症、血小板減少性紫斑病、潰瘍性大腸炎、ブドウ膜炎、ウェルナー症候群、癌合併症、血液透析、体外循環、外傷が含まれ；  感染症としては、たとえばアデノウィルス（急性呼吸器疾患、肺炎）、アレナウィルス（リンパ球性脈絡髄膜炎）、ブンヤウィルス（ハンタウィルス）、コロナウィルス（肺炎、慢性気管支炎）、ヘパドナウィルス（肝炎）、ヘルペスウィルス（ヘルペスシンプレックスウィルス、帯状ヘルペスウィルス、エプスタイン-バーウィルス、サイトメガロウィルス）、フラビウィルス（黄熱病）、オルトミクソウィルス(インフルエンザ)、パピローマウィルス(癌)、パラミクソウィルス（はしか、おたふく風邪）、ピコルナウィルス（リノウィルス、ポリオウィルス、コクサキーウィルス）、ポリオーマウィルス（BKウィルス、JCウィルス）、ポックスウィルス（天然痘）、レオウィルス（コロラドダニ熱）、レトロウィルス（ヒト免疫不全ウィルス、ヒトTリンパ球向性ウイルス）、ラブドウィルス（狂犬病）、ロタウィルス（胃腸炎）、トガウィルス（脳炎、風疹）などに起因するウィルス感染症および細菌感染症、真菌感染症、寄生虫感染症、原虫感染症、および蠕虫感染症が含まれ；  免疫不全としては、後天性免疫不全症候群(AIDS)、X連関ブルトン型伴性無ガンマロブリン血症、分類不能型免疫不全症(CVI)、ディジョージ症候群(胸腺形成不全症)、胸腺異形成、IgA単独欠損症、重症複合型免疫不全(SCID)、血小板減少および湿疹を伴う免疫不全症(ウィスコット‐アルドリッチ症候群)、チェディアック‐東症候群、慢性肉芽腫症、遺伝性血管神経性浮腫、クッシング病に関連した免疫不全疾患が含まれ；  代謝異常としては、アジソン病（副腎機能不全）、脳腱黄色腫症、副腎皮質過形成、クマリン耐性、嚢胞性線維症、糖尿病、脂肪性肝硬変、果糖-1，6-ジホスファターゼ欠損症、ガラクトース血症、甲状腺腫、グルカゴノーマ、糖原病、遺伝性果糖不耐症、副腎髄質機能亢進症、低アドレナリン症、上皮小体亢進症、副甲状腺低下症、高コレステロール血症、甲状腺亢進症、低血糖症、甲状腺低下症、高脂血症、脂質ミオパシー（lipid myopathies）、脂肪異栄養症、リソソーム蓄積症、マンノシドーシス、ノイラミニダーゼ欠損症、肥満症、ペントース−フェニルケトン尿症、プソイドビタミンD欠損症が含まれ；  生殖系疾患としては、プロラクチン産生障害、不妊症（卵管疾患、排卵欠損症、子宮内膜症）、性周期障害、月経周期障害、多嚢胞性卵巣症候群、卵巣過刺激症候群、子宮内膜癌、卵巣癌、子宮筋腫、自己免疫疾患、子宮外妊娠、催奇形、乳がん、繊維嚢胞性乳房疾患、乳漏症、精子形成破壊、精子異常生理、精巣癌、前立腺癌、良性前立腺肥大、前立腺炎、パイロニー病、性交不能、男性乳癌、女性化乳房が含まれ；  神経の疾患のとしては、癲癇、虚血性脳血管障害、脳卒中、大脳新生物、アルツハイマー病、ピック病、ハンチントン病、痴呆、パーキソン病及びその他の錐体外路障害、筋萎縮性側策硬化及びその他の運動ニューロン障害、進行性神経性筋萎縮症、色素性網膜炎、遺伝性運動失調、多発性硬化症及び他の脱髄疾患、細菌性及びウイルス性髄膜炎、脳膿瘍、硬膜下蓄膿症、硬膜外膿瘍、化膿性頭蓋内血栓性静脈炎、脊髄炎及び神経根炎、ウイルス性中枢神経系疾患、プリオン病（クールー、クロイツフェルト‐ヤコブ病、ゲルストマン症候群、及びGerstmann-Straussler-Scheinker症候群を含む）、致死性家族性不眠症、神経系性栄養病及び代謝病、神経線維腫症、結節硬化症、小脳網膜血管芽腫（cerebelloretinal hemangioblastomatosis）、脳３叉神経血管症候群、中枢神経系性の精神薄弱及び他の発生障害、脳性麻痺、神経骨格異常症、自律神経系障害、脳神経障害、脊髄障害、筋ジストロフィー及びその他の神経筋障害、末梢神経疾患、皮膚筋炎及び多発性筋炎、遺伝性、代謝性、内分泌性、及び中毒性の筋疾患、重症筋無力症、周期性四肢麻痺、精神病（気分性、不安性の障害、分裂病性疾患）、季節性障害（SAD）、静座不能、健忘症、緊張病、糖尿病性ニューロパシー、錐体外路性終末欠陥症候群、ジストニー、分裂病性精神障害、帯状疱疹後神経痛、及びトゥーレット病が含まれ；  心血管疾患の中には、動静脈瘻、アテローム硬化、高血圧、脈管炎、レイノー病、静脈奇形、動脈解離、静脈瘤、血栓静脈炎及び静脈血栓、血管の腫瘍、血栓崩壊の合併症、バルーン血管形成術、血管置換術、バイパス手術、うっ血性心不全、虚血性心疾患、狭心症、心筋梗塞、高血圧性心疾患、変性弁膜性心疾患、石灰化大動脈弁狭窄症、先天性２尖大動脈弁、僧帽弁輪状石灰化、僧帽弁逸脱、リウマチ熱、リウマチ性心疾患、感染性心内膜炎、非細菌性血栓性心内膜炎、全身性エリテマトーデスの心内膜炎、カルチノイド心疾患、心筋症、心筋炎、心膜炎、腫瘍性心疾患、先天性心臓疾患、及び心臓移植の合併症、先天性肺異常、肺拡張不全、肺うっ血及び肺水腫、肺動脈塞栓症、肺出血、肺梗塞、肺高血圧症、血管硬化症、閉塞性肺疾患、拘束型肺疾患、慢性閉塞性肺疾患、肺気腫、慢性気管支炎、気管支喘息、細気管支拡張症、細菌性肺炎、ウイルス性肺炎及びマイコプラズマ肺炎、肺膿瘍、肺結核、びまん性間質性疾患、塵肺症、サルコイド症、特発性肺線維症、剥離性間質性肺炎、過敏症肺炎、肺好酸球増加閉塞性細気管支炎―器質性肺炎（pulmonary eosinophilia bronchiolitis obliterans-organizing pneumonia）、びまん性肺出血症候群、グッドパスチャー症候群、特発性肺血鉄症、肺併発膠原血管病併発性肺疾患、肺胞たんぱく症、肺腫瘍、炎症性及び非炎症性胸水、気胸症、胸膜腫瘍、薬物性肺疾患、放射線による肺疾患、及び肺移��の合併症などが含まれ；  眼疾患としては、高眼圧症および緑内障が含まれ；  また、細胞増殖異常では日光性角化症及びアテローム性動脈硬化、滑液包炎、硬変、肝炎、混合性結合組織病（MCTD）、骨髄線維症、発作性夜間ヘモグロビン尿症、真性多血症、乾癬、原発性血小板血症、並びに腺癌及び白血病、リンパ腫、黒色腫、骨髄腫、肉腫、及び奇形癌など癌、具体的には、副腎、膀胱、骨、骨髄、脳、乳房、頚部、胆嚢、神経節、消化管、心臓、腎臓、肝臓、肺、筋肉、卵巣、膵臓、副甲状腺、陰茎、前立腺、唾液腺、皮膚、脾臓、精巣、胸腺、甲状腺、子宮の癌が含まれる。
【０３９４】
ENZMをコードするポリヌクレオチド配列は、サザン法、ノーザン法、ドットブロット法やその他の膜ベースの技術と、PCR法と、ディップスティック（dipstick）法、ピン及びマルチフォーマットELISA様アッセイと、変異ENZMの発現を検出するために患者から採取した体液または組織を利用するマイクロアレイとにおいて使用し得る。このような定性方法または定量方法は、当分野で公知である。
【０３９５】
或る形態では、関連する疾患、特に上記した疾患を検出するアッセイにおいて、ENZMをコードするヌクレオチド配列が有用であり得る。ENZMをコードするヌクレオチド配列群を、標準的な種々の方法で標識化し、ハイブリダイゼーション複合体の形成に好適な条件下で、患者から採取した体液或いは組織のサンプルに加えることができる。好適なインキュベーション期間が経過したらサンプルを洗浄し、シグナルを定量して標準値と比較する。患者サンプルのシグナル量が制御サンプルと比べて著しく変化している場合は、サンプル内のENZMをコードするヌクレオチド配列の変異レベルは関連する疾患の存在を示している。このようなアッセイは、動物実験、臨床試験における特定の治療効果を評価するため、あるいは個々の患者の治療をモニターするために用いることもできる。
【０３９６】
ENZMの発現に関連する障害の診断の基礎を提供するために、発現の正常すなわち標準的なプロファイルが確立される。これは、ハイブリダイゼーション或いは増幅に好適な条件の下で、動物或いはヒトの何れかの正常な被験者から採取された体液或いは細胞抽出物と、ENZMをコードする配列或いはその断片とを混合することにより達成され得る。実質的に精製されたポリヌクレオチドを既知量用いて行った実験から得た値を正常な被験者から得た値と比較することにより、標準ハイブリダイゼーションを定量することができる。このようにして得た標準値は、疾患の徴候を示す患者から得たサンプルから得た値と比較することができる。標準値からの偏差を用いて疾患の存在を確定する。
【０３９７】
疾患の存在が確定されて治療プロトコルが開始されると、患者の発現レベルが正常な被検者に観察されるレベルに近づき始めたかどうかを測定するため、ハイブリダイゼーションアッセイを定期的に繰り返し得る。連続アッセイから得られた結果を用いて、数日から数ヶ月の期間にわたる治療の効果を示し得る。
【０３９８】
癌に関しては、個体からの生体組織における異常な量の転写物（過少発現または過剰発現）の存在は、疾患の発生素質を示したり、実際に臨床的症状が現れる前に疾患を検出する方法を提供し得る。この種のより明確な診断により、医療の専門家が予防方法または積極的な治療法を早くから利用し、それによって癌の発生または更なる進行を防止することが可能となる。
【０３９９】
ENZMをコードする配列群から設計されたオリゴヌクレオチド群の、更なる診断への利用には、PCRの利用が含まれ得る。これらのオリゴマーは、化学的に合成するか、酵素により生産するか、或いはin vitroで産出し得る。オリゴマーは、好ましくはENZMをコードするポリヌクレオチドの断片、或いはENZMをコードするポリヌクレオチドと相補的なポリヌクレオチドの断片を含み、最適化した条件下で、特定の遺伝子や条件を識別するために利用される。また、オリゴマーは、やや緩いストリンジェント条件下で、近縁のＤＮＡ或いはＲＮＡ配列の検出、定量、或いはその両方のため用いることが可能である。
【０４００】
或る特定の態様において、ENZMをコードするポリヌクレオチド配列群由来のオリゴヌクレオチドプライマー類を用いて、一塩基多型（SNP）を検出し得る。SNPは、多くの場合にヒトの先天性または後天性遺伝病の原因となるような置換、挿入および欠失である。限定するものではないがＳＮＰの検出方法には、ＳＳＣＰ（single-stranded conformation polymorphism）及び蛍光ＳＳＣＰ（ｆＳＳＣＰ）がある。SSCPでは、ENZMをコードするポリヌクレオチド配列由来のオリゴヌクレオチドプライマーを用いて、ポリメラーゼ連鎖反応法（PCR）を用いたDNAの増幅を行う。ＤＮＡは例えば、病変組織または正常組織、生検サンプル、体液その他に由来し得る。ＤＮＡ内のＳＮＰは、一本鎖形状のＰＣＲ生成物の２次及び３次構造に差異を生じさせる。差異は非変性ゲル中でのゲル電気泳動法を用いて検出可能である。ｆＳＣＣＰでは、オリゴヌクレオチドプライマーを蛍光性に標識する。それによってＤＮＡシークエンシング機などの高処理機器でアンプリマー（amplimer）の検出が可能になる。更に、インシリコSNP（in silico SNP, isSNP）と呼ばれる配列データベース分析法は、一般的なコンセンサス配列にアセンブリされるような個々のオーバーラップするDNA断片の配列を比較することにより、多型性を同定し得る。これらのコンピュータベースの方法は、ＤＮＡの実験室での調整及び統計モデル及びＤＮＡ配列クロマトグラムの自動分析を用いたシークエンシングのエラーに起因する配列の変異をフィルタリングして除去する。別の態様では、例えば高処理MASSARRAYシステム（Sequenom, Inc., San Diego CA）を用いた質量分析によりSNPを検出し、特徴付ける。
【０４０１】
SNPはヒトの病気の遺伝的基礎を研究するために使える可能性がある。たとえば、少なくとも１６個の一般的なSNPがインスリン非依存性の糖尿病と関連付けられている。SNPはまた、嚢胞性線維症、鎌形血球貧血、慢性肉芽腫性疾病等の単一遺伝子病の現れ方の違いを研究するために有用である。たとえば、マンノース結合レクチン（MBL2）の変異体は嚢胞性線維症の肺での有害な現れ方との相関が示されている。SNPはまた、薬理ゲノミックス（命のかかわる毒性など、患者の薬への反応に影響する遺伝的変異体の同定）にも役立つ。たとえば、Nアセチルトランスフェラーゼのある変異体は抗結核薬剤イソニアジドに対する高頻度の末梢神経障害と関連付けられているし、ALOX5のコアプロモーターのある変異体は５リポオキシゲナーゼ経路を標的とする抗喘息薬剤による治療への臨床的反応を弱くする。異なる集団におけるSNPの分布の解析は、遺伝子浮動、突然変異、組換えおよび選択の研究に有用であると共に、集団の起源と移動の調査にも役立つ。(Taylor, J.G. 他 (2001) Trends Mol. Med. 7:507-512; Kwok, P.-Y. and Z. Gu (1999) Mol. Med. Today 5:538-543; Nowotny, P. 他 (2001) Curr. Opin. Neurobiol. 11:637-641.)
ENZMの発現を定量するために用い得る別の方法の例としては、ヌクレオチド群の放射標識またはビオチン標識、対照核酸の共増幅（coamplification）、および、標準曲線から得た結果の補間もある(例えば、 Melby, P.C. 他 (1993) J. Immunol. Methods 159:235-244; Duplaa, C. 他 (1993) Anal. Biochem. 212:229-236を参照。)目的のオリゴマーが種々の希釈液中に存在し、分光光度法または比色反応によって定量が迅速になるような高処理フォーマットのアッセイを行うことによって、複数のサンプルの定量速度を加速することができる。
【０４０２】
更に別の実施例では、本明細書で記載した任意のポリヌクレオチド配列由来のオリゴヌクレオチドまたはより長い断片を、マイクロアレイにおけるエレメントとして用いることができる。多数の遺伝子の関連発現レベルを同時にモニターする転写イメージング技術にマイクロアレイを用いることが可能である。これについては、以下に記載する。マイクロアレイはまた、遺伝変異体、突然変異及び多型性の同定に用いることができる。この情報を用いることで、遺伝子機能を決定し、疾患の遺伝的根拠を理解し、疾患を診断し、遺伝子発現の機能としての疾病の進行／後退をモニターし、疾病治療における薬剤の活性を開発及びモニターすることができる。特に、患者にとって最もふさわしく、有効的な治療法を選択するために、この情報を用いて患者の薬理ゲノムプロフィールを開発することができる。例えば、患者の薬理ゲノムプロファイルに基づき、患者に対して高度に効果的で副作用を殆ど示さない治療薬を選択することができる。
【０４０３】
別の実施態様では、ENZM、ENZMの断片群または、ENZMに特異的な抗体類を、或るマイクロアレイ上のエレメント群として用い得る。マイクロアレイを用いて、上記のようなタンパク質−タンパク質相互作用、薬剤−標的相互作用及び遺伝子発現プロフィールをモニターまたは測定することが可能である。
【０４０４】
或る実施態様は、或る組織または細胞タイプの転写イメージを作製する、本発明のポリヌクレオチドの使用に関連する。転写イメージは、特定の組織または細胞タイプにより遺伝子発現の包括的パターンを表す。包括的遺伝子発現パターンは、所定の条件下で所定の時間に発現した遺伝子の数及び相対存在量を定量することにより分析される（Seilhamer 他、米国特許第5,840,484号の「Comparative Gene Transcript Analysis」を参照。これらを引用することを以って本明細書の一部とする）。従って、特定の組織または細胞タイプの転写または逆転写全体に本発明のポリヌクレオチドまたはその補体をハイブリダイズすることにより、転写イメージを生成し得る。或る実施例では、本発明のポリヌクレオチドまたはその補体がマイクロアレイ上のエレメントのサブセットを複数含むような高処理フォーマットでハイブリダイゼーションを発生させる。結果として得られる転写イメージは、遺伝子活性のプロファイルを提供し得る。
【０４０５】
転写イメージは、組織、細胞株、生検またはその生体サンプルから単離した転写物を用いて作製し得る。転写イメージは従って、組織または生検サンプルの場合にはin vivo、または株化細胞の場合にはin vitroでの遺伝子発現を反映する。
【０４０６】
本発明のポリヌクレオチドの発現のプロフィールを作製する転写イメージはまた、工業的または天然の環境化合物の毒性試験のみならず、in vitroモデル系及び薬剤の前臨床評価と併せて使用し得る。全ての化合物は、作用及び毒性のメカニズムを暗示する、しばしば分子フィンガープリントまたは毒性シグネチャ(toxicant signatures)と称されるような特徴的な遺伝子発現パターンを惹起する（Nuwaysir, E.F. 他 (1999) Mol. Carcinog. 24:15 3-159、Steiner, S. 及び N.L. Anderson (2000) Toxicol. Lett. 112-113:467-471、該文献は特に引用することを以って本明細書の一部となす）。試験化合物が、既知の毒性を有する化合物のシグネチャと同一のシグネチャを有する場合には、毒性特性を共有している可能性がある。フィンガープリントまたはシグネチャは、多数の遺伝子および遺伝子ファミリからの発現情報を含んでいる場合に、最も有用且つ正確である。理想的には、ゲノム全域にわたる発現の測定が、最高品質のシグネチャを提供する。たとえ、発現が任意の試験された化合物によって変化しない遺伝子があったとしても、それらの発現レベルを残りの発現データを標準化するために使用できるため、それらの遺伝子は重要である。標準化手順は、異なる化合物で処理した後の発現データの比較に有用である。毒性シグネチャの要素に遺伝子機能を割り当てることが毒性メカニズムの解釈に役立つが、毒性の予測につながるシグネチャの統計的に一致させるのに遺伝子機能の知識は必要とされない（例えば２０００年２月２９日にNational Institute of Environmental Health Sciencesより発行されたPress Release 00-02を参照されたい。これについてはhttp://www.niehs.nih.gov/oc/news/toxchip.htmで入手可能である）。従って、中毒学的スクリーニングの際に毒性シグネチャを用いて、全ての発現した遺伝子配列を含めることは重要且つ望ましいことである。
【０４０７】
或る実施例では、核酸を有する生体サンプルを試験化合物で処理することにより、この試験化合物の毒性を算定する。処理した生物学的サンプル中で発現した核酸は、本発明のポリヌクレオチドに特異的な１つ若しくは複数のプローブでハイブリダイズし、それによって本発明のポリヌクレオチドに対応する転写レベルを定量し得る。処理した生物学的サンプル中の転写レベルを、未処理生物学的サンプル中のレベルと比較する。両サンプルの転写レベルの差は、処理されたサンプル中で試験化合物が引き起こす毒性反応を示す。
【０４０８】
別の実施態様は、本発明のポリペプチド配列群を用いて或る組織または細胞タイプのプロテオームを分析することに関する。プロテオームの語は、特定の組織または細胞タイプでのタンパク質発現の包括的パターンを指す。プロテオームの各タンパク質成分は、個々に更に分析の対象とすることができる。プロテオーム発現パターン即ちプロフィールは、所与の条件下で所与の時間に発現したタンパク質の数及び相対存在量を定量することにより分析し得る。従って細胞のプロテオームのプロフィールは、特定の組織または細胞タイプのポリペプチドを分離及び分析することにより作成し得る。或る実施例では、１次元等電点電気泳動によりサンプルからタンパク質を分離し、２次元ドデシル硫酸ナトリウムスラブゲル電気泳動により分子量に応じて分離するような２次元ゲル電気泳動により分離が達成される（前出のSteiner および Anderson）。タンパク質は、通常クーマシーブルーまたは銀染色液または蛍光染色液などの物質を用いてゲルで染色することにより、分散した、独自の位置にある点としてゲル中で可視化される。各タンパク質スポットの光学密度は、通常サンプル中のタンパク質レベルに比例する。異なるサンプル、例えば試験化合物または治療薬で処理または未処理のいずれかの生物学的サンプルから得られるタンパク質スポットの光学密度を比較し、処理に関連するタンパク質スポット密度の変化を同定する。スポット内のタンパク質は、例えば化学的または酵素的切断とそれに続く質量分析を用いる標準的な方法を用いて部分的にシークエンシングする。スポット内のタンパク質の同一性は、その部分配列を、好適には少なくとも５個の連続するアミノ酸残基を、本発明のポリペプチド配列と比較することにより決定し得る。場合によっては、決定的なタンパク質同定のための更なる配列が得られる。
【０４０９】
タンパク質の（proteomic）プロフィールは、ENZMに特異的な抗体を用いてENZM発現レベルを定量することによっても作成し得る。或る実施例では、マイクロアレイ上でエレメントとして抗体を用い、マイクロアレイをサンプルに曝して各アレイ要素へのタンパク質結合レベルを検出することによりタンパク質発現レベルを定量する（Lueking, A. 他 (1999) Anal. Biochern. 270:103-111、Mendoze, L.G. 他 (1999) Biotechniques 27:778-788）。検出は当分野で既知の様々な方法で行うことができ、例えば、チオール反応性またはアミノ反応性蛍光化合物とサンプル中のタンパク質を反応させ、各アレイエレメントにおける蛍光結合の量を検出し得る。
【０４１０】
プロテオームレベルでの毒性シグネチャも中毒学的スクリーニングに有用であり、転写レベルでの毒性シグネチャと並行に分析するべきである。或る組織の或るタンパク質に対しては、転写とタンパク質の存在量の相関が乏しいこともあるので（Anderson, N.L. 及び J. Seilhamer (1997) Electrophoresis 18:533-537）、転写イメージにはそれ程影響しないがプロテオームのプロフィールを変化させるような化合物の分析においてプロテオーム毒性シグネチャは有用たり得る。更に、体液中の転写物の分析はmRNAの急速な分解のために困難なので、プロテオームのプロフィール作成はこのような場合により信頼し得、情報価値があり得る。
【０４１１】
別の実施例では、タンパク質を含有する生体サンプルを試験化合物で処理することにより試験化合物の毒性を算定する。処理された生物学的サンプル中で発現したタンパク質は、各タンパク質の量を定量し得るように分離する。各タンパク質の量を、未処理生物学的サンプル中の対応するタンパク質の量と比較する。両サンプルのタンパク質量の差は、処理サンプル中の試験化合物に対する反応を示す。個々のタンパク質は、個々のタンパク質のアミノ酸残基をシークエンシングし、これら部分配列を本発明のポリペプチドと比較することにより同定する。
【０４１２】
別の実施例では、タンパク質を含有する生体サンプルを試験化合物で処理することにより試験化合物の毒性を算定する。生物学的サンプルから得たタンパク質は、本発明のポリペプチドに特異的な抗体を用いてインキュベートする。抗体により認識されたタンパク質の量を定量する。処理された生物学的サンプル中のタンパク質の量を、未処理生物学的サンプル中のタンパク質の量と比較する。両サンプルのタンパク質量の差は、処理サンプル中の試験化合物に対する反応を示す。
【０４１３】
マイクロアレイは、本技術分野で既知の方法を用いて調製し、使用し、そして分析しうる（Brennan, T.M. 他 (1995) の米国特許第5,474,796号、Schena, M. 他 (1996) Proc. Natl. Acad. Sci. USA 93:10614-10619、Baldeschweiler 他の (1995) PCT出願第WO95/251116号、Shalon, D.他の (1995) PCT出願第WO95/35505号、Heller, R.A. 他 (1997) Proc. Natl. Acad. Sci. USA 94:2150-2155、Heller, M.J. 他の (1997) 米国特許第5,605,662号等を参照）。様々なタイプのマイクロアレイが公知であり、詳細については、DNA Microarrays: A Practical Approach, M. Schena, 編集. (1999) Oxford University Press, Londonに記載されている。 該文献は、特に引用することを以って本明細書の一部となす。
【０４１４】
本発明の別の実施態様ではまた、ENZMをコードする核酸配列群を用いて、天然ゲノム配列をマッピングするのに有用なハイブリダイゼーションプローブ群を作製し得る。コード配列または非コード配列のいずれかを用いることができ、或る例では、コード配列より非コード配列の方が好ましい。例えば、多重遺伝子ファミリーのメンバー内でのコード配列の保存により、染色体マッピング中に望ましくないクロスハイブリダイゼーションが生じる可能性がある。核酸配列は、特定の染色体、染色体の特定領域または人工形成の染色体、例えば、ヒト人工染色体（HAC）、酵母人工染色体（YAC）、細菌人工染色体（BAC）、細菌P1産物、或いは単一染色体cDNAライブラリに対してマッピングされる。（例えばHarrington, J.J. 他（1997）Nat. Genet. 15:345-355; Price, C.M.（1993）Blood Rev. 7:127-134; Trask, B.J.（1991）Trends Genet. 7:149-154を参照）。一度マッピングすると、本発明の核酸配列を用いて例えば病状の遺伝を特定の染色体領域の遺伝または制限酵素断片長多型（RFLP）と相関させるような遺伝子連鎖地図を発生させ得る。(例えば、 Lander, E.S. and D. Botstein (1986) Proc. Natl. Acad. Sci. USA 83:7353-7357を参照。)
蛍光in situハイブリッド形成法（FISH）は、他の物理的及び遺伝地図データと相関し得る（前出のHeinz-Ulrich, ら (1995) in Meyers, 965-968ページ.等を参照）遺伝地図データの例は、種々の科学雑誌あるいはOnline Mendelian Inheritance in Man（ＯＭＩＭ）のウェブサイトに見ることができる。物理的な染色体地図上のENZMをコードする遺伝子の位置と、特定の疾患との相関性、あるいは特定の疾患に対する素因との相関性は、この疾患と関連するDNAの領域の決定に役立ち得るため、位置を決定するクローニングの作業を促進し得る。
【０４１５】
確定した染色体マーカーを用いた連鎖分析等の物理的マッピング技術及び染色体標本原位置ハイブリッド形成法を用いて、遺伝地図を拡張することができる。例えばマウスなど別の哺乳動物の染色体上に遺伝子を配置することにより、正確な染色体上の遺伝子座が未知でも、関連するマーカー類をしばしば明らかにし得る。この情報は、位置クローニングその他の遺伝子発見技術を用いて遺伝的疾患を探す研究者にとって価値がある。いったん疾患または症候群に関与する遺伝子（群）が、血管拡張性失調症の11q22-23領域など、特定のゲノム領域への遺伝的連鎖によって、大まかに位置決めがなされると、該領域にマップされる任意の配列は、更なる調査のための関連遺伝子あるいは調節遺伝子を提示している可能性がある（Gatti, R.A.他 (1988) Nature 336:577-580等を参照）転座、反転などに起因する、健常者、保有者、罹病者の三者間における染色体位置の相違を検出する場合にも、本発明のヌクレオチド配列を用い得る。
【０４１６】
本発明の別の実施態様では、ENZM、その触媒作用断片あるいは免疫原性断片またはそのオリゴペプチド群を、種々の任意の薬剤スクリーニング技術における、化合物のライブラリ群のスクリーニングに用い得る。薬剤スクリーニングに用いる断片は、溶液中に遊離しているか、固体支持物に固定されるか、細胞表面上に保持されるか、細胞内に位置することになろう。ENZMと、試験する薬物との結合による複合体の形成を測定し得る。
【０４１７】
別の薬物スクリーニング方法は、目的のタンパク質に対して好適な結合親和性を有する化合物を高い処理能力でスクリーニングするために用いられる(Geysen, 他 (1984) PCT application WO84/03564等を参照。)この方法においては、多数の異なる小さな試験用化合物を固体基板上で合成する。試験用化合物は、ENZM、或いはその断片と反応してから洗浄される。次に、本技術分野でよく知られている方法で、結合したENZMを検出する。 精製したENZMはまた、上記した薬剤のスクリーニング技術において用いるプレート上で直接コーティングすることもできる。別法では、非中和抗体を用いてペプチドを捕捉し、ペプチドを固体支持物に固定することもできる。
【０４１８】
別の実施例では、ENZMと特異結合可能な中和抗体がENZMとの結合について試験用化合物と競合する、競合的薬剤スクリーニングアッセイを用いることができる。この方法では、抗体が、ENZMと１つ以上の抗原決定因子を共有するどのペプチドの存在も検出する。
【０４１９】
別の実施態様では、ENZMをコードするヌクレオチド配列群を、将来に開発される分子生物学技術であり、現在知られているヌクレオチド配列群の特性（限定はされないが、トリプレット遺伝暗号及び特異的な塩基対相互作用など)に依存する新技術に用い得る。
【０４２０】
更に詳細説明をしなくとも、当業者であれば以上の説明を以って本発明を最大限に利用できるであろう。従って、これ以下に記載する実施例は単なる例示目的にすぎず、いかようにも本発明を限定するものではない。
【０４２１】
本明細書において開示した全ての特許、特許出願及び刊行物、特に米国特許第60/236.523号、第60/322,181号、第60/315,874号、第60/311,447号、第60/308,182号、第60/293,572、第60/291,544および第60/283,793号は、言及することをもって本明細書の一部となす。
【実施例】
【０４２２】
１  cDNAライブラリの作製
Incyte cDNA群の由来は、LIFESEQ GOLDデータベース (Incyte Genomics, Palo Alto CA)に記載されたcDNAライブラリ群である。幾つかの組織はホモジナイズしてグアニジニウムイソチオシアネート溶液に溶解し、他の組織はホモジナイズしてフェノールにまたは変性剤群の好適な混合液に溶解した。混合液の１例であるTRIZOL（Life Technologies）は、フェノールとグアニジンイソチオシアネートとの単相溶液である。結果として得られた溶解物は、塩化セシウムで遠心分離するかクロロホルムで抽出した。イソプロパノールか、酢酸ナトリウムとエタノールか、いずれか一方、或いは別の方法を用いて、溶解物からＲＮＡを沈殿させた。
【０４２３】
ＲＮＡの純度を高めるため、ＲＮＡのフェノールによる抽出及び沈殿を必要な回数繰り返した。場合によっては、ＤＮA分解酵素でＲＮＡを処理した。殆どのライブラリでは、オリゴd(T)連結常磁性粒子（Promega）、OLIGOTEXラテックス粒子（QIAGEN, Chatsworth CA）またはOLIGOTEX mRNA精製キット（QIAGEN）を用いて、ポリ(A+) RNAを単離した。別法では、別のRNA単離キット、例えばPOLY(A)PURE mRNA精製キット（Ambion, Austin TX）を用いて組織溶解物からRNAを直接単離した。
【０４２４】
場合によってはStratagene社へのRNA提供を行い、対応するｃＤＮＡライブラリをStratagene社が作製することもあった。そうでない場合は、UNIZAPベクターシステム（Stratagene）またはSUPERSCRIPTプラスミドシステム（Life Technologies）を用いて本技術分野で公知の推奨方法または類似の方法でcDNAを合成し、cDNAライブラリを作製した（前出のAusubel, 1997, 5.1-6.6ユニット等を参照）。逆転写は、オリゴd(T)またはランダムプライマーを用いて開始した。合成オリゴヌクレオチドアダプターを二本鎖cDNAに連結反応させ、好適な制限酵素でcDNAを消化した。殆どのライブラリに対して、cDNAのサイズ（３００〜１０００bp）選択は、SEPHACRYL S1000、SEPHAROSE CL2BまたはSEPHAROSE CL4Bカラムクロマトグラフィー（Amersham Pharmacia Biotech）、或いは調製用アガロースゲル電気泳動法を用いて行った。 合成オリゴヌクレオチドアダプターを二本鎖cDNAに連結反応させ、好適な制限酵素または酵素でcDNAを消化した。 好適なプラスミドは、例えばPBLUESCRIPTプラスミド（Stratagene）、PSPORT1 プラスミド(Life Technologies)、PCDNA2.1 プラスミド (Invitrogen, Carlsbad CA)、PBK-CMV プラスミド (Stratagene)、PCR2-TOPOTAプラスミド (Invitrogen)、PCMV-ICISプラスミド (Stratagene)、pIGEN (Incyte Genomics, Palo Alto CA)、pRARE (Incyte Genomics)、plNCY（Incyte Genomics）等およびその誘導体である。組換えプラスミドは、Stratagene社のXL1-Blue、XL1-BIueMRFまたはSOLR、或いはLife Technologies社のDH5α、DH10BまたはELECTROMAX DH10Bを含む大腸菌細胞に形質転換した。
【０４２５】
2 cDNAクローンの単離
UNIZAPベクターシステム（Stratagene）を用いたin vivo切除によって、或いは細胞溶解によって、実施例1のようにして得たプラスミドを宿主細胞から回収した。プラスミドの精製には、下記の少なくとも１つを用いた。すなわちMagicまたはWIZARD Minipreps DNA精製システム（Promega）、AGTC Miniprep精製キット（Edge Biosystems, Gaithersburg MD）、QIAGEN社のQIAWELL 8 Plasmid、QIAWELL 8 Plus PlasmidおよびQIAWELL 8 Ultra Plasmid精製システム、R.E.A.L. Prep 96プラスミド精製キットのいずれかである。プラスミドは、沈殿させた後、0.1mlの蒸留水に再懸濁して、凍結乾燥して或いは凍結乾燥しないで４℃で保管した。
【０４２６】
別法では、高処理フォーマットにおいて直接結合ＰＣＲ法を用いて宿主細胞溶解物からプラスミドＤＮＡを増幅した（Rao, V.B. (1994) Anal. Biochem. 216:1-14）。宿主細胞の溶解および熱サイクリング過程は、単一反応混合液中で行った。サンプルを処理し、それを３８４ウェルプレート内で保管し、増幅したプラスミドＤＮＡの濃度をPICOGREEN色素（Molecular Probes, Eugene OR）及びFLUOROSKANII蛍光スキャナ（Labsystems Oy, Helsinki, Finland）を用いて蛍光分析的に定量した。
【０４２７】
3  シークエンシング及び分析
実施例２に記載したようにプラスミドから回収したIncyte cDNAを、以下に示すようにシークエンシングした。cDNAのシークエンス反応は、標準的方法或いは高処理装置、例えばABI CATALYST 800 サーマルサイクラー（Applied Biosystems）またはPTC-200 サーマルサイクラー（MJ Research）をHYDRAマイクロディスペンサー（Robbins Scientific）またはMICROLAB 2200（Hamilton）液体転移システムと併用して処理した。cDNAのシークエンス反応は、Amersham Pharmacia Biotech社が提供する試薬、またはABIシークエンシングキット、例えばABI PRISM BIGDYE Terminator cycle sequencing ready reaction kit（Applied Biosystems）の試薬を用いて準備した。ｃＤＮＡのシークエンス反応の電気泳動的分離及び標識したポリヌクレオチドの検出には、MEGABACE 1000 DNAシークエンシングシステム（Molecular Dynamics）か、標準ABIプロトコル及び塩基対呼び出しソフトウェアを用いるABI PRISM 373または377シークエンシングシステム（Applied Biosystems）か、或いはその他の本技術分野でよく知られている配列解析システムを用いた。ｃＤＮＡ配列内のリーディングフレームは、標準的方法（前出のAusubel, 1997, 7.7ユニットに概説）を用いて決定した。ｃＤＮＡ配列の幾つかを選択して、実施例８に記載した方法で配列を伸長させた。
【０４２８】
Incyte cDNA配列に由来するポリヌクレオチド配列は、ベクター、リンカー及びポリ(A)配列を除去し、あいまいな塩基対をマスクすることによって有効性を確認した。 その際、BLAST、動的プログラミング及び隣接ジヌクレオチド頻度分析に基づくアルゴリズム及びプログラムを用いた。次に、IncyteのcDNA配列、またはその翻訳を公共のデータベース（例えばGenBankの霊長類及びげっ歯類、哺乳動物、脊椎動物、真核生物のデータベースと、BLOCKS、PRINTS、DOMO、PRODOM）と、ヒト、ラット、マウス、線虫、出芽酵母（Saccharomyces cerevisiae）、分裂酵母（Schizosaccharomyces pombe）、および鵞口瘡カンジダ（Candida albicans ）からの配列を含むPROTEOMEデータベース（Incyte Genomics, Palo Alto CA）、及びPFAM等隠れマルコフモデル（HMM）に基づいたタンパク質ファミリーデータベース並びに、SMART(Schultz 他(1998) Proc. Natl. Acad. Sci. USA 95:5857-5864、Letunic, I. 他 (2002) Nucleic Acids Res. 30:242-244)のようなHMMに基づいたタンパク質ドメインデータベースから選択したデータベースに対して問い合わせた。（HMMは、遺伝子ファミリのコンセンサス１次構造を分析する確率的アプローチである。例えばEddy, S.R. (1996) Cuff. Opin. Struct. Biol. 6:361-365等を参照）。問合せは、BLAST、FASTA、BLIMPS及びHMMERに基づくプログラムを用いて行った。Incyte cDNA配列をアセンブリし、完全長のポリヌクレオチド配列を産出した。あるいは、GenBank cDNA群、GenBank EST群、スティッチされた配列群、ストレッチされた配列群、またはGenscan予測コード配列群（実施例４および５を参照）を用い、Incyte cDNAのアセンブリ体群を完全長まで伸長させた。PhredとPhrapとConsedとに基づくプログラムを用いてアセンブリし、GenMarkとBLASTとFASTAとに基づくプログラムを用いて、cDNAのアセンブリ体を、オープンリーディングフレームについてスクリーニングした。完全長ポリヌクレオチド配列を翻訳し、対応する完全長ポリペプチド配列を誘導した。あるいは、本発明のポリペプチドは、完全長翻訳ポリペプチドの任意のメチオニン残基で開始し得る。完全長ポリペプチド配列群の続いての分析としての問い合わせを、GenBankタンパク質データベース群（genpept）、SwissProt、PROTEOMEデータベース群、BLOCKS、PRINTS、DOMO、PRODOMおよびProsite等のデータベースや、PFAM、INCY、およびTIGRFAM等の隠れマルコフモデル（HMM）ベースのタンパク質ファミリーデータベース群、並びにSMART等のHMMベースのタンパク質ドメインデータベース群に対し行った。完全長ポリヌクレオチド配列はまた、MACDNASIS PROソフトウェア（日立ソフトウェアエンジニアリング, South San Francisco CA）およびLASERGENEソフトウェア（DNASTAR）を用いて分析する。ポリヌクレオチド及びポリペプチド配列アラインメントは、アラインメントした配列と配列の一致率も計算するMEGALIGNマルチシークエンスアラインメントプログラム（DNASTAR）に組み込まれているようなCLUSTALアルゴリズムによって特定されるデフォルトパラメータを用いて作製する。
【０４２９】
Incyte ｃＤＮＡ及び完全長配列の分析及びアセンブリに利用したツール、プログラム及びアルゴリズムの概略と、適用可能な説明、参照文献、閾値パラメータを表7に示す。用いたツール、プログラム及びアルゴリズムを表７の列１に、それらの簡単な説明を列２に示す。列３は好適な引用文献であり、全ての文献はそっくりそのまま引用を以って本明細書の一部となす。適用可能な場合には、列４は２つの配列が一致する強さを評価するために用いたスコア、確率値その他のパラメータを示す（スコアが高いほど、または確率値が低いほど、２配列間の相同性が高くなる）。
【０４３０】
完全長ポリヌクレオチド配列およびポリペプチド配列のアセンブリ及び分析に用いる上記のプログラムは、SEQ ID NO:13-24のポリヌクレオチド配列断片の同定にも利用できる。 ハイブリダイゼーション及び増幅技術に有用である約２０〜約４０００ヌクレオチドの断片を表４の列2に示した。
【０４３１】
４  ゲノムDNAからのコード配列の同定及び編集
推定上の酵素は、公共のゲノム配列データベース（例えば、gbpriやgbhtg）においてGenscan遺伝子同定プログラムを実行して初めに同定された。Genscanは、様々な生物からのゲノムDNA配列を分析する汎用遺伝子同定プログラムである（Burge, C. 及び S. Karlin (1997) J. Mol. Biol. 268:78-94、Burge, C. 及び S. Karlin (1998) Curr. Opin. Struct. Biol. 8:346-354を参照）。プログラムは予測エキソンを連結し、メチオニンから終止コドンに及ぶアセンブリされたｃＤＮＡ配列を形成する。Genscanの出力は、ポリヌクレオチドおよびポリペプチド配列のFASTAデータベースである。Genscanが一度に分析する配列の最大範囲は、30kbに設定した。これらのGenscan予測cDNA配列の内、どの配列が酵素をコードするかを決定するために、コードされたポリペプチドをPFAMモデルにおいて酵素について問合せて分析した。潜在的酵素はまた、酵素として注釈が付けられたIncyte cDNA配列に対する相同性を基に同定された。こうして選択されたGenscan予測配列は、次にBLAST分析により公共データベースgenpept及びgbpriと比較した。必要であれば、genpeptからのトップBLASTヒットと比較することによりGenscan予測配列を編集し、余分なまたは省略されたエキソンなど、Genscanが予測した配列におけるエラーを補正した。BLAST分析はまた、Genscan予測配列の、いかなるIncyte cDNAまたは公共cDNAカバレッジ（coverage）の発見にも用いられ、したがって転写の証拠を提供した。Incyte cDNAカバレッジが利用できた場合には、この情報を用いてGenscan予測配列を補正または確認した。完全長ポリヌクレオチド配列は、実施例３に記載したアセンブリプロセスを用いて、Incyte cDNA配列および／または公共cDNA配列でGenscan予測コード配列をアセンブリして得た。或いは、完全長ポリヌクレオチド配列は編集または未編集のGenscan予測コード配列に完全に由来する。
【０４３２】
５  ｃDNA配列データを使ったゲノム配列データのアセンブリ
ステッチ配列（Stitched Sequence）
部分cDNA配列は、実施例４に記載のGenscan遺伝子同定プログラムにより予測されたエキソンを用いて伸長させた。実施例３に記載されたようにアセンブリされた部分ｃＤＮＡは、ゲノムＤＮＡにマッピングし、関連するｃＤＮＡ及び１つ若しくは複数のゲノム配列から予測されたGenscanエキソンを含むクラスタに分解した。ｃＤＮＡ及びゲノム情報を統合するべくグラフ理論及び動的プログラミングに基づくアルゴリズムを用いて各クラスタを分析し、引き続いて確認、編集または伸長して完全長配列を産出するような潜在的スプライシング変異体を生み出した。区間全体の長さがクラスタ中の２以上の配列に存在するような配列を同定し、そのように同定された間隔は推移により等しいと考えられた。例えば、１つのｃＤＮＡ及び２つのゲノム配列に間隔が存在する場合、３つの間隔は全て等しいと考えられる。このプロセスは、無関係であるが連続したゲノム配列をｃＤＮＡ配列により結び合わせて架橋し得る。このようにして同定された区間を、親配列（parent sequence）に沿って現われるようにステッチアルゴリズムで縫い合わせ、可能な最も長い配列および変異配列を作製する。１種類の親配列に沿って発生した間隔と間隔との連鎖（ｃＤＮＡ−ｃＤＮＡまたはゲノム配列−ゲノム配列）は、親の種類を変える連鎖（ｃＤＮＡ−ゲノム配列）に優先した。結果として得たスティッチ配列群を翻訳し、BLAST分析で公共データベースgenpeptおよびgbpriと比較した。Genscanにより予測された不正確なエキソンは、genpeptからのトップのBLASTヒットと比較することにより修正した。必要な場合には、追加cDNA配列を用いるかゲノムＤＮＡの検査により配列を更に伸長させた。
【０４３３】
ストレッチ配列（Stretched Sequence）
部分ＤＮＡ配列は、BLAST分析に基づくアルゴリズムにより完全長まで伸長された。先ず、BLASTプログラムを用いて、GenBankの霊長類、げっ歯類、哺乳動物、脊椎動物及び真核生物のデータベースなどの公共データベースに対し、実施例３に記載されたようにアセンブリされた部分ｃＤＮＡを問い合わせた。次に、最も近いGenBankタンパク質相同体をBLAST分析によりIncyte cDNA配列または実施例４に記載のGenScanエキソン予測配列のいずれかと比較した。結果として得られる高スコアリングセグメント対（HSP）を用いてキメラタンパク質を産出し、翻訳した配列をGenBankタンパク質相同体上にマッピングした。元のGenBankタンパク質相同体に対し、キメラタンパク質内では挿入または欠失が起こり得る。GenBankタンパク質相同体、キメラタンパク質またはその両方をプローブとして用い、公共のヒトゲノムデータベースから相同ゲノム配列を検索した。このようにして、部分的なDNA配列を相同ゲノム配列の付加によりストレッチすなわち伸長した。結果として得られるストレッチ配列を検査し、完全遺伝子を含んでいるか否かを判定した。
【０４３４】
６  ENZMをコードするポリヌクレオチドの染色体マッピング
SEQ ID NO:13-24をアセンブリするために用いた配列を、BLAST及びSmith-Watermanアルゴリズムを用いて、Incyte LIFESEQデータベース及び公共のドメインデータベースの配列と比較した。SEQ ID NO:13-24と一致するこれらのデータベースの配列を、Phrapなどのアセンブリアルゴリズム（表７）を使用して、連続しオーバーラップする配列のクラスター群に組み入れた。スタンフォード・ヒトゲノムセンター（SHGC）、ホワイトヘッド・ゲノム研究所（WIGR）、Genethon等の公的な情報源から入手可能な放射線ハイブリッド及び遺伝地図データを用いて、クラスタ化された配列が前もってマッピングされたかを決定した。マッピングされた配列がクラスタに含まれている場合は、個々の配列番号を含めてそのクラスタの全配列が地図上の位置に割り当てられた。
【０４３５】
地図上の位置は、ヒト染色体の範囲または間隔として表される。センチモルガン間隔の地図上の位置は、染色体のpアームの末端に関連して測定する。（センチモルガン（cM）は、染色体マーカー間の組換え頻度に基づく計測単位である。平均して、１cMは、ヒト中のDNAの１メガベース（Mb）にほぼ等しい。尤も、この値は、組換えのホットスポット及びコールドスポットに起因して広範囲に変化する。）cM距離は、各クラスタ内に配列が含まれる放射線ハイブリッドマーカー類に対して境界を提供するGenethonによってマッピングされた遺伝マーカー群に基づく。NCBI「GeneMap'99」（http://www.ncbi.nlm.nih.gov/genemap/）などの公的に入手可能なヒト遺伝子マップおよびその他の情報源を用いて、既に同定されている疾患遺伝子群が、上記した区間内若しくは近傍に位置するかを決定できる。
【０４３６】
７.  ポリヌクレオチド発現の分析
ノーザン分析は、転写された遺伝情報の存在を検出するために用いられる実験技術であり、特定の細胞種または組織からのRNAが結合される膜への標識されたヌクレオチド配列のハイブリダイゼーションに関与している。（前出のSambrook, 7章、同Ausubel. F.M. 他, 4章及び16章等を参照）。
【０４３７】
BLASTを適用した類似のコンピュータ技術を用いて、GenBankやLifeSeq（Incyte Genomics）等のｃDNAデータベースにおいて同一または関連分子を検索した。ノーザン分析は、多数の膜系ハイブリダイゼーションよりも非常に速い。更に、特定の同一を厳密な或いは相同的なものとして分類するか否かを決定するため、コンピュータ検索の感度を変更することができる。検索の基準は積スコアであり、次式で定義される。
【０４３８】
【数１】
2004535787.tif 000004
【０４３９】
積スコアは、２つの配列間の類似度と、配列が一致する長さとの両方を考慮している。積スコアは、０〜１００の規準化された値であり、次のようにして求める。BLASTスコアにヌクレオチドの配列一致率を乗じ、その積を２つの配列の短い方の長さの５倍で除する。BLASTスコアを計算するには、或る高スコアリングセグメント対（HSP）内の一致する各塩基に＋５のスコアを割り当て、各不一致塩基に−４を割り当てる。２つの配列は、２以上のHSPを共有し得る（ギャップにより隔離される）。２以上のHSPがある場合には、最高BLASTスコアの塩基対を用いて積スコアを計算する。積スコアは、断片的オーバーラップとBLASTアラインメントの質とのバランスを表す。例えば積スコア100は、比較した2つの配列の短い方の長さ全体にわたって100％一致する場合のみ得られる。積スコア70は、一端が100％一致し、70％オーバーラップしているか、他端が88％一致し、100％オーバーラップしているかのいずれかの場合に得られる。積スコア50は、一端が100％一致し、50％オーバーラップしているか、79％一致し、100％オーバーラップしているかのいずれかの場合に得られる。
【０４４０】
或いは、ENZMをコードするポリヌクレオチド配列を、ポリヌクレオチド配列が派生した組織源に関連して分析した。例えば幾つかの完全長配列は、少なくとも一部は、オーバーラップするIncyte cDNA配列群を用いてアセンブリされる（実施例３を参照）。各cDNA配列は、ヒト組織から作製されたcDNAライブラリに由来する。各cDNA配列は、ヒト組織から作製されたcDNAライブラリに由来する。各ヒト組織は、以下の生物／組織カテゴリー即ち心血管系、結合組織、消化器系、胎芽構造、内分泌系、外分泌腺、女性生殖器、男性生殖器、生殖細胞、血液及び免疫系、肝、筋骨格系、神経系、膵臓、呼吸器系、感覚器、皮膚、顎口腔系、非分類性／混合性または尿路の１つに分類される。各カテゴリーのライブラリ数を数えて、全カテゴリーの総ライブラリ数で除する。同様に、各ヒト組織は、以下の疾患／病状カテゴリー即ち癌、細胞株、発達、炎症、神経性、外傷、心血管、プール、その他の１つに分類される。 各カテゴリーのライブラリ数を数えて、全カテゴリーの総ライブラリ数で除する。演算結果の割合は、ENZMをコードするcDNAの組織特異発現または疾患特異発現を反映する。 cDNA配列及びcDNAライブラリ／組織情報については、LIFESEQ GOLDデータベース（Incyte Genomics, Palo Alto CA）で見られる。
【０４４１】
８  ポリヌクレオチドをコードするENZMの伸長
完全長のポリヌクレオチド配列はまた、完全長分子の適切な断片から設計したオリゴヌクレオチドプライマー群を用いて該断片を伸長させて産生した。或るプライマーは既知の断片の５'伸長を開始するべく合成し、別のプライマーは既知の断片の３'伸長を開始するべく合成した。開始プライマーは、長さが約２２〜３０ヌクレオチド、GC含有率が約５０％以上となり、約６８〜７２℃の温度で標的配列にアニーリングするように、OLIGO 4.06ソフトウェア（National Biosciences）或いは別の適切なプログラムを用いて、cDNAから設計した。 ヘアピン構造及びプライマー−プライマー二量体を生ずるようなヌクレオチドの伸長は全て回避した。
【０４４２】
配列を伸長するために、選択されたヒトｃＤＮＡライブラリを用いた。２段階以上の伸長が必要または望ましい場合には、付加的プライマーあるいはプライマーのネステッドセットを設計した。
【０４４３】
高忠実度の増幅が、当業者によく知られている方法を利用したPCR法によって得られた。 PCRは、PTC-200 サーマルサイクラー（MJ Research, Inc.）を用いて９６穴プレート内で行った。反応混合液は、鋳型DNAを有し、また、200 nmolの各プライマーを有する。また、Mg２+と（NH4）2SO4と２−メルカプトエタノールとを含有する反応バッファーと、Taq DNAポリメラーゼ（Amersham Pharmacia Biotech）と、ELONGASE酵素（Life Technologies）と、Pfu DNAポリメラーゼ（Stratagene）とを含有する。プライマー対であるPCI AとPCI Bとに対し、以下のパラメータで増幅した。ステップ1: 94℃, 3分、 ステップ 2: 94℃, 15 秒、ステップ 3: 60℃, 1 分、ステップ 4: 68℃, 2 分、 ステップ 5: ステップ2、3および 4を20回反復する。  ステップ6: 68℃, 5 分、ステップ7:  4℃で保存する。別法では、プライマーの組、T7とSK+に対して以下のパラメータで増幅を行った。ステップ1: 94℃, 3分、 ステップ 2: 94℃, 15 秒、ステップ 3: 57℃, 1 分、ステップ 4: 68℃, 2 分、 ステップ 5: ステップ2、3および 4を20回反復する。  ステップ6: 68℃、 5 分、ステップ7:  4℃で保存する。
【０４４４】
各ウェルのDNA濃度は、１X TE及び0.5μlの希釈していないPCR産物に溶解した100μlのPICOGREEN定量試薬(0.25％(v/v) PICOGREEN; Molecular Probes, Eugene OR)を不透明な蛍光光度計プレート(Corning Costar, Acton MA)の各ウェルに分配してDNAが試薬と結合できるようにして測定する。サンプルの蛍光を計測してDNAの濃度を定量すべく、プレートをFluoroskan II（Labsystems Oy, Helsinki, Finland）でスキャンした。反応混合物のアリコット5〜10μlを1％アガロースゲル上で電気泳動法によって解析し、どの反応が配列の伸長に成功したかを判定した。
【０４４５】
伸長したヌクレオチドは、脱塩及び濃縮して３８４ウェルプレートに移し、CviJIコレラウイルスエンドヌクレアーゼ（Molecular Biology Research, Madison WI）を用いて消化し、pUC 18ベクター（Amersham Pharmacia Biotech）への再連結反応前に音波処理またはせん断した。ショットガン・シークエンシングのために、消化したヌクレオチドを低濃度（0.6〜0.8％）のアガロースゲル上で分離し、断片を切除し、寒天をAgar ACE（Promega）で消化した。伸長させたクローンをＴ４リガーゼ（New England Biolabs, Beverly MA）を用いてpUC 18ベクター（Amersham Pharmacia Biotech）に再連結し、Pfu DNAポリメラーゼ（Stratagene）で処理して制限部位のオーバーハングを満たし、大腸菌細胞に形質移入した。形質移入した細胞を選択して抗生物質を含む培地に移し、それぞれのコロニーを切りとってLB/2Xカルベニシリン培養液の384ウェルプレートに３７℃で一晩培養した。
【０４４６】
細胞を溶解して、Taq DNAポリメラーゼ(Amersham Pharmacia Biotech)及びPfu DNAポリメラーゼ(Stratagene)を用いて以下の手順でDNAをPCR増幅した。ステップ1: 94℃, 3分、 ステップ 2: 94℃, 15 秒、ステップ 3: 60℃, 1 分、ステップ 4: 72℃, 2 分、 ステップ 5: ステップ2、3および 4を29回反復する。  ステップ6: 72℃, 5 分、ステップ7:  4℃で保存する。上記のようにPICOGREEN試薬(Molecular Probes)でDNAを定量した。DNAの回収率が低いサンプルは、上記と同一の条件を用いて再増幅した。サンプルは20％ジメチルスルホキシド（１：２, v/v）で希釈し、DYENAMIC エネルギートランスファー シークエンシングプライマー、及びDYENAMIC DIRECT kit（Amersham Pharmacia Biotech）またはABI PRISM BIGDYE ターミネーターサイクル シークエンシング反応キット（Terminator cycle sequencing ready reaction kit）（Applied Biosystems）を用いてシークエンシングした。
【０４４７】
同様に、上記手順を用いて完全長ポリヌクレオチド配列を検証し、或いはそのような伸長のために設計されたオリゴヌクレオチド及び適切なゲノムライブラリを用いて5'調節配列を得る。
【０４４８】
９  ENZMをコードするポリヌクレオチドの一塩基多型の同定
一塩基多型（SNP）として知られる一般的なDNA配列変異体がLIFESEQ データベース(Incyte Genomics)を用いてSEQ ID NO:13-24 において同定された。実施例３に記述したように、同じ遺伝子からの配列を一緒にまとめてクラスター化し、アセンブリした。一連のフィルタから成るアルゴリズムが、ＳＮＰを他の配列変異体から区別するために用いられた。予備フィルターは最小Phredクオリティスコア１５を要求することによって大多数のベースコールエラーを除去し、配列アラインメントエラーとスプライス変異体、キメラおよびベクター配列の不適正なトリミングによるエラーを除去した。高度染色体解析の自動化手順により、オリジナルのクロマトグラムファイルの中の推定上のSNPの近傍を解析した。クローンエラーフィルターは、統計的に生成されたアルゴリズムを使って、実験室の処理中に入ってくる（逆転写酵素、ポリメラーゼまたは体細胞性突然変異などに起因する）エラーを同定した。クラスタリングエラーフィルターは統計的に生成されたアルゴリズムを使って、近い相同体や偽遺伝子のクラスタリングによるエラーおよび非ヒト配列によるコンタミネーションに起因するエラーを同定した。最後のフィルターセットは免疫グロブリンまたはT細胞受容体で見つかる複製とSNPを除去した。
【０４４９】
４つの異なるヒトの集団における対立遺伝子頻度を解析するために、ある種のSNPを選択して、高スループットMASSARRAYシステム(Sequenom, Inc.) を使った質量分析で特性を測定した。白人集団は９２人（男性４６人、女性４６人）で、８３人がユタ州出身、４人がフランス人、３人がベネズエラ、そして２人がアーミッシュだった。アフリカ人は１９４人（男性97人、女性９７人）からなり、その全てがアフリカ系アメリカ人であった。ラテンアメリカ系集団は324人（男性162人、女性162人）からなり、その全てがメキシコのラテンアメリカ系であった。アジア系集団は１２６人（男性６４人、女性６２人）からなり、報告された親の内訳は中国人が４３％、日本人が３１％、韓国人が１３％、ベトナム人が５％、その他のアジア系が８％であった。対立遺伝子頻度は最初に白人集団で解析された。この集団内で対立遺伝子変異を示さなかったSNPはその他３つの集団ではテストしない場合もあった。
【０４５０】
１０  個々のハイブリダイゼーションプローブの標識化及び使用
SEQ ID NO:13-24から導き出されたハイブリダイゼーションプローブを用いて、cDNA、mRNA、またはゲノムDNAをスクリーニングする。約20塩基対からなるオリゴヌクレオチドの標識について特に記載するが、より大きなヌクレオチド断片に対しても本質的に同一の手順が用いられる。オリゴヌクレオチドは、OLIGO 4.06ソフトウェア（National Biosciences）等の最新ソフトウェアを用いて設計し、各オリゴマー５０pmolと、[γ-32P]アデノシン３リン酸 （Amersham Pharmacia Biotech）２５０μCiと、T4ポリヌクレオチドキナーゼ（DuPont NEN, Boston MA）を混合することにより標識する。標識したオリゴヌクレオチドは、SEPHADEX G-25超細繊分子サイズ排除デキストラン ビーズカラム（Amersham Pharmacia Biotech）を用いて実質的に精製する。下記のいずれか１つのエンドヌクレアーゼで消化されたヒトゲノムDNAの、典型的な膜ベースのハイブリダイゼーション解析において、毎分107カウントの標識されたプローブを含むアリコットを用いる。すなわちAse I、Bgl II、Eco RI、Pst I、Xba I、またはPvu II(DuPont NEN)である。
【０４５１】
各消化物から得たDNAは、０.７％アガロースゲル上で分画してナイロン膜（Nytran Plus, Schleicher & Schuell, Durham NH）に移す。ハイブリダイゼーションは、４０℃で１６時間行う。 非特異的シグナルを除去するため、例えば０.１×クエン酸ナトリウム食塩水及び０.５％ドデシル硫酸ナトリウムに一致する条件下で、ブロットを室温で順次洗浄する。オートラジオグラフィーまたはそれに代わるイメージング手段を用いてハイブリダイゼーションパターンを視覚化し、比較する。
【０４５２】
１１  マイクロアレイ
マイクロアレイの表面上でアレイエレメントの結合または合成は、フォトリソグラフィ、ピエゾ式印刷（インクジェット印刷、前出のBaldeschweiler等を参照）、機械的マイクロスポッティング技術及びこれらから派生したものを用いて達成することが可能である。上記各技術において基板は、均一且つ非多孔性の固体とするべきである（Schena (1999) 前出）。推奨する基板には、シリコン、シリカ、スライドガラス、ガラスチップ及びシリコンウエハがある。或いは、ドットブロット法またはスロットブロット法に類似のアレイを利用して、熱的、紫外線的、化学的または機械的結合手順を用いて基板の表面にエレメントを配置及び結合させてもよい。通常のアレイは、利用可能な、当業者に公知の方法と機械とを用いて作製でき、任意の適正数のエレメントを有し得る(例えばSchena, M. 他. (1995) Science 270:467-470、Shalon, D.他. (1996) Genome Res. 6:639-645、Marshall, A.及びJ. Hodgson (1998) Nat. Biotechnol. 16:27-31等を参照)。
【０４５３】
完全長ｃＤＮＡ、発現配列タグ（EST）、またはその断片またはオリゴマーは、マイクロアレイのエレメントと成り得る。ハイブリダイゼーションに好適な断片またはオリゴマーを、レーザGENEソフトウェア（DNASTAR）等の本技術分野で公知のソフトウェアを用いて選択することが可能である。アレイエレメント群を、生体サンプル中のポリヌクレオチド群とハイブリダイズする。生体サンプル中のポリヌクレオチドは、検出を容易にするために蛍光標識などの分子タグに抱合させる。ハイブリダイゼーション後、生体サンプルからのハイブリダイズされていないヌクレオチドを除去し、蛍光スキャナを用いて各アレイエレメントでのハイブリダイゼーションを検出する。あるいは、レーザー脱離および質量スペクトロメトリを用いてもハイブリダイゼーションを検出し得る。マイクロアレイ上の或るエレメントにハイブリダイズする各ポリヌクレオチドの、相補性の度合と相対存在度とを算定し得る。 一実施態様におけるマイクロアレイの調製および使用について、以下に詳述する。
【０４５４】
組織または細胞サンプルの準備
グアニジニウムチオシアネート法を用いて組織サンプルから全RNAを単離し、オリゴ(dT)セルロース法を用いてポリ(A)+RNAを精製する。各ポリ(A)+RNAサンプルを、MMLV逆転写酵素、0.05pg/μlのオリゴ(dT)プライマー（21mer）、１×第一鎖合成バッファー、0.03unit/μlのRNアーゼ阻害因子、500μMのdATP、500μMのdGTP、500μMのdTTP、40μMのdCTP、40μMのdCTP-Cy3（BDS）またはdCTP-Cy5（Amersham Pharmacia Biotech）を用いて逆転写する。逆転写反応は、GEMBRIGHTキット（Incyte）を用いてポリ(A)+RNA 200 ng 含有の25体積ml内で行う。特異的対照ポリ(A)+RNAは、非コード酵母ゲノムDNAからin vitro転写により合成する。各反応サンプル（１つはＣｙ3、もう１つはＣｙ5標識）は、２.５mlの０.５M水酸化ナトリウムで処理し、８５℃で２０分間インキュベートし、反応を停止させてRNAを分解させる。サンプルは、２つの連続するCHROMA SPIN 30ゲル濾過スピンカラム（CLONTECH Laboratories, Inc. (CLONTECH), Palo Alto CA）を用いて精製する。 混合後、２つの反応サンプルは、１mlのグリコーゲン（１mg/ml）、６０mlの酢酸ナトリウム及び３００mlの１００％エタノールを用いてエタノール析出させる。サンプルは次に、SpeedVAC（Savant Instruments Inc., Holbrook NY）を用いて乾燥して仕上げ、１４μlの５×SSC／０.２％SDS中で再懸濁する。
【０４５５】
マイクロアレイの準備
本発明の配列を用いて、アレイエレメントを作製する。各アレイエレメントは、クローン化ｃＤＮＡインサートによりベクター含有細菌性細胞から増幅する。ＰＣＲ増幅は、cDNAインサートの側面に位置するベクター配列に相補的なプライマーを用いる。３０サイクルのＰＣＲによって、１〜２ngの初期量から５μgを超える最終量までアレイエレメントを増幅する。増幅したアレイエレメントは、SEPHACRYL-400（Amersham Pharmacia Biotech）を用いて精製する。
【０４５６】
精製したアレイエレメントは、ポリマーコートされたスライドグラス上に固定する。顕微鏡スライドグラス（Corning）は、処理中及び処理後に０.１％のSDS及びアセトン中で超音波処理をかけ、蒸留水で非常に良く洗浄する。スライドグラスは、４％フッ化水素酸（VWR Scientific Products Corporation (VWR), West Chester PA）中でエッチングし、蒸留水中で非常に良く洗浄し、９５％エタノール中で０.０５％アミノプロピルシラン（Sigma）を用いてコーティングする。コーティングしたスライドガラスは、１１０℃のオブンで硬化させる。
【０４５７】
米国特許第5,807,522号で説明されている方法を用いて、コーティングしたガラス基板にアレイエレメントを付加する。 該特許は、引用を以って本明細書の一部となす。平均濃度が100ng/μlのアレイエレメントDNA１μlを高速機械装置により開放型キャピラリープリンティングエレメント（open capillary printing element）に充填する。装置はここで、スライド毎に約５nlのアレイエレメントサンプルを加える。
【０４５８】
マイクロアレイには、STRATALINKER ＵＶ架橋剤（Stratagene）を用いてＵＶ架橋する。マイクロアレイは、室温において０.２％ＳＤＳで１度洗浄し、蒸留水で３度洗浄する。リン酸緩衝生理食塩水 (PBS)（Tropix, Inc., Bedford MA）中の０.２％カゼイン中において６０℃で３０分間マイクロアレイをインキュベートした後、前に行ったように０.２％ＳＤＳ及び蒸留水で洗浄することにより、非特異結合部位をブロックする。
【０４５９】
ハイブリダイゼーション
ハイブリダイゼーション反応液は、５×SSC、０.２％SDSハイブリダイゼーション緩衝液にCy3及びCy5標識したcDNA合成産物を各０.２μg含む９μlのサンプル混合体を含めたものである。サンプル混合体は、６５℃まで５分間加熱し、マイクロアレイ表面上で等分して１.８cm2 のカバーガラスで覆う。アレイを、顕微鏡用スライドよりわずかに大きい空洞を有する防水チェンバーに移す。チェンバーのコーナーに１４０μlの５×SSCを加えることにより、チェンバー内部を湿度100%に保持する。アレイを含むチェンバーは、６０℃で約６．５時間インキュベートする。アレイは、第１洗浄緩衝液中（１×SSC,０.１％SDS）において４５℃で１０分間洗浄し、第２洗浄緩衝液中（０.１×SSC）において４５℃で１０分間各々３度洗浄して乾燥させる。
【０４６０】
検出
レポーター標識ハイブリダイゼーション複合体は、Ｃｙ3の励起のためには４８８nm、Ｃｙ5の励起のためには６３２nmでスペクトル線を発生し得るInnova70混合ガス10Ｗレーザ（Coherent, Inc., Santa Clara CA）を備えた顕微鏡で検出する。励起レーザ光の焦点をアレイ上に置くため、20×顕微鏡対物レンズ（Nikon, Inc., Melville NY）を用いる。アレイを含むスライドを、顕微鏡の、コンピュータ制御のX-Yステージに置き、対物レンズを通してラスタースキャンする。本実施例で用いる1.8cm×1.8cmのアレイは、解像度20μmでスキャンする。
【０４６１】
２つの異なるスキャンで、混合ガスマルチラインレーザは２つの蛍光色素を連続的に励起する。発光された光は、波長に基づき分離され、２つのフルオロフォアに対応する２つの光電子増倍管検出器（PMT R1477, Hamamatsu Photonics Systems, Bridgewater NJ）に送られる。好適なフィルタ群をアレイと光電子増倍管との間に設置して、シグナルをフィルタする。用いるフルオロフォアの最大発光の波長は、Cy3では565nm、Cy5では650nmである。装置は両方の蛍光色素からのスペクトルを同時に記録し得るが、レーザ源において好適なフィルタを用いて、蛍光色素１つにつき１度スキャンし、各アレイを通常２度スキャンする。
【０４６２】
スキャンの感度は通常、既知濃度でサンプル混合体に添加されるｃＤＮＡ対照種により発生されるシグナル強度を用いて較正する。アレイ上の特定の位置には相補的ＤＮＡ配列が含まれ、その位置におけるシグナルの強度を重量比1：100,000でハイブリダイゼーション種と相関させる。異なる源泉（例えば試験される細胞及び対照細胞など）からの２つのサンプルを、各々異なる蛍光色素で標識し、他と異なって発現した遺伝子を同定するために単一のアレイにハイブリダイズする場合には、２つの蛍光色素で較正するｃＤＮＡのサンプルを標識し、ハイブリダイゼーション混合液に各々等量を加えることによって較正を行う。
【０４６３】
光電子増倍管の出力は、IBMコンパチブルPCコンピュータにインストールされた12ビットRTI-835Hアナログディジタル（A/D）変換ボード（Analog Devices, Inc., Norwood MA）を用いてディジタル化される。ディジタル化されたデータは、青色（低シグナル）から赤色（高シグナル）までの擬似カラー範囲へのリニア20色変換を用いてシグナル強度がマッピングされたようなイメージとして表示される。データは、定量的にも分析される。2つの異なる蛍光色素を同時に励起および測定する場合には、各蛍光体の発光スペクトルを用いて、データはまず蛍光色素間の光学的クロストーク（発光スペクトルの重なりに起因する）を補正する。
【０４６４】
グリッドが蛍光シグナルイメージ上に重ねられ、それによって各スポットからのシグナルはグリッドの各エレメントに集められる。各エレメント内の蛍光シグナルは統合され、シグナルの平均強度に応じた数値が得られる。シグナル分析に用いるソフトウェアは、GEMTOOLS遺伝子発現分析プログラム（Incyte）である。
【０４６５】
１２  相補的ポリヌクレオチド
ENZMをコードする配列或いはその任意の一部に対して相補的配列は、天然のGCRECの発現を検出し、低下させ、または阻害するために用いられる。約15〜30塩基対を含むオリゴヌクレオチドの使用について記すが、これより小さなあるいは大きな配列の断片の場合でも、本質的に同じ手順を用いる。適切なオリゴヌクレオチド群を設計するため、Oligo 4.06ソフトウェア（National Biosciences）および、ENZMのコーディング配列を用いる。転写を阻害するためには、最も独特な５'配列から相補的オリゴヌクレオチドを設計し、これを用いて、プロモーターがコーディング配列に結合するのを防止する。翻訳を阻害するには、相補的なオリゴヌクレオチドを設計して、ENZMをコードする転写物にリボソームが結合するのを防ぐ。
【０４６６】
１３  ENZMの発現
ENZMの発現及び精製は、細菌若しくはウイルスを基にした発現系を用いて行うことができる。細菌でENZMを発現するために、抗生物質耐性遺伝子及びcDNAの転写レベルを高める誘導性のプロモーターを含む好適なベクターにcDNAをサブクローニングする。このようなプロモーターとしては、lacオペレーター調節エレメントと併用するT5またはT7バクテリオファージプロモーター、およびtrp-lac（tac）ハイブリッドプロモーターが含まれるが、これらに限定するものではない。組換えベクターを、BL21（DE3）等の好適な細菌宿主に形質転換する。抗生物質耐性をもつ細菌が、イソプロピルβ-Dチオガラクトピラノシド（IPTG）で誘導されるとENZMを発現する。真核細胞でのENZMの発現は、一般にバキュロウイルスとして知られているAutographica californica核多面性ウイルス（AcMNPV）を昆虫細胞株または哺乳動物細胞株に感染させて行う。バキュロウイルスの可欠ポリヘドリン遺伝子を、相同的組換え、或いは転移プラスミドの仲介に関与する細菌仲介遺伝子転移のどちらかによって、ENZMをコードするcDNAと置換する。ウイルスの感染力は維持され、強力なポリヘドリンプロモーターによって高レベルのcDNA転写が行われる。組換えバキュロウイルスは、多くの場合は夜蛾の１種Spodoptera frugiperda（Sf9）昆虫細胞への感染に用いるが、ヒト肝細胞への感染に用いることもある。後者の感染の場合は、バキュロウイルスの更なる遺伝的変更が必要になる（Engelhard. E. K.他 (1994) Proc. Natl. Acad. Sci. USA 91:3224-3227、Sandig, V. 他 (1996) Hum. Gene Ther. 7:1937-1945.等を参照）。
【０４６７】
殆どの発現系では、ENZMが、例えばグルタチオンＳトランスフェラーゼ(GST)と、またはFLAGや6-Hisなどのペプチドエピトープ標識と合成された融合タンパク質となるため、未精製の細胞溶解物からの組換え融合タンパク質の親和性ベースの精製を素早く１回で行うことができる。GSTは日本住血吸虫からの26kDaの酵素であり、タンパク質の活性および抗原性を維持した状態で、固定化したグルタチオン上での融合タンパク質の精製を可能とする（Amersham Pharmacia Biotech）。精製の後、GST部分を特定の操作部位でENZMからタンパク分解的に切断できる。ＦＬＡＧは８アミノ酸のペプチドであり、市販されているモノクローナル及びポリクローナル抗ＦＬＡＧ抗体（Eastman Kodak）を用いて免疫親和性精製を可能にする。６ヒスチジン残基が連続して伸長した6-Hisは、金属キレート樹脂上での精製を可能にする（QIAGEN）。タンパク質の発現および精製の方法は、前出のAusubel（1995）10章、16章に記載されている。これらの方法で得た精製ENZM を直接用いて以下の実施例１７、１８、および１９の、適用可能なアッセイを行うことができる。
【０４６８】
１４  機能的アッセイ
ENZM機能は、哺乳動物細胞培養系において生理学的に高められたレベルでのENZMをコードする配列の発現によって評価する。 cDNAを高いレベルで発現する強いプロモーターを含む哺乳動物発現ベクターにcDNAをサブクローニングする。選択されるベクターには、pCMV SPORTプラスミド（Life Technologies）及びpCR 3.1プラスミド（Invitrogen, Carlsbad CA）が含まれ、どちらもサイトメガロウイルスプロモーターを有する。リポソーム製剤あるいは電気穿孔法を用いて、5〜10μgの組換えベクターをヒト細胞株、例えば内皮由来または造血由来の細胞株に、一過的に形質移入する。更に、標識タンパク質をコードする配列を含む1〜2μgのプラスミドを同時に形質移入する。標識タンパク質の発現により、形質移入された細胞と形質移入されていない細胞を区別する手段が与えられる。また、標識タンパク質の発現によって、ｃＤＮＡの組換えベクターからの発現を正確に予想できる。標識タンパク質は、例えば緑色蛍光タンパク質（GFP；Clontech）、CD64またはCD64-GFP融合タンパク質から選択できる。自動化された、レーザー光学に基づく技術であるフローサイトメトリー（FCM）を用いて、GFPまたはCD64-GFPを発現する形質移入された細胞を同定し、それらの細胞のアポトーシス状態や他の細胞特性を評価する。ＦＣＭは、細胞死に先行するか或いは同時に発生する現象を診断する蛍光分子の取込を検出して計量する。このような現象として挙げられるのは、プロピジウムヨウ化物によるＤＮＡ染色によって計測される核ＤＮＡ内容物の変化、前方散乱光と90°側方散乱光によって計測される細胞サイズと顆粒状性の変化、ブロモデオキシウリジンの取込量の低下によって計測されるDNA合成の下方調節、特異抗体との反応性によって計測される細胞表面及び細胞内におけるタンパンク質の発現の変化、及び蛍光複合アネキシンＶタンパク質の細胞表面への結合によって計測される原形質膜組成の変化とがある。フローサイトメトリー法については、Ormerod, M.G.（1994）Flow Cytometry, Oxford, New York NYに記述がある。
【０４６９】
遺伝子発現に与えるENZMの影響は、ENZMをコードする配列とCD64またはCD64-GFPのどちらかが形質移入された、高度に精製された細胞集団を用いて評価することができる。CD64またはCD64-GFPは、形質移入された細胞表面で発現し、ヒト免疫グロブリンG（IgG）の保存された複数の領域に結合する。形質転換された細胞と形質転換されない細胞とは、ヒトIgGかCD64に対する抗体かのどちらかで被覆された磁気ビーズを用いて効率的に分離することができる（DYNAL, Lake Success NY）。mRNAは、当業者に周知の方法で細胞から精製することができる。ENZMと、目的とする他の遺伝子とをコードするmRNAの発現は、ノーザン分析やマイクロアレイ技術で分析することができる。
【０４７０】
１５  ENZMに特異的な抗体の作製
ポリアクリルアミドゲル電気泳動法(PAGE；例えば、Harrington, M.G. (1990) Methods Enzymol. 182：488-495を参照)または他の精製技術で実質的に精製されたENZMを用いて、標準的なプロトコールで動物（例えば、ウサギやマウス等）を免疫化して抗体を作り出す。
【０４７１】
或いは、レーザGENEソフトウェア（DNASTAR）を用いてENZMアミノ酸配列を解析し、免疫原性の高い領域を決定する。そして対応するオリゴペプチドを合成し、このオリゴペプチドを用いて当業者によく知られている方法で抗体を生成する。例えばＣ末端付近或いは隣接する親水性領域等の、適切なエピトープの選択については、当分野で公知である（前出のAusubel, 1995, 11章等を参照）。
【０４７２】
通常は、長さ約１５残基のオリゴペプチドを、Fmocケミストリを用いるABI 431A ペプチドシンセサイザ（Applied Biosystems）を用いて合成し、N-マレイミドベンゾイル-N-ヒドロキシスクシンイミドエステル（MBS）を用いた反応によってKLH（Sigma-Aldrich, St. Louis MO）に結合させて、免疫原性を高める（前出のAusubel, 1995 等を参照）。完全フロイントアジュバントにおいて、オリゴペプチド-KLH複合体を用いてウサギを免疫化する。得られた抗血清の抗ペプチド活性及び抗ENZM活性を検査するには、ペプチドまたはENZMを基板に結合し、１％BSAを用いてブロッキング処理し、ウサギ抗血清と反応させて洗浄し、さらに放射性ヨウ素標識されたヤギ抗ウサギIgGと反応させる。
【０４７３】
１６  特異的抗体を用いる天然ENZMの精製
天然または組換えENZMを、ENZM特異抗体を用いたイムノアフィニティークロマトグラフィにより実質的に精製する。イムノアフィニティーカラムは、CNBr-活性化SEPHAROSE（Amersham Pharmacia Biotech）のような活性化クロマトグラフィー用樹脂と抗ENZM抗体とを共有結合させることにより形成する。結合後に、製造者の使用説明書に従ってこのレジンをブロックし、洗浄する。
【０４７４】
ENZMを含む培養液をイムノアフィニティーカラムに通し、ENZMを優先的に吸着する条件下（例えば洗浄剤が存在する高イオン強度緩衝液）でカラムを洗浄する。そのカラムを、抗体とENZMとの結合を切るような条件で（例えば、ｐＨ２〜３のバッファー、或いは高濃度の尿素またはチオシアン酸イオンのようなカオトロープで）溶出させ、ENZMを収集する。
【０４７５】
１７  ENZMと相互作用する分子の同定
ENZMまたはその生物活性断片を、125Iボルトンハンター試薬で標識する(例えば Bolton A.E. および W.M. Hunter (1973) Biochem. J. 133:529-539を参照。)マルチウェルプレートに予め配列しておいた候補の分子を、標識したENZMと共にインキュベートし、洗浄して、標識したENZM複合体を有する全てのウェルをアッセイする。様々なENZM 濃度で得られたデータを用いて、候補分子と結合したENZM の数量及び親和性、会合についての値を計算する。
【０４７６】
別法では、ENZMと相互作用する分子を、Fields, S.及びO. Song(1989, Nature 340:245-246)に記載の酵母２−ハイブリッドシステム（yeast two-hybrid system）や、MATCHMAKERシステム(Clontech)などの２−ハイブリッドシステムに基づく市販キットを用いて分析する。
【０４７７】
ENZMはまた、高処理型の酵母２ハイブリッドシステムを使用するPATHCALLINGプロセス（CuraGen Corp., New Haven CT）に用いて、遺伝子の２つの大きなライブラリによってコードされるタンパク質間の全ての相互作用を決定することができる（Nandabalan, K. 他 (2000) 米国特許第6,057,101号）。
【０４７８】
１８  ENZM活性の実証
ENZMの活性はさまざまな特定の酵素アッセイによって実証される。その一部を以下に概説する。
【０４７９】
ENZMの酸化還元酵素活性は、酸化活性についてはNAD(P)H補酵素の340nmにおける吸光係数の増加によって測定し、還元活性についてはNAD(P)H補酵素の340nmにおける吸光係数の減少によって測定する(Dalziel, K. (1963) J. Biol. Chem. 238:2850-2858)。３つの基質、即ちAsn-βGal、ビオシチジンまたはユービキノン−10のうちの１つを使用することができる。酵素反応のそれぞれのサブユニット、たとえばチトクロームc1-b酸化還元酵素およびチトクロームｃが再構成される。反応混合液はa）1-2 mg/ml のENZM; および b) 15 mM の基質および2.4 mMの NAD(P)+を含むpH 7.1 の0.1Mリン酸バッファ（酸化反応）あるいは2.0 mMのNAD(P)Hを含むpH 7.4 の0.1 MのNa2HPO4 バッファ(還元反応)であり、全容積は0.1 mlである。340 nmにおける吸収(A340)が23.5℃ で記録式分光光度計（Shimadzu Scientific Instruments, Inc., Pleasanton, CA）を使って測定される。NAD(P)Hの量は化学量論的に初期に存在する基質の量と同等であり、A340の変化は生成されるNAD(P)Hの量の直接の測定値である（ΔA340 = 6620[NADH]）。ENZMの活性はアッセイ中に存在するNAD(P)Hの量に比例する。
【０４８０】
ENZMのアルド／ケトレダクターゼ活性は、NADPHが消費されるにつれ340nmにおける吸光度の減少に比例する（あるいは、例えば逆反応が観察される場合のようにNADPHが生成されるなら吸収度は増加する）。標準的な反応混合液は、135mMのリン酸ナトリウムバッファ（酵素によりpH6.2〜7.2の範囲）、0.2mM NADPH、0.3M硫酸リチウム、0.5〜2.5μgのENZM、および好適なレベルの基質を含む。この混合液を３０℃でインキュベートし、反応を分光光度計で連続的に測定する。ENZM 活性は、ENZM 1mg当たり消費されるNADPHのモル数として計算される。
【０４８１】
ENZM のアシルCoAデヒドロゲナーゼ活性を、嫌気性電子伝達フラビンタンパク質(ETF)アッセイを用いて測定する。反応混合液は、32℃に前もって加熱した50 mM Tris-HCl (pH 8.0), 0.5% グルコースと50 μM アシルCoA基質(即ちイソバレリルCoA)から成る。混合液は、真空へ反復して曝露することにより酸素を枯渇させ、その後アルゴンガスで覆われる。ブドウ糖酸化酵素とカタラーゼの添加によって微量の酸素を除去し、最終濃度1μMのETFを添加する。この反応は、精製したENZM またはENZM を含むサンプルを加え、342nmで反応液を励起することによって開始した。基質からETFへの電子の転移により引き起こされる蛍光の消光（クエンチング）が、496 nmにおいて観察される。アシルCoAデヒドロゲナーゼ活性の1ユニットを、1分間にETFを1μmol減少するために必要なENZMの量として定義する(Reinard, T. 他 (2000) J. Biol. Chem. 275:33738-33743)。
【０４８２】
ENZMのアルコールデヒドロゲナーゼ活性を、25℃、0.1 Mリン酸カリウム(pH 7.5)、0.1 Mグリシン(pH 10.0)、2.4 mM NAD+中で、340 nm (ε340 = 6.22 mM-1 cm-1)でNAD+からNADHへの変換を追跡して測定する。次に、基質（エタノール等）とENZMが反応液に添加される。NADHの生成は、340nmにおける吸光度の増加を生じる。そしてこれは、アルコール基質の酸化と、また、ENZMサンプル中のアルコールデヒドロゲナーゼ活性の量と相関する(Svensson, S. (1999) J. Biol. Chem. 274:29712-29719)。
【０４８３】
ENZM のアルデヒドデヒドロゲナーゼ活性は、ENZM の総デヒドロゲナーゼ活性+加水分解酵素活性の決定し、加水分解酵素活性を引くことにより測定する。加水分解酵素活性を、例えば10HCOHPteGlu (10ホルミルテトラヒドロ葉酸；HPteGlu, テトラヒド葉酸)または10FDDF (10ホルミル5,8dideazafolate)等の基質を0.5〜18μMを0.05 M TrisHCl (pH 7.8)、100 mM 2-メルカプトエタノールに含む反応混合液で最初に決定する。約1μgのENZM を最終容量1.0 mlに追加する。反応をモニターして、酵素以外のすべての成分を含むブランク対照のキュベットに比較して測定する。5,8-dideazafolateで1.89x104、HPteGluで2.17x104のモル吸光係数を用いて5,8-dideazafolateに対しては295 nmあるいはHpteGluに対しては300 nmで生成物を測定する。反応混合液へのNADP+の添加により、デヒドロゲナーゼ活性と加水分解酵素活性の両者の測定が可能となる（アッセイはすでに記載されたように実施する）。NADP+の存在下での生成物の生成と補助因子の不存在下での生成物の生成に基づき、ENZMのアルデヒドデヒドロゲナーゼ活性を計算する。別法では、プロパナールを基質として用いてアルデヒドデヒドロゲナーゼ活性をアッセイする。反応混合液は、1 ml の総量に60 mM ピロリン酸ナトリウムバッファー(pH 8.5) 5 mM プロパナール、1 mM NADP+、およびENZM を含む。NADPHの生成による340nmにおける吸光度の増加により、活性を決定する。これはサンプル中のアルデヒドデヒドロゲナーゼ活性と比例する(Sergey A. Krupenko. S.A. 他. (1995) J. Biol. Chem. 270:519-522)。
【０４８４】
ENZM の6-ホスホグルコン酸デヒドロゲナーゼ活性を、120 mMトリエタノールアミン(pH 7.5)、0.1 mM EDTA、 0.5 mM NADP+、10〜150 μMの 6-ホスホグルコン酸の基質を含む溶液に精製したENZM またはENZM から成る組成物を20〜25℃でインキュベートして測定する。NADPHの生成を蛍光的に測定し(340 nm 励起、450 nm 発光)、それは6-ホスホグルコン酸デヒドロゲナーゼ活性を意味する。あるいは、NADPHの生成物を吸光度340 nmに基づいて光度測定する。反応で生成したNADPHのモル量は、サンプル中の6-ホスホグルコン酸デヒドロゲナーゼ活性に比例する(Tetaud, E. 他 (1999) Biochem. J. 338:5560)。
【０４８５】
ENZMのリボヌクレオチドニリン酸還元酵素活性は、ジチオスレイトールと共に精製したENZM またはENZM から成る組成物、Mg++、ADP、GDP、CDP、およびUDPの基質をインキュベートすることにより決定する。対応するデオキシリボヌクレオチドである反応の生成物は、薄層クロマトグラフィにより基質から分離される。反応生成物は、移動速度に基づいて反応物質から区別することが可能である。放射標識した基質の使用は、アッセイの感度を高めるための代替である。反応で生成したデオキシリボヌクレオチドの量は、サンプル中のリボヌクレオチドニリン酸還元酵素の活性量に比例する（酵素は生成物により負にフィードバック阻害されるので、リボヌクレオチドニリン酸還元酵素活性が定常状態に至る以前のみにあてはまることに注意）（Nutter, L.M.及びCheng, Y-C. (1984) Pharmac. Ther. 26:191-207）。
【０４８６】
ENZM のジヒドロジオールアルデヒドデヒドロゲナーゼ活性は、限定するわけではないが(±)-トランス-ナフタリン-1,2-ジヒドロジオール、(±)-トランス-フェナントレン-1,2-ジヒドロジオール、(±)-トランス-クリセン-1,2-ジヒドロジオールを含むグループから選択したトランス-ジヒドロジオールの基質、50 mMグリシン(pH 9.0)、2.3 mM NADP+、8% DMSOから成る反応混合液において精製したENZM またはENZM から成る組成物をインキュベートして測定する。酸化反応をNADPHの形成を検出するために340nmにおいて観察する。NADPHの形成は基質の酸化を示す。反応成分の立体化学を決定するために、またENZMにより酸化するラセミ酸基質成分の光学異性体を決定するために円偏光二色性によりENZMの添加前後に、反応混合液を分析することもできる(Penning, T.M. (1993) Chemico-Biological Interactions 89:1-34)。
【０４８７】
多くのグルタチオンSトランスフェラーゼ（GST）の共通基質である1-クロロ-2,4-ジニトロベンゼン(CDNB)とGSHとの抱合を触媒するENZM活性測定により、ENZMのGST活性を決定する。ENZM を0.1Mリン酸カリウムバッファ（pH 6.5）中で、1 mM CDNBと2.5 mM GSHで共に25℃でインキュベートする。紫外線分光光度計を用いて340 nmにおいて抱合反応を吸光度の変化により測定する。ENZM活性は、340 nmでの吸光度の変化に比例する。
【０４８８】
ENZMの15-オキソプロスタグランジン13-還元酵素(PGR)活性を、DEAEクロマトグラフィにより15-ヒドロキシプロスタグランジンデヒドロゲナーゼ（15-PGDH）活性のコンタミネーションを分離した後に測定する。PGRを含む分画の分離（あるいは精製したENZMの使用）後に、0.1 M リン酸ナトリウム(pH 7.4)、1 mM 2-メルカプトエタノール、20 μg基質(例えばプロスタグランジンPGE1、PGE2、PGE2αの15-オキソ誘導体)と1 mM NADH (あるいはより高濃度のNADPH)から成る反応液で活性をアッセイする。ENZM を反応液に添加する。そして37℃で10分インキュベートする。この反応は0.25 ml 2 N NaOHを加えて止める。サンプル中に残る15-オキソ化合物の量は、停止した反応物の500 nmでの最大吸光度の測定により決定する。そしてこの値を、ENZMを入れなかった停止したコントロール反応液の測定値と比較する。１単位の酵素は、１分間に1μmolの基質の酸化を触媒するために必要な量と定義する。これはサンプル中のPGR活性量に比例する。
【０４８９】
ENZM 発現ベクターで形質転換した大腸菌を、唯一の炭素源と窒素源としてコリンを含む培地で増殖させることにより、ENZM のコリンデヒドロゲナーゼ活性を同定する。形質転換したバクテリアの成長能力は、コリンデヒドロゲナーゼ活性を示す(Magne Osteras, M. (1998) Proc. Natl. Acad. Sci. U.S.A. 95:11394-11399)。
【０４９０】
ENZMのチオレドキシン活性は記載された方法でアッセイされる(Luthman, M. (1982) Biochemistry 21:6628-6633)。チオレドキシンはジスルフィド結合の形成を触媒し、必要なチオール：ジスルフィド交換を可能とするために細胞の酸化還元環境を調節する。チオール：ジスルフィド交換を測定する1つの方法は、0.1 Mのリン酸カリウム（ pH 7.0）、2 mMのEDTA、0.16 μMのインスリン、0.33 mMのDTTおよび 0.48 mMのNADPHを含む混合溶液中のインスリンの還元を測定することである。この混合液にいろいろな濃度のENZMを加え、340 nmでNADPHの酸化をモニターすることにより反応速度を測定する。
【０４９１】
ENZMトランスフェラーゼ活性は供与基質と受容基質の間の放射標識されたメチル基の転移を測定するメチルトランスフェラーゼアッセイのような試験によって測定される(Bokar, J.A. 他 (1994) J. Biol. Chem. 269:17697-17704)。反応混合液(最終容量50μl )にはpH 7.9の15mM HEPES、1.5mM MgCl2、10 mM ジチオスレイトール、3% ポリビニルアルコール、1.5 μCi [methyl-3H]AdoMet(0.375 μM AdoMet)(DuPont-NEN)、0.6 μg ENZM、および受容基質(1 mM の最終濃度に対して、0.4μg [35S]RNAまたは6-メルカプトプリン(6-MP))が含まれる。反応混合液は30℃で30分間、次に65℃ で5分間インキュベートする。この生成物はクロマトグラフィーか、または電気泳動によって分離し、メチルトランスフェラーゼ活性のレベルをmethyl-3H 回収の定量によって測定する。
【０４９２】
ENZMのアミノトランスフェラーゼ活性は、ENZMを含むサンプルを、1mM L−キヌレニンおよび1mM 2-オキソグルタル酸の存在下で、最終容量200μlの70μM PLPを含む150mM Tris 酢酸バッファ(pH8.0)で３７℃で１時間インキュベートしてアッセイする。キヌレン酸の形成は、当業者に周知の好適な標準およびコントロールを用いて330nmで分光光度検出によりHPLCで定量する。別法では、L-3-ヒドロキシキヌレニンを基質として用い、キサンツレン酸の生成を340nmでのUV検出と生成物のHPLC分析により判定する。キヌレン酸およびキサンツレン酸の生成はそれぞれ、アミノトランスフェラーゼ活性を示す（Buchli, R.他(1995) J. Biol. Chem. 270:29330-29335）。
【０４９３】
別法では、ENZMのアミノトランスフェラーゼ活性の測定は、酵素結合補助因子であるピリドキサール5'-リン酸(PLP)のUV/VIS吸収スペクトルにおける変化をモニタリングして、一回のターンオーバー条件下で、精製したENZM或いはENZMを有する未精製サンプルの、様々なアミノ酸およびオキソ酸基質に対する活性を判定して行う。この反応は、9μM 精製ENZM  またはENZM 含有サンプルおよび検査する基質（アミノ酸およびオキソ酸基質）を含む50mM4-メチルモルフォリン(pH7.5)において２５℃で行う。アミノ酸からオキソ酸への半反応を調べるため、酵素結合したPLPのピリドキサミン5'リン酸（PMP）への変換により生じる、360nmにおける吸光度の低下および330nmにおける吸光度の増加を測定する。ENZM の特異性および相対的な活性を、特定の基質に対する酵素活性によって測定する（Vacca, R. A.他 (1997) J. Biol. Chem. 272:21932-21937）。
【０４９４】
ENZMのキチナーゼ活性は蛍光基質の４−メチルウンベリフェリルキトトリオース、４−メチルウンベリフェリルキトキトビオースまたは４−メチルウンベリフェリルN-アセチルグルコサミンを使って決定される。生成されたENZMを0.5uMの基質とともにpH 4.0 (0.1M クエン酸バッファ), pH 5.0 (0.1M リン酸バッファ)またはpH 6.0 (0.1M Tris-HCL)でインキュベートする。さまざまなインキュベーション時間の後、0.1Mグリシンバッファ（pH 10.4）を加えることによって反応を止め、遊離のメチルウンベリフェロンの濃度を蛍光分析で測定する。セラチア菌（Serratia marcescens） のキチナーゼBを陽性対照として使用することができる(Hakala, B. E. (1993) J. Biol. Chem. 268 (34):25803-25810)。
【０４９５】
ENZMのイソメラーゼ活性は2-ヒドロキシヘプタ-2,4-ジエン-1,7 ジオエートイソメラーゼ（HHDDイソメラーゼ）の活性を測定することにより求められる。方法はGarrido-Peritierra, A. および Cooper, R.A. (Eur. J. Biochem. (1981)17:581-584)に記載されている。サンプルをHHDDイソメラーゼの基質である5-カルボキシメチル-2-オキソ-ヘクス-3-ene-1,5, ジオエイト（CMHD）と混合する。246 nmにおける吸光度を測定することによりCMHD濃度をモニターする。246 nmにおける吸光度の低下がENZMのHHDDイソメラーゼ活性に比例する。
【０４９６】
ペプチジルプロリルシス/トランスイソメラーゼ活性のようなENZM イソメラーゼの活性は、Rahfeld, J.U., 他  (1994) (FEBS Lett.  352: 180-184)によって記載されている酵素アッセイによって測定できる。このアッセイは、キモトリプシン（0.5 mg/ml）と種々の濃度のENZM を含む35 mM のHEPES バッファー（pH 7.8）で10 ℃ にて行う。これらのアッセイの条件下では、基質であるSuc-Ala-Xaa-Pro-Phe-4-NAはプロリル結合に関して平衡になり、トランス結合が 80〜95% であり、シス結合が5〜20%である。ジメチルスルフォキシド（10 mg/ml）中に溶解したアリコット（2μl）の基質を上記の反応混合液に加える。シス異性体のみがキモトリプシンによって切断される基質である。したがって、基質がENZMによって異性化されると、生成物はキモトリプシンによって切断されて4-ニトロアニリドが生成され、これは390 nmでのその吸光度によって検出される。４-ニトロアニリドの出現は時間依存性であり、またENZM濃度依存的であると思われる。
【０４９７】
別方法として、ENZMのペプチジルプロリルシス/トランスイソメラーゼ活性は発色ペプチドを使ったキモトリプシンとの共役アッセイにより調べることができる(Fischer, G. 他  (1984) Biomed. Biochim. Acta  43:1101-1111)。
【０４９８】
ENZMのUDP グルクロニルトランスフェラーゼ（glucuronyltransferase）活性は、遊離アミノ基の比色判定を用いて測定する (Gibson, G.G. および P. Skett (1994) Introduction to Drug Metabolism, Blackie Academic and Professional, London)。アミン含有基質（例えば 2-アミノフェノール)を、必要な補因子群を含有する反応バッファ(40 mM Tris （pH 8.0）, 7.5 mM MgCl2, 0.025% Triton X-100, 1 mM アスコルビン酸、0.75 mM UDP-グルクロン酸)中のこの酵素のアリコットと共に37℃でインキュベーションする。充分な時間をおき、反応は氷冷した20%トリクロロ酢酸（0.1 M リン酸バッファ （pH 2.7）中)を添加して停止させ、氷上でインキュベートし、遠心分離して上澄みを清澄化させる。全ての未反応2-アミノフェノールは、このステップで破壊される。充分な、新たに調製した亜硝酸ナトリウムを次に添加し、このステップにより、グルクロン酸抱合産物のジアゾニウム塩が形成される。過剰な亜硝酸を除去するため充分なスルファミン酸アンモニウム（ammonium sulfamate)を添加し、ジアゾニウム塩を芳香族アミン(例えばN-ナフチルエチレンジアミン)と反応させ、着色したアゾ化合物を産生する。この化合物は、分光光度法でアッセイできる（540 nmなど）。標準曲線は、既知濃度のアニリンを用いて作成できる。このアニリンは、2-アミノフェノール グルクロニドと同様の特性を持つ発色団を形成することとなる。
【０４９９】
ENZMのアデニロコハク酸合成酵素活性はIMPからのAMPの合成によって測定する。サンプルとAMPを混合する。IMP濃度は23℃で248 nmにおいて分光光度法でモニターする(Wang, W. 他 (1995) J. Biol. Chem. 270:13160-13163)。IMP濃度の増加はENZM活性に比例する。
【０５００】
別法では、ENZMのAMP結合活性の測定を、サンプルと32P標識したAMPとを混合させて行う。この反応溶液を３７℃でインキュベートし、反応はトリクロロ酢酸の添加で終了させる。酸抽出物を中和し、ゲル電気泳動にかけて非結合標識を除去する。ゲル内に留まる放射活性が、ENZMの活性に比例する。
【０５０１】
さらに別方法においては、ENZMの生体異物カルボン酸：CoAリガーゼ活性を、サンプルとγ-33P-ATPを混合してγ-33P- ピロリン酸の形成の時間変化を測定することによって測定する(Vessey, D.A. 他 (1998) J. Biochem. Mol. Toxicol. 12:151-155)。
【０５０２】
タンパク質ホスファターゼ（PP）活性は、P-ニトロフェニルリン酸(PNPP)の加水分解によって測定する。ENZMを、0.1％のβメルカプトエタノールの存在下で、ｐH7.5のHEPESバッファー中にPNPPと共に37℃で60分インキュベートする。この反応は６mlの10N NaOHを加えて停止する（Diamond, R.H.他 (1994) Mol. Cell. Biol. 14:375262）。
【０５０３】
或るいは、ENZMの酸性ホスファターゼ活性は、ｐH4.5の0.1Mクエン酸ナトリウム、及び50μlの40ｍM塩化ナトリウム中にENZMを含む抽出液と100μlの10ｍM PNPPを37℃で20分インキュベートして実証する。この反応は0.5 mlの0.4M グリシン／NaOH（ｐH10.4）を加えて止める（Saftig, P. 他 (1997) J. Biol. Chem. 272:1862818635）。PNPPの加水分解によって起こる410nmでの光吸収の増加を分光光度計で測定する。このアッセイでは、光吸収の増加がENZM の活性に比例する。
【０５０４】
別法では、ENZM活性は、リン酸化したタンパク質基質から除去されたリン酸の量を測定して決定する。反応は、60mM Tris、pH7.6、1mM EDTA、1mM EGTA、0.1％2-メルカプトエタノールおよび10μM 基質、適量の32P標識したセリン／トレオニン／またはチロシンを含む最終容量30μlの2nM或いは4nMのENZMにおいて行なう。反応は基質で開始し、30℃で10〜15分間インキュベートする。0.6 M HC1、90mM Na4P2O7、および2mM NaH2PO4中の4％(w/v)活性化木炭450μlで停止させ、次に12,000×gで5分間遠心分離する。酸可溶性32Piを液体シンチレーションカウンターで定量する（Sinclair, C. 他 (1999) J. Biol. Chem. 274:23666-23672）。
【０５０５】
ENZMのアデノシンデアミナーゼ活性は、アデノシン基質をENZMとインキュベートしたときに起こるアミノ化の速度を測定することによって求める。反応は、53.3 mMのリン酸カリウムと0.045 mMのアデノシンを含む最終容積3.0 mlに所定量のENZMを含むサンプルで行われる。ENZMを除くアッセイ試薬を石英のキュベット内で混合し、25℃で平衡化する。反応はENZMを加えてただちに逆さまにして混合することで開始する。アデノシンのイノシンへの加水分解によって起こる265nmでの光吸収の増加を分光光度計で測定する。A265 nm の減少を約5分間記録する。このアッセイでは、光吸収の減少がENZMの活性に比例する。
【０５０６】
ENZM プロテアーゼ活性は、種々の発色性分子と抱合した適切な合成ペプチド基質の加水分解によって測定される。この加水分解の程度は遊離された発色団の分光光度的(または蛍光定量的)吸光度によって定量される（Beynon, R.J. および J.S. Bond (1994) Proteolytic Enzymes: A Practical Approach, Oxford University Press, New York, NY, 25-55ページ）。エンドペプチダーゼ(セリンプロテアーゼ、システインプロテアーゼ、アスパラギン酸プロテアーゼ)、アミノペプチダーゼ(ロイシンアミノペプチダーゼ)、またはカルボキシペプチダーゼ(カルボキシペプチダーゼAおよびB、プロコラーゲンC-プロテイナーゼ)のような、プロテアーゼ活性のカテゴリにしたがって、ペプチドの基質が設計される。
【０５０７】
ENZMの炭酸脱水酵素活性のアッセイは、炭酸脱水酵素活性を測定するためにストップドフロー蛍光光度法を併用して蛍光pH指示薬8-ヒドロキシピレン-1,3,6-トリスルホン酸（ピラニン）を使用する(Shingles, 他. 1997, Anal. Biochem. 252: 190-197)。pH 6.0の溶液をpH 8.0の溶液と混合し、重炭酸の脱水化の初期速度を測定する。pH 6.0の溶液への炭酸脱水酵素の追加により、2 ミリ秒の分解時間で生理学的温度における活性の初期速度の測定が可能となる。Shingles他はこのアッセイを使用して、哺乳動物の炭酸脱水酵素アイソフォーム間の比較により、活性とスルホンアミドへの感度の差異を解析した。蛍光技術の感度により、65 ng/mlほどの低いタンパク質濃度の初期速度の決定が可能となる。
【０５０８】
ENZMのデカルボキシラーゼ活性は、標識化基質からのCO2の放出として測定される。例えば、ENZMのオルニチンデカルボキシラーゼ活性をL-[1-14C]-オルニチンからのCO2の放出を測定することによりアッセイする(Reddy, S.G 他. (1996) J. Biol. Chem. 271:24945-24953)。活性は、0.5 μCiのL-[1-14C]オルニチンを加えた0.5 mM L-オルニチンを含有する200 μlアッセイバッファー(50 mM Tris/HCl（pH 7.5）、0.1 mM EDTA、2 mMジチオスレイトール、5 mM NaF、0.1% Brij35、1 mM PMSF、60μM ピリドキサール-5-リン酸)で測定される。15〜30分後に、1M クエン酸を加えることにより反応を停止し、放出された14CO2を20μlの2N NaOHで飽和したペーパー・ディスク・フィルタに吸着させる。ディスク上の放射能は、液体シンチレーション分光法により測定される。放出した14CO2の量は、ENZMのオルニチンデカルボキシラーゼ活性に比例する。
【０５０９】
ENZMの加水分解の方向へのAdoHCYase活性は、5,5'-ジチオビス(2-ニトロ安息香酸) (DTNB)との反応により形成された生成物（ホモシステイン）の速度を測定することにより分光器で測定される。1 mMのEDTAを含有する50 mMのリン酸カリウムバッファ（pH 7.2）(バッファA)中に、4.7μg のENZM と4ユニットのアデノシンデアミナーゼを含有する800 μlの酵素溶液に、バッファA中で250 μM DTNBを含有する200 μlの S-アデノシル‐L‐ホモシステイン(500 μM)が加えられる。反応混合物は37℃で2分間インキュベートされる。加水分解活性を412nmでダイオード・アレイUV分光光度計を用いて連続的にモニタ−する。酵素活性は、1μmolのSアデノシルLホモシステイン/分を加水分解することができる酵素の量として定義される(Yuan, C-S 他. (1996) J. Biol. Chem. 271:28009-28015)。
【０５１０】
ENZMの合成方向へのAdoHCYアーゼ活性は、基質として3-デアザアデノシンを用いて形成された生成物（Sアデノシルホモシステイン）として測定することが可能である(前出、Sganga, M.W.他)。要するに、ENZMを0.1 mMの3-デアザアデノシン、5 mMのホモシステイン、20 mMのHEPES  (pH 7.2)を含有する容量100 μl中でインキュベートする。アッセイ混合液を37℃で15分間インキュベートする。10μlの3M 過塩素酸を加えることにより反応を停止する。氷上で15分間インキュベートした後、混合物をマイクロ遠心分離で4℃で5分間18,000×gで遠心分離機にかける。上澄みを除去して、1 M 炭酸カリウムの添加により中和して、再び遠心分離する。次に上澄みの50 μlのアリコットは、Altex Ultrasphere ODSカラム(5 μmの粒子、4.6 x 250 mm)で、流速1 ml/minで0.2 M 無水リン酸アンモニウム(Aldrich)での均一濃度溶離によりクロマトグラフィーにかける。ビシンコニン酸アッセイ(Pierce)によりタンパク質を決定した。
【０５１１】
または、ENZMのAdoHCYアーゼ活性はTLC方法により、合成方向で測定することが可能である(Hershfield, M.S. 他. (1979) J. Biol. Chem. 254:22-25)。プレインキュベーション段階で、50 μM [8-14C]アデノシンはNAD+の5モルの等価物と共に15分間22℃でインキュベートする。50 mMのリン酸カリウムバッファ（pH 7.4）、1mMのDTT、5mMのホモシステインから成る50 μlの最終容量のENZMを含有するアッセイサンプルは、反応を開始するためにプレインキュベートした[8-14C]アデノシン/NAD+と混合する。反応は37℃でインキュベートする。またサンプル1μlを30分間、5分間隔でＴＬＣプレートにスポットとして載せる。クロマトグラムはブタノール-1/氷酢酸/水(12:3:5, v/v)で展開して、乾燥させる。紫外線下で基質と生成物を同定するために標準が用いられる。次に[14C]アデノシンと[14C]SAHを含有する完全なスポットは、X線フィルムをＴＬＣプレートに曝露することにより検出される。次に放射標識した基質と生成物はクロマトグラムから切断され、液体シンチレーション分析器により計数される。生成物ｖｓ時間プロットの線形最小二乗法の傾斜とサンプル中のタンパク質のｍｇ数から酵素の特異的活性を決定する(Bethin, K.E. 他. (1995) J. Biol. Chem. 270:20698-20702)。
【０５１２】
ENZMのアスパラギナーゼ活性は加水分解方向で測定することができる。それには、50 mM リン酸バッファ（pH 7.5）の中で25℃ で0.6 mM N4-β’-N-アセチルグルコサミニル-L-アスパラギン基質をENZMとインキュベートしたときにこの基質から放出される放射能標識されたL−アスパラギン酸の量を求める(Kaartinen, V. 他 (1991) J. Biol. Chem. 266:5860-5869)。
【０５１３】
ENZMの加水分解方向におけるアシルCoA酸ヒドロラーゼ活性は、基質（アシル−CoA）とENZMの5,5'-ジチオビス(2-ニトロ安息香酸) (DTNB)存在下での反応で形成される生成物（CoASH）の出現によってモニターする。最終反応容積は、1 ml で、0.1 mMのDTNB, 20 μg/mlのウシ血清アルブミン、 10 μMの種々の長さのアシルCoA (C6-CoA, C10-CoA, C14-CoA および C18-CoA, Sigma)および ENZMを含む0.05 M リン酸カリウムバッファ（ pH 8）である。反応混合液を22℃で7分間インキュベートする。加水分解活性は、分光光度計で412 nmの吸収を測定することでモニターする（Poupon, V. 他、前出）。
【０５１４】
ENZMのリボヌクレアーゼ活性は、ENZMと共にＲＮＡ基質のインキュベートする結果として生成される可溶性ＲＮＡの量を決定することにより分光光度法で測定することが可能である。ENZMを含有する40 mMのリン酸ナトリウム（pH 7.5）の0.8 mlに、4mg/mlの酵母tRNA (Sigma)溶液を5μl(20 μg)を加える。反応液を25℃で15分間インキュベートする。3%過塩素酸を加えた20mM 硝酸ランタンの氷冷した新鮮な溶液0.5mlを加えることにより、反応を停止する。停止した反応物を氷上で少なくとも15分インキュベートする。そして10,000gで5分間遠心分離機にかけることにより不溶性tRNAを除去する。可溶性tＲＮＡは、可溶性tＲＮＡの40 μgに対応するA260を1.0として、残りの上澄みのＵＶ吸収(260nm)として測定された(Rosenberg, H.F.他. (1996) Nucleic Acids Research 24:3507-3513)。
【０５１５】
リボヌクレアーゼPまたはｔRNAスプライシングエンドヌクレアーゼ活性は、32P内部標識化したテトラヒメナ（T. thermophila）の tRNAGln前駆体を切断するENZMの能力として測定することができる。リボヌクレアーゼPまたはｔRNAスプライシングエンドヌクレアーゼと基質は反応容器に加えられ、反応はMBBバッファ(50 mM トリス-HCl (pH 7.5), 10 mM MgCl2)で１時間、37℃で実施される。反応はサンプルローディングバッファー(SLB: 40 mM EDTA, 8 M 尿素, 0.2% キシレンシアノール、0.2% ブロムフェノール青)の同量を添加して停止する。反応生成物は、8 M尿素、6% ポリアクリルアミドゲルで電気泳動法により分離する。そして検出機器と、生成物を定量化可能なソフトウエアを使用して分析する。リボヌクレアーゼPまたはｔRNAスプライシングエンドヌクレアーゼ活性の1ユニットは、１時間、37℃でテトラヒメナ（T. thermophila）の tRNAGln前駆体の28 fmolの10%を切断して完全な産物にするのに必要な酵素の量として定義される(True, H.L. 他. (1996) J. Biol. Chem. 271:16559-16566)。
【０５１６】
あるいは、リボヌクレアーゼPまたはｔRNAスプライシングエンドヌクレアーゼによる32P内部標識化基質tRNAの切断は、30 mMのHEPES-KOH (pH 7.6)、6 mMのMgCl2、30 mMのKcl、2 mMのDTT、25 μg/mlのウシ血清アルブミン、1 unit/μlのrRNasin、ゲルで精製した基質のRNA 5,000〜50,000 cpmを含有する20 μlの反応混合物において測定可能である。3.0 μlのリボヌクレアーゼPまたはｔRNAスプライシングエンドヌクレアーゼを反応混合物に加え、次に37℃、30分間インキュベートする。反応はguanidinium/フェノール抽出により停止し、グリコーゲンの存在下でエタノールで沈殿させ、変性ポリアクリルアミドゲル電気泳動法(6または8%ポリアクリルアミド、7 M尿素)とオートラジオグラフィーにかける(Rossmanith, W. 他 (1995) J. Biol. Chem. 270:12885-12891)。リボヌクレアーゼPまたはｔRNAスプライシングエンドヌクレアーゼ活性は、検出された切断生成物の量に比例する。
【０５１７】
ENZM活性は、前出のSala-Newby他が記載しているように、ＡＭＰの加水分解の結果として生成される遊離アデノシンの量を決定することにより測定することが可能である。短時間の間、37℃の適切なバッファ内でENZMとAMPを10分間インキュベートする。遊離アデノシンをAMPから分離して逆相HPLCで測定する。
【０５１８】
別方法として、ADPリボシルアルギニンの加水分解によってENZM活性を測定することもできる(Konczalik, P. および J. Moss (1999) J. Biol. Chem. 274:1673616740)。５０ｍＭリン酸カリウム（ｐH 7.5）、５ｍMジチオスレイトール、１０ｍM MgCl2の中で５０ｎｇのENZMを100 μM のADPリボシル[14C]アルギニン (78,000 cpm) と共にインキュベートする（最終容積100 μl）。37℃で1時間経過した後、サンプルの90μl をAffi-Gel 601 (boronate) カラム(0.5 × 4 cm) に注入する（１ｍｌの0.1 M グリシン（pH 9.0）、0.1 M NaClおよび 10 mM MgCl2で５回平衡化、溶出）。全溶出液中の遊離14C-Arg を液体シンチュレーション計数により測定する。
【０５１９】
ENZMのエポキシドヒドロラーゼ活性は[H3]標識された酸化トランス−スチルベン（TSO）を基質として放射線アッセイによって求めることができる。ENZMを37℃、全容積100 μl のTris-HCl （pH 7.4）バッファに1分間だけ予備インキュベートする。 [H3]標識されたTSOを1 μl（エタノール中に0.5 μM）加え、反応混合液を37℃で10分間インキュベートする。反応混合液を200 μlのｎ−ドデカンで抽出する。水溶液相を50 μl取り出して、液体シンチレーションカウンタ（LSC）でジオール生成物を定量する。ENZM活性はnmolジオール生成物/分/ｍｇタンパク質として計算する(Gill, S.S. 他 (1983) Analytical Biochemistry 131:273-282)。
【０５２０】
ENZM のリゾホスファチジン酸アシルトランスフェラーゼ活性は、ENZM を含むサンプルを100 mM Tris-HCl（pH 7.4）、1 mM のチオール試薬 5,5'-ジチオビス(2-ニトロ安息香酸) (DTNB)、50 mm LPA, および 50 mm アシル-CoA とともにインキュベートすることによって測定される。この反応はアシル-CoAを加えることによって開始され、平衡状態に到達させる。アシル-CoA からLPAへのアシル基の転移によって遊離CoAが放出され、これがDTNBと反応する。DTNBと遊離CoA間の反応生成物は413nmの光を吸収する。413nmにおける吸光度の変化は、分光光度計を用いて測定され、また、サンプル中のENZMのリゾホスファチジン酸アシルトランスフェラーゼ活性に比例する。
【０５２１】
ENZM  のN-アシルトランスフェラーゼ活性は、放射標識されたアミノ酸基質を用いて、放射標識の抱合型生成物への取り込みを測定することによって測定される。非標識アシル-CoA 化合物と放射標識アミノ酸を含む反応バッファー中でENZM をインキュベートし、放射標識アシル抱合体をn-ブタノールまたは他の適切な有機溶媒に抽出することによって未反応のアミノ酸から分離する。例えばJohnson, M. R 他 (1990; J. Biol. Chem. 266:10227-10233)は、胆汁酸-CoA:アミノ酸N-アシルトランスフェラーゼ活性の測定を、この酵素をコリル-CoA および 3H-グリシンまたは 3H-タウリンと共にインキュベートし、また、トリチウム化コール酸抱合体（tritiated cholate conjugate)をn-ブタノールへの抽出によって分離し、シンチレーションによって抽出産物内の放射活性を測定して行った。あるいはN−アシルトランスフェラーゼ活性の測定には、下記の還元されたCoA(CoASH)の分光光度測定法を用いる。
【０５２２】
ENZM のN-アシルトランスフェラーゼ活性は[14C]アセチル-CoA から基質分子への放射標識の転移を用いて測定される。(例えば、Deguchi, T. (1975) J. Neurochem. 24:1083-5参照).あるいは、CoASHとのDTNB反応に基づいた、より新しい分光光度アッセイを用いてもよい。遊離のチオール含有CoASHは、N-アセチルトランスフェラーゼが触媒する、基質へのアセチル基の転移時に形成される。CoASHの検出には、DTNB抱合体の吸光度（412 nm)を用いる(De Angelis, J. 他 (1997) J. Biol. Chem. 273:3045-3050)。ENZM活性は放射活性の基質への取り込み率、すなわち分光光度測定における吸光度の増加率に比例する。
【０５２３】
ENZMのガラクトシルトランスフェラーゼ活性は、放射性アッセイでUDP-ガラクトースからGlcNAc末端オリゴサッカライド鎖へのガラクトースの転移を測定することによって測定できる。（Kolbinger, F. 他 (1998) J. Biol. Chem. 273:58-65）ENZM サンプルは、 14 μl のアッセイ用ストック溶液(180 mM のカコジル酸ナトリウム、pH 6.5、 1 mg/ml のウシ血清アルブミン、 0.26 mM のUDP-ガラクトース、2 μl のUDP-[3H]ガラクトース)、 1 μl の MnCl2 (500 mM)および 2.5 μl の GlcNAcβO-(CH2)8-CO2Me (ジメチルスルホキシド中に37 mg/ml )  で37℃にて60分間 インキュベートする。この反応は1mlの水を加えて停止させ、C18 Sep-Pak カートリッジ(Waters)に搭載し、カラムを2回5mlの水で洗浄して未反応のUDP-[3H]ガラクトースを除去する。[3H]ガラクトシル化GlcNAcβO-(CH2)8-CO2Me は水で洗浄する間はカラムに結合されたままであり、5mlのエタノールで溶出する。溶出された物質の放射活性は液体シンチレーションカウンターで測定され、これは開始サンプルのENZM のガラクトシルトランスフェラーゼ活性に比例する。
【０５２４】
ENZMのホスホリボシルトランスフェラーゼ活性はホスホリボシルピロリン酸(PRPP) からプリンまたはピリミジン塩基へのホスホリボシル基の転移として測定される。pH 9.0の50 mM Tris 酢酸、20 mM 2-メルカプトエタノール、 12.5 mM MgCl2および0.1 mM 標識基質([14C]ウラシル等)を含むアッセイ混合液(20ml)は、pH 9.7の0.1 M Tris 酢酸で希釈したENZM、1 mg/ml のウシ血清アルブミンを含む20mlの溶液と混合する。反応液は前もって37℃で一分間加熱し、10mlの6 mM PRPPで開始され、37℃で5分間インキュベートする。この反応は100℃で一分間加熱することによって停止する。生成物[14C]UMP をDEAE-セルロース紙上で[14C]ウラシルから分離する(Turner, R.J. 他 (1998) J. Biol. Chem. 273:5932-5938)。生成された[14C]UMP の量はENZMのホスホリボシルトランスフェラーゼ活性に比例する。
【０５２５】
ENZMのADP-リボシルトランスフェラーゼ活性はアデニン-NAD からアグマチンへの放射標識の転移として測定される(Weng, B. 他 (1999) J. Biol. Chem. 274:31797-31803)。精製されたENZM は、50 mM リン酸カリウム (pH. 7.5)、20 mM アグマチン、および  0.1 mM [アデニン-U-14C]NAD (0.05 mCi)を含む総量300ml中で1時間、30℃でインキュベートする。サンプル(100ml)をDowex カラムにかけ、5mlの水で[14C]ADP-リボシルアグマチンを溶出し、液体シンチレーションカウンターにかける。回収された放射活性の量は、ENZMのADP-リボシルトランスフェラーゼ活性に比例する。
【０５２６】
あるENZM活性アッセイでは、ｔRNAのアミノアシル化を放射能標識された基質の存在下で測定する。ENZMは、[14C]−標識されたアミノ酸と好適な同族の tRNA（例えば、[14C]アラニンおよび tRNAala）とともに緩衝液中にインキュベートされる。14C-標識の産物は遊離[14C]アミノ酸からクロマトグラフィーによって分離され、取り込まれた[14C]はシンチレーションカウンタで測定される。このアッセイでは、14C-標識産物の量がENZMの活性に比例する(Ibba, M. 他 (1997) Science 278:1119-1122)。
【０５２７】
別方法として、ENZMのアルギニノコハク酸シンターゼ活性は[3H]アスパラギン酸の[3H]アルギニノコハク酸への変換に基づいて測定する。[3H]アスパラギン酸、 シトルリン、TrisHCl (pH 7.5)、 ATP、 MgCl2、 KCl、ホスホエノールピルビン酸、ピルビン酸キナーゼ、ミオキナーゼ、およびピロホスホターゼの混合溶液の中でENZMをインキュベートし、37℃で60分反応させる。酵素活性は酢酸を添加して90℃で30分間加熱することによって停止する。[3H]アルギニノコハク酸はクロマトグラフィで未触媒[3H]アスパラギン酸から分離し、液体シンチレーション分光法を使って定量化する。このアッセイでは検出される [3H]アルギノコハク酸の量がENZMの活性に比例する (O'Brien, W. E. (1979) Biochemistry 18:53535356)。
【０５２８】
別方法として、ENZMのエステラーゼ活性はｐ-ニトロフェニル酢酸（NPA）の加水分解によってアッセイする。150 mMのNaClを含む0.1 Mリン酸カリウムバッファ(pH 7.25) の中で0.1 μM NPAとENZMを一緒にインキュベートする。NPAの加水分解は分光光度計によって400 nmの吸収の増加として測定する。光吸収の増加がENZM の活性に比例する(Probst, M.R. 他 (1994) J. Biol. Chem. 269:2165021656)。
【０５２９】
１９  ENZMのアゴニスト及びアンタゴニストの同定
ENZMの活性化若しくは抑制のアゴニスト若しくはアンタゴニストを、実施例１８で記述したアッセイを用いてテストし得る。アゴニストはENZM活性の増加を生じ、アンタゴニストはENZM活性の低下を生じる。
【０５３０】
当業者は、本発明の範囲及び精神から逸脱することなく本発明の記載した方法及びシステムの種々の改変を行い得る。本発明について説明するにあたり特定の好適実施例に関連して説明を行ったが、本発明の範囲が、そのような特定の実施例に不当に制限されるべきではないことを理解されたい。分子生物学または関連分野の専門家には明らかな、本明細書に記載する本発明の実施方法の様々な修正は、明確に特許請求の範囲内にあるものとする。
（表の簡単な説明）
表１は、本発明の完全長ポリヌクレオチド配列及びポリペプチド配列の命名法の概略を示す。
【０５３１】
表２は、GenBank識別番号及び本発明のポリペプチドに最も近いGenBank相同体の注釈を示す。また、各ポリペプチドとその相同体（１つ以上）が一致する確率スコアも併せて示す。
【０５３２】
表３は、予測されるモチーフ及びドメインを含む本発明のポリヌクレオチド配列の構造的特徴を、ポリペプチドの分析に用いるための方法、アルゴリズム及び検索可能なデータベースと共に示す。
【０５３３】
表４は、本発明のポリヌクレオチド配列をアセンブリするために用いたcDNAやゲノムDNA断片を、ポリヌクレオチド配列の選択した断片と共に示す。
【０５３４】
表５は、本発明のポリヌクレオチドの代表的なcDNAライブラリを示す。
【０５３５】
表６は、表５に示したcDNAライブラリの作製に用いた組織及びベクターを説明する付表である。
【０５３６】
表７は、本発明のポリヌクレオチドとポリペプチドの分析に用いたツール、プログラム、アルゴリズムを、適用可能な説明、参照文献及び閾値パラメータと共に示す。
【０５３７】
【表１】
2004535787.tif 000005
【０５３８】
【表２】
2004535787.tif 000006
【０５３９】
【表３−１】
2004535787.tif 000007
【０５４０】
【表３−２】
2004535787.tif 000008
【０５４１】
【表３−３】
2004535787.tif 000009
【０５４２】
【表３−４】
2004535787.tif 000010
【０５４３】
【表３−５】
2004535787.tif 000011
【０５４４】
【表３−６】
2004535787.tif 000012
【０５４５】
【表３−７】
2004535787.tif 000013
【０５４６】
【表３−８】
2004535787.tif 000014
【０５４７】
【表３−９】
2004535787.tif 000015
【０５４８】
【表３−１０】
2004535787.tif 000016
【０５４９】
【表３−１１】
2004535787.tif 000017
【０５５０】
【表３−１２】
2004535787.tif 000018
【０５５１】
【表４−１】
2004535787.tif 000019
【０５５２】
【表４−２】
2004535787.tif 000020
【０５５３】
【表４−３】
2004535787.tif 000021
【０５５４】
【表４−４】
2004535787.tif 000022
【０５５５】
【表４−５】
2004535787.tif 000023
【０５５６】
【表４−６】
2004535787.tif 000024
【０５５７】
【表４−７】
2004535787.tif 000025
【０５５８】
【表４−８】
2004535787.tif 000026
【０５５９】
【表５】
2004535787.tif 000027
【０５６０】
【表６−１】
2004535787.tif 000028
【０５６１】
【表６−２】
2004535787.tif 000029
【０５６２】
【表７−１】
2004535787.tif 000030
【０５６３】
【表７−２】
2004535787.tif 000031
【国際公開パンフレット】
2004535787.tif 000032
2004535787.tif 000033
2004535787.tif 000034
2004535787.tif 000035
2004535787.tif 000036
2004535787.tif 000037
2004535787.tif 000038
2004535787.tif 000039
2004535787.tif 000040
2004535787.tif 000041
2004535787.tif 000042
2004535787.tif 000043
2004535787.tif 000044
2004535787.tif 000045
2004535787.tif 000046
2004535787.tif 000047
2004535787.tif 000048
2004535787.tif 000049
2004535787.tif 000050
2004535787.tif 000051
2004535787.tif 000052
2004535787.tif 000053
2004535787.tif 000054
2004535787.tif 000055
2004535787.tif 000056
2004535787.tif 000057
2004535787.tif 000058
2004535787.tif 000059
2004535787.tif 000060
2004535787.tif 000061
2004535787.tif 000062
2004535787.tif 000063
2004535787.tif 000064
2004535787.tif 000065
2004535787.tif 000066
2004535787.tif 000067
2004535787.tif 000068
2004535787.tif 000069
2004535787.tif 000070
2004535787.tif 000071
2004535787.tif 000072
2004535787.tif 000073
2004535787.tif 000074
2004535787.tif 000075
2004535787.tif 000076
2004535787.tif 000077
2004535787.tif 000078
2004535787.tif 000079
2004535787.tif 000080
2004535787.tif 000081
2004535787.tif 000082
2004535787.tif 000083
2004535787.tif 000084
2004535787.tif 000085
2004535787.tif 000086
2004535787.tif 000087
2004535787.tif 000088
2004535787.tif 000089
2004535787.tif 000090
2004535787.tif 000091
2004535787.tif 000092
2004535787.tif 000093
2004535787.tif 000094
2004535787.tif 000095
2004535787.tif 000096
2004535787.tif 000097
2004535787.tif 000098
2004535787.tif 000099
2004535787.tif 000100
2004535787.tif 000101
2004535787.tif 000102
2004535787.tif 000103
2004535787.tif 000104
2004535787.tif 000105
2004535787.tif 000106
2004535787.tif 000107
2004535787.tif 000108
2004535787.tif 000109
2004535787.tif 000110
2004535787.tif 000111
2004535787.tif 000112
2004535787.tif 000113
2004535787.tif 000114
2004535787.tif 000115
2004535787.tif 000116
2004535787.tif 000117
2004535787.tif 000118
2004535787.tif 000119
2004535787.tif 000120
2004535787.tif 000121
2004535787.tif 000122
2004535787.tif 000123
2004535787.tif 000124
2004535787.tif 000125
2004535787.tif 000126
2004535787.tif 000127
2004535787.tif 000128
2004535787.tif 000129
2004535787.tif 000130
2004535787.tif 000131
2004535787.tif 000132
2004535787.tif 000133
2004535787.tif 000134
2004535787.tif 000135
2004535787.tif 000136
2004535787.tif 000137
2004535787.tif 000138
2004535787.tif 000139
2004535787.tif 000140
2004535787.tif 000141
2004535787.tif 000142
2004535787.tif 000143
2004535787.tif 000144
2004535787.tif 000145
2004535787.tif 000146
2004535787.tif 000147
2004535787.tif 000148
2004535787.tif 000149
2004535787.tif 000150
2004535787.tif 000151
2004535787.tif 000152
2004535787.tif 000153
2004535787.tif 000154
2004535787.tif 000155
2004535787.tif 000156
2004535787.tif 000157
2004535787.tif 000158
2004535787.tif 000159
2004535787.tif 000160
2004535787.tif 000161
2004535787.tif 000162
2004535787.tif 000163
2004535787.tif 000164
2004535787.tif 000165
2004535787.tif 000166
2004535787.tif 000167
2004535787.tif 000168
2004535787.tif 000169
2004535787.tif 000170
2004535787.tif 000171
2004535787.tif 000172
2004535787.tif 000173
2004535787.tif 000174
2004535787.tif 000175
2004535787.tif 000176
2004535787.tif 000177
2004535787.tif 000178
2004535787.tif 000179
2004535787.tif 000180
2004535787.tif 000181
2004535787.tif 000182
2004535787.tif 000183
2004535787.tif 000184
2004535787.tif 000185
2004535787.tif 000186
2004535787.tif 000187
2004535787.tif 000188
2004535787.tif 000189
2004535787.tif 000190
2004535787.tif 000191
2004535787.tif 000192
2004535787.tif 000193
2004535787.tif 000194
2004535787.tif 000195
2004535787.tif 000196
2004535787.tif 000197
2004535787.tif 000198
2004535787.tif 000199
2004535787.tif 000200
2004535787.tif 000201
2004535787.tif 000202
2004535787.tif 000203
2004535787.tif 000204
2004535787.tif 000205
2004535787.tif 000206
2004535787.tif 000207
2004535787.tif 000208
2004535787.tif 000209
2004535787.tif 000210
2004535787.tif 000211
2004535787.tif 000212
2004535787.tif 000213
2004535787.tif 000214
2004535787.tif 000215
2004535787.tif 000216
2004535787.tif 000217
2004535787.tif 000218
2004535787.tif 000219
2004535787.tif 000220
2004535787.tif 000221
2004535787.tif 000222
2004535787.tif 000223
2004535787.tif 000224
2004535787.tif 000225
2004535787.tif 000226
2004535787.tif 000227
2004535787.tif 000228
2004535787.tif 000229
2004535787.tif 000230
2004535787.tif 000231
2004535787.tif 000232
2004535787.tif 000233